(57)【要約】【課題】柔軟なフレーム構成での通信を可能とする送信方法を提供する。【解決手段】本開示の送信方法は、複数のＯＦＤＭシンボルを用いて、複数の送信データを複数の領域のいずれかに割り当ててフレームを構成するフレーム構成ステップと、送信ステップとを含む。複数の領域のそれぞれは、複数の時間リソースのうちの少なくとも一つの時間リソースと、複数の周波数リソースのうちの少なくとも一つの周波数リソースで規定される。フレームは、プリアンブルが伝送される第１期間と、時分割及び周波数分割を併用して複数の送信データが伝送される第２期間とを含む。第２期間は第１の領域を含み、第１の領域は、第１の送信データから生成されたデータシンボルと、第２の送信データから生成されたデータシンボルと、ダミーシンボルとを含む。【選択図】図６３
2017011689.tif 000002
【特許請求の範囲】
【請求項１】
複数のＯＦＤＭ（Orthogonal Frequency-Division Multiplexing）シンボルを用いて、複数の送信データを複数の領域のいずれかに割り当ててフレームを構成し、前記複数の領域のそれぞれは、複数の時間リソースのうちの少なくとも一つの時間リソースと、複数の周波数リソースのうちの少なくとも一つの周波数リソースで規定される、フレーム構成ステップと、
前記フレームを送信する送信ステップと、を含み、
前記フレームは、前記フレームのフレーム構成に関する情報を含むプリアンブルが伝送される第１期間と、時分割及び周波数分割を併用して複数の送信データが伝送される第２期間とを含み、
前記第２期間は第１の領域を含み、前記第１の領域は、第１の送信データから生成されたデータシンボルと、前記第１の送信データから生成されたデータシンボルに後続する第２の送信データから生成されたデータシンボルと、前記第２の送信データから生成されたデータシンボルに後続するダミーシンボルとを含む、
送信方法。
【請求項２】
プリアンブルが伝送される第１期間と、時分割及び周波数分割を併用して複数の送信データが伝送される第２期間とを含み、複数の送信データを複数の領域のいずれかに割り当て、複数のＯＦＤＭ（Orthogonal Frequency-Division Multiplexing）シンボルを用いて構成されたフレームを受信し、前記複数の領域のそれぞれは、複数の時間リソースのうちの少なくとも一つの時間リソースと、複数の周波数リソースのうちの少なくとも一つの周波数リソースで規定される、受信ステップと、
前記プリアンブルから前記フレームのフレーム構成に関する情報を取得するプリアンブル処理ステップと、
前記フレーム構成に関する情報に基づいて、前記第２期間で送信された前記複数の送信データのうちの少なくともいずれか一つを復調する復調ステップと、を含む、
受信方法。
【請求項３】
複数のＯＦＤＭ（Orthogonal Frequency-Division Multiplexing）シンボルを用いて、複数の送信データを複数の領域のいずれかに割り当ててフレームを構成し、前記複数の領域のそれぞれは、複数の時間リソースのうちの少なくとも一つの時間リソースと、複数の周波数リソースのうちの少なくとも一つの周波数リソースで規定される、フレーム構成部と、
前記フレームを送信する送信部と、を含み、
前記フレームは、前記フレームのフレーム構成に関する情報を含むプリアンブルが伝送される第１期間と、時分割及び周波数分割を併用して複数の送信データが伝送される第２期間とを含み、
前記第２期間は第１の領域を含み、前記第１の領域は、第１の送信データから生成されたデータシンボルと、前記第１の送信データから生成されたデータシンボルに後続する第２の送信データから生成されたデータシンボルと、前記第２の送信データから生成されたデータシンボルに後続するダミーシンボルとを含む、
送信装置。
【請求項４】
プリアンブルが伝送される第１期間と、時分割及び周波数分割を併用して複数の送信データが伝送される第２期間とを含み、複数の送信データを複数の領域のいずれかに割り当て、複数のＯＦＤＭ（Orthogonal Frequency-Division Multiplexing）シンボルを用いて構成されたフレームを受信し、前記複数の領域のそれぞれは、複数の時間リソースのうちの少なくとも一つの時間リソースと、複数の周波数リソースのうちの少なくとも一つの周波数リソースで規定される、受信部と、
前記プリアンブルから前記フレームのフレーム構成に関する情報を取得するプリアンブル復号部と、
前記フレーム構成に関する情報に基づいて、前記第２期間で送信された前記複数の送信データのうちの少なくともいずれか一つを復調する復調部と、を含む、
受信装置。
【発明の詳細な説明】
【技術分野】
【０００１】
本発明は、送信方法、受信方法、送信装置、及び受信装置に関する。
【背景技術】
【０００２】
直交周波数分割多重方式（ＯＦＤＭ：Orthogonal Frequency Division Multiplexing）を用いるデジタル放送規格として、例えば、ＤＶＢ−Ｔ２規格がある（非特許文献５参照）。
ＤＶＢ−Ｔ２規格などのデジタル放送では、複数のデータストリームを時分割により多重化したフレームが構成され、フレーム単位でデータが送信される。
【先行技術文献】
【非特許文献】
【０００３】
【非特許文献１】R. G. Gallager, “Low-density parity-check codes,” IRE Trans. Inform. Theory, IT-8, pp-21-28, 1962.
【非特許文献２】“Performance analysis and design optimization of LDPC-coded MIMO OFDM systems” IEEE Trans. Signal Processing., vol.52, no.2, pp.348-361, Feb. 2004.
【非特許文献３】C. Douillard, and C. Berrou, “Turbo codes with rate-m/(m+1) constituent convolutional codes,” IEEE Trans. Commun., vol.53, no.10, pp.1630-1638, Oct. 2005.
【非特許文献４】C. Berrou, “The ten-year-old turbo codes are entering into service”, IEEE Communication Magazine, vol.41, no.8,pp.110-116, Aug. 2003.
【非特許文献５】DVB Document A122, Frame structure, channel coding and modulation for a second generation digital terrestrial television broadcasting system (DVB-T2), June 2008.
【非特許文献６】D. J. C. Mackay, “Good error-correcting codes based on very sparse matrices,” IEEE Trans. Inform. Theory, vol. 45, no. 2, pp 399 - 431, March 1999.
【非特許文献７】S.M.Alamouti、“A simple transmit diversity technique for wireless communications,”IEEE J. Select. Areas Commun., vol.16, no.8, pp.1451-1458, Oct 1998.
【非特許文献８】V. Tarokh, H. Jafrkhani, and A.R.Calderbank、 “Space-time block coding for wireless communications: Performance results、”IEEE J. Select. Areas Commun., vol.17, no.3, no.3, pp.451―460, March 1999.
【発明の概要】
【発明が解決しようとする課題】
【０００４】
柔軟なフレーム構成での通信を可能とする送信方法、受信方法、送信装置、及び、受信装置を提供する。
【課題を解決するための手段】
【０００５】
本開示の一態様の送信方法は、複数のＯＦＤＭ（Orthogonal Frequency-Division Multiplexing）シンボルを用いて、複数の送信データを複数の領域のいずれかに割り当ててフレームを構成するフレーム構成ステップと、フレームを送信する送信ステップとを含む。複数の領域のそれぞれは、複数の時間リソースのうちの少なくとも一つの時間リソースと、複数の周波数リソースのうちの少なくとも一つの周波数リソースで規定される。フレームは、フレームのフレーム構成に関する情報を含むプリアンブルが伝送される第１期間と、時分割及び周波数分割を併用して複数の送信データが伝送される第２期間とを含む。第２期間は第１の領域を含み、第１の領域は、第１の送信データから生成されたデータシンボルと、第１の送信データから生成されたデータシンボルに後続する第２の送信データから生成されたデータシンボルと、第２の送信データから生成されたデータシンボルに後続するダミーシンボルとを含む。
【０００６】
本開示の一態様の受信方法は、受信ステップとプリアンブル処理ステップと復調ステップを含む。受信ステップは、プリアンブルが伝送される第１期間と、時分割及び周波数分割を併用して複数の送信データが伝送される第２期間とを含むフレームを受信する。フレームは、複数の送信データを複数の領域のいずれかに割り当て、複数のＯＦＤＭ（Orthogonal Frequency-Division Multiplexing）シンボルを用いて構成される。複数の領域のそれぞれは、複数の時間リソースのうちの少なくとも一つの時間リソースと、複数の周波数リソースのうちの少なくとも一つの周波数リソースで規定される。プリアンブル処理ステップは、プリアンブルからフレームのフレーム構成に関する情報を取得する。復調ステップは、フレーム構成に関する情報に基づいて、第２期間で送信された複数の送信データのうちの少なくともいずれか一つを復調する。
【０００７】
本開示の一態様の送信装置は、複数のＯＦＤＭ（Orthogonal Frequency-Division Multiplexing）シンボルを用いて、複数の送信データを複数の領域のいずれかに割り当ててフレームを構成するフレーム構成部と、フレームを送信する送信部とを含む。複数の領域のそれぞれは、複数の時間リソースのうちの少なくとも一つの時間リソースと、複数の周波数リソースのうちの少なくとも一つの周波数リソースで規定される。フレームは、フレームのフレーム構成に関する情報を含むプリアンブルが伝送される第１期間と、時分割及び周波数分割を併用して複数の送信データが伝送される第２期間とを含む。第２期間は第１の領域を含み、第１の領域は、第１の送信データから生成されたデータシンボルと、第１の送信データから生成されたデータシンボルに後続する第２の送信データから生成されたデータシンボルと、第２の送信データから生成されたデータシンボルに後続するダミーシンボルとを含む。
【０００８】
本開示の一態様の受信装置は、受信部とプリアンブル処理部と復調部とを含む。受信部は、プリアンブルが伝送される第１期間と、時分割及び周波数分割を併用して複数の送信データが伝送される第２期間とを含むフレームを受信する。フレームは、複数の送信データを複数の領域のいずれかに割り当て、複数のＯＦＤＭ（Orthogonal Frequency-Division Multiplexing）シンボルを用いて構成される。複数の領域のそれぞれは、複数の時間リソースのうちの少なくとも一つの時間リソースと、複数の周波数リソースのうちの少なくとも一つの周波数リソースで規定される。プリアンブル処理部は、プリアンブルからフレームのフレーム構成に関する情報を取得する。復調部は、フレーム構成に関する情報に基づいて、第２期間で送信された複数の送信データのうちの少なくともいずれか一つを復調する。
【発明の効果】
【０００９】
本開示に係る送信装置、受信装置、送信方法及び受信方法によれば、柔軟なフレーム構成での通信が可能であり、これにより、通信システムにおいて、高いデータ伝送効率を実現することができるとともに、受信装置は、効率よく、データを得ることができるという効果をもつ。
【図面の簡単な説明】
【００１０】
【図１】送信装置の構成の例
【図２】フレーム構成の例
【図３】フレーム構成の例
【図４】フレーム構成の例
【図５】フレーム構成の例
【図６】フレーム構成の例
【図７】時空間ブロック符号を用いた伝送方法を行う場合の構成の例
【図８】時空間ブロック符号を用いた伝送方法を行う場合の構成の例
【図９】ＭＩＭＯ方式を用いた伝送方法を行う場合の構成の例
【図１０】ＭＩＭＯ方式を用いた伝送方法を行う場合の構成の例
【図１１】ＭＩＭＯ方式を用いた伝送方法を行う場合の構成の例
【図１２】ＭＩＭＯ方式を用いた伝送方法を行う場合の構成の例
【図１３】ＭＩＭＯ方式を用いた伝送方法を行う場合の構成の例
【図１４】ＭＩＭＯ方式を用いた伝送方法を行う場合の構成の例
【図１５】ＭＩＭＯ方式を用いた伝送方法を行う場合の構成の例
【図１６】ＭＩＭＯ方式を用いた伝送方法を行う場合の構成の例
【図１７】ＭＩＭＯ方式を用いた伝送方法を行う場合の構成の例
【図１８】シンボルの配置方法の例
【図１９】シンボルの配置方法の例
【図２０】シンボルの配置方法の例
【図２１】シンボルの配置方法の例
【図２２】シンボルの配置方法の例
【図２３】受信装置の構成の例
【図２４】フレーム構成の例
【図２５】フレーム構成の例
【図２６】フレーム構成の例
【図２７】フレーム構成の例
【図２８】フレーム構成の例
【図２９】フレーム構成の例
【図３０】フレーム構成の例
【図３１】フレーム構成の例
【図３２】フレーム構成の例
【図３３】フレーム構成の例
【図３４】フレーム構成の例
【図３５】フレーム構成の例
【図３６】フレーム構成の例
【図３７】フレーム構成の例
【図３８】フレーム構成の例
【図３９】シンボルの配置方法の例
【図４０】シンボルの配置方法の例
【図４１】データシンボル群に挿入するパイロットシンボルの挿入例
【図４２】データシンボル群に挿入するパイロットシンボルの挿入例
【図４３】シンボルの配置方法の例
【図４４】シンボルの配置方法の例
【図４５】周波数方向及び時間方向のエリア分解の例
【図４６】シンボルの配置方法の例
【図４７】時間方向のエリア分解の例
【図４８】フレーム構成の例
【図４９】制御シンボルの配置方法の例
【図５０】フレーム構成の例
【図５１】フレーム構成の例
【図５２】フレーム構成の例
【図５３】制御シンボルの配置方法の例
【図５４】フレーム構成の例
【図５５】シンボルの配置方法の例
【図５６】シンボルの配置方法の例
【図５７】送信局と端末の関係の例
【図５８】送信装置の構成の例
【図５９】シンボルの配置方法の例
【図６０】シンボルの配置方法の例
【図６１】送信装置の構成の例
【図６２】ＭＩＭＯシステムの概要図
【図６３】フレーム構成の一例
【図６４】ダミーシンボル（ダミースロット）の挿入の一例
【図６５】フレーム構成の一例
【図６６】フレーム構成の一例
【図６７】フレーム構成の一例
【図６８】フレームの構成を表す指示子の一例
【図６９】フレームの構成の一例
【図７０】フレームの構成の一例
【図７１】フレームの構成を表す指示子の一例
【図７２】基地局と端末の関係の一例
【図７３】基地局と端末の通信の一例
【図７４】基地局の構成の一例
【図７５】端末の構成の一例
【図７６】基地局の送信装置の構成の一例
【図７７】基地局のデータシンボル群生成部の一例
【図７８】端末の受信装置の構成の一例
【図７９】変調信号のフレーム構成の一例
【図８０】データシンボル群の時間的な境界、または、周波数的な境界の構成の一例
【図８１】データシンボル群の時間的な境界、または、周波数的な境界の構成の別の一例
【図８２】基地局の構成の一例
【図８３】基地局の構成の別の一例
【図８４】データシンボル群＃Ｎ用インターリーバの動作の一例
【図８５】データシンボル群＃Ｎ用インターリーバの構成の一例
【図８６】基地局の構成の別の一例
【図８７】基地局の構成の別の一例
【図８８】キャリア並び替えの動作の一例
【図８９】基地局の構成の別の一例
【図９０】基地局の構成の別の一例
【図９１】変調信号のフレーム構成の別の一例
【図９２】変調信号のフレーム構成の別の一例
【図９３】変調信号のフレーム構成の別の一例
【図９４】変調信号のフレーム構成の別の一例
【図９５】基地局と複数の端末と通信の一例
【図９６】データシンボル群の構成の一例
【図９７】変調信号のフレーム構成の一例
【図９８】変調信号のフレーム構成の一例
【図９９】変調信号のフレーム構成の一例
【図１００】変調信号のフレームの構成の一例
【図１０１】変調信号のフレームの構成の一例
【図１０２】変調信号のフレーム構成の一例
【図１０３】変調信号のフレーム構成の一例
【図１０４】変調信号のフレーム構成の一例
【図１０５】変調信号のフレーム構成の一例
【図１０６】送信アンテナの構成の一例
【図１０７】受信アンテナの構成の一例
【発明を実施するための形態】
【００１１】
（空間多重ＭＩＭＯ方式）
マルチアンテナを用いた通信方法として例えばＭＩＭＯ（Ｍｕｌｔｉｐｌｅ−Ｉｎｐｕｔ  Ｍｕｌｔｉｐｌｅ−Ｏｕｔｐｕｔ）と呼ばれる通信方法がある。
ＭＩＭＯに代表されるマルチアンテナ通信では、１以上の系列の送信データを変調し、各変調信号を異なるアンテナから同一周波数（共通の周波数）を用い、同時に送信することで、データの受信品質を高めたり、および／または、（単位時間あたりの）データの通信速度を高めたりすることができる。
【００１２】
図６２は、空間多重ＭＩＭＯ方式の概要を説明する図である。図のＭＩＭＯ方式は、送信アンテナ数２（ＴＸ１、ＴＸ２）、受信アンテナ数２（ＲＸ１、ＲＸ２）、送信変調信号（送信ストリーム）数２のときの送受信装置の構成の一例を示している。
送信装置は、信号生成部、及び、無線処理部を有している。信号生成部は、データを通信路符号化し、MIMOプリコーディング処理を行い、同一周波数（共通の周波数）を用い、同時に送信することの可能な２つの送信信号ｚ１（ｔ）及びｚ２（ｔ）を生成する。無線処理部は、必要に応じて個々の送信信号を周波数方向に多重化し、つまり、マルチキャリア化（例えば、ＯＦＤＭ（Orthogonal Frequency Division Multiplexing）方式））し、また、受信装置が伝送路歪みや、周波数オフセット、位相ひずみ等の推定を行うためのパイロット信号を挿入する。（ただし、パイロット信号は、他のひずみ等を推定してもよいし、また、パイロット信号を、受信装置は、信号検出のために用いてもよい。なお、パイロット信号の受信装置での使用形態はこれに限ったものではない。）送信アンテナは、２つのアンテナ（ＴＸ１及びＴＸ２）を用いてｚ１(ｔ)及びｚ２（ｔ）を送信する。
【００１３】
受信装置は、受信アンテナ（ＲＸ１及びＲＸ２）、無線処理部、チャネル変動推定部、及び信号処理部を含む。受信アンテナ（ＲＸ１）は、送信装置の２つの送信アンテナ（ＴＸ１及びＴＸ２）から送信された信号を受信する。チャネル変動推定部は、パイロット信号を用いチャネル変動値を推定し、チャネル変動の推定値を信号処理部に供給する。信号処理部は、２本の受信アンテナで受信した信号と推定されたチャネル値に基づいて、ｚ１（ｔ）及びｚ２（ｔ）に含まれるデータを復元し、これを１つの受信データとして得る。ただし、受信データは「０」「１」の硬判定値であってもよいし、対数尤度または対数尤度比等の軟判定値であってもよい。
【００１４】
また、符号化方法として、ターボ符号（例えば、Duo-Binary Turbo codes）や、ＬＤＰＣ（Low-Density Parity-Check）符号等の種々の符号化方法が利用されている（非特許文献１〜非特許文献６など）。
（実施の形態１）
図１は本実施の形態における（例えば、放送局の）送信装置の構成の一例である。
【００１５】
データ生成部１０２は、送信データ１０８０１、制御信号１０９を入力とし、制御信号１０９に含まれる誤り訂正符号化の情報、変調方式の情報等の情報に基づき、誤り訂正符号化、変調方式に基づくマッピングを行い、データ伝送用の（直交）ベースバンド信号１０３を出力する。
第２プリアンブル生成部１０５は、第２プリアンブル用送信データ１０４、制御信号１０９を入力とし、制御信号１０９に含まれる第２プリアンブル用の誤り訂正の情報、変調方式の情報等の情報に基づき、誤り訂正符号化、変調方式に基づくマッピングを行い、第２プリアンブルの（直交）ベースバンド信号１０６を出力する。
【００１６】
制御信号生成部１０８は、第１プリアンブル用の送信データ１０７、第２プリアンブル用送信データ１０４を入力とし、各シンボルの送信方法（誤り訂正符号、誤り訂正符号の符号化率、変調方式、ブロック長、フレーム構成、規則的にプリコーディング行列を切り替える送信方法を含む選択した送信方法、パイロットシンボル挿入方法、ＩＦＦＴ（Inverse Fast Fourier Transform）（または、逆フーリエ変換）／ＦＦＴ（Fast Fourier Transform）（または、フーリエ変換）の情報等、PAPR（Peak to Average Power Ratio）削減方法の情報、ガードインターバル挿入方法の情報）の情報を制御信号１０９として出力する。
【００１７】
フレーム構成部１１０は、データ伝送用の（直交）ベースバンド信号１０３、第２プリアンブルの（直交）ベースバンド信号１０６、制御信号１０９を入力とし、制御信号に含まれるフレーム構成の情報に基づき、周波数、時間軸における並び替えを施し、フレーム構成にしたがった、ストリーム１の（直交）ベースバンド信号１１１＿１（マッピング後の信号、つまり、使用する変調方式に基づくベースバンド信号）、ストリーム２の（直交）ベースバンド信号１１１＿２（マッピング後の信号、つまり、使用する変調方式に基づくベースバンド信号）を出力する。
【００１８】
信号処理部１１２は、ストリーム１のベースバンド信号１１１＿１、ストリーム２のベースバンド信号１１１＿２、制御信号１０９を入力とし、制御信号１０９に含まれる送信方法に基づいた信号処理後の変調信号１（１１３＿１）および信号処理後の変調信号２（１１３＿２）を出力する。
なお、信号処理部では、例えば、プリコーディング、位相変更を用いたＭＩＭＯ伝送方式（位相変更を施さないＭＩＭＯ伝送方式であってもよい）（ここでは、ＭＩＭＯ方式と名付ける）、時空間ブロック符号（周波数−空間ブロック符号）を用いたＭＩＳＯ（Multiple-Input Single-Output）伝送方式（ここでは、ＭＩＳＯ方式と名付ける）、一つのストリームの変調信号を一つのアンテナから送信するＳＩＳＯ（Single-Input Single-Output）（または、ＳＩＭＯ（Single-Input Multiple-Output））伝送方式を用いるものとする（ただし、ＳＩＳＯ方式、ＳＩＭＯ方式において、一つのストリームの変調信号を複数のアンテナから送信する場合もある。）。信号処理部１１２の動作については、後で詳しく説明する。
【００１９】
パイロット挿入部１１４＿１は、信号処理後の変調信号１（１１３＿１）、制御信号１０９を入力とし、制御信号１０９に含まれるパイロットシンボルの挿入方法に関する情報に基づき、信号処理後の変調信号１（１１３＿１）にパイロットシンボルを挿入し、パイロットシンボル挿入後の変調信号１１５＿１を出力する。
パイロット挿入部１１４＿２は、信号処理後の変調信号２（１１３＿２）、制御信号１０９を入力とし、制御信号１０９に含まれるパイロットシンボルの挿入方法に関する情報に基づき、信号処理後の変調信号２（１１３＿２）にパイロットシンボルを挿入し、パイロットシンボル挿入後の変調信号１１５＿２を出力する。
【００２０】
ＩＦＦＴ（Inverse Fast Fourier Transform）部１１６＿１は、パイロットシンボル挿入後の変調信号１１５＿１、制御信号１０９を入力とし、制御信号１０９に含まれるＩＦＦＴの方法の情報に基づき、ＩＦＦＴを施し、ＩＦＦＴ後の信号１１７＿１を出力する。
ＩＦＦＴ部１１６＿２は、パイロットシンボル挿入後の変調信号１１５＿２、制御信号１０９を入力とし、制御信号１０９に含まれるＩＦＦＴの方法の情報に基づき、ＩＦＦＴを施し、ＩＦＦＴ後の信号１１７＿２を出力する。
【００２１】
ＰＡＰＲ削減部１１８＿１は、ＩＦＦＴ後の信号１１７＿１、制御信号１０９を入力とし、制御信号１０９に含まれるＰＡＰＲ削減に関する情報に基づき、ＩＦＦＴ後の信号１１７＿１にＰＡＰＲ削減のための処理を施し、ＰＡＰＲ削減後の信号１１９＿１を出力する。
ＰＡＰＲ削減部１１８＿２は、ＩＦＦＴ後の信号１１７＿２、制御信号１０９を入力とし、制御信号１０９に含まれるＰＡＰＲ削減に関する情報に基づき、ＩＦＦＴ後の信号１１７＿２にＰＡＰＲ削減のための処理を施し、ＰＡＰＲ削減後の信号１１９＿２を出力する。
【００２２】
ガードインターバル挿入部１２０＿１は、ＰＡＰＲ削減後の信号１１９＿１、制御信号１０９を入力とし、制御信号１０９に含まれるガードインターバルの挿入方法に関する情報に基づき、ＰＡＰＲ削減後の信号１１９＿１にガードインターバルを挿入し、ガードインターバル挿入後の信号１２１＿１を出力する。
ガードインターバル挿入部１２０＿２は、ＰＡＰＲ削減後の信号１１９＿２、制御信号１０９を入力とし、制御信号１０９に含まれるガードインターバルの挿入方法に関する情報に基づき、ＰＡＰＲ削減後の信号１１９＿２にガードインターバルを挿入し、ガードインターバル挿入後の信号１２１＿２を出力する。
【００２３】
第１プリアンブル挿入部１２２は、ガードインターバル挿入後の信号１２１＿１、ガードインターバル挿入後の信号１２１＿２、第１プリアンブル用の送信データ１０７を入力とし、第１プリアンブル用の送信データ１０７から第１プリアンブルの信号を生成し、ガードインターバル挿入後の信号１２１＿１に対し、第１プリアンブルを付加し、第１プリアンブルを付加した後の信号１２３＿１と、および、ガードインターバル挿入後の信号１２１＿２に対し、第１プリアンブルを付加し、第１プリアンブルを付加した後の信号１２３＿２を出力する。なお、第１プリアンブルの信号は、第１プリアンブルを付加した後の信号１２３＿１、第１プリアンブルを付加した後の信号１２３＿２両者に付加されていてもよく、また、いずれか一方に付加されていてもよい。一方に付加されている場合、付加されている信号の付加されている区間では、付加されていない信号には、ベースバンド信号としてゼロの信号が存在することになる。
【００２４】
無線処理部１２４＿１は、第１プリアンブルを付加した後の信号１２３＿１を入力とし、周波数変換、増幅等の処理が施され、送信信号１２５＿１を出力する。そして、送信信号１２５＿１は、アンテナ１２６＿１から電波として出力される。
無線処理部１２４＿２は、第１プリアンブルを付加した後の信号１２３＿２を入力とし、周波数変換、増幅等の処理が施され、送信信号１２５＿２を出力する。そして、送信信号１２５＿２は、アンテナ１２６＿２から電波として出力される。
【００２５】
なお、本実施の形態では、上述で記載したように、プリコーディング、位相変更を用いたＭＩＭＯ伝送方式、時空間ブロック符号（Space Time Block codes）（または、周波数−空間ブロック符号（Space Frequency Block codes））を用いたＭＩＳＯ（Multiple-Input Single-Output）伝送方式、ＳＩＳＯ（Single-Input Single-Output）（または、ＳＩＭＯ（Single-Input Single-Output））伝送方式を用いるものとする。（詳細は後で説明する）
図２から図６は、上述で説明した送信装置が送信する変調信号のフレーム構成の例である。以下では、各フレーム構成の特長について説明する。
【００２６】
図２は、第１のフレーム構成の例を示している。図２において、縦軸は周波数、横軸は時間であるものとする。そして、ＯＦＤＭ方式等のマルチキャリアを用いた伝送方式を用いているものとするため、縦軸周波数において、複数のキャリアが存在しているものとする。
図２の２０１は第１のプリアンブル、２０２は第２のプリアンブル、２０３はデータシンボル群＃１、２０４はデータシンボル群＃２、２０５はデータシンボル群＃３を示している。
【００２７】
まず、データシンボル群について説明する。
映像・オーディオストリームごとにデータシンボル群を割り当ててもよい。例えば、第１の映像・オーディオストリームを送信するためのシンボルがデータシンボル群＃１（２０３）、第２の映像・オーディオストリームを送信するためのシンボルがデータシンボル群＃２（２０４）、第３の映像・オーディオストリームを送信するためのシンボルがデータシンボル群＃３（２０５）となる。この点については、図２に限ったものではなく、図３，図４、図５、図６でも同様である。この点については、図２に限ったものではなく、図３，図４、図５、図６でも同様である。
【００２８】
また、例えば、ＤＶＢ−Ｔ２（ａ  ｓｅｃｏｎｄ  ｇｅｎｅｒａｔｉｏｎ  ｄｉｇｉｔａｌ  ｔｅｒｒｅｓｔｒｉａｌ  ｔｅｌｅｖｉｓｉｏｎ  ｂｒｏａｄｃａｓｔｉｎｇ  ｓｙｓｔｅｍ）などの規格におけるＰＬＰ（Physical Layer Pipe）のことをデータシンボル群と名付けてもよい。つまり、図２において、データシンボル群＃１（２０３）をＰＬＰ＃１、データシンボル群＃２（２０４）をＰＬＰ＃２、データシンボル群＃３（２０５）をＰＬＰ＃３と名付けてもよい。この点については、図２に限ったものではなく、図３，図４、図５、図６でも同様である。
【００２９】
第１のプリアンブル２０１、第２のプリアンブル２０２には、周波数同期、時間同期を行うためのシンボル（例えば、送受信機にとって、同相Ｉ−直交Ｑ平面において、信号点配置が既知となるＰＳＫ（Phase Shift Keying）のシンボル）、受信装置がチャネル変動を推定するためのパイロットシンボル（例えば、送受信機にとって、同相Ｉ−直交Ｑ平面において、信号点配置が既知となるＰＳＫ（Phase Shift Keying）のシンボル）、各データシンボル群の送信方法情報（ＳＩＳＯ方式、ＭＩＳＯ方式、ＭＩＭＯ方式を識別する情報）を伝送するためのシンボル、各データシンボル群の誤り訂正符号に関する情報（例えば、符号長、符号化率）を伝送するためのシンボル、各データシンボルの変調方式に関する情報（ＭＩＳＯ方式、または、ＭＩＭＯ方式の場合、複数のストリームが存在するため、複数の変調方式が指定される）を伝送するためのシンボル、第１・第２プリアンブルの送信方法情報を伝送するためのシンボル、第１・第２プリアンブルの誤り訂正符号に関する情報を伝送するためのシンボル、第１・第２プリアンブルの変調方式に関する情報を伝送するためのシンボル、パイロットシンボルの挿入方法に関する情報を伝送するためのシンボル、ＰＡＰＲ抑圧の方法に関する情報を伝送するためのシンボルなどが含まれているものとする。この点については、図２に限ったものではなく、図３，図４、図５、図６でも同様である。
【００３０】
図２の特徴的な点は、データシンボル群が、時間分割されて伝送されている点である。
なお、図２において、データシンボル群には、パイロットシンボルや制御情報を伝送するためのシンボルが、挿入されていてもよい。また、データシンボル群は、ＭＩＭＯ（伝送）方法およびＭＩＳＯ（伝送）方法に基づくシンボル群であることもある（当然であるが、データシンボル群は、ＳＩＳＯ（ＳＩＭＯ）方式のシンボル群であってもよい。）。この場合、同一時刻、同一（共通）周波数では、複数のストリーム（後で説明するｓ１，ｓ２）が送信されることになる。（この場合、同一時刻、同一（共通）周波数では、複数の変調信号を複数の（異なる）アンテナから送信することになる。）そして、この点については、図２に限ったものではなく、図３，図４、図５、図６でも同様である。
【００３１】
次に、図３について説明する。図３は、第２のフレーム構成の例を示している。図３において、縦軸は周波数、横軸は時間であるものとする。そして、ＯＦＤＭ方式等のマルチキャリアを用いた伝送方式を用いているものとするため、縦軸周波数において、複数のキャリアが存在しているものとする。なお、図３において、図２と同様のものについては、同一番号を付しており、図２と同様に動作するものとする。
【００３２】
図３において特徴的な点は、データシンボル群＃２（２０４）とデータシンボル群＃３（２０５）の（時間的）間に第１プリアンブル３０１と第２プリアンブル３０２が挿入されている点である。つまり、「第１プリアンブル、第２プリアンブル、データシンボル群」で形成されるシンボル群をグループと名付けたとき、第１のグループ（第１プリアンブル、第２プリアンブル、データシンボル群＃１、データシンボル群＃２）と第２のグループ（第１プリアンブル、第２プリアンブル、データシンボル群＃３）が存在し、第１のグループが含むデータシンボル群と第２のグループが含むデータシンボル群の構成が異なることになる。
【００３３】
このようにした場合、例えば、データシンボル群＃１で伝送する映像・オーディオとデータシンボル群＃２で伝送する映像・オーディオは、映像・オーディオの符号化の圧縮率が異なるが、同一の「映像・オーディオ」としてもよい。このようにすると、受信装置は、「データシンボル群＃１を復調するか、データシンボル群＃２を復調するか」を選択するという簡単な方法で、所望の「映像・オーディオ」を高い品質で得ることができ、かつ、このとき、プリアンブルを共通化できるため、制御情報の伝送効率を高くすることができるという利点がある。
（ただし、これに従わず、データシンボル群＃１で伝送する映像・オーディオは、データシンボル＃２で伝送する映像・オーディオと異なるものであってもよい。）
また、データシンボル群＃１を送信するための送信方法とデータシンボル群＃２を送信するための送信方法を同一とし、データシンボル群＃３を送信するための伝送方法とデータシンボル群＃１を送信するための送信方法（データシンボル群＃２を送信するための送信方法）を異なるようにすることが容易となる。
（後で説明するが、データシンボル群にはパイロットシンボルが挿入されているものとする。このとき、パイロットシンボルの挿入方法は、送信方法により異なる。（送信する変調信号の数が異なることがあるので）よって、送信方法ごとに、データシンボル群をまとめると、パイロットシンボル挿入による、伝送効率の低下を防ぐことができる可能性がある。）
次に、図４について説明する。図４は、第３のフレーム構成の例を示している。図４において、縦軸は周波数、横軸は時間であるものとする。そして、ＯＦＤＭ方式等のマルチキャリアを用いた伝送方式を用いているものとするため、縦軸周波数において、複数のキャリアが存在するものとする。なお、図４において、図２と同様に動作するものについては、同一番号を付しており、図２と同様に動作するものとする。
【００３４】
図４において特徴的な点は、データシンボル群＃１とデータシンボル群＃２が周波数分割されており、加えて、「データシンボル群＃１（４０１＿１）およびデータシンボル群＃２（４０２）」と「データシンボル群＃３（４０３）」が時間分割されている点である。つまり、データシンボル群は、周波数分割と時間分割の併用することで伝送されることになる。
【００３５】
次に、図５について説明する。図５は、第４のフレーム構成の例を示している。図５において、縦軸は周波数、横軸は時間であるものとする。そして、ＯＦＤＭ方式等のマルチキャリアを用いた伝送方式を用いているものとするため、縦軸周波数において、複数のキャリアが存在するものとする。なお、図５において、図２、図４と同様に動作するものについては、同一番号を付しており、図２、図４と同様に動作するものとする。
【００３６】
図５において特徴的な点は、図４と同様、データシンボル群＃１とデータシンボル群＃２が周波数分割されており、加えて、「データシンボル群＃１（４０１＿１）およびデータシンボル群＃２（４０２）」と「データシンボル群＃３（４０３）」が時間分割されている点である。つまり、データシンボル群は、周波数分割と時間分割の併用することで伝送されることになる。
【００３７】
加えて、図５において、「データシンボル群＃１（４０１＿１、４０１＿２）およびデータシンボル＃２（４０２）」とデータシンボル群＃３（４０３）の（時間的）間に第１プリアンブル３０１と第２プリアンブル３０２が挿入されている点である。つまり、「第１プリアンブル、第２プリアンブル、データシンボル群」で形成されるシンボル群をグループと名付けたとき、第１のグループ（第１プリアンブル、第２プリアンブル、データシンボル群＃１、データシンボル群＃２）と第２のグループ（第１プリアンブル、第２プリアンブル、データシンボル群＃３）が存在し、第１のグループが含むデータシンボル群と第２のグループが含むデータシンボル群の構成が異なることになる。
【００３８】
このようにした場合、例えば、データシンボル群＃１で伝送する映像・オーディオとデータシンボル群＃２で伝送する映像・オーディオは、映像・オーディオの符号化の圧縮率が異なるが、同一の「映像・オーディオ」としてもよい。このようにすると、受信装置は、「データシンボル群＃１を復調するか、データシンボル群＃２を復調するか」を選択するという簡単な方法で、所望の「映像・オーディオ」を高い品質で得ることができ、かつ、このとき、プリアンブルを共通化できるため、制御情報の伝送効率を高くすることができるという利点がある。
（ただし、これに従わず、データシンボル群＃１で伝送する映像・オーディオは、データシンボル＃２で伝送する映像・オーディオと異なるものであってもよい。）
また、データシンボル群＃１を送信するための送信方法とデータシンボル群＃２を送信するための送信方法を同一とし、データシンボル群＃３を送信するための伝送方法とデータシンボル群＃１を送信するための送信方法（データシンボル群＃２を送信するための送信方法）を異なるようにすることが容易となる。
（後で説明するが、データシンボル群にはパイロットシンボルが挿入されているものとする。このとき、パイロットシンボルの挿入方法は、送信方法により異なる。（送信する変調信号の数が異なることがあるので）よって、送信方法ごとに、データシンボル群をまとめると、パイロットシンボル挿入による、伝送効率の低下を防ぐことができる可能性がある。）
次に、図６について説明する。図６は、第５のフレーム構成の例を示している。図６において、縦軸は周波数、横軸は時間であるものとする。そして、ＯＦＤＭ方式等のマルチキャリアを用いた伝送方式を用いているものとするため、縦軸周波数において、複数のキャリアが存在するものとする。なお、図６において、図２、図４と同様に動作するものについては、同一番号を付しており、図２、図４と同様に動作するものとする。
【００３９】
図６において特徴的な点は、図４、図５と同様、データシンボル群＃１とデータシンボル群＃２が周波数分割されており、加えて、「データシンボル群＃１（４０１＿１）およびデータシンボル群＃２（４０２）」と「データシンボル群＃３（４０３）」が時間分割されている点である。つまり、データシンボル群は、周波数分割と時間分割の併用することで伝送されることになる。
【００４０】
加えて、図６において、「データシンボル群＃１（４０１＿１、４０１＿２）およびデータシンボル＃２（４０２）」とデータシンボル群＃３（４０３）の（時間的）間にパイロットシンボルが挿入されている点である。
このようにした場合、例えば、データシンボル群＃１で伝送する映像・オーディオとデータシンボル群＃２で伝送する映像・オーディオは、映像・オーディオの符号化の圧縮率が異なるが、同一の「映像・オーディオ」としてもよい。このようにすると、受信装置は、「データシンボル群＃１を復調するか、データシンボル群＃２を復調するか」を選択するという簡単な方法で、所望の「映像・オーディオ」を高い品質で得ることができ、かつ、このとき、プリアンブルを共通化できるため、制御情報の伝送効率を高くすることができるという利点がある。
（ただし、これに従わず、データシンボル群＃１で伝送する映像・オーディオは、データシンボル＃２で伝送する映像・オーディオと異なるものであってもよい。）
また、データシンボル群＃１を送信するための送信方法とデータシンボル群＃２を送信するための送信方法を同一とし、データシンボル群＃３を送信するための伝送方法とデータシンボル群＃１を送信するための送信方法（データシンボル群＃２を送信するための送信方法）を異なるようにすることが容易となる。
（後で説明するが、データシンボル群にはパイロットシンボルが挿入されているものとする。このとき、パイロットシンボルの挿入方法は、送信方法により異なる。（送信する変調信号の数が異なることがあるので）よって、送信方法ごとに、データシンボル群をまとめると、パイロットシンボル挿入による、伝送効率の低下を防ぐことができる可能性がある。
【００４１】
なお、ＭＩＳＯ方式またはＭＩＭＯ方式の場合、各送信アンテナから送信する各変調信号にパイロットシンボルを挿入することになる。
そして、図６のようにパイロットシンボル６０１を挿入することで、受信装置は各データシンボル群を検波、復調するためのチャネル推定を高精度に行うことができる。また、データシンボルの送信方法が切り替わった際、受信装置は、送信方法に適した受信信号のゲインを調整しなければならないが、パイロットシンボル６０１により、容易にゲイン調整を行うことができる、という利点を得ることができる。）
なお、図４、図５、図６において、例えば、データシンボル群＃１で伝送する映像・オーディオとデータシンボル群＃２で伝送する映像・オーディオは、映像・オーディオの符号化の圧縮率が異なるが、同一の「映像・オーディオ」としてもよい。このようにすると、受信装置は、「データシンボル群＃１を復調するか、データシンボル群＃２を復調するか」を選択するという簡単な方法で、所望の「映像・オーディオ」を高い品質で得ることができ、かつ、このとき、プリアンブルを共通化できるため、制御情報の伝送効率を高くすることができるという利点がある。（ただし、これに従わず、データシンボル群＃１で伝送する映像・オーディオは、データシンボル＃２で伝送する映像・オーディオと異なるものであってもよい。）
図４、図５、図６において、周波数分割したデータシンボル群の後に時分割したデータシンボル群を配置する例を示しているが、これに限ったののではなく、時分割したデータシンボル群の後に周波数分割したデータシンボル群を配置してもよい。このとき、図５の例では、時分割したデータシンボル群と周波数分割したデータシンボル群の間に第１プリアンブル、第２プリアンブルが挿入されることになる。（ただし、それ以外のシンボルが挿入されてもよい。）そして、図６の例では、時分割したデータシンボル群と周波数分割したデータシンボル群の間にパイロットシンボルが挿入されることになる。（ただし、それ以外のシンボルが挿入されてもよい。）
本実施の形態における特長的な点について説明する。
【００４２】
上述で述べたように、図２から図６のフレーム構成には、それぞれ、利点が存在している。したがって、送信装置は、データ（ストリーム）の圧縮率や種類、送信方法の組み合わせ方法、端末に提供したいサービスの方法により、図２から図６のいずれかのフレーム構成を選択し、制御情報、パイロットシンボル、データシンボルなどのシンボルを送信するものとする。
【００４３】
これを実現するために、送信装置（図１）は、フレーム構成に関する情報を第１プリアンブルまたは第２プリアンブルに受信装置（端末）に伝えるための「フレーム構成に関する情報」が含まれているとよい。
例えば、「フレーム構成に関する情報」として、ｖ０，ｖ１，ｖ２の３ビットを割り当てたとき、送信装置が図２のフレーム構成で変調信号を送信する場合、（ｖ０，ｖ１，ｖ２）を（０，０，０）とし、「フレーム構成に関する情報」を送信装置は送信する。
【００４４】
送信装置が図３のフレーム構成で変調信号を送信する場合、（ｖ０，ｖ１，ｖ２）を（０，０，１）とし、「フレーム構成に関する情報」を送信装置は送信する。
送信装置が図４のフレーム構成で変調信号を送信する場合、（ｖ０，ｖ１，ｖ２）を（０，１，０）とし、「フレーム構成に関する情報」を送信装置は送信する。
送信装置が図５のフレーム構成で変調信号を送信する場合、（ｖ０，ｖ１，ｖ２）を（０，１，１）とし、「フレーム構成に関する情報」を送信装置は送信する。
【００４５】
送信装置が図５のフレーム構成で変調信号を送信する場合、（ｖ０，ｖ１，ｖ２）を（１，０，０）とし、「フレーム構成に関する情報」を送信装置は送信する。
そして、受信装置は、「フレーム構成に関する情報」により、送信装置が送信した変調信号のフレーム構成の概要を知ることができる。
上で説明したように、データシンボル群は、ＳＩＳＯ（またはＳＩＭＯ）方式、ＭＩＳＯ方式、ＭＩＭＯ方式のいずれかのシンボルとなる。以下では、特に、ＭＩＳＯ方式、ＭＩＭＯ方式について説明する。
【００４６】
時空間ブロック符号（周波数−空間ブロック符号）を用いたＭＩＳＯ（伝送）方式について説明する。
図１の信号処理部１１２が、時空間ブロック符号（Space-Time Block Codes）を用いた伝送方法を行う場合の構成について、図７を用いて説明する。
マッピング部７０２は、データ信号（誤り訂正符号化後のデータ）７０１、制御信号７０６を入力とし、制御信号７０６に含まれる変調方式に関連する情報に基づき、マッピングを行い、マッピング後の信号７０３を出力する。例えば、マッピング後の信号７０３は、ｓ０，ｓ１，ｓ２，ｓ３，・・・，ｓ（２ｉ），ｓ（２ｉ＋１），・・・の順に並んでいるものとする。（ｉは、０以上の整数とする。）
ＭＩＳＯ（Multiple Input Multiple Output）処理部７０４は、マッピング後の信号７０３、制御信号７０６を入力とし、制御信号７０６がＭＩＳＯ方式で送信することを指示している場合、ＭＩＳＯ処理後の信号７０５Ａおよび７０５Ｂを出力する。例えば、ＭＩＳＯ処理後の信号７０５Ａはｓ０，ｓ１，ｓ２，ｓ３，・・・，ｓ（２ｉ），ｓ（２ｉ＋１），・・・となり、ＭＩＳＯ処理後の信号７０５Ｂは−ｓ１＊，ｓ０＊，−ｓ３＊，ｓ２＊・・・，−ｓ（２ｉ＋１）＊，ｓ（２ｉ）＊，・・・となる。なお、「＊」は複素共役を意味する。（例えば、ｓ０＊はｓ０の複素共役となる。）
このとき、ＭＩＳＯ処理後の信号７０５Ａおよび７０５Ｂが、それぞれ図１の信号処理後の変調信号１（１１３＿１）および信号処理後の変調信号２（１１３＿２）に相当する。なお、時空間ブロック符号の方法は上述の説明に限ったものではない。
【００４７】
そして、信号処理後の変調信号１（１１３＿１）は、所定の処理が施され、アンテナ１２６＿１から電波として、送信される。また、信号処理後の変調信号１（１１３＿２）は、所定の処理が施され、アンテナ１２６＿２から電波として、送信される。
図８は、図７とは異なる時空間ブロック符号（Space-Time Block Codes）を用いた伝送方法を行う場合の構成である。
【００４８】
マッピング部７０２は、データ信号（誤り訂正符号化後のデータ）７０１、制御信号７０６を入力とし、制御信号７０６に含まれる変調方式に関連する情報に基づき、マッピングを行い、マッピング後の信号７０３を出力する。例えば、マッピング後の信号７０３は、ｓ０，ｓ１，ｓ２，ｓ３，・・・，ｓ（２ｉ），ｓ（２ｉ＋１），・・・の順に並んでいるものとする。（ｉは、０以上の整数とする。）
ＭＩＳＯ（Multiple Input Multiple Output）処理部７０４は、マッピング後の信号７０３、制御信号７０６を入力とし、制御信号７０６がＭＩＳＯ方式で送信することを指示している場合、ＭＩＳＯ処理後の信号７０５Ａおよび７０５Ｂを出力する。例えば、ＭＩＳＯ処理後の信号７０５Ａはｓ０，−ｓ１＊，ｓ２，−ｓ３＊，・・・，ｓ（２ｉ），−ｓ（２ｉ＋１）＊，・・・となり、ＭＩＳＯ処理後の信号７０５Ｂはｓ１，ｓ０＊，ｓ３，ｓ２＊・・・，ｓ（２ｉ＋１），ｓ（２ｉ）＊，・・・となる。なお、「＊」は複素共役を意味する。（例えば、ｓ０＊はｓ０の複素共役となる。）
このとき、ＭＩＳＯ処理後の信号７０５Ａおよび７０５Ｂが、それぞれ図１の信号処理後の変調信号１（１１３＿１）および信号処理後の変調信号２（１１３＿２）に相当する。なお、時空間ブロック符号の方法は上述の説明に限ったものではない。
【００４９】
そして、信号処理後の変調信号１（１１３＿１）は、所定の処理が施され、アンテナ１２６＿１から電波として、送信される。また、信号処理後の変調信号１（１１３＿２）は、所定の処理が施され、アンテナ１２６＿２から電波として、送信される。
次に、ＭＩＭＯ方式の一例として、プリコーディング、位相変更、パワー変更を適用したＭＩＭＯ方式について説明する。（ただし、複数のストリームを複数のアンテナから送信する方法はこれに限ったものではなく、他の方式であっても、本実施の形態は実施することが可能である。）
図１の信号処理部１１２が、ＭＩＭＯ方式を用いた伝送方法を行う場合の構成について、図９から図１７を用いて説明する。
【００５０】
図９の符号化部１１０２は、情報１１０１および、制御信号１１１２を入力とし、制御信号１１１２に含まれる符号化率、符号長（ブロック長）の情報に基づき、符号化を行い、符号化後のデータ１１０３を出力する。
マッピング部１１０４は、符号化後のデータ１１０３、制御信号１１１２を入力とする。そして、制御信号１１１２が、伝送方式として、二つのストリームを送信することを指定したものとする。加えて、制御信号１１１２が二つのストリームの各変調方式として、変調方式αと変調方式βを指定したものとする。なお、変調方式αはｘビットのデータを変調する変調方式、変調方式βはｙビットのデータを変調する変調方式とする。（例えば１６ＱＡＭ（16 Quadrature Amplitude Modulation）の場合、４ビットのデータを変調する変調方式であり、６４ＱＡＭ（64 Quadrature Amplitude Modulation）の場合、６ビットのデータを変調する変調方式である。）
すると、マッピング部１１０４は、ｘ＋ｙビットのデータのうちのｘビットのデータに対し、変調方式αで変調し、ベースバンド信号ｓ１（ｔ）（１１０５Ａ）を生成、出力し、また、残りのｙビットのデータのデータに対し、変調方式βで変調し、ベースバンド信号ｓ２（ｔ）（１１０５Ｂ）を出力する。（なお、図９では、マッピング部を一つとしているが、これとは別の構成として、ｓ１（ｔ）を生成するためのマッピング部とｓ２（ｔ）を生成するためのマッピング部が別々に存在していてもよい。このとき、符号化後のデータ１１０３は、ｓ１（ｔ）を生成するためのマッピング部とｓ２（ｔ）を生成するためのマッピング部に振り分けられることになる。）
なお、ｓ１（ｔ）およびｓ２（ｔ）は複素数で表現され（ただし、複素数、実数、いずれであってもよい）、また、ｔは時間である。なお、ＯＦＤＭ（Orthogonal Frequency Division Multiplexing）等のマルチキャリアを用いた伝送方式を用いている場合、ｓ１およびｓ２は、ｓ１（ｆ）およびｓ２（ｆ）のように周波数ｆの関数、または、ｓ１（ｔ，ｆ）およびｓ２（ｔ，ｆ）のように時間ｔ、周波数ｆの関数と考えることもできる。
【００５１】
以降では、ベースバンド信号、プリコーディング行列、位相変更等を時間ｔの関数として説明しているが、周波数ｆの関数、時間ｔおよび周波数ｆの関数と考えてもよい。
したがって、ベースバンド信号、プリコーディング行列、位相変更等をシンボル番号ｉの関数として説明を進めている場合もあるが、この場合、時間ｔの関数、周波数ｆの関数、時間ｔおよび周波数ｆの関数と考えればよい。つまり、シンボル、ベースバンド信号を、時間軸方向で生成し、配置してもよいし、周波数軸方向で生成し、配置してもよい。また、シンボル、ベースバンド信号を、時間軸方向および周波数軸方向で生成し、配置してもよい。
【００５２】
パワー変更部１１０６Ａ（パワー調整部１１０６Ａ）は、ベースバンド信号ｓ１（ｔ）（１１０５Ａ）、および、制御信号１１１２を入力とし、制御信号１１１２に基づき、実数Ｐ１を設定し、Ｐ１×ｓ１（ｔ）をパワー変更後の信号１１０７Ａとして出力する。（なお、Ｐ１を実数としているが、複素数であってもよい。）
同様に、パワー変更部１１０６Ｂ（パワー調整部１１０６Ｂ）は、ベースバンド信号ｓ２（ｔ）（１１０５Ｂ）、および、制御信号５１２を入力とし、実数Ｐ２を設定し、Ｐ２×ｓ２（ｔ）をパワー変更後の信号１１０７Ｂとして出力する。（なお、Ｐ２を実数としているが、複素数であってもよい。）
重み付け合成部１１０８は、パワー変更後の信号１１０７Ａ、パワー変更後の信号１１０７Ｂ、および、制御信号１１１２を入力とし、制御信号１１１２に基づき、プリコーディング行列Ｆ（またはＦ（ｉ））を設定する。スロット番号（シンボル番号）をｉとすると、重み付け合成部１１０８は、以下の演算を行う。
【００５３】
【数１】
2017011689.tif 000003
【００５４】
ここで、ａ（ｉ）、ｂ（ｉ）、ｃ（ｉ）、ｄ（ｉ）は、複素数で表現でき（実数であってもよい）、ａ（ｉ）、ｂ（ｉ）、ｃ（ｉ）、ｄ（ｉ）のうち、３つ以上が０（ゼロ）であってはならない。なお、プリコーディング行列はｉの関数であってもよいし、ｉの関数でなくてもよい。そして、プリコーディング行列がｉの関数のとき、プリコーディング行列がスロット番号（シンボル番号）により切り替わることになる。
【００５５】
そして、重み付け合成部１１０８は、式（１）におけるｕ１（ｉ）を重み付け合成後の信号１１０９Ａとして出力し、式（１）におけるｕ２（ｉ）を重み付け合成後の信号１１０９Ｂとして出力する。
パワー変更部１１１０Ａは、重み付け合成後の信号１１０９Ａ（ｕ１（ｉ））、および、制御信号５１２を入力とし、制御信号１１１２に基づき、実数Ｑ１を設定し、Ｑ１×ｕ１（ｔ）をパワー変更後の信号１１１１Ａ（ｚ１（ｉ））として出力する。（なお、Ｑ１を実数としているが、複素数であってもよい。）
同様に、パワー変更部１１１０Ｂは、重み付け合成後の信号１１０９Ｂ（ｕ２（ｉ））、および、制御信号１１１２を入力とし、制御信号５１２に基づき、実数Ｑ２を設定し、Ｑ２×ｕ２（ｔ）をパワー変更後の信号１１１１Ｂ（ｚ２（ｉ））として出力する。（なお、Ｑ２を実数としているが、複素数であってもよい。）
したがって、以下の式が成立する。
【００５６】
【数２】
2017011689.tif 000004
【００５７】
次に、図９とは異なる二つのストリームを送信する場合の伝送方法について、図１０を用いて説明する。なお、図１０において、図９と同様に動作するものについては、同一符号を付している。
位相変更部１１６１は、式（１）におけるｕ２（ｉ）を重み付け合成後の信１１０９Ｂおよび制御信号１１１２を入力とし、制御信号１１１２に基づき、式（１）におけるｕ２（ｉ）を重み付け合成後の信号１１０９Ｂの位相を変更する。したがって、式（１）におけるｕ２（ｉ）を重み付け合成後の信号１１０９Ｂの位相を変更後の信号は、ｅｊθ（ｉ）×ｕ２（ｉ）とあらわされ、ｅｊθ（ｉ）×ｕ２（ｉ）が位相変更後の信号１１６２として、位相変更部１１６１は、出力する（ｊは虚数単位）。なお、変更する位相の値は、θ（ｉ）のようにｉの関数であることが特徴的な部分となる。
【００５８】
そして、図１０のパワー変更部１１１０Ａおよび１１１０Ｂは、入力信号のパワー変更をそれぞれ行う。したがって、図１０におけるパワー変更部１１１０Ａおよび１１１０Ｂのそれぞれの出力ｚ１（ｉ）、ｚ２（ｉ）は、次式のようにあらわされる。
【００５９】
【数３】
2017011689.tif 000005
【００６０】
なお、式（３）を実現する方法として、図１０と異なる構成として、図１１がある。図１０と図１１の異なる点は、パワー変更部と位相変更部の順番が入れ替わっている点である。（パワー変更を行う、位相変更を行うという機能自身はかわらない。）このとき、ｚ１（ｉ）、ｚ２（ｉ）は、次式のようにあらわされる。
【００６１】
【数４】
2017011689.tif 000006
【００６２】
式（３）および式（４）における変更する位相の値θ（ｉ）は、例えば、θ（ｉ＋１）―θ（ｉ）が固定値となるように設定すると、直接波が支配的な電波伝搬環境において、受信装置は、良好なデータの受信品質が得られる可能性が高い。ただし、変更する位相の値θ（ｉ）の与え方は、この例に限ったものではない。
図９から図１１において、パワー変更部の一部（または、すべて）が存在する場合を例に説明したが、パワー変更部の一部がない場合も考えられる。
【００６３】
例えば、図９において、パワー変更部１１０６Ａ（パワー調整部１１０６Ａ）、パワー変更部１１０６Ｂ（パワー調整部１１０６Ｂ）が存在しない場合、ｚ１（ｉ）およびｚ２（ｉ）は以下のようにあらわされる。
【００６４】
【数５】
2017011689.tif 000007
【００６５】
また、図９において、パワー変更部１１１０Ａ（パワー調整部１１１０Ａ）、パワー変更部１１１０Ｂ（パワー調整部１１１０Ｂ）が存在しない場合、ｚ１（ｉ）およびｚ２（ｉ）は以下のようにあらわされる。
【００６６】
【数６】
2017011689.tif 000008
【００６７】
また、図９において、パワー変更部１１０６Ａ（パワー調整部１１０６Ａ）、パワー変更部１１０６Ｂ（パワー調整部１１０６Ｂ）、パワー変更部１１１０Ａ（パワー調整部１１１０Ａ）、パワー変更部１１１０Ｂ（パワー調整部１１１０Ｂ）が存在しない場合、ｚ１（ｉ）およびｚ２（ｉ）は以下のようにあらわされる。
【００６８】
【数７】
2017011689.tif 000009
【００６９】
また、図１０または図１１において、パワー変更部１１０６Ａ（パワー調整部１１０６Ａ）、パワー変更部１１０６Ｂ（パワー調整部１１０６Ｂ）が存在しない場合、ｚ１（ｉ）およびｚ２（ｉ）は以下のようにあらわされる。
【００７０】
【数８】
2017011689.tif 000010
【００７１】
また、図１０または図１１において、パワー変更部１１１０Ａ（パワー調整部１１１０Ａ）、パワー変更部１１１０Ｂ（パワー調整部１１１０Ｂ）が存在しない場合、ｚ１（ｉ）およびｚ２（ｉ）は以下のようにあらわされる。
【００７２】
【数９】
2017011689.tif 000011
【００７３】
また、図１０または図１１において、パワー変更部１１０６Ａ（パワー調整部１１０６Ａ）、パワー変更部１１０６Ｂ（パワー調整部１１０６Ｂ）、パワー変更部１１１０Ａ（パワー調整部１１１０Ａ）、パワー変更部１１１０Ｂ（パワー調整部１１１０Ｂ）が存在しない場合、ｚ１（ｉ）およびｚ２（ｉ）は以下のようにあらわされる。
【００７４】
【数１０】
2017011689.tif 000012
【００７５】
次に、図９から図１１とは異なる二つのストリームを送信する場合の伝送方法について、図１２を用いて説明する。なお、図１２において、図９から図１１と同様に動作するものについては、同一符号を付しており、説明は省略する。
図１２において、特徴的な点は、位相変更部１１５１が挿入されている点である。
位相変更部１１５１は、ベースバンド信号ｓ２（ｉ）（１１０５Ｂ）および制御信号１１１２を入力とし、制御信号１１１２に基づき、ベースバンド信号ｓ２（ｉ）（１１０５Ｂ）の位相を変更する。このとき、位相変更の値をｅｊλ（ｉ）とする（ｊは虚数単位）。なお、変更する位相の値は、λ（ｉ）のようにｉの関数であることが特徴的な部分となる。
【００７６】
すると、式（１）から式（１０）と同様に考えると、図１２の出力信号となるｚ１（ｉ）、ｚ２（ｉ）は、次式のようにあらわされる。
【００７７】
【数１１】
2017011689.tif 000013
【００７８】
なお、式（１１）を実現する方法として、図１２と異なる構成として、パワー変更部１１０６Ｂと位相変更部１１５１の順番を入れ替える構成がある。（パワー変更を行う、位相変更を行うという機能自身はかわらない。）このとき、ｚ１（ｉ）、ｚ２（ｉ）は、次式のようにあらわされる。
【００７９】
【数１２】
2017011689.tif 000014
【００８０】
当然であるが、式（１１）のｚ１（ｉ）と式（１２）のｚ１（ｉ）は等しく、式（１１）のｚ２（ｉ）と式（１２）のｚ２（ｉ）は等しい。
図１３は、図１２と同様の処理を実現することができる別の構成となる。なお、図１３において、図９から図１２と同様に動作するものについては、同一符号を付しており、説明は省略する。そして、図１２と図１３の異なる点は、図１２において、パワー変更部１１１０Ｂと位相変更部１１６１の順番が入れ替えたものが図１３となる。（パワー変更を行う、位相変更を行うという機能自身はかわらない。）
すると、式（１）から式（１２）と同様に考えると、図１３の出力信号となるｚ１（ｉ）、ｚ２（ｉ）は、次式のようにあらわされる。
【００８１】
【数１３】
2017011689.tif 000015
【００８２】
なお、式（１３）を実現する方法として、図１３と異なる構成として、パワー変更部１１０６Ｂと位相変更部１１５１の順番を入れ替える構成がある。（パワー変更を行う、位相変更を行うという機能自身はかわらない。）このとき、ｚ１（ｉ）、ｚ２（ｉ）は、次式のようにあらわされる。
【００８３】
【数１４】
2017011689.tif 000016
【００８４】
当然であるが、式（１１）のｚ１（ｉ）と式（１２）のｚ１（ｉ）式（１３）のｚ１（ｉ）と式（１４）のｚ１（ｉ）は等しく、式（１１）のｚ２（ｉ）と式（１２）のｚ２（ｉ）と式（１３）のｚ２（ｉ）と式（１４）のｚ２（ｉ）は等しい。
次に、図９から図１３とは異なる二つのストリームを送信する場合の伝送方法について、図１４を用いて説明する。なお、図１４において、図９から図１３と同様に動作するものについては、同一符号を付しており、説明は省略する。
【００８５】
図１４において、特徴的な点は、位相変更部１１８１と位相変更部１１５１が挿入されている点である。
位相変更部１１５１は、ベースバンド信号ｓ２（ｉ）（１１０５Ｂ）および制御信号１１１２を入力とし、制御信号１１１２に基づき、ベースバンド信号ｓ２（ｉ）（１１０５Ｂ）の位相を変更する。このとき、位相変更の値をｅｊλ（ｉ）とする（ｊは虚数単位）。なお、変更する位相の値は、λ（ｉ）のようにｉの関数であることが特徴的な部分となる。
【００８６】
また、位相変更部１１８１は、ベースバンド信号ｓ１（ｉ）（１１０５Ａ）および制御信号１１１２を入力とし、制御信号１１１２に基づき、ベースバンド信号ｓ１（ｉ）（１１０５Ａ）の位相を変更する。このとき、位相変更の値をｅｊδ（ｉ）とする（ｊは虚数単位）。なお、変更する位相の値は、δ（ｉ）のようにｉの関数であることが特徴的な部分となる。
【００８７】
すると、式（１）から式（１４）と同様に考えると、図１４の出力信号となるｚ１（ｉ）、ｚ２（ｉ）は、次式のようにあらわされる。
【００８８】
【数１５】
2017011689.tif 000017
【００８９】
なお、式（１５）を実現する方法として、図１４と異なる構成として、パワー変更部１１０６Ｂと位相変更部１１５１の順番を入れ替え、かつ、パワー変更部１１０６Ａと位相変更部１１８１の順番を入れ替える構成がある。（パワー変更を行う、位相変更を行うという機能自身はかわらない。）このとき、ｚ１（ｉ）、ｚ２（ｉ）は、次式のようにあらわされる。
【００９０】
【数１６】
2017011689.tif 000018
【００９１】
当然であるが、式（１５）のｚ１（ｉ）と式（１６）のｚ１（ｉ）は等しく、式（１５）のｚ２（ｉ）と式（１６）のｚ２（ｉ）は等しい。
図１５は、図１４と同様の処理を実現することができる別の構成となる。なお、図１５において、図９から図１４と同様に動作するものについては、同一符号を付しており、説明は省略する。そして、図１４と図１５の異なる点は、図１４において、パワー変更部１１１０Ｂと位相変更部１１６１の順番が入れ替えたものが図１５となる。（パワー変更を行う、位相変更を行うという機能自身はかわらない。）
すると、式（１）から式（１６）と同様に考えると、図１５の出力信号となるｚ１（ｉ）、ｚ２（ｉ）は、次式のようにあらわされる。
【００９２】
【数１７】
2017011689.tif 000019
【００９３】
なお、式（１７）を実現する方法として、図１５と異なる構成として、パワー変更部１１０６Ｂと位相変更部１１５１の順番を入れ替え、かつ、パワー変更部１１０６Ａと位相変更部１１８１の順番を入れ替える構成がある。（パワー変更を行う、位相変更を行うという機能自身はかわらない。）このとき、ｚ１（ｉ）、ｚ２（ｉ）は、次式のようにあらわされる。
【００９４】
【数１８】
2017011689.tif 000020
【００９５】
当然であるが、式（１５）のｚ１（ｉ）と式（１６）のｚ１（ｉ）式（１７）のｚ１（ｉ）と式（１８）のｚ１（ｉ）は等しく、式（１５）のｚ２（ｉ）と式（１６）のｚ２（ｉ）と式（１７）のｚ２（ｉ）と式（１８）のｚ２（ｉ）は等しい。
次に、図９から図１５とは異なる二つのストリームを送信する場合の伝送方法について、図１６を用いて説明する。なお、図１６において、図９から図１５と同様に動作するものについては、同一符号を付しており、説明は省略する。
【００９６】
図１６において、特徴的な点は、位相変更部１１８１と位相変更部１１５１、位相変更部１１１０Ａと位相変更部１１１０Ｂが挿入されている点である。
位相変更部１１５１は、ベースバンド信号ｓ２（ｉ）（１１０５Ｂ）および制御信号１１１２を入力とし、制御信号１１１２に基づき、ベースバンド信号ｓ２（ｉ）（１１０５Ｂ）の位相を変更する。このとき、位相変更の値をｅｊλ（ｉ）とする（ｊは虚数単位）。なお、変更する位相の値は、λ（ｉ）のようにｉの関数であることが特徴的な部分となる。
【００９７】
また、位相変更部１１８１は、ベースバンド信号ｓ１（ｉ）（１１０５Ａ）および制御信号１１１２を入力とし、制御信号１１１２に基づき、ベースバンド信号ｓ１（ｉ）（１１０５Ａ）の位相を変更する。このとき、位相変更の値をｅｊδ（ｉ）とする（ｊは虚数単位）。なお、変更する位相の値は、δ（ｉ）のようにｉの関数であることが特徴的な部分となる。
【００９８】
位相変更部１１６１は入力信号に対し位相変更を行う。そのときの位相変更値をθ（ｉ）とする。同様に、位相変更部１１９１は入力信号に対し位相変更を行う。そのときの位相変更値をω（ｉ）とする。
すると、式（１）から式（１８）と同様に考えると、図１６の出力信号となるｚ１（ｉ）、ｚ２（ｉ）は、次式のようにあらわされる。
【００９９】
【数１９】
2017011689.tif 000021
【０１００】
なお、式（１９）を実現する方法として、図１６と異なる構成として、パワー変更部１１０６Ｂと位相変更部１１５１の順番を入れ替え、かつ、パワー変更部１１０６Ａと位相変更部１１８１の順番を入れ替える構成がある。（パワー変更を行う、位相変更を行うという機能自身はかわらない。）このとき、ｚ１（ｉ）、ｚ２（ｉ）は、次式のようにあらわされる。
【０１０１】
【数２０】
2017011689.tif 000022
【０１０２】
当然であるが、式（１９）のｚ１（ｉ）と式（２０）のｚ１（ｉ）は等しく、式（１９）のｚ２（ｉ）と式（２０）のｚ２（ｉ）は等しい。
図１７は、図１６と同様の処理を実現することができる別の構成となる。なお、図１７において、図９から図１６と同様に動作するものについては、同一符号を付しており、説明は省略する。そして、図１６と図１７の異なる点は、図１４において、パワー変更部１１１０Ｂと位相変更部１１６１の順番が入れ替え、かつ、パワー変更部１１１０Ａと位相変更部１１９１の順番が入れ替えたものが図１７となる。（パワー変更を行う、位相変更を行うという機能自身はかわらない。）
すると、式（１）から式（２０）と同様に考えると、図１７の出力信号となるｚ１（ｉ）、ｚ２（ｉ）は、次式のようにあらわされる。
【０１０３】
【数２１】
2017011689.tif 000023
【０１０４】
なお、式（２１）を実現する方法として、図１７と異なる構成として、パワー変更部１１０６Ｂと位相変更部１１５１の順番を入れ替え、かつ、パワー変更部１１０６Ａと位相変更部１１８１の順番を入れ替える構成がある。（パワー変更を行う、位相変更を行うという機能自身はかわらない。）このとき、ｚ１（ｉ）、ｚ２（ｉ）は、次式のようにあらわされる。
【０１０５】
【数２２】
2017011689.tif 000024
【０１０６】
当然であるが、式（１９）のｚ１（ｉ）と式（２０）のｚ１（ｉ）式（２１）のｚ１（ｉ）と式（２２）のｚ１（ｉ）は等しく、式（１９）のｚ２（ｉ）と式（２０）のｚ２（ｉ）と式（２１）のｚ２（ｉ）と式（２２）のｚ２（ｉ）は等しい。
上述において、重み付け合成（プリコーディング）のための行列Ｆを示しているが、以下で記載するようなプリコーディング行列Ｆ（またはＦ（ｉ））を用いても、本明細書の各実施の形態を実施することができる。
【０１０７】
【数２３】
2017011689.tif 000025
【０１０８】
または、
【０１０９】
【数２４】
2017011689.tif 000026
【０１１０】
または、
【０１１１】
【数２５】
2017011689.tif 000027
【０１１２】
または、
【０１１３】
【数２６】
2017011689.tif 000028
【０１１４】
または、
【０１１５】
【数２７】
2017011689.tif 000029
【０１１６】
または、
【０１１７】
【数２８】
2017011689.tif 000030
【０１１８】
または、
【０１１９】
【数２９】
2017011689.tif 000031
【０１２０】
または、
【０１２１】
【数３０】
2017011689.tif 000032
【０１２２】
なお、式（２３）、式（２４）、式（２５）、式（２６）、式（２７）、式（２８）、式（２９）、式（３０）において、αは実数であってもよいし、虚数であってもよく、βは実数であってもよいし、虚数であってもよい。ただし、αは０（ゼロ）ではない。そして、βも０（ゼロ）ではない。
または、
【０１２３】
【数３１】
2017011689.tif 000033
【０１２４】
または、
【０１２５】
【数３２】
2017011689.tif 000034
【０１２６】
または、
【０１２７】
【数３３】
2017011689.tif 000035
【０１２８】
または、
【０１２９】
【数３４】
2017011689.tif 000036
【０１３０】
または、
【０１３１】
【数３５】
2017011689.tif 000037
【０１３２】
または、
【０１３３】
【数３６】
2017011689.tif 000038
【０１３４】
または、
【０１３５】
【数３７】
2017011689.tif 000039
【０１３６】
または、
【０１３７】
【数３８】
2017011689.tif 000040
【０１３８】
なお、式（３１）、式（３３）、式（３５）、式（３７）において、βは実数であってもよいし、虚数であってもよい。ただし、βは０（ゼロ）ではない。
または、
【０１３９】
【数３９】
2017011689.tif 000041
【０１４０】
または、
【０１４１】
【数４０】
2017011689.tif 000042
【０１４２】
または、
【０１４３】
【数４１】
2017011689.tif 000043
【０１４４】
または、
【０１４５】
【数４２】
2017011689.tif 000044
【０１４６】
または、
【０１４７】
【数４３】
2017011689.tif 000045
【０１４８】
または、
【０１４９】
【数４４】
2017011689.tif 000046
【０１５０】
または、
【０１５１】
【数４５】
2017011689.tif 000047
【０１５２】
または、
【０１５３】
【数４６】
2017011689.tif 000048
【０１５４】
または、
【０１５５】
【数４７】
2017011689.tif 000049
【０１５６】
または、
【０１５７】
【数４８】
2017011689.tif 000050
【０１５８】
または、
【０１５９】
【数４９】
2017011689.tif 000051
【０１６０】
または、
【０１６１】
【数５０】
2017011689.tif 000052
【０１６２】
ただし、θ１１（ｉ）、θ２１（ｉ）、λ（ｉ）はｉの（時間の、または、周波数の、または、時間・周波数の）関数であり、λは固定の値であり、αは実数であってもよいし、虚数であってもよく、βは実数であってもよいし、虚数であってもよい。ただし、αは０（ゼロ）ではない。そして、βも０（ゼロ）ではない。
または、
【０１６３】
【数５１】
2017011689.tif 000053
【０１６４】
または、
【０１６５】
【数５２】
2017011689.tif 000054
【０１６６】
【数５３】
2017011689.tif 000055
【０１６７】
または、
【０１６８】
【数５４】
2017011689.tif 000056
【０１６９】
または、
【０１７０】
【数５５】
2017011689.tif 000057
【０１７１】
ただし、θ（ｉ）はｉの（時間の、または、周波数の、または、時間・周波数の）関数であり、βは実数であってもよいし、虚数であってもよい。ただし、βも０（ゼロ）ではない。
また、これら以外のプリコーディング行列を用いても、本明細書の各実施の形態を実施することが可能である。
【０１７２】
加えて、上述で説明した、位相変更、を行わずに、プリコーディングを行って変調信号を生成し、送信装置は変調信号を送信する方式であってもよい。このとき、ｚ１（ｉ）、ｚ２（ｉ）は次式であらわされる例が考えられる。
【０１７３】
【数５６】
2017011689.tif 000058
【０１７４】
【数５７】
2017011689.tif 000059
【０１７５】
【数５８】
2017011689.tif 000060
【０１７６】
【数５９】
2017011689.tif 000061
【０１７７】
【数６０】
2017011689.tif 000062
【０１７８】
そして、図９から図１７で得られたｚ１（ｉ）（または、式（５６）のｚ１（ｉ）、または、式（５７）のｚ１（ｉ）、または、式（５８）のｚ１（ｉ）、または、式（５９）のｚ１（ｉ）、または、式（６０）のｚ１（ｉ））は図１の１１３＿１に相当し、図９から図１７で得られたｚ２（ｉ）（または、式（５６）のｚ２（ｉ）、または、式（５７）のｚ２（ｉ）、または、式（５８）のｚ２（ｉ）、または、式（５９）のｚ２（ｉ）、または、式（６０）のｚ２（ｉ））は図１の１１３＿２に相当する。
【０１７９】
図１８から図２２は、図９から図１７で生成したｚ１（ｉ）およびｚ２（ｉ）の配置方法の一例を示している。
図１８において、図１８（Ａ）はｚ１（ｉ）の配置方法を示しており、図１８（Ｂ）はｚ２（ｉ）の配置方法を示している。図１８（Ａ）、図１８（Ｂ）において、縦軸は時間、横軸は周波数である。
【０１８０】
図１８（Ａ）について説明する。まず、ｉ＝０、１、２、３、・・・に対応をするｚ１（０）、ｚ１（１）、ｚ１（２）、ｚ１（３）、・・・を生成したとき、
ｚ１（０）をキャリア０、時刻１に配置し、
ｚ１（１）をキャリア１、時刻１に配置し、
ｚ１（２）をキャリア２、時刻１に配置し、
・・・
ｚ１（１０）をキャリア０、時刻２に配置し、
ｚ１（１１）をキャリア１、時刻２に配置し、
ｚ１（１２）をキャリア２、時刻２に配置し、
・・・
とする。
【０１８１】
同様に、図１８（Ｂ）において、ｉ＝０、１、２、３、・・・に対応をするｚ２（０）、ｚ２（１）、ｚ２（２）、ｚ２（３）、・・・を生成したとき、
ｚ２（０）をキャリア０、時刻１に配置し、
ｚ２（１）をキャリア１、時刻１に配置し、
ｚ２（２）をキャリア２、時刻１に配置し、
・・・
ｚ２（１０）をキャリア０、時刻２に配置し、
ｚ２（１１）をキャリア１、時刻２に配置し、
ｚ２（１２）をキャリア２、時刻２に配置し、
・・・
とする。
【０１８２】
このとき、ｉ＝ａのときのｚ１（ａ）とｚ２（ａ）は、同一周波数、同一時刻、から送信されることになる。そして、図１８は、生成したｚ１（ｉ）とｚ２（ｉ）を周波数軸方向に優先的に並べる場合の例である。
図１９において、図１９（Ａ）はｚ１（ｉ）の配置方法を示しており、図１９（Ｂ）はｚ２（ｉ）の配置方法を示している。図１９（Ａ）、図１９（Ｂ）において、縦軸は時間、横軸は周波数である。
【０１８３】
図１９（Ａ）について説明する。まず、ｉ＝０、１、２、３、・・・に対応をするｚ１（０）、ｚ１（１）、ｚ１（２）、ｚ１（３）、・・・を生成したとき、
ｚ１（０）をキャリア０、時刻１に配置し、
ｚ１（１）をキャリア１、時刻２に配置し、
ｚ１（２）をキャリア２、時刻１に配置し、
・・・
ｚ１（１０）をキャリア２、時刻２に配置し、
ｚ１（１１）をキャリア７、時刻１に配置し、
ｚ１（１２）をキャリア８、時刻２に配置し、
・・・
とする。
【０１８４】
同様に、図１９（Ｂ）において、ｉ＝０、１、２、３、・・・に対応をするｚ２（０）、ｚ２（１）、ｚ２（２）、ｚ２（３）、・・・を生成したとき、
ｚ２（０）をキャリア０、時刻１に配置し、
ｚ２（１）をキャリア１、時刻２に配置し、
ｚ２（２）をキャリア２、時刻１に配置し、
・・・
ｚ２（１０）をキャリア２、時刻２に配置し、
ｚ２（１１）をキャリア７、時刻１に配置し、
ｚ２（１２）をキャリア８、時刻２に配置し、
・・・
とする。
【０１８５】
このとき、ｉ＝ａのときのｚ１（ａ）とｚ２（ａ）は、同一周波数、同一時刻、から送信されることになる。そして、図１９は、生成したｚ１（ｉ）とｚ２（ｉ）を周波数、時間軸方向にランダムに並べる場合の例である。
図２０において、図２０（Ａ）はｚ１（ｉ）の配置方法を示しており、図２０（Ｂ）はｚ２（ｉ）の配置方法を示している。図２０（Ａ）、図２０（Ｂ）において、縦軸は時間、横軸は周波数である。
【０１８６】
図２０（Ａ）について説明する。まず、ｉ＝０、１、２、３、・・・に対応をするｚ１（０）、ｚ１（１）、ｚ１（２）、ｚ１（３）、・・・を生成したとき、
ｚ１（０）をキャリア０、時刻１に配置し、
ｚ１（１）をキャリア２、時刻１に配置し、
ｚ１（２）をキャリア４、時刻１に配置し、
・・・
ｚ１（１０）をキャリア０、時刻２に配置し、
ｚ１（１１）をキャリア２、時刻２に配置し、
ｚ１（１２）をキャリア４、時刻２に配置し、
・・・
とする。
【０１８７】
同様に、図２０（Ｂ）において、ｉ＝０、１、２、３、・・・に対応をするｚ２（０）、ｚ２（１）、ｚ２（２）、ｚ２（３）、・・・を生成したとき、
ｚ２（０）をキャリア０、時刻１に配置し、
ｚ２（１）をキャリア２、時刻１に配置し、
ｚ２（２）をキャリア４、時刻１に配置し、
・・・
ｚ２（１０）をキャリア０、時刻２に配置し、
ｚ２（１１）をキャリア２、時刻２に配置し、
ｚ２（１２）をキャリア４、時刻２に配置し、
・・・
とする。
【０１８８】
このとき、ｉ＝ａのときのｚ１（ａ）とｚ２（ａ）は、同一周波数、同一時刻、から送信されることになる。そして、図２０は、生成したｚ１（ｉ）とｚ２（ｉ）を周波数軸方向に優先的に並べる場合の例である。
図２１において、図２１（Ａ）はｚ１（ｉ）の配置方法を示しており、図２１（Ｂ）はｚ２（ｉ）の配置方法を示している。図２１（Ａ）、図２１（Ｂ）において、縦軸は時間、横軸は周波数である。
【０１８９】
図２１（Ａ）について説明する。まず、ｉ＝０、１、２、３、・・・に対応をするｚ１（０）、ｚ１（１）、ｚ１（２）、ｚ１（３）、・・・を生成したとき、
ｚ１（０）をキャリア０、時刻１に配置し、
ｚ１（１）をキャリア１、時刻１に配置し、
ｚ１（２）をキャリア０、時刻２に配置し、
・・・
ｚ１（１０）をキャリア２、時刻２に配置し、
ｚ１（１１）をキャリア３、時刻２に配置し、
ｚ１（１２）をキャリア２、時刻３に配置し、
・・・
とする。
【０１９０】
同様に、図２１（Ｂ）において、ｉ＝０、１、２、３、・・・に対応をするｚ２（０）、ｚ２（１）、ｚ２（２）、ｚ２（３）、・・・を生成したとき、
ｚ２（０）をキャリア０、時刻１に配置し、
ｚ２（１）をキャリア１、時刻１に配置し、
ｚ２（２）をキャリア０、時刻２に配置し、
・・・
ｚ２（１０）をキャリア２、時刻２に配置し、
ｚ２（１１）をキャリア３、時刻２に配置し、
ｚ２（１２）をキャリア２、時刻３に配置し、
・・・
とする。
【０１９１】
このとき、ｉ＝ａのときのｚ１（ａ）とｚ２（ａ）は、同一周波数、同一時刻、から送信されることになる。そして、図２１は、生成したｚ１（ｉ）とｚ２（ｉ）を時間・周波数軸方向に並べる場合の例である。
図２２において、図２２（Ａ）はｚ１（ｉ）の配置方法を示しており、図２２（Ｂ）はｚ２（ｉ）の配置方法を示している。図２２（Ａ）、図２２（Ｂ）において、縦軸は時間、横軸は周波数である。
【０１９２】
図２２（Ａ）について説明する。まず、ｉ＝０、１、２、３、・・・に対応をするｚ１（０）、ｚ１（１）、ｚ１（２）、ｚ１（３）、・・・を生成したとき、
ｚ１（０）をキャリア０、時刻１に配置し、
ｚ１（１）をキャリア０、時刻２に配置し、
ｚ１（２）をキャリア０、時刻３に配置し、
・・・
ｚ１（１０）をキャリア２、時刻３に配置し、
ｚ１（１１）をキャリア２、時刻４に配置し、
ｚ１（１２）をキャリア３、時刻１に配置し、
・・・
とする。
【０１９３】
同様に、図２２（Ｂ）において、ｉ＝０、１、２、３、・・・に対応をするｚ２（０）、ｚ２（１）、ｚ２（２）、ｚ２（３）、・・・を生成したとき、
ｚ２（０）をキャリア０、時刻１に配置し、
ｚ２（１）をキャリア０、時刻２に配置し、
ｚ２（２）をキャリア０、時刻３に配置し、
・・・
ｚ２（１０）をキャリア２、時刻３に配置し、
ｚ２（１１）をキャリア２、時刻４に配置し、
ｚ２（１２）をキャリア３、時刻１に配置し、
・・・
とする。
【０１９４】
このとき、ｉ＝ａのときのｚ１（ａ）とｚ２（ａ）は、同一周波数、同一時刻、から送信されることになる。そして、図２２は、生成したｚ１（ｉ）とｚ２（ｉ）を時間軸方向に優先的に並べる場合の例である。
送信装置は、図１８から図２２、または、それ以外のシンボル配置方法の、いずれの方法でシンボルを配置してもよい。（あくまでも、図１８から図２２は、シンボル配置の例である。）
図２３は、図１の送信装置が送信した変調信号を受信する受信装置（端末）の構成例である。
【０１９５】
図２３において、ＯＦＤＭ方式関連処理部２３０３＿Ｘは、アンテナ２３０１＿Ｘで受信した受信信号２３０２＿Ｘを入力とし、ＯＦＤＭ方式のための受信側の信号処理を施し、信号処理後の信号２３０４＿Ｘを出力する。同様に、ＯＦＤＭ方式関連処理部２３０３＿Ｙは、アンテナ２３０１＿Ｙで受信した受信信号２３０２＿Ｙを入力とし、ＯＦＤＭ方式のための受信側の信号処理を施し、信号処理後の信号２３０４＿Ｙを出力する。
【０１９６】
第１プリアンブル検出、復号部２３１１は、信号処理後の信号２３０４＿Ｘ、２３０４＿Ｙを入力とし、第１プリアンブルを検出することで、信号検出、時間周波数同期を行うと同時に、第１プリアンブルに含まれる制御情報を（復調、および、誤り訂正復号を行うことで）得、第１プリアンブル制御情報２３１２を出力する。
第２プリアンブル復調部２３１３は、信号処理後の信号２３０４＿Ｘ、２３０４＿Ｙ、および、第１プリアンブル制御情報２３１２を入力とし、第１プリアンブル制御情報２３１２に基づき、信号処理を行い、復調（誤り訂正復号を含む）を行い、第２プリアンブル制御情報２３１４を出力する。
【０１９７】
制御情報生成部２３１５は、第１プリアンブル制御情報２３１２、および、第２プリアンブル制御情報２３１４を入力とし、（受信動作に関係する）制御情報をたばね、制御信号２３１６として出力する。そして、制御信号２３１６は、図２３に示したように、各部に入力されることになる。
変調信号ｚ１のチャネル変動推定部２３０５＿１は、信号処理後の信号２３０４＿Ｘ、制御信号２３１６を入力とし、送信装置が変調信号ｚ１を送信したアンテナと受信アンテナ２３０１＿Ｘ間のチャネル変動を信号処理後の信号２３０４＿Ｘに含まれるパイロットシンボル等を用いて推定し、チャネル推定信号２３０６＿１を出力する。
【０１９８】
変調信号ｚ２のチャネル変動推定部２３０５＿２は、信号処理後の信号２３０４＿Ｘ、制御信号２３１６を入力とし、送信装置が変調信号ｚ２を送信したアンテナと受信アンテナ２３０１＿Ｘ間のチャネル変動を信号処理後の信号２３０４＿Ｘに含まれるパイロットシンボル等を用いて推定し、チャネル推定信号２３０６＿２を出力する。
変調信号ｚ１のチャネル変動推定部２３０７＿１は、信号処理後の信号２３０４＿Ｙ、制御信号２３１６を入力とし、送信装置が変調信号ｚ１を送信したアンテナと受信アンテナ２３０１＿Ｙ間のチャネル変動を信号処理後の信号２３０４＿Ｙに含まれるパイロットシンボル等を用いて推定し、チャネル推定信号２３０８＿１を出力する。
【０１９９】
変調信号ｚ２のチャネル変動推定部２３０７＿２は、信号処理後の信号２３０４＿Ｙ、制御信号２３１６を入力とし、送信装置が変調信号ｚ２を送信したアンテナと受信アンテナ２３０１＿Ｙ間のチャネル変動を信号処理後の信号２３０４＿Ｙに含まれるパイロットシンボル等を用いて推定し、チャネル推定信号２３０８＿２を出力する。
信号処理部２３０９は、信号２３０６＿１、２３０６＿２、２３０８＿１、２３０８＿２、２３０４＿Ｘ、２３０４＿Ｙ、および、制御信号２３１６を入力とし、制御信号２３１６に含まれている、伝送方式・変調方式・誤り訂正符号化方式・誤り訂正符号化の符号化率・誤り訂正符号のブロックサイズ等の情報に基づき、復調、復号の処理を行い、受信データ２３１０を出力する。このとき、上述で説明した伝送方法に基づき他、検波（復調）・復号が行われることになる。
【０２００】
なお、受信装置は、制御信号２３１６から必要としているシンボルを抽出して復調（信号分離、信号検波を含む）、誤り訂正復号を行うことになる。また、受信装置の構成はこれに限ったものではない。
以上のように、送信装置が、図２から図６のフレーム構成のいずれかのフレーム構成を選択できるようにすることで、柔軟な映像情報、柔軟な、放送サービスを、受信装置（視聴者）に提供することができるという利点がある。また、図２から図６の各フレーム構成では、上述のようにそれぞれ利点が存在する。したがって、送信装置が図２から図６のフレーム構成を単独で用いてもよく、そのとき、上述の説明で記載したような効果を得ることができる。
【０２０１】
また、送信装置が、図２から図６のフレーム構成のいずれかを選択する場合、例えば、送信装置をある地域に設置した場合、図２から図６のフレーム構成のいずれかを送信装置を設置時に設定、それを定期的に見直すというようなフレーム構成の切り替えであってもよいし、フレーム送信ごとに、図２から図６のフレーム構成を選択する方法であってもよい。フレーム構成の選択方法については、どのような選択をとってもよい。
【０２０２】
なお、図２から図６のフレーム構成において、第１プリアンブルに他のシンボル（例えば、パイロットシンボルやヌルシンボル（シンボルの同相成分が０（ゼロ、直交成分が０（ゼロ）））等）が挿入されていてもよい。同様に、第２プリアンブルにパイロットシンボルやヌルシンボル（シンボルの同相成分が０（ゼロ、直交成分が０（ゼロ）））等のシンボルが挿入されていてもよい。また、プリアンブルを第１のプリアンブルと第２プリアンブルで構成しているが、プリアンブルの構成については、これに限ったものではなく、第１のプリアンブル（第１のプリアンブル群）のみで構成されていてもよいし、２つ以上のプリアンブル（プリアンブル群）で構成されていてもよい。なお、プリアンブルの構成については、他の実施の形態のフレーム構成を示しているときについても同様である。
【０２０３】
そして、図２から図６のフレーム構成において、データシンボル群を示しているが、他のシンボル（例えば、パイロットシンボル、ヌルシンボル（シンボルの同相成分が０（ゼロ、直交成分が０（ゼロ）））、制御情報シンボル等）が挿入されていてもよい。なお、これについては、他の実施の形態のフレーム構成を示しているときについても同様である。
【０２０４】
また、図６のパイロットシンボルにおいて、他のシンボル（例えば、パイロットシンボル、ヌルシンボル（シンボルの同相成分が０（ゼロ、直交成分が０（ゼロ）））、制御情報シンボル、データシンボル等）が挿入されていてもよい。なお、これについては、他の実施の形態のフレーム構成を示しているときについても同様である。
（実施の形態２）
実施の形態１では、送信装置が図２から図６のフレーム構成のいずれかを選択する（または、図２から図６のフレームをいずれかを使用する）場合について説明を行った。本実施の形態では、実施の形態１で説明を行った送信装置において、実施の形態１で説明した、第１プリアンブルおよび第２プリアンブルの構成方法の例について説明する。
【０２０５】
実施の形態１で述べたように、送信装置（図１）は、フレーム構成に関する情報を第１プリアンブルまたは第２プリアンブルに受信装置（端末）に伝えるための「フレーム構成に関する情報」を送信するとよい。
例えば、「フレーム構成に関する情報」として、ｖ０，ｖ１，ｖ２の３ビットを割り当てたとき、送信装置が図２のフレーム構成で変調信号を送信する場合、（ｖ０，ｖ１，ｖ２）を（０，０，０）とし、「フレーム構成に関する情報」を送信装置は送信する。
【０２０６】
送信装置が図３のフレーム構成で変調信号を送信する場合、（ｖ０，ｖ１，ｖ２）を（０，０，１）とし、「フレーム構成に関する情報」を送信装置は送信する。
送信装置が図４のフレーム構成で変調信号を送信する場合、（ｖ０，ｖ１，ｖ２）を（０，１，０）とし、「フレーム構成に関する情報」を送信装置は送信する。
送信装置が図５のフレーム構成で変調信号を送信する場合、（ｖ０，ｖ１，ｖ２）を（０，１，１）とし、「フレーム構成に関する情報」を送信装置は送信する。
【０２０７】
送信装置が図５のフレーム構成で変調信号を送信する場合、（ｖ０，ｖ１，ｖ２）を（１，０，０）とし、「フレーム構成に関する情報」を送信装置は送信する。
受信装置は、「フレーム構成に関する情報」により、送信装置が送信した変調信号のフレーム構成の概要を知ることができる。
さらに、送信装置（図１）は、各データシンボル群の送信方法に関する制御情報、各データシンボル群の変調方式（または、変調方式のセット）に関する制御情報、各データシンボル群で使用する誤り訂正符号の符号長（ブロック長）、および、符号化率に関する制御情報を送信するさらに、各フレーム構成におけるデータシンボル群の構成方法に関する情報についても送信する。以下では、これらの制御情報の構成方法についての例を説明する。
【０２０８】
送信装置（図１）が、図２、または、図３のフレーム構成を選択した場合、つまり、（ｖ０，ｖ１，ｖ２）を（０，０，０）または（０，０，１）と設定し、送信したものとする。このとき、データシンボル群＃ｊの送信方法に関する制御情報をａ（ｊ，０）、ａ（ｊ，１）とする。
このとき、データシンボル群＃（ｊ＝Ｋ）の送信方法をシングルストリーム送信（ＳＩＳＯ（ＳＩＭＯ）送信）とする場合、ａ（Ｋ，０）＝０、ａ（Ｋ，１）＝０と設定し、ａ（Ｋ，０）、ａ（Ｋ，１）を送信装置は送信するものとする。
【０２０９】
データシンボル群＃（ｊ＝Ｋ）の送信方法を時空間ブロック符号（Space Time Block codes）（または、周波数−空間ブロック符号（Space Frequency Block codes））（ＭＩＳＯ送信）とする場合、ａ（Ｋ，０）＝１、ａ（Ｋ，１）＝０と設定し、ａ（Ｋ，０）、ａ（Ｋ，１）を送信装置は送信するものとする。
データシンボル群＃（ｊ＝Ｋ）の送信方法をＭＩＭＯ方式＃１とする場合、ａ（Ｋ，０）＝０、ａ（Ｋ，１）＝１と設定し、ａ（Ｋ，０）、ａ（Ｋ，１）を送信装置は送信するものとする。
【０２１０】
データシンボル群＃（ｊ＝Ｋ）の送信方法をＭＩＭＯ方式＃２とする場合、ａ（Ｋ，０）＝１、ａ（Ｋ，１）＝１と設定し、ａ（Ｋ，０）、ａ（Ｋ，１）を送信装置は送信するものとする。
なお、ＭＩＭＯ方式＃１とＭＩＭＯ方式＃２は異なる方式であり、上記のＭＩＭＯ方式のいずれかの方式であるものとする。また、ここでは、ＭＩＭＯ方式＃１とＭＩＭＯ方式＃２を扱っているが、送信装置が選択できるＭＩＭＯ方式は１種類であってもより、２種類以上であってもよい。
【０２１１】
図２、および、図３では、データシンボル群＃１、データシンボル群＃２、データシンボル群＃３が存在するので、ａ（１，０）、ａ（１，１）、ａ（２，０）、ａ（２，１）、ａ（３，０）、ａ（３，１）を送信装置は送信することになる。
送信装置（図１）が、図２、または、図３のフレーム構成を選択した場合、つまり、（ｖ０，ｖ１，ｖ２）を（０，０，０）または（０，０，１）と設定し、送信したものとする。このとき、データシンボル群ｊの変調方式に関する制御情報をｂ（ｊ，０）、ｂ（ｊ，１）とする。
【０２１２】
このとき、以下のような定義を行う。送信方法がシングルストリーム送信（ＳＩＳＯ（ＳＩＭＯ）送信）の場合、例えば、データシンボル＃（ｊ＝Ｋ）において、ａ（Ｋ，０）＝０、ａ（Ｋ，１）＝０と設定した場合、
ｂ（Ｋ，０）＝０、ｂ（Ｋ，１）＝０のとき、送信装置はデータシンボルの変調方式をＱＰＳＫと設定する。
【０２１３】
ｂ（Ｋ，０）＝１、ｂ（Ｋ，１）＝０のとき、送信装置はデータシンボルの変調方式を１６ＱＡＭと設定する。
ｂ（Ｋ，０）＝０、ｂ（Ｋ，１）＝１のとき、送信装置はデータシンボルの変調方式を６４ＱＡＭと設定する。
ｂ（Ｋ，０）＝１、ｂ（Ｋ，１）＝１のとき、送信装置はデータシンボルの変調方式を２５６ＱＡＭと設定する。
【０２１４】
送信方法が時空間ブロック符号（Space Time Block codes）（または、周波数−空間ブロック符号（Space Frequency Block codes））（ＭＩＳＯ送信）、または、ＭＩＭＯ方式＃１、または、ＭＩＭＯ方式＃２の場合、例えば、データシンボル＃（ｊ＝Ｋ）において、ａ（Ｋ，０）＝１、ａ（Ｋ，１）＝０、または、ａ（Ｋ，０）＝０、ａ（Ｋ，１）＝１、または、ａ（Ｋ，０）＝１、ａ（Ｋ，１）＝１と設定した場合、
ｂ（Ｋ，０）＝０、ｂ（Ｋ，１）＝０のとき、送信装置はデータシンボルの変調方式をストリーム１をＱＰＳＫ、ストリーム２を１６ＱＡＭと設定する。
【０２１５】
ｂ（Ｋ，０）＝１、ｂ（Ｋ，１）＝０のとき、送信装置はデータシンボルの変調方式をストリーム１を１６ＱＡＭ、ストリーム２を１６ＱＡＭと設定する。
ｂ（Ｋ，０）＝０、ｂ（Ｋ，１）＝１のとき、送信装置はデータシンボルの変調方式をストリーム１を１６ＱＡＭ、ストリーム２を６４ＱＡＭと設定する。
ｂ（Ｋ，０）＝１、ｂ（Ｋ，１）＝１のとき、送信装置はデータシンボルの変調方式をストリーム１を６４ＱＡＭ、ストリーム２を６４ＱＡＭと設定する。
【０２１６】
なお、変調方式は上記に限ったものではないものとする。例えば、ＡＰＳＫ方式、非均一ＱＡＭ、非均一マッピングなどの変調方式が含まれていてもよい。変調方式についての詳細は後述で説明する。
図２、および、図３では、データシンボル群＃１、データシンボル群＃２、データシンボル群＃３が存在するので、ｂ（１，０）、ｂ（１，１）、ｂ（２，０）、ｂ（２，１）、ｂ（３，０）、ｂ（３，１）を送信装置は送信することになる。
【０２１７】
送信装置（図１）が、図２、または、図３のフレーム構成を選択した場合、つまり、（ｖ０，ｖ１，ｖ２）を（０，０，０）または（０，０，１）と設定し、送信したものとする。このとき、データシンボル群＃ｊの誤り訂正符号の符号化方法に関する制御情報をｃ（ｊ，０）、ｃ（ｊ，１）とする。
このとき、データシンボル群＃（ｊ＝Ｋ）の誤り訂正符号化方法を、誤り訂正符号をＡ、符号長をαとする場合、ｃ（Ｋ，０）＝０、ｃ（Ｋ，１）＝０と設定し、ｃ（Ｋ，０）、ｃ（Ｋ，１）を送信装置は送信するものとする。
データシンボル群＃（ｊ＝Ｋ）の誤り訂正符号化方法を、誤り訂正符号をＡ、符号長をβとする場合、ｃ（Ｋ，０）＝１、ｃ（Ｋ，１）＝０と設定し、ｃ（Ｋ，０）、ｃ（Ｋ，１）を送信装置は送信するものとする。
データシンボル群＃（ｊ＝Ｋ）の誤り訂正符号化方法を、誤り訂正符号をＢ、符号長をαとする場合、ｃ（Ｋ，０）＝０、ｃ（Ｋ，１）＝１と設定し、ｃ（Ｋ，０）、ｃ（Ｋ，１）を送信装置は送信するものとする。
データシンボル群＃（ｊ＝Ｋ）の誤り訂正符号化方法を、誤り訂正符号をＢ、符号長をβとする場合、ｃ（Ｋ，０）＝１、ｃ（Ｋ，１）＝１と設定し、ｃ（Ｋ，０）、ｃ（Ｋ，１）を送信装置は送信するものとする。
【０２１８】
なお、誤り訂正符号の設定は２つに限ったものではなく、１種類以上の誤り訂正符号を送信装置が設定可能であればよい。符号長の設定は２つに限ったものではなく、２種類以上の符号長を送信装置が設定可能であってもよい。
図２、および、図３では、データシンボル群＃１、データシンボル群＃２、データシンボル群＃３が存在するので、ｃ（１，０）、ｃ（１，１）、ｃ（２，０）、ｃ（２，１）、ｃ（３，０）、ｃ（３，１）を送信装置は送信することになる。
【０２１９】
送信装置（図１）が、図２、または、図３のフレーム構成を選択した場合、つまり、（ｖ０，ｖ１，ｖ２）を（０，０，０）または（０，０，１）と設定し、送信したものとする。このとき、データシンボル群＃ｊの誤り訂正符号の符号化率に関する制御情報をｄ（ｊ，０）、ｄ（ｊ，１）とする。
このとき、データシンボル群＃（ｊ＝Ｋ）の誤り訂正符号の符号化率を１／２とする場合、ｄ（Ｋ，０）＝０、ｄ（Ｋ，１）＝０と設定し、ｄ（Ｋ，０）、ｄ（Ｋ，１）を送信装置は送信するものとする。
データシンボル群＃（ｊ＝Ｋ）の誤り訂正符号の符号化率を２／３とする場合、ｄ（Ｋ，０）＝１、ｄ（Ｋ，１）＝０と設定し、ｄ（Ｋ，０）、ｄ（Ｋ，１）を送信装置は送信するものとする。
データシンボル群＃（ｊ＝Ｋ）の誤り訂正符号の符号化率を３／４とする場合、ｄ（Ｋ，０）＝０、ｄ（Ｋ，１）＝１と設定し、ｄ（Ｋ，０）、ｄ（Ｋ，１）を送信装置は送信するものとする。
データシンボル群＃（ｊ＝Ｋ）の誤り訂正符号の符号化率を４／５とする場合、ｄ（Ｋ，０）＝１、ｄ（Ｋ，１）＝１と設定しｄ（Ｋ，０）、ｄ（Ｋ，１）を、送信装置は送信するものとする。
【０２２０】
なお、誤り訂正符号の符号化率設定は４つに限ったものではなく、１種類以上の誤り訂正符号の符号化率を送信装置が設定可能であればよい。
図２、および、図３では、データシンボル群＃１、データシンボル群＃２、データシンボル群＃３が存在するので、ｄ（１，０）、ｄ（１，１）、ｄ（２，０）、ｄ（２，１）、ｄ（３，０）、ｄ（３，１）を送信装置は送信することになる。
【０２２１】
送信装置（図１）が、図２、または、図３のフレーム構成を選択した場合、つまり、（ｖ０，ｖ１，ｖ２）を（０，０，０）または（０，０，１）と設定し、送信したものとする。このとき、データシンボル群＃ｊのフレームにおけるシンボル数に関する情報をｅ（ｊ，０）、ｅ（ｊ，１）とする。
このとき、データシンボル群＃（ｊ＝Ｋ）のフレームにおけるシンボル数を２５６シンボルとする場合、ｅ（Ｋ，０）＝０、ｅ（Ｋ，１）＝０と設定し、ｅ（Ｋ，０）、ｅ（Ｋ，１）を送信装置は送信するものとする。
【０２２２】
データシンボル群＃（ｊ＝Ｋ）のフレームにおけるシンボル数を５１２シンボルとする場合、ｅ（Ｋ，０）＝１、ｅ（Ｋ，１）＝０と設定し、ｅ（Ｋ，０）、ｅ（Ｋ，１）を送信装置は送信するものとする。
データシンボル群＃（ｊ＝Ｋ）のフレームにおけるシンボル数を１０２４シンボルとする場合、ｅ（Ｋ，０）＝０、ｅ（Ｋ，１）＝１と設定し、ｅ（Ｋ，０）、ｅ（Ｋ，１）を送信装置は送信するものとする。
【０２２３】
データシンボル群＃（ｊ＝Ｋ）のフレームにおけるシンボル数を２０４８シンボルとする場合、ｅ（Ｋ，０）＝１、ｅ（Ｋ，１）＝１と設定し、ｅ（Ｋ，０）、ｅ（Ｋ，１）を送信装置は送信するものとする。
なお、シンボル数設定は４つに限ったものではなく、１種類以上のシンボル数の設定を送信装置が設定可能であればよい。
【０２２４】
図２、および、図３では、データシンボル群＃１、データシンボル群＃２、データシンボル群＃３が存在するので、ｅ（１，０）、ｅ（１，１）、ｅ（２，０）、ｅ（２，１）、ｅ（３，０）、ｅ（３，１）を送信装置は送信することになる。
送信装置（図１）が、図４、または、図５、または、図６のフレーム構成を選択した場合、つまり、（v0,v1,v2）を（0,1,0）または（0,1,1）または（1,0,0）と設定し、送信したものとする。このとき、データシンボル群＃ｊの送信方法に関する制御情報をａ（ｊ，０）、ａ（ｊ，１）とする。
【０２２５】
このとき、データシンボル群＃（ｊ＝Ｋ）の送信方法をシングルストリーム送信（ＳＩＳＯ（ＳＩＭＯ）送信）とする場合、ａ（Ｋ，０）＝０、ａ（Ｋ，１）＝０と設定し、ａ（Ｋ，０）、ａ（Ｋ，１）を送信装置は送信するものとする。
データシンボル群＃（ｊ＝Ｋ）の送信方法を時空間ブロック符号（Space Time Block codes）（または、周波数−空間ブロック符号（Space Frequency Block codes））（ＭＩＳＯ送信）とする場合、ａ（Ｋ，０）＝１、ａ（Ｋ，１）＝０と設定し、ａ（Ｋ，０）、ａ（Ｋ，１）を送信装置は送信するものとする。
【０２２６】
データシンボル群＃（ｊ＝Ｋ）の送信方法をＭＩＭＯ方式＃１とする場合、ａ（Ｋ，０）＝０、ａ（Ｋ，１）＝１と設定し、ａ（Ｋ，０）、ａ（Ｋ，１）を送信装置は送信するものとする。
データシンボル群＃（ｊ＝Ｋ）の送信方法をＭＩＭＯ方式＃２とする場合、ａ（Ｋ，０）＝１、ａ（Ｋ，１）＝１と設定し、ａ（Ｋ，０）、ａ（Ｋ，１）を送信装置は送信するものとする。
【０２２７】
なお、ＭＩＭＯ方式＃１とＭＩＭＯ方式＃２は異なる方式であり、上記のＭＩＭＯ方式のいずれかの方式であるものとする。また、ここでは、ＭＩＭＯ方式＃１とＭＩＭＯ方式＃２を扱っているが、送信装置が選択できるＭＩＭＯ方式は１種類であってもより、２種類以上であってもよい。
図４、および、図５、および、図６では、データシンボル群＃１、データシンボル群＃２、データシンボル群＃３が存在するので、ａ（１，０）、ａ（１，１）、ａ（２，０）、ａ（２，１）、ａ（３，０）、ａ（３，１）を送信装置は送信することになる。
【０２２８】
送信装置（図１）が、図４、または、図５、または、図６のフレーム構成を選択した場合、つまり、（ｖ０，ｖ１，ｖ２）を（０，１，０）または（０，１，１）または（１，０，０）と設定し、送信したものとする。このとき、データシンボル群ｊの変調方式に関する制御情報をｂ（ｊ，０）、ｂ（ｊ，１）とする。
このとき、以下のような定義を行う。送信方法がシングルストリーム送信（ＳＩＳＯ（ＳＩＭＯ）送信）の場合、例えば、データシンボル＃（ｊ＝Ｋ）において、ａ（Ｋ，０）＝０、ａ（Ｋ，１）＝０と設定した場合、
ｂ（Ｋ，０）＝０、ｂ（Ｋ，１）＝０のとき、送信装置はデータシンボルの変調方式をＱＰＳＫと設定する。
【０２２９】
ｂ（Ｋ，０）＝１、ｂ（Ｋ，１）＝０のとき、送信装置はデータシンボルの変調方式を１６ＱＡＭと設定する。
ｂ（Ｋ，０）＝０、ｂ（Ｋ，１）＝１のとき、送信装置はデータシンボルの変調方式を６４ＱＡＭと設定する。
ｂ（Ｋ，０）＝１、ｂ（Ｋ，１）＝１のとき、送信装置はデータシンボルの変調方式を２５６ＱＡＭと設定する。
【０２３０】
送信方法が時空間ブロック符号（Space Time Block codes）（または、周波数−空間ブロック符号（Space Frequency Block codes））（ＭＩＳＯ送信）、または、ＭＩＭＯ方式＃１、または、ＭＩＭＯ方式＃２の場合、例えば、データシンボル＃（ｊ＝Ｋ）において、ａ（Ｋ，０）＝１、ａ（Ｋ，１）＝０、または、ａ（Ｋ，０）＝０、ａ（Ｋ，１）＝１、または、ａ（Ｋ，０）＝１、ａ（Ｋ，１）＝１と設定した場合、
ｂ（Ｋ，０）＝０、ｂ（Ｋ，１）＝０のとき、送信装置はデータシンボルの変調方式をストリーム１をＱＰＳＫ、ストリーム２を１６ＱＡＭと設定する。
【０２３１】
ｂ（Ｋ，０）＝１、ｂ（Ｋ，１）＝０のとき、送信装置はデータシンボルの変調方式をストリーム１を１６ＱＡＭ、ストリーム２を１６ＱＡＭと設定する。
ｂ（Ｋ，０）＝０、ｂ（Ｋ，１）＝１のとき、送信装置はデータシンボルの変調方式をストリーム１を１６ＱＡＭ、ストリーム２を６４ＱＡＭと設定する。
ｂ（Ｋ，０）＝１、ｂ（Ｋ，１）＝１のとき、送信装置はデータシンボルの変調方式をストリーム１を６４ＱＡＭ、ストリーム２を６４ＱＡＭと設定する。
【０２３２】
なお、変調方式は上記に限ったものではないものとする。例えば、ＡＰＳＫ方式、非均一ＱＡＭ、非均一マッピングなどの変調方式が含まれていてもよい。変調方式についての詳細は後述で説明する。
図４、および、図５、および、図６では、データシンボル群＃１、データシンボル群＃２、データシンボル群＃３が存在するので、ｂ（１，０）、ｂ（１，１）、ｂ（２，０）、ｂ（２，１）、ｂ（３，０）、ｂ（３，１）を送信装置は送信することになる。
【０２３３】
送信装置（図１）が、図４、または、図５、または、図６のフレーム構成を選択した場合、つまり、（ｖ０，ｖ１，ｖ２）を（０，１，０）または（０，１，１）または（１，０，０）と設定し、送信したものとする。このとき、データシンボル群＃ｊの誤り訂正符号の符号化方法に関する制御情報をｃ（ｊ，０）、ｃ（ｊ，１）とする。
このとき、データシンボル群＃（ｊ＝Ｋ）の誤り訂正符号化方法を、誤り訂正符号をＡ、符号長をαとする場合、ｃ（Ｋ，０）＝０、ｃ（Ｋ，１）＝０と設定し、ｃ（Ｋ，０）、ｃ（Ｋ，１）を送信装置は送信するものとする。
データシンボル群＃（ｊ＝Ｋ）の誤り訂正符号化方法を、誤り訂正符号をＡ、符号長をβとする場合、ｃ（Ｋ，０）＝１、ｃ（Ｋ，１）＝０と設定し、ｃ（Ｋ，０）、ｃ（Ｋ，１）を送信装置は送信するものとする。
データシンボル群＃（ｊ＝Ｋ）の誤り訂正符号化方法を、誤り訂正符号をＢ、符号長をαとする場合、ｃ（Ｋ，０）＝０、ｃ（Ｋ，１）＝１と設定し、ｃ（Ｋ，０）、ｃ（Ｋ，１）を送信装置は送信するものとする。
データシンボル群＃（ｊ＝Ｋ）の誤り訂正符号化方法を、誤り訂正符号をＢ、符号長をβとする場合、ｃ（Ｋ，０）＝１、ｃ（Ｋ，１）＝１と設定し、ｃ（Ｋ，０）、ｃ（Ｋ，１）を送信装置は送信するものとする。
【０２３４】
なお、誤り訂正符号の設定は２つに限ったものではなく、１種類以上の誤り訂正符号を送信装置が設定可能であればよい。符号長の設定は２つに限ったものではなく、２種類以上の符号長を送信装置が設定可能であってもよい。
図４、および、図５、および、図６では、データシンボル群＃１、データシンボル群＃２、データシンボル群＃３が存在するので、ｃ（１，０）、ｃ（１，１）、ｃ（２，０）、ｃ（２，１）、ｃ（３，０）、ｃ（３，１）を送信装置は送信することになる。
【０２３５】
送信装置（図１）が、図４、または、図５、または、図６のフレーム構成を選択した場合、つまり、（ｖ０，ｖ１，ｖ２）を（０，１，０）または（０，１，１）または（１，０，０）と設定し、送信したものとする。このとき、データシンボル群＃ｊの誤り訂正符号の符号化率に関する制御情報をｄ（ｊ，０）、ｄ（ｊ，１）とする。
このとき、データシンボル群＃（ｊ＝Ｋ）の誤り訂正符号の符号化率を１／２とする場合、ｄ（Ｋ，０）＝０、ｄ（Ｋ，１）＝０と設定し、ｄ（Ｋ，０）、ｄ（Ｋ，１）を送信装置は送信するものとする。
【０２３６】
データシンボル群＃（ｊ＝Ｋ）の誤り訂正符号の符号化率を２／３とする場合、ｄ（Ｋ，０）＝１、ｄ（Ｋ，１）＝０と設定し、ｄ（Ｋ，０）、ｄ（Ｋ，１）を送信装置は送信するものとする。
データシンボル群＃（ｊ＝Ｋ）の誤り訂正符号の符号化率を３／４とする場合、ｄ（Ｋ，０）＝０、ｄ（Ｋ，１）＝１と設定し、ｄ（Ｋ，０）、ｄ（Ｋ，１）を送信装置は送信するものとする。
【０２３７】
データシンボル群＃（ｊ＝Ｋ）の誤り訂正符号の符号化率を４／５とする場合、ｄ（Ｋ，０）＝１、ｄ（Ｋ，１）＝１と設定し、ｄ（Ｋ，０）、ｄ（Ｋ，１）を送信装置は送信するものとする。
なお、誤り訂正符号の符号化率設定は４つに限ったものではなく、２種類以上の誤り訂正符号の符号化率を送信装置が設定可能であればよい。
【０２３８】
図４、および、図５、および、図６では、データシンボル群＃１、データシンボル群＃２、データシンボル群＃３が存在するので、ｄ（１，０）、ｄ（１，１）、ｄ（２，０）、ｄ（２，１）、ｄ（３，０）、ｄ（３，１）を送信装置は送信することになる。
送信装置（図１）が、図４、または、図５、または、図６のフレーム構成を選択した場合、つまり、（ｖ０，ｖ１，ｖ２）を（０，１，０）または（０，１，１）または（１，０，０）と設定し、送信したものとする。
【０２３９】
このとき、図４、図５、図６のフレームのデータシンボル群＃１とデータシンボル群＃２のように、ある時間間隔において、複数のデータシンボル群が混在している場合、その時間間隔を設定できるものとする。（複数のデータシンボル群が混在している時間間隔における単位時間をＯＦＤＭシンボルと呼んでもよい。）この時間間隔に関する情報をｆ（０）、ｆ（１）とする。
【０２４０】
このとき、この時間間隔を１２８ＯＦＤＭシンボルとする場合、ｆ（０）＝０、ｆ（１）＝０と設定し、ｆ（０）、ｆ（１）を送信装置は送信するものとする。
この時間間隔を２５６ＯＦＤＭシンボルとする場合、ｆ（０）＝１、ｆ（１）＝０と設定し、ｆ（０）、ｆ（１）を送信装置は送信するものとする。
この時間間隔を５１２ＯＦＤＭシンボルとする場合、ｆ（０）＝０、ｆ（１）＝１と設定し、ｆ（０）、ｆ（１）を送信装置は送信するものとする。
【０２４１】
この時間間隔を１０２４ＯＦＤＭシンボルとする場合、ｆ（０）＝１、ｆ（１）＝０と設定し、ｆ（０）、ｆ（１）を送信装置は送信するものとする。
なお、時間間隔の設定は４つに限ったものではなく、２種類以上の時間間隔の設定を送信装置が設定可能であればよい。
送信装置（図１）が、図４、または、図５、または、図６のフレーム構成を選択した場合、つまり、（ｖ０，ｖ１，ｖ２）を（０，１，０）または（０，１，１）または（１，０，０）と設定し、送信したものとする。
【０２４２】
このとき、図４、または、図５、または、図６のデータシンボル群＃３のように、ある時間間隔において、他のデータシンボル群が存在しない（ただし、例えば、データシンボル群＃３の直後にデータシンボル群＃４が存在したとき、データシンボル群＃３とデータシンボル群＃が隣接している部分では、データシンボル群＃３のデータシンボルとデータシンボル群＃４のデータシンボルがある時間間隔で混在することがある。）場合、データシンボル群＃ｊのフレームにおけるシンボル数に関する情報をｅ（ｊ，０）、ｅ（ｊ，１）とする。
【０２４３】
データシンボル群＃（ｊ＝Ｋ）のフレームにおけるシンボル数を２５６シンボルとする場合、ｅ（Ｋ，０）＝０、ｅ（Ｋ，１）＝０と設定し、ｅ（Ｋ，０）、ｅ（Ｋ，１）を送信装置は送信するものとする。
データシンボル群＃（ｊ＝Ｋ）のフレームにおけるシンボル数を５１２シンボルとする場合、ｅ（Ｋ，０）＝１、ｅ（Ｋ，１）＝０と設定し、ｅ（Ｋ，０）、ｅ（Ｋ，１）を送信装置は送信するものとする。
【０２４４】
データシンボル群＃（ｊ＝Ｋ）のフレームにおけるシンボル数を１０２４シンボルとする場合、ｅ（Ｋ，０）＝０、ｅ（Ｋ，１）＝１と設定し、ｅ（Ｋ，０）、ｅ（Ｋ，１）を送信装置は送信するものとする。
データシンボル群＃（ｊ＝Ｋ）のフレームにおけるシンボル数を２０４８シンボルとする場合、ｅ（Ｋ，０）＝１、ｅ（Ｋ，１）＝１と設定し、ｅ（Ｋ，０）、ｅ（Ｋ，１）を送信装置は送信するものとする。
【０２４５】
なお、シンボル数設定は４つに限ったものではなく、２種類以上のシンボル数の設定を送信装置が設定可能であればよい。
図４、および、図５、および、図６では、データシンボル群＃３が上記に該当するので、ｅ（３，０）、ｅ（３，１）を送信装置は送信することになる。
送信装置（図１）が、図４、または、図５、または、図６のフレーム構成を選択した場合、つまり、（ｖ０，ｖ１，ｖ２）を（０，１，０）または（０，１，１）または（１，０，０）と設定し、送信したものとする。
【０２４６】
このとき、図４、図５、図６のフレームのデータシンボル群＃１とデータシンボル群＃２のように、ある時間間隔において、複数のデータシンボル群が混在している場合、各データシンボル群が使用するキャリア数を設定できるものとする。
このとき、キャリア数に関する情報をｇ（０）、ｇ（１）とする。例えば、キャリアの総数を５１２キャリアとする。
【０２４７】
２つのデータシンボル群のうち、第１のデータシンボル群のキャリア数を４８０キャリア、第２のシンボル群のキャリア数を３２キャリアとする場合、ｇ（０）＝０、ｇ（１）＝０と設定し、ｇ（０）、ｇ（１）を送信装置は送信するものとする。
２つのデータシンボル群のうち、第１のデータシンボル群のキャリア数を４４８キャリア、第２のシンボル群のキャリア数を６４キャリアとする場合、ｇ（０）＝１、ｇ（１）＝０と設定し、ｇ（０）、ｇ（１）を送信装置は送信するものとする。
【０２４８】
２つのデータシンボル群のうち、第１のデータシンボル群のキャリア数を３８４キャリア、第２のシンボル群のキャリア数を１２８キャリアとする場合、ｇ（０）＝０、ｇ（１）＝１と設定し、ｇ（０）、ｇ（１）を送信装置は送信するものとする。
２つのデータシンボル群のうち、第１のデータシンボル群のキャリア数を２５６キャリア、第２のシンボル群のキャリア数を２５６キャリアとする場合、ｇ（０）＝１、ｇ（１）＝１と設定し、ｇ（０）、ｇ（１）を送信装置は送信するものとする。
【０２４９】
なお、キャリア数の設定は４つに限ったものではなく、２種類以上のキャリア数の設定を送信装置が設定可能であればよい。
ある時間間隔において、複数のデータシンボル群が混在している場合の例として、図４から図６では２つのデータシンボル群が混在している場合について説明したが、３つ以上のデータシンボル群が混在していてもよい。この点について、図２４、図２５、図２６を用いて説明する。
【０２５０】
図２４は、図４に対し、ある時間間隔において、３つのデータシンボル群が存在している場合のフレーム構成の一例を示しており、図４と同様に動作するものについては、同一番号を付しており、説明は省略する。
図２４において、２４０１はデータシンボル群＃１、２４０２はデータシンボル群＃２、２４０３はデータシンボル群＃４を示しており、データシンボル群＃１、データシンボル群＃２、データシンボル群＃４は、ある時間間隔に存在している。
【０２５１】
図２５は、図５に対し、ある時間間隔において、３つのデータシンボル群が存在している場合のフレーム構成の一例を示しており、図５と同様に動作するものについては、同一番号を付しており、説明は省略する。
図２５において、２５０１はデータシンボル群＃１、２５０２はデータシンボル群＃２、２５０３はデータシンボル群＃５を示しており、データシンボル群＃１、データシンボル群＃２、データシンボル群＃４は、ある時間間隔に存在している。
【０２５２】
図２６は、図６に対し、ある時間間隔において、３つのデータシンボル群が存在している場合のフレーム構成の一例を示しており、図６と同様に動作するものについては、同一番号を付しており、説明は省略する。
図２６において、２６０１はデータシンボル群＃１、２６０２はデータシンボル群＃２、２６０３はデータシンボル群＃４を示しており、データシンボル群＃１、データシンボル群＃２、データシンボル群＃４は、ある時間間隔に存在している。
【０２５３】
図１の送信装置は、図２４から図２６のフレーム構成を選択することができるようにしてもよい。また、図４から図６、図２４から図２６に対し、ある時間間隔において、４つ以上のデータシンボル群が存在するようなフレーム構成としてもよい。
図２４、図２５、図２６において、周波数分割したデータシンボル群の後に時分割したデータシンボル群を配置する例を示しているが、これに限ったののではなく、時分割したデータシンボル群の後に周波数分割したデータシンボル群を配置してもよい。このとき、図２５の例では、時分割したデータシンボル群と周波数分割したデータシンボル群の間に第１プリアンブル、第２プリアンブルが挿入されることになる。（ただし、それ以外のシンボルが挿入されてもよい。）そして、図２６の例では、時分割したデータシンボル群と周波数分割したデータシンボル群の間にパイロットシンボルが挿入されることになる。（ただし、それ以外のシンボルが挿入されてもよい。）
なお、送信装置（図１）は、フレーム構成に関する情報を第１プリアンブルまたは第２プリアンブルに受信装置（端末）に伝えるための「フレーム構成に関する情報」を送信するとき、例えば、「フレーム構成に関する情報」として、ｖ０，ｖ１，ｖ２の３ビットを割り当てたとき、送信装置が図２４のフレーム構成で変調信号を送信する場合、（ｖ０，ｖ１，ｖ２）を（１，０，１）とし、「フレーム構成に関する情報」を送信装置は送信する。
【０２５４】
送信装置が図２５のフレーム構成で変調信号を送信する場合、（ｖ０，ｖ１，ｖ２）を（１，１，０）とし、「フレーム構成に関する情報」を送信装置は送信する。
送信装置が図２６のフレーム構成で変調信号を送信する場合、（ｖ０，ｖ１，ｖ２）を（１，１，１）とし、「フレーム構成に関する情報」を送信装置は送信する。
なお、図２４、図２５、図２６において、データシンボル群は、ＭＩＭＯ（伝送）方法およびＭＩＳＯ（伝送）方法に基づくシンボル群であることもある（当然であるが、データシンボル群は、ＳＩＳＯ（ＳＩＭＯ）方式のシンボル群であってもよい。）。この場合、同一時刻、同一（共通）周波数では、複数のストリーム（後で説明するｓ１，ｓ２）が送信されることになる。（この場合、同一時刻、同一（共通）周波数では、複数の変調信号を複数の（異なる）アンテナから送信することになる。）
そして、送信装置（図１）が、図２４、または、図２５、または、図２６のフレーム構成を選択した場合、つまり、（ｖ０，ｖ１，ｖ２）を（１，０，１）または（１，１，０）または（１，１，１）と設定し、送信したものとする。
【０２５５】
このとき、図２４、図２５、図２６のフレームのデータシンボル群＃１とデータシンボル群＃２とデータシンボル群＃４のように、ある時間間隔において、複数のデータシンボル群が混在している場合、各データシンボル群が使用するキャリア数を設定できるものとする。
このとき、キャリア数に関する情報をｇ（０）、ｇ（１）とする。例えば、キャリアの総数を５１２キャリアとする。
【０２５６】
２つのデータシンボル群のうち、第１のデータシンボル群のキャリア数を４４８キャリア、第２のシンボル群のキャリア数を３２キャリア、第３のシンボル群のキャリア数を３２キャリアとする場合、ｇ（０）＝０、ｇ（１）＝０と設定し、ｇ（０）、ｇ（１）を送信装置は送信するものとする。
２つのデータシンボル群のうち、第１のデータシンボル群のキャリア数を３８４キャリア、第２のシンボル群のキャリア数を６４キャリア、第３のシンボル群のキャリア数を６４キャリアとする場合、ｇ（０）＝１、ｇ（１）＝０と設定し、ｇ（０）、ｇ（１）を送信装置は送信するものとする。
【０２５７】
２つのデータシンボル群のうち、第１のデータシンボル群のキャリア数を２５６キャリア、第２のシンボル群のキャリア数を１２８キャリア、第３のシンボル群のキャリア数を１２８キャリアとする場合、ｇ（０）＝０、ｇ（１）＝１と設定し、ｇ（０）、ｇ（１）を送信装置は送信するものとする。
２つのデータシンボル群のうち、第１のデータシンボル群のキャリア数を４８０ャリア、第２のシンボル群のキャリア数を１６キャリア、第３のシンボル群のキャリア数を１６キャリアとする場合、ｇ（０）＝１、ｇ（１）＝１と設定し、ｇ（０）、ｇ（１）を送信装置は送信するものとする。
【０２５８】
なお、キャリア数の設定は４つに限ったものではなく、１種類以上のキャリア数の設定を送信装置が設定可能であればよい。
また、図４、図５、図６、図２４、図２５、図２６のように、「第１の時間間隔において、複数のデータシンボル群が混在している場合」と「第２の時間間隔において、一つのデータシンボル群しか存在していない場合」とが混在するフレームにおいて、「第１の時間間隔において、複数のデータシンボル群が混在している場合」のキャリア間隔（ＦＦＴ（Fast Fourier Transform）サイズ、または、フーリエ変換のサイズ）と「第２の時間間隔において、一つのデータシンボル群しか存在していない場合」のキャリア間隔（ＦＦＴ（Fast Fourier Transform）サイズ、または、フーリエ変換のサイズ）とを送信装置が別々に設定できるようにすると、データの伝送効率が向上するという効果を得ることができる。これは、「第１の時間間隔において、複数のデータシンボル群が混在している場合」におけるデータ伝送効率の点で適切なキャリア間隔と「第２の時間間隔において、一つのデータシンボル群しか存在していない場合」におけるデータ伝送効率の点で適切なキャリア間隔が異なるからである。
【０２５９】
したがって、「第１の時間間隔において、複数のデータシンボル群が混在している場合」に関するキャリア間隔に関する制御情報をｈａ（０）、ｈａ（１）とする。
このとき、キャリア間隔を０．２５ｋＨｚとする場合、ｈａ（０）＝０、ｈａ（１）＝０と設定し、ｈａ（０）、ｈａ（１）を送信装置は送信するものとする。
キャリア間隔を０．５ｋＨｚとする場合、ｈａ（０）＝１、ｈａ（１）＝０と設定し、ｈａ（０）、ｈａ（１）を送信装置は送信するものとする。
【０２６０】
キャリア間隔を１ｋＨｚとする場合、ｈａ（０）＝０、ｈａ（１）＝１と設定し、ｈａ（０）、ｈａ（１）を送信装置は送信するものとする。
キャリア間隔を２ｋＨｚとする場合、ｈａ（０）＝１、ｈａ（１）＝１と設定し、ｈａ（０）、ｈａ（１）を送信装置は送信するものとする。
なお、キャリア間隔の設定は４つに限ったものではなく、２種類以上のキャリア間隔の設定を送信装置が設定可能であればよい。
【０２６１】
そして、「第２の時間間隔において、一つのデータシンボル群しか存在していない場合」に関するキャリア間隔に関する制御情報をｈｂ（０）、ｈｂ（１）とする。
このとき、キャリア間隔を０．２５ｋＨｚとする場合、ｈｂ（０）＝０、ｈｂ（１）＝０と設定し、ｈｂ（０）、ｈｂ（１）を送信装置は送信するものとする。
キャリア間隔を０．５ｋＨｚとする場合、ｈｂ（０）＝１、ｈｂ（１）＝０と設定し、ｈｂ（０）、ｈｂ（１）を送信装置は送信するものとする。
【０２６２】
キャリア間隔を１ｋＨｚとする場合、ｈｂ（０）＝０、ｈｂ（１）＝１と設定し、ｈｂ（０）、ｈｂ（１）を送信装置は送信するものとする。
キャリア間隔を２ｋＨｚとする場合、ｈｂ（０）＝１、ｈｂ（１）＝１と設定し、ｈｂ（０）、ｈｂ（１）を送信装置は送信するものとする。
なお、キャリア間隔の設定は４つに限ったものではなく、２種類以上のキャリア間隔の設定を送信装置が設定可能であればよい。
【０２６３】
ここで、「第１の時間間隔において、複数のデータシンボル群が混在している場合」のキャリア間隔の設定値を０．２５ｋＨｚ、０．５ｋＨｚ、１ｋＨｚ、２ｋＨｚ、「第２の時間間隔において、一つのデータシンボル群しか存在していない場合」のキャリア間隔の設定値を０．２５ｋＨｚ、０．５ｋＨｚ、１ｋＨｚ、２ｋＨｚというように、「第１の時間間隔において、複数のデータシンボル群が混在している場合」、「第２の時間間隔において、一つのデータシンボル群しか存在していない場合」いずれも選択可能な設定値を同一としているが、「第１の時間間隔において、複数のデータシンボル群が混在している場合」の選択可能な設定値のセットと「第２の時間間隔において、一つのデータシンボル群しか存在していない場合」の選択可能な設定値のセットが異なっていてもよい。例えば、「第１の時間間隔において、複数のデータシンボル群が混在している場合」のキャリア間隔の設定値を０．２５ｋＨｚ、０．５ｋＨｚ、１ｋＨｚ、２ｋＨｚ、「第２の時間間隔において、一つのデータシンボル群しか存在していない場合」のキャリア間隔の設定値を０．１２５ｋＨｚ、０．２５ｋＨｚ、０．５ｋＨｚ、１ｋＨｚというようにしてもよい。（設定可能な値は、この例に限ったものではない。）
なお、「第１の時間間隔において、複数のデータシンボル群が混在している場合」に関するキャリア間隔に関する制御情報をｈａ（０）、ｈａ（１）、および、「第２の時間間隔において、一つのデータシンボル群しか存在していない場合」に関するキャリア間隔に関する制御情報をｈｂ（０）、ｈｂ（１）は、図４、図５、図６、図２４、図２５、図２６において、第１プリアンブルまたは第２プリアンブルのいずれかで送信される方法が考えられる。
【０２６４】
例えば、図４、図６、図２４、図２６では、「第１の時間間隔において、複数のデータシンボル群が混在している場合」に関するキャリア間隔に関する制御情報をｈａ（０）、ｈａ（１）、および、「第２の時間間隔において、一つのデータシンボル群しか存在していない場合」に関するキャリア間隔に関する制御情報をｈｂ（０）、ｈｂ（１）を第１プリアンブル２０１、または、第２プリアンブル２０２で送信する方法が考えられる。
【０２６５】
図５、図２５では、「第１の時間間隔において、複数のデータシンボル群が混在している場合」に関するキャリア間隔に関する制御情報をｈａ（０）、ｈａ（１）を第１プリアンブル２０１、または、第２プリアンブル２０２、「第２の時間間隔において、一つのデータシンボル群しか存在していない場合」に関するキャリア間隔に関する制御情報をｈｂ（０）、ｈｂ（１）を第１プリアンブル５０１、または、第２プリアンブル５０２で送信する方法が考えられる。
【０２６６】
また、別の方法として、図５、図２５では、「第１の時間間隔において、複数のデータシンボル群が混在している場合」に関するキャリア間隔に関する制御情報をｈａ（０）、ｈａ（１）、および、「第２の時間間隔において、一つのデータシンボル群しか存在していない場合」に関するキャリア間隔に関する制御情報をｈｂ（０）、ｈｂ（１）を、「第１プリアンブル２０１、または、第２プリアンブル２０２」、および、「第１プリアンブル５０１、または、第２プリアンブル５０２」で送信するというように、ｈａ（０）、ｈａ（１）、ｈｂ（０）、ｈｂ（１）を複数回送信する方法であってもよい。このとき、例えば、データシンボル群＃１のデータのみ望んでいる受信装置、データシンボル群＃のデータのみ望んでいる受信装置が、フレームすべての状況を知ることができ、これにより、両者の受信装置が容易に安定的に動作させることができる。
【０２６７】
当然であるが、図１の送信装置が送信した変調信号を受信する受信装置（例えば、図２３）は、前で説明した制御情報を受け、その情報にもとづいて、データシンボル群を復調・復号し、情報を得ることになる。
以上のように、制御情報として、本実施の形態で説明した情報を送信することで、データの受信品質の向上とデータの伝送効率の向上を行うことができ、受信装置を的確に動作させることができるという効果を得ることができる。
【０２６８】
なお、実施の形態１、実施の形態２において、図１の送信装置が送信する変調信号のフレーム構成として、図３、図４、図５、図６を説明したが、図４、図５、図６において、データシンボル群＃１とデータシンボル群＃２の周波数軸における配置は、これに限ったものではなく、例えば、図２７、図２８、図２９のデータシンボル群＃１（２７０１）、データシンボル群＃２（２７０２）のように配置してもよい。なお、図２７、図２８、図２９において、縦軸は周波数、横軸は時間となる。
【０２６９】
そして、図５のフレーム構成においてデータシンボル群＃１（４０１＿１、４０１＿２）、の送信方法、データシンボル群＃２（４０２）の送信方法については、第１のプリアンブル２０１、および／または、第２のプリアンブル２０２で設定され、データシンボル群＃３（４０３）の送信方法については、第１のプリアンブル５０１、および／または、第２のプリアンブル５０２で設定されるとしてもよい。
【０２７０】
このとき、「データシンボル群＃１（４０１＿１、４０１＿２）の送信方法、および、データシンボル群＃２（４０２）の送信方法は、ＭＩＭＯ伝送またはＭＩＳＯ伝送」、または、「データシンボル群＃１（４０１＿１、４０１＿２）の送信方法、および、データシンボル群＃２（４０２）の送信方法は、ＳＩＳＯ伝送（ＳＩＭＯ伝送）」のいずれかが選択できるものとし、「データシンボル群＃３（４０３）の送信方法は、ＭＩＭＯ伝送またはＭＩＳＯ伝送」、または、「データシンボル群＃３（４０３）の送信方法は、ＳＩＳＯ伝送（ＳＩＭＯ伝送）」のいずれかが選択できるものとしてもよい。
【０２７１】
つまり、「第１プリアンブルと第２プリアンブルとセット」と次の「第１プリアンブルと第２プリアンブルのセット」の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなり、「第１プリアンブルと第２プリアンブルとセット」と次の「第１プリアンブルと第２プリアンブルのセット」の間にある複数のデータシンボル群の送信方法において、ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがないものとする。
【０２７２】
ＳＩＳＯ（ＳＩＭＯ）伝送方式とＭＩＭＯ（ＭＩＳＯ）伝送方式が混在した場合、受信装置において、受信電界強度の変動が大きくなるため、ＡＤ（Analog-to-Digital）変換の際、量子化誤差が発生しやすく、これにより、データの受信品質が劣化する課題がある。しかし、上述のようにすると、このような現象の発生が抑えられ、データの受信品質が向上するという効果を得ることができる可能性が高くなる。
【０２７３】
ただし、上述に限ったものではない。
また、上述のような伝送方法の切り替えに伴い、データシンボル群に挿入するパイロットシンボルの挿入方法を切り替えることにもなり、データの伝送効率の向上の点からも利点がある（ＳＩＳＯ（ＳＩＭＯ）伝送方式とＭＩＭＯ（ＭＩＳＯ）伝送方式が混在しないため）。（ＳＩＳＯ（ＳＩＭＯ）伝送方式とＭＩＭＯ（ＭＩＳＯ）伝送方式が混在した場合、パイロットシンボルの挿入する頻度が過剰になり、データの伝送効率が低下する可能性がある。）なお、データシンボル群に挿入するパイロットシンボルの構成については、以下のとおりである。
【０２７４】
「ＳＩＳＯ伝送を行っているときのデータシンボル群に挿入するパイロットシンボル」と「ＭＩＭＯ伝送、または、ＭＩＳＯ伝送を行っているときのデータシンボル群に挿入するパイロットシンボル」とでは、パイロットシンボルの構成方法が異なる。この点について、図を用いて説明する。図４１は、「ＳＩＳＯ伝送を行っているときのデータシンボル群に挿入するパイロットシンボル」の挿入例を示している。なお、図４１において、横軸は時間、縦軸は周波数である。図４１において、４１０１はデータシンボル群＃１のシンボルを示しており、４１０２はパイロットシンボルを示している。このとき、データシンボル群＃１のシンボル４１０１では、データを伝送しており、パイロットシンボル４１０２は、受信装置において、周波数オフセットの推定、周波数同期、時間同期、信号検出、チャネル推定（電波伝搬環境の推定）を行うためのシンボルであり、例えば、送信装置、受信装置に既知のＰＳＫ（Phase Shift Keying）シンボル（ＰＳＫシンボルであることが求められる可能性が高い）で構成されているものとする。
【０２７５】
図４２は、「ＭＩＭＯ伝送、または、ＭＩＳＯ伝送を行っているときのデータシンボル群に挿入するパイロットシンボル」の挿入例を示している。なお、図４２において、横軸は時間、縦軸は周波数である。「ＭＩＭＯ伝送、または、ＭＩＳＯ伝送を行っているとき」、２つのアンテナからそれぞれ変調信号を送信することになる。ここで、変調信号＃１、変調信号＃２と名付ける。図４２は、変調信号＃１のパイロットシンボルの挿入例と変調信号＃２のパイロットシンボルの挿入例を兼用して記載している。
【０２７６】
例１）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１および変調信号＃１用の第２パイロットシンボル４２０２いずれもＰＳＫのシンボルである。
【０２７７】
変調信号＃２の場合：
変調信号＃２用の第１パイロットシンボル４２０１および変調信号＃２用の第２パイロットシンボル４２０２を図４２のように挿入する。変調信号＃２用の第１パイロットシンボル４２０１および変調信号＃２用の第２パイロットシンボル４２０２いずれもＰＳＫのシンボルである。
【０２７８】
そして、「変調信号＃１用の第１パイロットシンボル４２０１および変調信号＃１用の第２パイロットシンボル４２０２」と「変調信号＃２用の第１パイロットシンボル４２０１および変調信号＃２用の第２パイロットシンボル４２０２」では、ある周期で直交（相互相関がゼロ）している。
例２）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１はＰＳＫのシンボルであり、変調信号＃１用の第２パイロットシンボル４２０２は、ヌルシンボル（同相成分Ｉは０（ゼロ）、直交成分Ｑは０（ゼロ））であるものとする（したがって、変調信号＃１用の第２パイロットシンボル４２０２はパイロットシンボルと呼ばなくてもよい。）。
【０２７９】
変調信号＃２の場合：
変調信号＃２用の第１パイロットシンボル４２０１および変調信号＃２用の第２パイロットシンボル４２０２を図４２のように挿入する。変調信号＃２用の第２パイロットシンボル４２０１はＰＳＫのシンボルであり、変調信号＃２用の第１パイロットシンボル４２０２は、ヌルシンボル（同相成分Ｉは０（ゼロ）、直交成分Ｑは０（ゼロ））であるものとする（したがって、変調信号＃２用の第１パイロットシンボル４２０２はパイロットシンボルと呼ばなくてもよい。）。
【０２８０】
同様に、図２５のフレーム構成においてデータシンボル群＃１（２５０１）の送信方法、データシンボル群＃２（２５０２）の送信方法、データシンボル群＃４（２５０３）の送信方法については、第１のプリアンブル２０１、および／または、第２のプリアンブル２０２で設定され、データシンボル群＃３（４０３）の送信方法については、第１のプリアンブル５０１、および／または、第２のプリアンブル５０２で設定されるとしてもよい。
【０２８１】
このとき、「データシンボル群＃１（２５０１）の送信方法、データシンボル群＃２（２５０２）の送信方法、データシンボル群＃４（２５０３）の送信方法は、ＭＩＭＯ伝送またはＭＩＳＯ伝送」、または、「データシンボル群＃１（２５０１）の送信方法、データシンボル群＃２（２５０２）の送信方法、データシンボル群＃４（２５０３）の送信方法は、ＳＩＳＯ伝送（ＳＩＭＯ伝送）」のいずれかが選択できるものとし、「データシンボル群＃３（４０３）の送信方法は、ＭＩＭＯ伝送またはＭＩＳＯ伝送」、または、「データシンボル群＃３（４０３）の送信方法は、ＳＩＳＯ伝送（ＳＩＭＯ伝送）」のいずれかが選択できるものとしてもよい。
【０２８２】
つまり、「第１プリアンブルと第２プリアンブルとセット」と次の「第１プリアンブルと第２プリアンブルのセット」の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなり、「第１プリアンブルと第２プリアンブルとセット」と次の「第１プリアンブルと第２プリアンブルのセット」の間にある複数のデータシンボル群の送信方法において、ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがないものとする。
【０２８３】
ＳＩＳＯ（ＳＩＭＯ）伝送方式とＭＩＭＯ（ＭＩＳＯ）伝送方式が混在した場合、受信装置において、受信電界強度の変動が大きくなるため、ＡＤ（Analog-to-Digital）変換の際、量子化誤差が発生しやすく、これにより、データの受信品質が劣化する課題がある。しかし、上述のようにすると、このような現象の発生が抑えられ、データの受信品質が向上するという効果を得ることができる可能性が高くなる。
【０２８４】
ただし、上述に限ったものではない。
また、上述のような伝送方法の切り替えに伴い、データシンボル群に挿入するパイロットシンボルの挿入方法を切り替えることにもなり、データの伝送効率の向上の点からも利点がある（ＳＩＳＯ（ＳＩＭＯ）伝送方式とＭＩＭＯ（ＭＩＳＯ）伝送方式が混在しないため）。（ＳＩＳＯ（ＳＩＭＯ）伝送方式とＭＩＭＯ（ＭＩＳＯ）伝送方式が混在した場合、パイロットシンボルの挿入する頻度が過剰になり、データの伝送効率が低下する可能性がある。）なお、データシンボル群に挿入するパイロットシンボルの構成については、以下のとおりである。
【０２８５】
「ＳＩＳＯ伝送を行っているときのデータシンボル群に挿入するパイロットシンボル」と「ＭＩＭＯ伝送、または、ＭＩＳＯ伝送を行っているときのデータシンボル群に挿入するパイロットシンボル」とでは、パイロットシンボルの構成方法が異なる。この点について、図を用いて説明する。図４１は、「ＳＩＳＯ伝送を行っているときのデータシンボル群に挿入するパイロットシンボル」の挿入例を示している。なお、図４１において、横軸は時間、縦軸は周波数である。図４１において、４１０１はデータシンボル群＃１のシンボルを示しており、４１０２はパイロットシンボルを示している。このとき、データシンボル群＃１のシンボル４１０１では、データを伝送しており、パイロットシンボル４１０２は、受信装置において、周波数オフセットの推定、周波数同期、時間同期、信号検出、チャネル推定（電波伝搬環境の推定）を行うためのシンボルであり、例えば、送信装置、受信装置に既知のＰＳＫ（Phase Shift Keying）シンボル（ＰＳＫシンボルであることが求められる可能性が高い）で構成されているものとする。
【０２８６】
図４２は、「ＭＩＭＯ伝送、または、ＭＩＳＯ伝送を行っているときのデータシンボル群に挿入するパイロットシンボル」の挿入例を示している。なお、図４２において、横軸は時間、縦軸は周波数である。「ＭＩＭＯ伝送、または、ＭＩＳＯ伝送を行っているとき」、２つのアンテナからそれぞれ変調信号を送信することになる。ここで、変調信号＃１、変調信号＃２と名付ける。図４２は、変調信号＃１のパイロットシンボルの挿入例と変調信号＃２のパイロットシンボルの挿入例を兼用して記載している。
【０２８７】
例１）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１および変調信号＃１用の第２パイロットシンボル４２０２いずれもＰＳＫのシンボルである。
【０２８８】
変調信号＃２の場合：
変調信号＃２用の第１パイロットシンボル４２０１および変調信号＃２用の第２パイロットシンボル４２０２を図４２のように挿入する。変調信号＃２用の第１パイロットシンボル４２０１および変調信号＃２用の第２パイロットシンボル４２０２いずれもＰＳＫのシンボルである。
【０２８９】
そして、「変調信号＃１用の第１パイロットシンボル４２０１および変調信号＃１用の第２パイロットシンボル４２０２」と「変調信号＃２用の第１パイロットシンボル４２０１および変調信号＃２用の第２パイロットシンボル４２０２」では、ある周期で直交（相互相関がゼロ）している。
例２）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１はＰＳＫのシンボルであり、変調信号＃１用の第２パイロットシンボル４２０２は、ヌルシンボル（同相成分Ｉは０（ゼロ）、直交成分Ｑは０（ゼロ））であるものとする（したがって、変調信号＃１用の第２パイロットシンボル４２０２はパイロットシンボルと呼ばなくてもよい。）。
【０２９０】
変調信号＃２の場合：
変調信号＃２用の第１パイロットシンボル４２０１および変調信号＃２用の第２パイロットシンボル４２０２を図４２のように挿入する。変調信号＃２用の第２パイロットシンボル４２０１はＰＳＫのシンボルであり、変調信号＃２用の第１パイロットシンボル４２０２は、ヌルシンボル（同相成分Ｉは０（ゼロ）、直交成分Ｑは０（ゼロ））であるものとする（したがって、変調信号＃２用の第１パイロットシンボル４２０２はパイロットシンボルと呼ばなくてもよい。）。
【０２９１】
また、図６のフレーム構成においてデータシンボル群＃１（４０１＿１、４０１＿２）、の送信方法、データシンボル群＃２（４０２）の送信方法、データシンボル群＃３（４０３）の送信方法については、第１のプリアンブル２０１、および／または、第２のプリアンブル２０２で設定されるとしてもよい。
このとき、「データシンボル群＃１（４０１＿１、４０１＿２）の送信方法、および、データシンボル群＃２（４０２）の送信方法は、ＭＩＭＯ伝送またはＭＩＳＯ伝送」、または、「データシンボル群＃１（４０１＿１、４０１＿２）の送信方法、および、データシンボル群＃２（４０２）の送信方法は、ＳＩＳＯ伝送（ＳＩＭＯ伝送）」のいずれかが選択できるものとし、「データシンボル群＃３（４０３）の送信方法は、ＭＩＭＯ伝送またはＭＩＳＯ伝送」、または、「データシンボル群＃３（４０３）の送信方法は、ＳＩＳＯ伝送（ＳＩＭＯ伝送）」のいずれかが選択できるものとしてもよい。
【０２９２】
つまり、「第１プリアンブルと第２プリアンブルとセット」と「パイロットシンボル」の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなる（ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがない）。そして、「パイロットシンボル」と次の「第１プリアンブルと第２プリアンブルのセット」（ただし、図６において、パイロットシンボルの次の「第１プリアンブルと第２プリアンブルのセット」については示していない。）の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなる（ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがない）。
【０２９３】
ＳＩＳＯ（ＳＩＭＯ）伝送方式とＭＩＭＯ（ＭＩＳＯ）伝送方式が混在した場合、受信装置において、受信電界強度の変動が大きくなるため、ＡＤ（Analog-to-Digital）変換の際、量子化誤差が発生しやすく、これにより、データの受信品質が劣化する課題がある。しかし、上述のようにすると、このような現象の発生が抑えられ、データの受信品質が向上するという効果を得ることができる可能性が高くなる。
【０２９４】
ただし、上述に限ったものではない。
また、上述のような伝送方法の切り替えに伴い、データシンボル群に挿入するパイロットシンボルの挿入方法を切り替えることにもなり、データの伝送効率の向上の点からも利点がある（ＳＩＳＯ（ＳＩＭＯ）伝送方式とＭＩＭＯ（ＭＩＳＯ）伝送方式が混在しないため）。（ＳＩＳＯ（ＳＩＭＯ）伝送方式とＭＩＭＯ（ＭＩＳＯ）伝送方式が混在した場合、パイロットシンボルの挿入する頻度が過剰になり、データの伝送効率が低下する可能性がある。）なお、データシンボル群に挿入するパイロットシンボルの構成については、以下のとおりである。
【０２９５】
「ＳＩＳＯ伝送を行っているときのデータシンボル群に挿入するパイロットシンボル」と「ＭＩＭＯ伝送、または、ＭＩＳＯ伝送を行っているときのデータシンボル群に挿入するパイロットシンボル」とでは、パイロットシンボルの構成方法が異なる。この点について、図を用いて説明する。図４１は、「ＳＩＳＯ伝送を行っているときのデータシンボル群に挿入するパイロットシンボル」の挿入例を示している。なお、図４１において、横軸は時間、縦軸は周波数である。図４１において、４１０１はデータシンボル群＃１のシンボルを示しており、４１０２はパイロットシンボルを示している。このとき、データシンボル群＃１のシンボル４１０１では、データを伝送しており、パイロットシンボル４１０２は、受信装置において、周波数オフセットの推定、周波数同期、時間同期、信号検出、チャネル推定（電波伝搬環境の推定）を行うためのシンボルであり、例えば、送信装置、受信装置に既知のＰＳＫ（Phase Shift Keying）シンボル（ＰＳＫシンボルであることが求められる可能性が高い）で構成されているものとする。
【０２９６】
図４２は、「ＭＩＭＯ伝送、または、ＭＩＳＯ伝送を行っているときのデータシンボル群に挿入するパイロットシンボル」の挿入例を示している。なお、図４２において、横軸は時間、縦軸は周波数である。「ＭＩＭＯ伝送、または、ＭＩＳＯ伝送を行っているとき」、２つのアンテナからそれぞれ変調信号を送信することになる。ここで、変調信号＃１、変調信号＃２と名付ける。図４２は、変調信号＃１のパイロットシンボルの挿入例と変調信号＃２のパイロットシンボルの挿入例を兼用して記載している。
【０２９７】
例１）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１および変調信号＃１用の第２パイロットシンボル４２０２いずれもＰＳＫのシンボルである。
【０２９８】
変調信号＃２の場合：
変調信号＃２用の第１パイロットシンボル４２０１および変調信号＃２用の第２パイロットシンボル４２０２を図４２のように挿入する。変調信号＃２用の第１パイロットシンボル４２０１および変調信号＃２用の第２パイロットシンボル４２０２いずれもＰＳＫのシンボルである。
【０２９９】
そして、「変調信号＃１用の第１パイロットシンボル４２０１および変調信号＃１用の第２パイロットシンボル４２０２」と「変調信号＃２用の第１パイロットシンボル４２０１および変調信号＃２用の第２パイロットシンボル４２０２」では、ある周期で直交（相互相関がゼロ）している。
例２）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１はＰＳＫのシンボルであり、変調信号＃１用の第２パイロットシンボル４２０２は、ヌルシンボル（同相成分Ｉは０（ゼロ）、直交成分Ｑは０（ゼロ））であるものとする（したがって、変調信号＃１用の第２パイロットシンボル４２０２はパイロットシンボルと呼ばなくてもよい。）。
【０３００】
変調信号＃２の場合：
変調信号＃２用の第１パイロットシンボル４２０１および変調信号＃２用の第２パイロットシンボル４２０２を図４２のように挿入する。変調信号＃２用の第２パイロットシンボル４２０１はＰＳＫのシンボルであり、変調信号＃２用の第１パイロットシンボル４２０２は、ヌルシンボル（同相成分Ｉは０（ゼロ）、直交成分Ｑは０（ゼロ））であるものとする（したがって、変調信号＃２用の第１パイロットシンボル４２０２はパイロットシンボルと呼ばなくてもよい。）。
【０３０１】
同様に、図２６のフレーム構成においてデータシンボル群＃１（２５０１）の送信方法、データシンボル群＃２（２５０２）の送信方法、データシンボル群＃４（２５０３）の送信方法、データシンボル群＃３（４０３）の送信方法については、第１のプリアンブル２０１、および／または、第２のプリアンブル２０２で設定されるとしてもよい。
このとき、「データシンボル群＃１（２５０１）の送信方法、データシンボル群＃２（２５０２）の送信方法、データシンボル群＃４（２５０３）の送信方法は、ＭＩＭＯ伝送またはＭＩＳＯ伝送」、または、「データシンボル群＃１（２５０１）の送信方法、データシンボル群＃２（２５０２）の送信方法、データシンボル群＃４（２５０３）の送信方法は、ＳＩＳＯ伝送（ＳＩＭＯ伝送）」のいずれかが選択できるものとし、「データシンボル群＃３（４０３）の送信方法は、ＭＩＭＯ伝送またはＭＩＳＯ伝送」、または、「データシンボル群＃３（４０３）の送信方法は、ＳＩＳＯ伝送（ＳＩＭＯ伝送）」のいずれかが選択できるものとしてもよい。
【０３０２】
つまり、「第１プリアンブルと第２プリアンブルとセット」と「パイロットシンボル」の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなる（ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがない）。そして、「パイロットシンボル」と次の「第１プリアンブルと第２プリアンブルのセット」（ただし、図６において、パイロットシンボルの次の「第１プリアンブルと第２プリアンブルのセット」については示していない。）の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなる（ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがない）。
【０３０３】
ＳＩＳＯ（ＳＩＭＯ）伝送方式とＭＩＭＯ（ＭＩＳＯ）伝送方式が混在した場合、受信装置において、受信電界強度の変動が大きくなるため、ＡＤ（Analog-to-Digital）変換の際、量子化誤差が発生しやすく、これにより、データの受信品質が劣化する課題がある。しかし、上述のようにすると、このような現象の発生が抑えられ、データの受信品質が向上するという効果を得ることができる可能性が高くなる。
【０３０４】
ただし、上述に限ったものではない。
また、上述のような伝送方法の切り替えに伴い、データシンボル群に挿入するパイロットシンボルの挿入方法を切り替えることにもなり、データの伝送効率の向上の点からも利点がある（ＳＩＳＯ（ＳＩＭＯ）伝送方式とＭＩＭＯ（ＭＩＳＯ）伝送方式が混在しないため）。（ＳＩＳＯ（ＳＩＭＯ）伝送方式とＭＩＭＯ（ＭＩＳＯ）伝送方式が混在した場合、パイロットシンボルの挿入する頻度が過剰になり、データの伝送効率が低下する可能性がある。）なお、データシンボル群に挿入するパイロットシンボルの構成については、以下のとおりである。
【０３０５】
「ＳＩＳＯ伝送を行っているときのデータシンボル群に挿入するパイロットシンボル」と「ＭＩＭＯ伝送、または、ＭＩＳＯ伝送を行っているときのデータシンボル群に挿入するパイロットシンボル」とでは、パイロットシンボルの構成方法が異なる。この点について、図を用いて説明する。図４１は、「ＳＩＳＯ伝送を行っているときのデータシンボル群に挿入するパイロットシンボル」の挿入例を示している。なお、図４１において、横軸は時間、縦軸は周波数である。図４１において、４１０１はデータシンボル群＃１のシンボルを示しており、４１０２はパイロットシンボルを示している。このとき、データシンボル群＃１のシンボル４１０１では、データを伝送しており、パイロットシンボル４１０２は、受信装置において、周波数オフセットの推定、周波数同期、時間同期、信号検出、チャネル推定（電波伝搬環境の推定）を行うためのシンボルであり、例えば、送信装置、受信装置に既知のＰＳＫ（Phase Shift Keying）シンボル（ＰＳＫシンボルであることが求められる可能性が高い）で構成されているものとする。
【０３０６】
図４２は、「ＭＩＭＯ伝送、または、ＭＩＳＯ伝送を行っているときのデータシンボル群に挿入するパイロットシンボル」の挿入例を示している。なお、図４２において、横軸は時間、縦軸は周波数である。「ＭＩＭＯ伝送、または、ＭＩＳＯ伝送を行っているとき」、２つのアンテナからそれぞれ変調信号を送信することになる。ここで、変調信号＃１、変調信号＃２と名付ける。図４２は、変調信号＃１のパイロットシンボルの挿入例と変調信号＃２のパイロットシンボルの挿入例を兼用して記載している。
【０３０７】
例１）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１および変調信号＃１用の第２パイロットシンボル４２０２いずれもＰＳＫのシンボルである。
【０３０８】
変調信号＃２の場合：
変調信号＃２用の第１パイロットシンボル４２０１および変調信号＃２用の第２パイロットシンボル４２０２を図４２のように挿入する。変調信号＃２用の第１パイロットシンボル４２０１および変調信号＃２用の第２パイロットシンボル４２０２いずれもＰＳＫのシンボルである。
【０３０９】
そして、「変調信号＃１用の第１パイロットシンボル４２０１および変調信号＃１用の第２パイロットシンボル４２０２」と「変調信号＃２用の第１パイロットシンボル４２０１および変調信号＃２用の第２パイロットシンボル４２０２」では、ある周期で直交（相互相関がゼロ）している。
例２）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１はＰＳＫのシンボルであり、変調信号＃１用の第２パイロットシンボル４２０２は、ヌルシンボル（同相成分Ｉは０（ゼロ）、直交成分Ｑは０（ゼロ））であるものとする（したがって、変調信号＃１用の第２パイロットシンボル４２０２はパイロットシンボルと呼ばなくてもよい。）。
【０３１０】
変調信号＃２の場合：
変調信号＃２用の第１パイロットシンボル４２０１および変調信号＃２用の第２パイロットシンボル４２０２を図４２のように挿入する。変調信号＃２用の第２パイロットシンボル４２０１はＰＳＫのシンボルであり、変調信号＃２用の第１パイロットシンボル４２０２は、ヌルシンボル（同相成分Ｉは０（ゼロ）、直交成分Ｑは０（ゼロ））であるものとする（したがって、変調信号＃２用の第１パイロットシンボル４２０２はパイロットシンボルと呼ばなくてもよい。）。
【０３１１】
（実施の形態３）
実施の形態１、実施の形態２において、複数のアンテナを用いて複数のストリームを送信する、プリコーディング、位相変更を用いたＭＩＭＯ伝送方式（位相変更を施さないＭＩＭＯ伝送方式であってもよい）、時空間ブロック符号（Space Time Block codes）（または、周波数−空間ブロック符号（Space Frequency Block codes））を用いたＭＩＳＯ（Multiple-Input Single-Output）伝送方式について説明したが、これらの伝送方式で送信装置が変調信号を送信することを考慮したときのプリアンブルの送信方法の一例を説明する。
【０３１２】
図１の送信装置は、アンテナ１２６＿１とアンテナ１２６＿２を具備している。このとき、送信する２つの変調信号の分離が容易となる可能性が高いアンテナの構成方法として、
「アンテナ１２６＿１が水平偏波用のアンテナ、アンテナ１２６＿２が垂直偏波用のアンテナ」
または
「アンテナ１２６＿１が垂直偏波用のアンテナ、アンテナ１２６＿２が水平偏波用のアンテナ」
または
「アンテナ１２６＿１が右旋円偏波用のアンテナ、アンテナ１２６＿２が左旋円偏波用のアンテナ」
または
「アンテナ１２６＿１が左旋円偏波用のアンテナ、アンテナ１２６＿２が右旋円偏波用のアンテナ」
があり、このようなアンテナ構成方法を、第１のアンテナ構成方法と呼ぶことにする。
【０３１３】
また、第１のアンテナ構成方法以外のアンテナ構成方法を第２のアンテナ構成方法と呼ぶ。したがって、第２のアンテナ構成方法には、例えば、
「アンテナ１２６＿１が水平偏波用のアンテナ、アンテナ１２６＿２が水平偏波用のアンテナ」
および
「アンテナ１２６＿１が垂直偏波用のアンテナ、アンテナ１２６＿２が垂直偏波用のアンテナ」
「アンテナ１２６＿１が左旋円偏波用のアンテナ、アンテナ１２６＿２が左旋円偏波用のアンテナ」
および
「アンテナ１２６＿１が右旋円偏波用のアンテナ、アンテナ１２６＿２が右旋円偏波用のアンテナ」
が含まれることになる。
【０３１４】
各送信装置（図１）は、第１のアンテナ構成方法（例えば、「アンテナ１２６＿１が水平偏波用のアンテナ、アンテナ１２６＿２が垂直偏波用のアンテナ」または「アンテナ１２６＿１が垂直偏波用のアンテナ、アンテナ１２６＿２が水平偏波用のアンテナ」）、
または、
第２のアンテナ構成方法（例えば、「アンテナ１２６＿１が水平偏波用のアンテナ、アンテナ１２６＿２が水平偏波用のアンテナ」または「アンテナ１２６＿１が垂直偏波用のアンテナ、アンテナ１２６＿２が垂直偏波用のアンテナ」）
の設定が可能であり、例えば、放送システムにおいて、送信装置の設置場所（設置地域）により、第１のアンテナの構成方法、または、第２のアンテナ構成方法のいずれかのアンテナ構成方法が採用されているものとする。
【０３１５】
このようなアンテナ構成方法において、例えば、図２から図６、図２４から図２６のフレーム構成方法のとき、第１プリアンブル、第２プリアンブルの構成方法について説明する。
実施の形態２と同様に、送信装置は、第１プリアンブルを用いて、アンテナ構成方法に関する制御情報を送信するものとする。このとき、アンテナ構成方法に関する情報をｍ（０）、ｍ（１）とする。
【０３１６】
このとき、送信装置が具備する２つの送信アンテナにおいて、第１の送信アンテナが水平偏波用のアンテナ（つまり、水平偏波の第１の変調信号を送信する）、第２の送信アンテナが水平偏波用のアンテナ（つまり、水平偏波の第２の変調信号を送信する）の場合、ｍ（０）＝０、ｍ（１）＝０と設定し、ｍ（０）、ｍ（１）を送信装置は送信するものとする。
【０３１７】
送信装置が具備する２つの送信アンテナにおいて、第１の送信アンテナが垂直偏波用のアンテナ（つまり、垂直偏波の第１の変調信号を送信する）、第２の送信アンテナが垂直偏波用のアンテナ（つまり、垂直偏波の第２の変調信号を送信する）の場合、ｍ（０）＝１、ｍ（１）＝０と設定し、ｍ（０）、ｍ（１）を送信装置は送信するものとする。
送信装置が具備する２つの送信アンテナにおいて、第１の送信アンテナが水平偏波用のアンテナ（つまり、水平偏波の第１の変調信号を送信する）、第２の送信アンテナが垂直偏波用のアンテナ（つまり、垂直偏波の第２の変調信号を送信する）の場合、ｍ（０）＝０、ｍ（１）＝１と設定し、ｍ（０）、ｍ（１）を送信装置は送信するものとする。
【０３１８】
送信装置が具備する２つの送信アンテナにおいて、第１の送信アンテナが垂直偏波用のアンテナ（つまり、垂直偏波の第１の変調信号を送信する）、第２の送信アンテナが水平偏波用のアンテナ（つまり、水平偏波の第２の変調信号を送信する）の場合、ｍ（０）＝１、ｍ（１）＝１と設定し、ｍ（０）、ｍ（１）を送信装置は送信するものとする。
そして、送信装置は、図２から図６、図２４から図２６のフレーム構成方法において、ｍ（０）、ｍ（１）を、例えば、第１プリアンブルで送信するものとする。これにより、受信装置は、第１のプリアンブルを受信し、復調・復号することで、送信装置が送信した変調信号（例えば、第２プリアンブルやデータシンボル群）が、どのような偏波を用いて送信されたか、を簡単に知ることができ、これにより、受信装置が受信の際に使用するアンテナ（偏波の使用も含む）を的確に設定することができ、よって、高い受信利得（高い受信電界強度）を得ることができるという効果を得ることができる（利得を得る効果が小さい受信のための信号処理を行う必要がなくなるという利点もある）。これにより、データの受信品質が向上するという利点を得ることができる。
【０３１９】
「利得を得る効果が小さい受信のための信号処理を行う必要がなくなるという利点もある」と記載したが、この点について、補足の説明を行う。
送信装置が水平偏波でのみ変調信号を送信し、受信装置が水平偏波用受信アンテナと垂直偏波用受信アンテを具備している場合を考える。このとき、送信装置が送信した変調信号は、受信装置の水平偏波用の受信アンテナで受信することができるが、受信装置の垂直偏波用の受信アンテナでは、送信装置が送信した変調信号の受信電界強度は非常に小さい。
【０３２０】
したがって、このような場合、受信装置の垂直偏波用の受信アンテナで受信した受信信号を信号処理し、データを得る動作をする必要性は、信号処理によって消費する電力のことを考慮すると少ない。
以上の点から、送信装置が「アンテナ構成方法に関する制御情報」を送信し、受信装置が、的確に制御する必要性がある。
【０３２１】
次に、送信装置が２つ以上の水平偏波用のアンテナを具備している場合（ただし、垂直偏波用のアンテナを送信装置が具備していないとは限らない。）、または、送信装置が２つ以上の垂直偏波用のアンテナを具備している場合（ただし、水平偏波用のアンテナを送信装置が具備していないとは限らない。）について説明する。
＜送信装置が２つ以上の水平偏波用のアンテナを具備している場合＞
この場合、シングルストリームを送信する（ＳＩＳＯ伝送方式、または、ＳＩＭＯ伝送方式）際、送信装置は、一つ以上の水平偏波用のアンテナにより、変調信号を送信することになる。この場合を考慮すると、上述で説明した、アンテナ構成方法に関する制御情報を含む第１プリアンブルを、送信装置は、一つ以上の水平偏波用のアンテナにより送信すると、受信装置は、高い利得で、アンテナ構成方法に関する制御情報を含む第１プリアンブルを受信することができ、これにより、高いデータの受信品質を得ることができる。
【０３２２】
そして、アンテナ構成方法に関する制御情報を受信装置は得ることで、ＭＩＭＯ伝送方式、ＭＩＳＯ伝送方式をどのようなアンテナ構成で送信装置が送信したか、を受信装置は知ることができる。
＜送信装置が２つ以上の垂直偏波用のアンテナを具備している場合＞
この場合、シングルストリームを送信する（ＳＩＳＯ伝送方式、または、ＳＩＭＯ伝送方式）際、送信装置は、一つ以上の垂直偏波用のアンテナにより、変調信号を送信することになる。この場合を考慮すると、上述で説明した、アンテナ構成方法に関する制御情報を含む第１プリアンブルを、送信装置は、一つ以上の垂直偏波用のアンテナにより送信すると、受信装置は、高い利得で、アンテナ構成方法に関する制御情報を含む第１プリアンブルを受信することができ、これにより、高いデータの受信品質を得ることができる。
【０３２３】
そして、アンテナ構成方法に関する制御情報を受信装置は得ることで、ＭＩＭＯ伝送方式、ＭＩＳＯ伝送方式をどのようなアンテナ構成で送信装置が送信したか、を受信装置は知ることができる。
次に、送信装置が水平偏波用のアンテナと垂直偏波のアンテナを具備している場合について説明する。
【０３２４】
この場合、シングルストリームを送信する（ＳＩＳＯ伝送方式、または、ＳＩＭＯ伝送方式）際、送信装置は、
第１の方法：
水平偏波用のアンテナと垂直偏波のアンテナにより、変調信号を送信する、
第２の方法：
水平偏波用のアンテナにより、変調信号を送信する、
第３の方法：
垂直偏波のアンテナにより、変調信号を送信する、
が考えられる。
【０３２５】
この場合、上述で説明した、アンテナ構成方法に関する制御情報を含む第１プリアンブルを送信するのに使用するアンテナは、シングルストリームを送信する（ＳＩＳＯ伝送方式、または、ＳＩＭＯ伝送方式）場合に使用するアンテナと同様な方法で送信することになる。
したがって、シングルストリームを送信する（ＳＩＳＯ伝送方式、または、ＳＩＭＯ伝送方式）際、第１の方法で変調信号を送信する場合、アンテナ構成方法に関する制御情報を含む第１プリアンブルは、水平偏波用のアンテナと垂直偏波のアンテナから送信されることになる。
第２の方法で変調信号を送信する場合、アンテナ構成方法に関する制御情報を含む第１プリアンブルは、水平偏波用のアンテナから送信されることになる。
第３の方法で変調信号を送信する場合、アンテナ構成方法に関する制御情報を含む第１プリアンブルは、垂直偏波用のアンテナから送信されることになる。
【０３２６】
このようにすると、受信装置は、ＳＩＳＯ方式で送信されるデータシンボル群と同様に第１プリアンブルを受信することができる（伝送方式による信号処理方法の変更が不要となる）という利点がある。（上述で説明した利点も得ることができる。）
そして、アンテナ構成方法に関する制御情報を受信装置は得ることで、ＭＩＭＯ伝送方式、ＭＩＳＯ伝送方式をどのようなアンテナ構成で送信装置が送信したか、を受信装置は知ることができる。
【０３２７】
以上のように、アンテナ構成方法に関する制御情報を含む第１プリアンブルを送信することで、受信装置は、高い利得で受信することができるため、これにより、データシンボル群の受信品質が向上するという効果を得ることができ、かつ、受信装置の電力効率を向上させることができる効果を得ることができる。
なお、上述の説明では、第１プリアンブルにアンテナ構成方法に関する制御情報を含む場合を例に説明しているが、第１プリアンブルにアンテナ構成方法に関する制御情報が含まれていない場合についても、同様の効果を得ることができる。
【０３２８】
そして、第１のプリアンブルを送信するのに使用するアンテナは、送信装置の設置やメンテナンスのときに決定される可能性が高く、運用最中に使用するアンテナを変更することもできるが、その可能性は、実運用上では頻繁に発生する可能性は低い。
（実施の形態４）
上述の実施の形態において、図１の送信装置が送信する変調信号におけるフレーム構成の例について説明したが、本実施の形態では、さらに、図１の送信装置が送信する変調信号におけるフレーム構成について説明する。
【０３２９】
図３０は、図１の送信装置が送信する変調信号におけるフレーム構成の一例であり、図２と同様に動作するものについては、同一番号を付し、説明は省略する。図３０において、縦軸は周波数、横軸は時間であるものとする。そして、ＯＦＤＭ方式等のマルチキャリアを用いた伝送方式を用いているものとするため、縦軸周波数において、複数のキャリアが存在しているものとする。
【０３３０】
図３０において、３００１はデータシンボル群＃１、３００２はデータシンボル群＃２、３００３はデータシンボル群＃３を示しており、時刻ｔ１から時刻ｔ２において、データシンボル群＃１（３００１）、データシンボル群＃２（３００２）、データシンボル群＃３（３００３）が存在しており、各時刻において、複数のデータシンボル群が存在している。
【０３３１】
同様に、３００４はデータシンボル群＃４、３００５はデータシンボル群＃５、３００６はデータシンボル群＃６を示しており、時刻ｔ２から時刻ｔ３において、データシンボル群＃４（３００４）、データシンボル群＃５（３００５）、データシンボル群＃６（３００６）が存在しており、各時刻において、複数のデータシンボル群が存在している。
そして、３００７はデータシンボル群＃７、３００８はデータシンボル群＃８、３００９はデータシンボル群＃９を示しており。時刻ｔ３から時刻ｔ４において、データシンボル群＃７（３００７）、データシンボル群＃８（３００８）、データシンボル群＃９（３００９）が存在しており、各時刻において、複数のデータシンボル群が存在している。
【０３３２】
このとき、各データシンボル群において、使用するキャリア数を設定できるものとし、各時刻に存在するシンボル群は３つに限ったものではなく、２つ以上のシンボル群が存在していればよい。
なお、データシンボル群は、ＭＩＭＯ（伝送）方法およびＭＩＳＯ（伝送）方法に基づくシンボル群であることもある（当然であるが、データシンボル群は、ＳＩＳＯ（ＳＩＭＯ）方式のシンボル群であってもよい。）。この場合、同一時刻、同一（共通）周波数では、複数のストリーム（後で説明するｓ１，ｓ２）が送信されることになる。（この場合、同一時刻、同一（共通）周波数では、複数の変調信号を複数の（異なる）アンテナから送信することになる。）そして、この点については、図３０に限ったものではなく、図３１，図３２、図３３、図３４、図３５、図３６、図３７、図３８でも同様である。
【０３３３】
図３０において特徴的な点は、周波数分割を行い、データシンボル群が複数存在する時間区間が２か所以上存在している点である。これにより、データの受信品質の異なるシンボル群を同一時間に存在させることができ、かつ、データ区間を適切に定めることにより、データの伝送速度を柔軟に設定することができるという効果を有する。
図３１は、図１の送信装置が送信する変調信号におけるフレーム構成の一例であり、図２、図３０と同様に動作するものについては、同一番号を付し、説明は省略する。図３１において、縦軸は周波数、横軸は時間であるものとする。そして、ＯＦＤＭ方式等のマルチキャリアを用いた伝送方式を用いているものとするため、縦軸周波数において、複数のキャリアが存在しているものとする。
【０３３４】
３１０１はデータシンボル群＃１０、３１０２はデータシンボル群＃１１を示しており、時刻ｔ４から時刻ｔ５において、データシンボル群＃１０（３１０１）、データシンボル群＃１１（３１０２）が存在している。このとき、時間分割を行い、複数のデータシンボル群が存在している。
図３１において特徴的な点は、周波数分割を行い、データシンボル群が複数存在する時間区間が２か所以上存在し、かつ、時間分割を行い、複数のデータシンボルが存在している点である。これにより、データの受信品質の異なるシンボル群を同一時間に存在させることができ、かつ、データ区間を適切に定めることにより、データの伝送速度を柔軟に設定することができ、また、時間分割を行い、データ区間を適切に定めることにより、データの伝送速度を柔軟に設定することができるという効果を有する。
【０３３５】
図３２は、図１の送信装置が送信する変調信号におけるフレーム構成の一例であり、図２、図３０、図５と同様に動作するものについては、同一番号を付し、説明は省略する。図３２において、縦軸は周波数、横軸は時間であるものとする。そして、ＯＦＤＭ方式等のマルチキャリア方式を用いた伝送方式を用いているものとするため、縦軸周波数において、複数のキャリアが存在するものとする。
【０３３６】
３２０１はデータシンボル群＃７、３２０２はデータシンボル群＃８を示しており、時刻ｔ４から時刻ｔ５において、データシンボル群＃７（３２０１）、データシンボル群＃８（３２０２）が存在している。このとき、時間分割を行い、複数のデータシンボル群が存在している。
図３１と異なる点は、データシンボル群＃７（３２０１）の前に第１プリアンブル５０１と第２プリアンブル５０２を配置している点である。このとき、周波数分割されたデータシンボル群＃１から＃６に関連する制御情報（例えば、各データシンボル群の必要とするキャリア数および時間間隔、各データシンボル群の変調方式、各データシンボル群の送信方法、各データシンボル群で使用する誤り訂正符号の方式など）は、図３２における第１プリアンブル（２０１）、および／または、第２プリアンブル（２０２）で伝送されることになる。なお、制御情報については、実施の形態２で一例を説明している。（なお、この点については別途説明する。）
そして、時間分割されたデータシンボル群＃７、＃８に関する制御情報（例えば、各データシンボル群の必要とするシンボル数（または時間間隔）、各データシンボル群の変調方式、各データシンボル群の送信方法、各データシンボル群で使用する誤り訂正符号の方式など）は、図３２における第１プリアンブル（５０１）、および／または、第２プリアンブル（５０２）で伝送されることになる。なお制御情報については、実施の形態２で一例を説明している。（なお、この点については別途説明する。）
このように制御情報を伝送すると、第１プリアンブル２０１、第２プリアンブル２０２に、時分割のデータシンボル群のための専用の制御情報を含める必要がなくなり、また、第１プリアンブル５０１、第２プリアンブル５０２に、周波数分割のデータシンボル群の専用の制御情報を含める必要がなくなり、制御情報のデータ伝送効率、受信装置の制御情報に制御の簡単化を実現することができる。
【０３３７】
図３２において特徴的な点は、周波数分割を行い、データシンボル群が複数存在する時間区間が２か所以上存在し、かつ、時間分割を行い、複数のデータシンボルが存在している点である。これにより、データの受信品質の異なるシンボル群を同一時間に存在させることができ、かつ、データ区間を適切に定めることにより、データの伝送速度を柔軟に設定することができ、また、時間分割を行い、データ区間を適切に定めることにより、データの伝送速度を柔軟に設定することができるという効果を有する。
【０３３８】
図３３は、図１の送信装置が送信する変調信号におけるフレーム構成の一例であり、図２、図３０、図３２、図６と同様に動作するものについては、同一番号を付し、説明は省略する。図３３において、縦軸は周波数、横軸は時間であるものとする。そして、ＯＦＤＭ方式等のマルチキャリア方式を用いた伝送方式を用いているものとするため、縦軸周波数において、複数のキャリアが存在するものとする。
【０３３９】
３２０１はデータシンボル群＃７、３２０２はデータシンボル群＃８を示しており、時刻ｔ４から時刻ｔ５において、データシンボル群＃７（３２０１）、データシンボル群＃８（３２０２）が存在している。このとき、時間分割を行い、複数のデータシンボル群が存在している。
図３０、図３１と異なる点は、データシンボル群＃７（３２０１）の前にパイロットシンボル６０１を配置している点である。このとき、パイロットシンボル６０１を配置したときの利点は、実施の形態１で説明したとおりである。
【０３４０】
図３３において特徴的な点は、周波数分割を行い、データシンボル群が複数存在する時間区間が２か所以上存在し、かつ、時間分割を行い、複数のデータシンボルが存在している点である。これにより、データの受信品質の異なるシンボル群を同一時間に存在させることができ、かつ、データ区間を適切に定めることにより、データの伝送速度を柔軟に設定することができ、また、時間分割を行い、データ区間を適切に定めることにより、データの伝送速度を柔軟に設定することができるという効果を有する。
【０３４１】
図３４は、図１の送信装置が送信する変調信号におけるフレーム構成の一例であり、図２と同様に動作するものについては、同一番号を付し、説明は省略する。図３４において、縦軸は周波数、横軸は時間であるものとする。そして、ＯＦＤＭ方式等のマルチキャリア方式を用いた伝送方式を用いているものとするため、縦軸周波数において、複数のキャリアが存在するものとする。
【０３４２】
図３４において、３４０１はデータシンボル群＃１、３４０２はデータシンボル群＃２、３４０３はデータシンボル群＃３、３４０４はデータシンボル群＃４、３４０５はデータシンボル群＃５、３４０６はデータシンボル群＃６、３４０７はデータシンボル群＃７、３４０８はデータシンボル群＃８を示している。
図３４では、データシンボル群を周波数分割方式を用いてフレームに配置している。そして、図３４が、図３０から図３３と異なる点は、各データシンボル群の時間間隔の設定に柔軟性がある点である。
【０３４３】
例えば、データシンボル群＃１は、時刻ｔ１から時刻ｔ２にわたってシンボルが配置されており、他のデータシンボルに比べ、時間間隔が長くなっている。その他のデータシンボル群についても、時間間隔は柔軟に設定されている。
図３４において特徴的な点は、周波数分割を行い、データシンボル群の時間間隔を柔軟に設定している点であり、これにより、データの受信品質の異なるシンボル群を同一時間に存在させることができ、かつ、データ区間を適切に定めることにより、データの伝送速度を柔軟に設定することができるという効果を有する。
【０３４４】
図３５は、図１の送信装置が送信する変調信号におけるフレーム構成の一例であり、図２、図３４と同様に動作するものについては、同一番号を付し、説明は省略する。図３５において、縦軸は周波数、横軸は時間であるものとする。そして、ＯＦＤＭ方式等のマルチキャリア方式を用いた伝送方式を用いているものとするため、縦軸周波数において、複数のキャリアが存在するものとする。
【０３４５】
図３５において、３５０９はデータシンボル群＃９、３５１０はデータシンボル群＃１０、３５１１はデータシンボル群＃１１、３５１２はデータシンボル群＃１２を示しており、周波数分割を行い、時刻ｔ２からｔ３の間で、データシンボル群＃９、データシンボル群＃１０、データシンボル群＃１１、データシンボル群＃１２、データシンボル群＃１３を送信している。時刻ｔ１、時刻ｔ２と比較し、特徴的な点は、データシンボル群＃９の時間間隔、データシンボル群＃１０の時間間隔、データシンボル群＃１１の時間間隔が等しく、データシンボル群＃１２の時間間隔とデータシンボル群＃１３の時間間隔が等しいことである。
【０３４６】
図３５において、３５１４はデータシンボル群＃１４、３５１５はデータシンボル群＃１５を示しており、時間分割を行い、時刻ｔ３から時刻ｔ４の間で、データシンボル群＃１４、データシンボル群＃１５を伝送している。
これにより、データの受信品質の異なるシンボル群を同一時間に存在させることができ、かつ、データ区間、周波数区間を適切に定めることにより、データの伝送速度を柔軟に設定することができるという効果を有する。
【０３４７】
図３６は、図１の送信装置が送信する変調信号におけるフレーム構成の一例であり、図２、図６、図３４、図３５と同様に動作するものについては、同一番号を付し、説明は省略する。図３６において、縦軸は周波数、横軸は時間であるものとする。そして、ＯＦＤＭ方式等のマルチキャリア方式を用いた伝送方式を用いているものとするため、縦軸周波数において、複数のキャリアが存在するものとする。
【０３４８】
図３６が、図３５と異なる点は、第１プリアンブル５０１、第２プリアンブル５０２、および、第１プリアンブル３６０１、第２プリアンブル３６０２を配置している点である。このとき、データシンボル群＃１から＃８、および、データシンボル群＃９から＃１３は周波数分割されており、また、データシンボル群＃１４および＃１５は時分割され、配置されている。
【０３４９】
これにより、データの受信品質の異なるシンボル群を同一時間に存在させることができ、かつ、データ区間、周波数区間を適切に定めることにより、データの伝送速度を柔軟に設定することができるという効果を有する。
このとき、周波数分割されたデータシンボル群＃１から＃８に関連する制御情報（例えば、各データシンボル群の必要とするキャリア数および時間間隔、各データシンボル群の変調方式、各データシンボル群の送信方法、各データシンボル群で使用する誤り訂正符号の方式など）は、図３６における第１プリアンブル（２０１）、および／または、第２プリアンブル（２０２）で伝送されることになる。なお、制御情報については、実施の形態２で一例を説明している。（なお、この点については別途説明する。）
そして、周波数分割されたデータシンボル群＃９から＃１３に関連する制御情報（例えば、各データシンボル群の必要とするキャリア数および時間間隔、各データシンボル群の変調方式、各データシンボル群の送信方法、各データシンボル群で使用する誤り訂正符号の方式など）は、図３６における第１プリアンブル（５０１）、および／または、第２プリアンブル（５０２）で伝送されることになる。なお、制御情報については、実施の形態２で一例を説明している。（なお、この点については別途説明する。）
また、時間分割されたデータシンボル群＃１４、＃１５に関する制御情報（例えば、各データシンボル群の必要とするシンボル数（または時間間隔）、各データシンボル群の変調方式、各データシンボル群の送信方法、各データシンボル群で使用する誤り訂正符号の方式など）は、図３６における第１プリアンブル（３６０１）、および／または、第２プリアンブル（３６０２）で伝送されることになる。なお制御情報については、実施の形態２で一例を説明している。（なお、この点については別途説明する。）
このように制御情報を伝送すると、第１プリアンブル２０１、第２プリアンブル２０２、第１プリアンブル５０１、第２プリアンブル５０２に、時分割のデータシンボル群のための専用の制御情報を含める必要がなくなり、また、第１プリアンブル３６０１、第２プリアンブル３６０２に、周波数分割のデータシンボル群の専用の制御情報を含める必要がなくなり、制御情報のデータ伝送効率、受信装置の制御情報に制御の簡単化を実現することができる。
【０３５０】
図３７は、図１の送信装置が送信する変調信号におけるフレーム構成の一例であり、図２、図６、図３４、図３５と同様に動作するものについては、同一番号を付し、説明は省略する。図３７において、縦軸は周波数、横軸は時間であるものとする。そして、ＯＦＤＭ方式等のマルチキャリア方式を用いた伝送方式を用いているものとするため、縦軸周波数において、複数のキャリアが存在するものとする。
【０３５１】
図３７が、図３５、図３６と異なる点は、パイロットシンボル６０１、３７０１を配置している点である。このとき、データシンボル群＃１から＃８、および、データシンボル群＃９から＃１３は周波数分割されており、また、データシンボル群＃１４および＃１５は時分割され、配置されている。
これにより、データの受信品質の異なるシンボル群を同一時間に存在させることができ、かつ、データ区間、周波数区間を適切に定めることにより、データの伝送速度を柔軟に設定することができるという効果を有する。また、パイロットシンボルを挿入したときの効果については、実施の形態１で説明したとおりである。
【０３５２】
図３８は、図１の送信装置が送信する変調信号におけるフレーム構成の一例であり、図２、図６、図３４、図３５と同様に動作するものについては、同一番号を付し、説明は省略する。図３８において、縦軸は周波数、横軸は時間であるものとする。そして、ＯＦＤＭ方式等のマルチキャリア方式を用いた伝送方式を用いているものとするため、縦軸周波数において、複数のキャリアが存在するものとする。
【０３５３】
図３８が、図３５、図３６、図３７と異なる点は、「第１プリアンブル、および、第２プリアンブル」、または、「パイロットシンボル」３８０１、３８０２を配置している点である。このとき、データシンボル群＃１から＃８、および、データシンボル群＃９から＃１３は周波数分割されており、また、データシンボル群＃１４および＃１５は時分割され、配置されている。
【０３５４】
これにより、データの受信品質の異なるシンボル群を同一時間に存在させることができ、かつ、データ区間、周波数区間を適切に定めることにより、データの伝送速度を柔軟に設定することができるという効果を有する。
そして、図３８のように、「第１プリアンブル、および、第２プリアンブル」、または、「パイロットシンボル」３８０１、３８０２を挿入し、状況により、「第１プリアンブル、および、第２プリアンブル」、または、「パイロットシンボル」を切り替えて使用することになる。例えば、送信方法に基づいて、上記切り替えを行ってもよい。
【０３５５】
図３０から図３８において、周波数分割したデータシンボル群の後に時分割したデータシンボル群を配置する例を示しているが、これに限ったののではなく、時分割したデータシンボル群の後に周波数分割したデータシンボル群を配置してもよい。このとき、図３２、図３６、の例では、時分割したデータシンボル群と周波数分割したデータシンボル群の間に第１プリアンブル、第２プリアンブルが挿入されることになる。（ただし、それ以外のシンボルが挿入されてもよい。）そして、図３３、図３７の例では、時分割したデータシンボル群と周波数分割したデータシンボル群の間にパイロットシンボルが挿入されることになる。（ただし、それ以外のシンボルが挿入されてもよい。）
本実施の形態において、送信装置が送信する変調信号のフレーム構成の例を図３０から図３８に示した。これらの図の説明の際、「時分割（時間分割）を行っている」と記載しているが、２つのデータシンボル群を接続する場合、継ぎ目の部分では、周波数分割になっている部分が存在することがある。この点について、図３９を用いて説明する。
【０３５６】
図３９において、３９０１はデータシンボル群＃１のシンボルを示しており、３９０２はデータシンボル群＃２のシンボルを示している。図３９の時刻ｔ０のように、データシンボル群＃１のシンボルがキャリア４で終了したとする。このとき、時刻ｔ０のキャリア５からデータシンボル群＃２のシンボルを配置したとする。すると、時刻ｔ０の部分だけ、例外的に周波数分割になっている。しかし、時刻ｔ０より前ではデータシンボル群＃１のシンボルしか存在せず、時刻ｔ０より後ではデータシンボル群＃２のシンボルしか存在しない。この点で、時分割（時間分割）されている。
【０３５７】
別の例として、図４０を示す。なお、図３９と同様の番号を付与している。図４０の時刻ｔ０のように、データシンボル群＃１のシンボルがキャリア４で終了したものとする。そして、時刻ｔ１のように、データシンボル群＃１のシンボルがキャリア５で終了したものとする。すると、時刻ｔ０のキャリア５からデータシンボル群＃２のシンボルを配置したものとし、時刻ｔ１のキャリア６からデータシンボル群＃２のシンボルを配置したものとする。すると、時刻ｔ０、および、ｔ１の部分は、例外的に周波数分割となっている。しかし、時刻ｔ０より前ではデータシンボル群＃１のシンボルしか存在せず、時刻ｔ１より後ではデータシンボル＃２のシンボルしか存在しない。この点で、時分割（時間分割）されている。
【０３５８】
図３９や図４０のように、例外的な部分を除いたとき、データシンボル群＃１のシンボル以外のデータシンボルが存在しない（パイロットシンボルなどが存在することはありうる。）時刻とデータシンボル群＃２以外のデータシンボルが存在しない（パイロットシンボルなどが存在することはありうる。）時刻が存在する場合、「時分割（時間分割）を行っている」と呼ぶものとする。（したがって、例外的な時刻の存在方法は、図３９や図４０に限ったものではない。）
また、「時分割（時間分割）を行っている」に関して、本実施の形態に限ったものではなく、他の実施の形態の場合についても同一の解釈となるものとする。
【０３５９】
実施の形態１で述べたように、図１の送信装置は、実施の形態１から実施の形態３で説明したフレーム構成、本実施の形態で説明したフレーム構成、いずれかのフレーム構成を選択し、変調信号を送信してもよい。（フレーム構成に関する情報の制御情報の構成方法の例については、実施の形態１で説明したとおりである。）
そして、図１の送信装置が送信した変調信号を受信する受信装置（例えば、図２３）は、実施の形態１、実施の形態２等で説明した制御情報を受け、その情報にもとづいて、データシンボル群を復調・復号し、情報を得ることになる。よって、制御情報として、本明細書で説明した情報を送信することで、データの受信品質の向上とデータの伝送効率の向上を行うことができ、受信装置を的確に動作させることができるという効果を得ることができる。
【０３６０】
図３２のフレーム構成においてデータシンボル群＃１から＃６の送信方法については、第１のプリアンブル２０１、および／または、第２のプリアンブル２０２で設定され、データシンボル群＃７および＃８の送信方法については、第１のプリアンブル５０１、および／または、第２のプリアンブル５０２で設定されるとしてもよい。
このとき、「データシンボル群＃１から＃６の送信方法は、ＭＩＭＯ伝送またはＭＩＳＯ伝送」、または、「データシンボル群＃１から＃６の送信方法は、ＳＩＳＯ伝送（ＳＩＭＯ伝送）」のいずれかが選択できるものとし、「データシンボル群＃７、＃８の送信方法は、ＭＩＭＯ伝送またはＭＩＳＯ伝送」、または、「データシンボル群＃７、＃８の送信方法は、ＳＩＳＯ伝送（ＳＩＭＯ伝送）」のいずれかが選択できるものとしてもよい。
【０３６１】
つまり、「第１プリアンブルと第２プリアンブルとセット」と次の「第１プリアンブルと第２プリアンブルのセット」の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなり、「第１プリアンブルと第２プリアンブルとセット」と次の「第１プリアンブルと第２プリアンブルのセット」の間にある複数のデータシンボル群の送信方法において、ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがないものとする。
【０３６２】
ＳＩＳＯ（ＳＩＭＯ）伝送方式とＭＩＭＯ（ＭＩＳＯ）伝送方式が混在した場合、受信装置において、受信電界強度の変動が大きくなるため、ＡＤ（Analog-to-Digital）変換の際、量子化誤差が発生しやすく、これにより、データの受信品質が劣化する課題がある。しかし、上述のようにすると、このような現象の発生が抑えられ、データの受信品質が向上するという効果を得ることができる可能性が高くなる。
【０３６３】
ただし、上述に限ったものではない。
また、上述のような伝送方法の切り替えに伴い、データシンボル群に挿入するパイロットシンボルの挿入方法を切り替えることにもなり、データの伝送効率の向上の点からも利点がある（ＳＩＳＯ（ＳＩＭＯ）伝送方式とＭＩＭＯ（ＭＩＳＯ）伝送方式が混在しないため）。（ＳＩＳＯ（ＳＩＭＯ）伝送方式とＭＩＭＯ（ＭＩＳＯ）伝送方式が混在した場合、パイロットシンボルの挿入する頻度が過剰になり、データの伝送効率が低下する可能性がある。）なお、データシンボル群に挿入するパイロットシンボルの構成については、以下のとおりである。
【０３６４】
「ＳＩＳＯ伝送を行っているときのデータシンボル群に挿入するパイロットシンボル」と「ＭＩＭＯ伝送、または、ＭＩＳＯ伝送を行っているときのデータシンボル群に挿入するパイロットシンボル」とでは、パイロットシンボルの構成方法が異なる。この点について、図を用いて説明する。図４１は、「ＳＩＳＯ伝送を行っているときのデータシンボル群に挿入するパイロットシンボル」の挿入例を示している。なお、図４１において、横軸は時間、縦軸は周波数である。図４１において、４１０１はデータシンボル群＃１のシンボルを示しており、４１０２はパイロットシンボルを示している。このとき、データシンボル群＃１のシンボル４１０１では、データを伝送しており、パイロットシンボル４１０２は、受信装置において、周波数オフセットの推定、周波数同期、時間同期、信号検出、チャネル推定（電波伝搬環境の推定）を行うためのシンボルであり、例えば、送信装置、受信装置に既知のＰＳＫ（Phase Shift Keying）シンボル（ＰＳＫシンボルであることが求められる可能性が高い）で構成されているものとする。
【０３６５】
図４２は、「ＭＩＭＯ伝送、または、ＭＩＳＯ伝送を行っているときのデータシンボル群に挿入するパイロットシンボル」の挿入例を示している。なお、図４２において、横軸は時間、縦軸は周波数である。「ＭＩＭＯ伝送、または、ＭＩＳＯ伝送を行っているとき」、２つのアンテナからそれぞれ変調信号を送信することになる。ここで、変調信号＃１、変調信号＃２と名付ける。図４２は、変調信号＃１のパイロットシンボルの挿入例と変調信号＃２のパイロットシンボルの挿入例を兼用して記載している。
【０３６６】
例１）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１および変調信号＃１用の第２パイロットシンボル４２０２いずれもＰＳＫのシンボルである。
【０３６７】
変調信号＃２の場合：
変調信号＃２用の第１パイロットシンボル４２０１および変調信号＃２用の第２パイロットシンボル４２０２を図４２のように挿入する。変調信号＃２用の第１パイロットシンボル４２０１および変調信号＃２用の第２パイロットシンボル４２０２いずれもＰＳＫのシンボルである。
【０３６８】
そして、「変調信号＃１用の第１パイロットシンボル４２０１および変調信号＃１用の第２パイロットシンボル４２０２」と「変調信号＃２用の第１パイロットシンボル４２０１および変調信号＃２用の第２パイロットシンボル４２０２」では、ある周期で直交（相互相関がゼロ）している。
例２）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１はＰＳＫのシンボルであり、変調信号＃１用の第２パイロットシンボル４２０２は、ヌルシンボル（同相成分Ｉは０（ゼロ）、直交成分Ｑは０（ゼロ））であるものとする（したがって、変調信号＃１用の第２パイロットシンボル４２０２はパイロットシンボルと呼ばなくてもよい。）。
【０３６９】
変調信号＃２の場合：
変調信号＃２用の第１パイロットシンボル４２０１および変調信号＃２用の第２パイロットシンボル４２０２を図４２のように挿入する。変調信号＃２用の第２パイロットシンボル４２０１はＰＳＫのシンボルであり、変調信号＃２用の第１パイロットシンボル４２０２は、ヌルシンボル（同相成分Ｉは０（ゼロ）、直交成分Ｑは０（ゼロ））であるものとする（したがって、変調信号＃２用の第１パイロットシンボル４２０２はパイロットシンボルと呼ばなくてもよい。）。
【０３７０】
同様に、図３６のフレーム構成においてデータシンボル群＃１から＃８の送信方法については、第１のプリアンブル２０１、および／または、第２のプリアンブル２０２で設定され、データシンボル群＃９から＃１３の送信方法については、第１のプリアンブル５０１、および／または、第２のプリアンブル５０２で設定され、データシンボル群＃１４、＃１５の送信方法については、第１のプリアンブル３６０１、および／または、第２のプリアンブル３６０２で設定されるとしてもよい。
【０３７１】
このとき、「データシンボル群＃１から＃８の送信方法は、ＭＩＭＯ伝送またはＭＩＳＯ伝送」、または、「データシンボル群＃１から＃８の送信方法は、ＳＩＳＯ伝送（ＳＩＭＯ伝送）」のいずれかが選択できるものとし、「データシンボル群＃９から＃１３の送信方法は、ＭＩＭＯ伝送またはＭＩＳＯ伝送」、または、「データシンボル群＃９から＃１３の送信方法は、ＳＩＳＯ伝送（ＳＩＭＯ伝送）」のいずれかが選択できるものとし、「データシンボル群＃１４、＃１５の送信方法は、ＭＩＭＯ伝送またはＭＩＳＯ伝送」、または、「データシンボル群＃１４、＃１５の送信方法は、ＳＩＳＯ伝送（ＳＩＭＯ伝送）」のいずれかが選択できるものとしてもよい。
【０３７２】
つまり、「第１プリアンブルと第２プリアンブルとセット」と次の「第１プリアンブルと第２プリアンブルのセット」の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなり、「第１プリアンブルと第２プリアンブルとセット」と次の「第１プリアンブルと第２プリアンブルのセット」の間にある複数のデータシンボル群の送信方法において、ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがないものとする。
【０３７３】
ＳＩＳＯ（ＳＩＭＯ）伝送方式とＭＩＭＯ（ＭＩＳＯ）伝送方式が混在した場合、受信装置において、受信電界強度の変動が大きくなるため、ＡＤ（Analog-to-Digital）変換の際、量子化誤差が発生しやすく、これにより、データの受信品質が劣化する課題がある。しかし、上述のようにすると、このような現象の発生が抑えられ、データの受信品質が向上するという効果を得ることができる可能性が高くなる。
【０３７４】
ただし、上述に限ったものではない。
また、上述のような伝送方法の切り替えに伴い、データシンボル群に挿入するパイロットシンボルの挿入方法を切り替えることにもなり、データの伝送効率の向上の点からも利点がある（ＳＩＳＯ（ＳＩＭＯ）伝送方式とＭＩＭＯ（ＭＩＳＯ）伝送方式が混在しないため）。（ＳＩＳＯ（ＳＩＭＯ）伝送方式とＭＩＭＯ（ＭＩＳＯ）伝送方式が混在した場合、パイロットシンボルの挿入する頻度が過剰になり、データの伝送効率が低下する可能性がある。）なお、データシンボル群に挿入するパイロットシンボルの構成については、以下のとおりである。
【０３７５】
「ＳＩＳＯ伝送を行っているときのデータシンボル群に挿入するパイロットシンボル」と「ＭＩＭＯ伝送、または、ＭＩＳＯ伝送を行っているときのデータシンボル群に挿入するパイロットシンボル」とでは、パイロットシンボルの構成方法が異なる。この点について、図を用いて説明する。図４１は、「ＳＩＳＯ伝送を行っているときのデータシンボル群に挿入するパイロットシンボル」の挿入例を示している。なお、図４１において、横軸は時間、縦軸は周波数である。図４１において、４１０１はデータシンボル群＃１のシンボルを示しており、４１０２はパイロットシンボルを示している。このとき、データシンボル群＃１のシンボル４１０１では、データを伝送しており、パイロットシンボル４１０２は、受信装置において、周波数オフセットの推定、周波数同期、時間同期、信号検出、チャネル推定（電波伝搬環境の推定）を行うためのシンボルであり、例えば、送信装置、受信装置に既知のＰＳＫ（Phase Shift Keying）シンボル（ＰＳＫシンボルであることが求められる可能性が高い）で構成されているものとする。
【０３７６】
図４２は、「ＭＩＭＯ伝送、または、ＭＩＳＯ伝送を行っているときのデータシンボル群に挿入するパイロットシンボル」の挿入例を示している。なお、図４２において、横軸は時間、縦軸は周波数である。「ＭＩＭＯ伝送、または、ＭＩＳＯ伝送を行っているとき」、２つのアンテナからそれぞれ変調信号を送信することになる。ここで、変調信号＃１、変調信号＃２と名付ける。図４２は、変調信号＃１のパイロットシンボルの挿入例と変調信号＃２のパイロットシンボルの挿入例を兼用して記載している。
【０３７７】
例１）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１および変調信号＃１用の第２パイロットシンボル４２０２いずれもＰＳＫのシンボルである。
【０３７８】
変調信号＃２の場合：
変調信号＃２用の第１パイロットシンボル４２０１および変調信号＃２用の第２パイロットシンボル４２０２を図４２のように挿入する。変調信号＃２用の第１パイロットシンボル４２０１および変調信号＃２用の第２パイロットシンボル４２０２いずれもＰＳＫのシンボルである。
【０３７９】
そして、「変調信号＃１用の第１パイロットシンボル４２０１および変調信号＃１用の第２パイロットシンボル４２０２」と「変調信号＃２用の第１パイロットシンボル４２０１および変調信号＃２用の第２パイロットシンボル４２０２」では、ある周期で直交（相互相関がゼロ）している。
例２）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１はＰＳＫのシンボルであり、変調信号＃１用の第２パイロットシンボル４２０２は、ヌルシンボル（同相成分Ｉは０（ゼロ）、直交成分Ｑは０（ゼロ））であるものとする（したがって、変調信号＃１用の第２パイロットシンボル４２０２はパイロットシンボルと呼ばなくてもよい。）。
【０３８０】
変調信号＃２の場合：
変調信号＃２用の第１パイロットシンボル４２０１および変調信号＃２用の第２パイロットシンボル４２０２を図４２のように挿入する。変調信号＃２用の第２パイロットシンボル４２０１はＰＳＫのシンボルであり、変調信号＃２用の第１パイロットシンボル４２０２は、ヌルシンボル（同相成分Ｉは０（ゼロ）、直交成分Ｑは０（ゼロ））であるものとする（したがって、変調信号＃２用の第１パイロットシンボル４２０２はパイロットシンボルと呼ばなくてもよい。）。
【０３８１】
また、図３３のフレーム構成においてデータシンボル群＃１から＃８の送信方法については、第１のプリアンブル２０１、および／または、第２のプリアンブル２０２で設定されるとしてもよい。
このとき、「データシンボル群＃１から＃６の送信方法は、ＭＩＭＯ伝送またはＭＩＳＯ伝送」、または、「データシンボル群＃１から＃６の送信方法は、ＳＩＳＯ伝送（ＳＩＭＯ伝送）」のいずれかが選択できるものとし、「データシンボル群＃７、＃８の送信方法は、ＭＩＭＯ伝送またはＭＩＳＯ伝送」、または、「データシンボル群＃７、＃８の送信方法は、ＳＩＳＯ伝送（ＳＩＭＯ伝送）」のいずれかが選択できるものとしてもよい。
【０３８２】
つまり、「第１プリアンブルと第２プリアンブルとセット」と「パイロットシンボル」の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなる（ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがない）。そして、「パイロットシンボル」と次の「第１プリアンブルと第２プリアンブルのセット」（ただし、図３３において、パイロットシンボルの次の「第１プリアンブルと第２プリアンブルのセット」については示していない。）の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなる（ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがない）。
【０３８３】
ＳＩＳＯ（ＳＩＭＯ）伝送方式とＭＩＭＯ（ＭＩＳＯ）伝送方式が混在した場合、受信装置において、受信電界強度の変動が大きくなるため、ＡＤ（Analog-to-Digital）変換の際、量子化誤差が発生しやすく、これにより、データの受信品質が劣化する課題がある。しかし、上述のようにすると、このような現象の発生が抑えられ、データの受信品質が向上するという効果を得ることができる可能性が高くなる。
【０３８４】
ただし、上述に限ったものではない。
また、上述のような伝送方法の切り替えに伴い、データシンボル群に挿入するパイロットシンボルの挿入方法を切り替えることにもなり、データの伝送効率の向上の点からも利点がある（ＳＩＳＯ（ＳＩＭＯ）伝送方式とＭＩＭＯ（ＭＩＳＯ）伝送方式が混在しないため）。（ＳＩＳＯ（ＳＩＭＯ）伝送方式とＭＩＭＯ（ＭＩＳＯ）伝送方式が混在した場合、パイロットシンボルの挿入する頻度が過剰になり、データの伝送効率が低下する可能性がある。）なお、データシンボル群に挿入するパイロットシンボルの構成については、以下のとおりである。
【０３８５】
「ＳＩＳＯ伝送を行っているときのデータシンボル群に挿入するパイロットシンボル」と「ＭＩＭＯ伝送、または、ＭＩＳＯ伝送を行っているときのデータシンボル群に挿入するパイロットシンボル」とでは、パイロットシンボルの構成方法が異なる。この点について、図を用いて説明する。図４１は、「ＳＩＳＯ伝送を行っているときのデータシンボル群に挿入するパイロットシンボル」の挿入例を示している。なお、図４１において、横軸は時間、縦軸は周波数である。図４１において、４１０１はデータシンボル群＃１のシンボルを示しており、４１０２はパイロットシンボルを示している。このとき、データシンボル群＃１のシンボル４１０１では、データを伝送しており、パイロットシンボル４１０２は、受信装置において、周波数オフセットの推定、周波数同期、時間同期、信号検出、チャネル推定（電波伝搬環境の推定）を行うためのシンボルであり、例えば、送信装置、受信装置に既知のＰＳＫ（Phase Shift Keying）シンボル（ＰＳＫシンボルであることが求められる可能性が高い）で構成されているものとする。
【０３８６】
図４２は、「ＭＩＭＯ伝送、または、ＭＩＳＯ伝送を行っているときのデータシンボル群に挿入するパイロットシンボル」の挿入例を示している。なお、図４２において、横軸は時間、縦軸は周波数である。「ＭＩＭＯ伝送、または、ＭＩＳＯ伝送を行っているとき」、２つのアンテナからそれぞれ変調信号を送信することになる。ここで、変調信号＃１、変調信号＃２と名付ける。図４２は、変調信号＃１のパイロットシンボルの挿入例と変調信号＃２のパイロットシンボルの挿入例を兼用して記載している。
【０３８７】
例１）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１および変調信号＃１用の第２パイロットシンボル４２０２いずれもＰＳＫのシンボルである。
【０３８８】
変調信号＃２の場合：
変調信号＃２用の第１パイロットシンボル４２０１および変調信号＃２用の第２パイロットシンボル４２０２を図４２のように挿入する。変調信号＃２用の第１パイロットシンボル４２０１および変調信号＃２用の第２パイロットシンボル４２０２いずれもＰＳＫのシンボルである。
【０３８９】
そして、「変調信号＃１用の第１パイロットシンボル４２０１および変調信号＃１用の第２パイロットシンボル４２０２」と「変調信号＃２用の第１パイロットシンボル４２０１および変調信号＃２用の第２パイロットシンボル４２０２」では、ある周期で直交（相互相関がゼロ）している。
例２）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１はＰＳＫのシンボルであり、変調信号＃１用の第２パイロットシンボル４２０２は、ヌルシンボル（同相成分Ｉは０（ゼロ）、直交成分Ｑは０（ゼロ））であるものとする（したがって、変調信号＃１用の第２パイロットシンボル４２０２はパイロットシンボルと呼ばなくてもよい。）。
【０３９０】
変調信号＃２の場合：
変調信号＃２用の第１パイロットシンボル４２０１および変調信号＃２用の第２パイロットシンボル４２０２を図４２のように挿入する。変調信号＃２用の第２パイロットシンボル４２０１はＰＳＫのシンボルであり、変調信号＃２用の第１パイロットシンボル４２０２は、ヌルシンボル（同相成分Ｉは０（ゼロ）、直交成分Ｑは０（ゼロ））であるものとする（したがって、変調信号＃２用の第１パイロットシンボル４２０２はパイロットシンボルと呼ばなくてもよい。）。
【０３９１】
同様に、図３７のフレーム構成においてデータシンボル群＃１から＃１５の送信方法については、第１のプリアンブル２０１、および／または、第２のプリアンブル２０２で設定されるとしてもよい。
このとき、「データシンボル群＃１から＃８の送信方法は、ＭＩＭＯ伝送またはＭＩＳＯ伝送」、または、「データシンボル群＃１から＃８の送信方法は、ＳＩＳＯ伝送（ＳＩＭＯ伝送）」のいずれかが選択できるものとし、「データシンボル群＃９から＃１３の送信方法は、ＭＩＭＯ伝送またはＭＩＳＯ伝送」、または、「データシンボル群＃９から＃１３の送信方法は、ＳＩＳＯ伝送（ＳＩＭＯ伝送）」のいずれかが選択できるものとし、
「データシンボル群＃１４、＃１５の送信方法は、ＭＩＭＯ伝送またはＭＩＳＯ伝送」、または、「データシンボル群＃１４、＃１５の送信方法は、ＳＩＳＯ伝送（ＳＩＭＯ伝送）」のいずれかが選択できるものとしてもよい。
【０３９２】
つまり、「第１プリアンブルと第２プリアンブルとセット」と「パイロットシンボル」の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなる（ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがない）。そして、「パイロットシンボル」と次の「第１プリアンブルと第２プリアンブルのセット」（ただし、図３７において、パイロットシンボルの次の「第１プリアンブルと第２プリアンブルのセット」については示していない。）の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなる（ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがない）。
【０３９３】
また、「パイロットシンボル」と「パイロットシンボル」の間にある複数のデータシンボル群の送信方法は、「ＭＩＭＯ伝送またはＭＩＳＯ伝送」、または、「ＳＩＳＯ伝送（ＳＩＭＯ伝送）」のいずれかとなる（ＭＩＭＯ伝送とＳＩＳＯ伝送（ＳＩＭＯ伝送）が混在することがなく、かつ、ＭＩＳＯ伝送とＳＩＳＯ伝送（ＳＩＭＯ伝送）が混在することがない）。
【０３９４】
ＳＩＳＯ（ＳＩＭＯ）伝送方式とＭＩＭＯ（ＭＩＳＯ）伝送方式が混在した場合、受信装置において、受信電界強度の変動が大きくなるため、ＡＤ（Analog-to-Digital）変換の際、量子化誤差が発生しやすく、これにより、データの受信品質が劣化する課題がある。しかし、上述のようにすると、このような現象の発生が抑えられ、データの受信品質が向上するという効果を得ることができる可能性が高くなる。
【０３９５】
ただし、上述に限ったものではない。
また、上述のような伝送方法の切り替えに伴い、データシンボル群に挿入するパイロットシンボルの挿入方法を切り替えることにもなり、データの伝送効率の向上の点からも利点がある（ＳＩＳＯ（ＳＩＭＯ）伝送方式とＭＩＭＯ（ＭＩＳＯ）伝送方式が混在しないため）。（ＳＩＳＯ（ＳＩＭＯ）伝送方式とＭＩＭＯ（ＭＩＳＯ）伝送方式が混在した場合、パイロットシンボルの挿入する頻度が過剰になり、データの伝送効率が低下する可能性がある。）なお、データシンボル群に挿入するパイロットシンボルの構成については、以下のとおりである。
【０３９６】
「ＳＩＳＯ伝送を行っているときのデータシンボル群に挿入するパイロットシンボル」と「ＭＩＭＯ伝送、または、ＭＩＳＯ伝送を行っているときのデータシンボル群に挿入するパイロットシンボル」とでは、パイロットシンボルの構成方法が異なる。この点について、図を用いて説明する。図４１は、「ＳＩＳＯ伝送を行っているときのデータシンボル群に挿入するパイロットシンボル」の挿入例を示している。なお、図４１において、横軸は時間、縦軸は周波数である。図４１において、４１０１はデータシンボル群＃１のシンボルを示しており、４１０２はパイロットシンボルを示している。このとき、データシンボル群＃１のシンボル４１０１では、データを伝送しており、パイロットシンボル４１０２は、受信装置において、周波数オフセットの推定、周波数同期、時間同期、信号検出、チャネル推定（電波伝搬環境の推定）を行うためのシンボルであり、例えば、送信装置、受信装置に既知のＰＳＫ（Phase Shift Keying）シンボル（ＰＳＫシンボルであることが求められる可能性が高い）で構成されているものとする。
【０３９７】
図４２は、「ＭＩＭＯ伝送、または、ＭＩＳＯ伝送を行っているときのデータシンボル群に挿入するパイロットシンボル」の挿入例を示している。なお、図４２において、横軸は時間、縦軸は周波数である。「ＭＩＭＯ伝送、または、ＭＩＳＯ伝送を行っているとき」、２つのアンテナからそれぞれ変調信号を送信することになる。ここで、変調信号＃１、変調信号＃２と名付ける。図４２は、変調信号＃１のパイロットシンボルの挿入例と変調信号＃２のパイロットシンボルの挿入例を兼用して記載している。
【０３９８】
例１）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１および変調信号＃１用の第２パイロットシンボル４２０２いずれもＰＳＫのシンボルである。
【０３９９】
変調信号＃２の場合：
変調信号＃２用の第１パイロットシンボル４２０１および変調信号＃２用の第２パイロットシンボル４２０２を図４２のように挿入する。変調信号＃２用の第１パイロットシンボル４２０１および変調信号＃２用の第２パイロットシンボル４２０２いずれもＰＳＫのシンボルである。
【０４００】
そして、「変調信号＃１用の第１パイロットシンボル４２０１および変調信号＃１用の第２パイロットシンボル４２０２」と「変調信号＃２用の第１パイロットシンボル４２０１および変調信号＃２用の第２パイロットシンボル４２０２」では、ある周期で直交（相互相関がゼロ）している。
例２）
変調信号＃１の場合：
変調信号＃１用の第１パイロットシンボル４２０１および変調信号＃１用の第２パイロットシンボル４２０２を図４２のように挿入する。変調信号＃１用の第１パイロットシンボル４２０１はＰＳＫのシンボルであり、変調信号＃１用の第２パイロットシンボル４２０２は、ヌルシンボル（同相成分Ｉは０（ゼロ）、直交成分Ｑは０（ゼロ））であるものとする（したがって、変調信号＃１用の第２パイロットシンボル４２０２はパイロットシンボルと呼ばなくてもよい。）。
【０４０１】
変調信号＃２の場合：
変調信号＃２用の第１パイロットシンボル４２０１および変調信号＃２用の第２パイロットシンボル４２０２を図４２のように挿入する。変調信号＃２用の第２パイロットシンボル４２０１はＰＳＫのシンボルであり、変調信号＃２用の第１パイロットシンボル４２０２は、ヌルシンボル（同相成分Ｉは０（ゼロ）、直交成分Ｑは０（ゼロ））であるものとする（したがって、変調信号＃２用の第１パイロットシンボル４２０２はパイロットシンボルと呼ばなくてもよい。）。
【０４０２】
（実施の形態５）
実施の形態４では、図１の送信装置が送信する変調信号のフレームとして、図３０から図３８について説明した。図３０から図３８において、データシンボル群が周波数分割されている場合と時分割（時間分割）されている場合で構成されている。このとき、各データシンボル群が使用する周波数資源（キャリア）と時間資源について、受信装置に的確に伝送する必要がある。
【０４０３】
本実施の形態では、図３０から図３８のフレーム構成の際、各データシンボル群が使用する周波数（資源）と時間（資源）に関する制御情報の構成方法の一例について説明する。なお、図３０から図３８のフレーム構成は、あくまでも一例であり、詳細のフレーム構成の要件については、実施の形態４の説明にしたがうものとする。
＜周波数分割が行われているとき＞
周波数分割が行われているときの各データシンボル群が使用する周波数資源と時間資源に関する制御情報の生成方法についての例を説明する。
【０４０４】
図４３に、図１の送信装置が送信する変調信号のフレームにおいて、データシンボル群を周波数分割したときの一例を示している。図４３において、縦軸は周波数、横軸は時間とする。なお、実施の形態１から実施の形態４と同様にデータシンボル群は、ＳＩＳＯ方式（ＳＩＭＯ方式）、ＭＩＭＯ方式、ＭＩＳＯ方式いずれの方式のシンボルであってもよい。
【０４０５】
図４３において、４３０１は、データシンボル群＃１のシンボルであり、データシンボル群＃１（４３０１）は、キャリア１からキャリア５を使用し、時刻１から時刻１６を用い、送信される。（ただし、「キャリア１」をキャリアの最初のインデックスとしているが、これに限ったものではなく、また、「時刻１」を時刻の最初のインデックスとしているが、これに限ったものではない。）
４３０２は、データシンボル群＃２のシンボルであり、データシンボル群＃２（４３０２）は、キャリア６からキャリア９を使用し、時刻１から時刻５を用い、送信される。
【０４０６】
４３０３は、データシンボル群＃３のシンボルであり、データシンボル群＃３（４３０３）は、キャリア１０からキャリア１４を使用し、時刻１から時刻１６を用い、送信される。
４３０４は、データシンボル群＃４のシンボルであり、データシンボル群＃４（４３０４）は、キャリア６からキャリア９を使用し、時刻６から時刻１２を用い、送信される。
【０４０７】
４３０５は、データシンボル群＃５のシンボルであり、データシンボル群＃５（４３０５）は、キャリア６からキャリア９を使用し、時刻１３から時刻１６を用い、送信される。
＜第１の例＞
このとき、各データシンボル群が使用する周波数および時間に関する制御情報の例を説明する。
【０４０８】
データシンボル群＃ｊの使用するキャリアの初期の位置に関する制御情報情報をｍ（ｊ，０）、ｍ（ｊ，１）、ｍ（ｊ，２）、ｍ（ｊ，３）、
データシンボル群＃ｊの使用するキャリア数に関する制御情報情報をｎ（ｊ，０）、ｎ（ｊ，１）、ｎ（ｊ，２）、ｎ（ｊ，３）、
データシンボル群＃ｊの使用する時刻の初期の位置に関する制御情報情報をｏ（ｊ，０）、ｏ（ｊ，１）、ｏ（ｊ，２）、ｏ（ｊ，３）、
データシンボル群＃ｊの使用する時刻数に関する制御情報情報をｐ（ｊ，０）、ｐ（ｊ，１）、ｐ（ｊ，２）、ｐ（ｊ，３）、
とする。
【０４０９】
このとき、データシンボル群＃（ｊ＝Ｋ）の使用するキャリアの初期の位置を「キャリア１」とする場合、ｍ（Ｋ，０）＝０、ｍ（Ｋ，１）＝０、ｍ（Ｋ，２）＝０、ｍ（Ｋ，３）＝０と設定し、ｍ（Ｋ，０）、ｍ（Ｋ，１）、ｍ（Ｋ，２）、ｍ（Ｋ，３）を送信装置は送信するものとする。
データシンボル群＃（ｊ＝Ｋ）の使用するキャリアの初期の位置を「キャリア２」とする場合、ｍ（Ｋ，０）＝１、ｍ（Ｋ，１）＝０、ｍ（Ｋ，２）＝０、ｍ（Ｋ，３）＝０と設定し、ｍ（Ｋ，０）、ｍ（Ｋ，１）、ｍ（Ｋ，２）、ｍ（Ｋ，３）を送信装置は送信するものとする。
【０４１０】
データシンボル群＃（ｊ＝Ｋ）の使用するキャリアの初期の位置を「キャリア３」とする場合、ｍ（Ｋ，０）＝０、ｍ（Ｋ，１）＝１、ｍ（Ｋ，２）＝０、ｍ（Ｋ，３）＝０と設定し、ｍ（Ｋ，０）、ｍ（Ｋ，１）、ｍ（Ｋ，２）、ｍ（Ｋ，３）を送信装置は送信するものとする。
データシンボル群＃（ｊ＝Ｋ）の使用するキャリアの初期の位置を「キャリア４」とする場合、ｍ（Ｋ，０）＝１、ｍ（Ｋ，１）＝１、ｍ（Ｋ，２）＝０、ｍ（Ｋ，３）＝０と設定し、ｍ（Ｋ，０）、ｍ（Ｋ，１）、ｍ（Ｋ，２）、ｍ（Ｋ，３）を送信装置は送信するものとする。
【０４１１】
データシンボル群＃（ｊ＝Ｋ）の使用するキャリアの初期の位置を「キャリア５」とする場合、ｍ（Ｋ，０）＝０、ｍ（Ｋ，１）＝０、ｍ（Ｋ，２）＝１、ｍ（Ｋ，３）＝０と設定し、ｍ（Ｋ，０）、ｍ（Ｋ，１）、ｍ（Ｋ，２）、ｍ（Ｋ，３）を送信装置は送信するものとする。
データシンボル群＃（ｊ＝Ｋ）の使用するキャリアの初期の位置を「キャリア６」とする場合、ｍ（Ｋ，０）＝１、ｍ（Ｋ，１）＝０、ｍ（Ｋ，２）＝１、ｍ（Ｋ，３）＝０と設定し、ｍ（Ｋ，０）、ｍ（Ｋ，１）、ｍ（Ｋ，２）、ｍ（Ｋ，３）を送信装置は送信するものとする。
【０４１２】
データシンボル群＃（ｊ＝Ｋ）の使用するキャリアの初期の位置を「キャリア７」とする場合、ｍ（Ｋ，０）＝０、ｍ（Ｋ，１）＝１、ｍ（Ｋ，２）＝１、ｍ（Ｋ，３）＝０と設定し、ｍ（Ｋ，０）、ｍ（Ｋ，１）、ｍ（Ｋ，２）、ｍ（Ｋ，３）を送信装置は送信するものとする。
データシンボル群＃（ｊ＝Ｋ）の使用するキャリアの初期の位置を「キャリア８」とする場合、ｍ（Ｋ，０）＝１、ｍ（Ｋ，１）＝１、ｍ（Ｋ，２）＝１、ｍ（Ｋ，３）＝０と設定し、ｍ（Ｋ，０）、ｍ（Ｋ，１）、ｍ（Ｋ，２）、ｍ（Ｋ，３）を送信装置は送信するものとする。
【０４１３】
データシンボル群＃（ｊ＝Ｋ）の使用するキャリアの初期の位置を「キャリア９」とする場合、ｍ（Ｋ，０）＝０、ｍ（Ｋ，１）＝０、ｍ（Ｋ，２）＝０、ｍ（Ｋ，３）＝１と設定し、ｍ（Ｋ，０）、ｍ（Ｋ，１）、ｍ（Ｋ，２）、ｍ（Ｋ，３）を送信装置は送信するものとする。
データシンボル群＃（ｊ＝Ｋ）の使用するキャリアの初期の位置を「キャリア１０」とする場合、ｍ（Ｋ，０）＝１、ｍ（Ｋ，１）＝０、ｍ（Ｋ，２）＝０、ｍ（Ｋ，３）＝１と設定し、ｍ（Ｋ，０）、ｍ（Ｋ，１）、ｍ（Ｋ，２）、ｍ（Ｋ，３）を送信装置は送信するものとする。
【０４１４】
データシンボル群＃（ｊ＝Ｋ）の使用するキャリアの初期の位置を「キャリア１１」とする場合、ｍ（Ｋ，０）＝０、ｍ（Ｋ，１）＝１、ｍ（Ｋ，２）＝０、ｍ（Ｋ，３）＝１と設定し、ｍ（Ｋ，０）、ｍ（Ｋ，１）、ｍ（Ｋ，２）、ｍ（Ｋ，３）を送信装置は送信するものとする。
データシンボル群＃（ｊ＝Ｋ）の使用するキャリアの初期の位置を「キャリア１２」とする場合、ｍ（Ｋ，０）＝１、ｍ（Ｋ，１）＝１、ｍ（Ｋ，２）＝０、ｍ（Ｋ，３）＝１と設定し、ｍ（Ｋ，０）、ｍ（Ｋ，１）、ｍ（Ｋ，２）、ｍ（Ｋ，３）を送信装置は送信するものとする。
【０４１５】
データシンボル群＃（ｊ＝Ｋ）の使用するキャリアの初期の位置を「キャリア１３」とする場合、ｍ（Ｋ，０）＝０、ｍ（Ｋ，１）＝０、ｍ（Ｋ，２）＝１、ｍ（Ｋ，３）＝１と設定し、ｍ（Ｋ，０）、ｍ（Ｋ，１）、ｍ（Ｋ，２）、ｍ（Ｋ，３）を送信装置は送信するものとする。
データシンボル群＃（ｊ＝Ｋ）の使用するキャリアの初期の位置を「キャリア１４」とする場合、ｍ（Ｋ，０）＝１、ｍ（Ｋ，１）＝０、ｍ（Ｋ，２）＝１、ｍ（Ｋ，３）＝１と設定し、ｍ（Ｋ，０）、ｍ（Ｋ，１）、ｍ（Ｋ，２）、ｍ（Ｋ，３）を送信装置は送信するものとする。
【０４１６】
データシンボル群＃（ｊ＝Ｋ）の使用するキャリアの初期の位置を「キャリア１５」とする場合、ｍ（Ｋ，０）＝０、ｍ（Ｋ，１）＝１、ｍ（Ｋ，２）＝１、ｍ（Ｋ，３）＝１と設定し、ｍ（Ｋ，０）、ｍ（Ｋ，１）、ｍ（Ｋ，２）、ｍ（Ｋ，３）を送信装置は送信するものとする。
データシンボル群＃（ｊ＝Ｋ）の使用するキャリアの初期の位置を「キャリア１６」とする場合、ｍ（Ｋ，０）＝１、ｍ（Ｋ，１）＝１、ｍ（Ｋ，２）＝１、ｍ（Ｋ，３）＝１と設定し、ｍ（Ｋ，０）、ｍ（Ｋ，１）、ｍ（Ｋ，２）、ｍ（Ｋ，３）を送信装置は送信するものとする。
【０４１７】
データシンボル群＃（ｊ＝Ｋ）の使用するキャリア数を１キャリアとする場合、ｎ（Ｋ，０）＝０、ｎ（Ｋ，１）＝０、ｎ（Ｋ，２）＝０、ｎ（Ｋ，３）＝０と設定し、ｎ（Ｋ，０）、ｎ（Ｋ，１）、ｎ（Ｋ，２）、ｎ（Ｋ，３）を送信装置は送信するものとする。
データシンボル群＃（ｊ＝Ｋ）の使用するキャリア数を２キャリアとする場合、ｎ（Ｋ，０）＝１、ｎ（Ｋ，１）＝０、ｎ（Ｋ，２）＝０、ｎ（Ｋ，３）＝０と設定し、ｎ（Ｋ，０）、ｎ（Ｋ，１）、ｎ（Ｋ，２）、ｎ（Ｋ，３）を送信装置は送信するものとする。
【０４１８】
データシンボル群＃（ｊ＝Ｋ）の使用するキャリア数を３キャリアとする場合、ｎ（Ｋ，０）＝０、ｎ（Ｋ，１）＝１、ｎ（Ｋ，２）＝０、ｎ（Ｋ，３）＝０と設定し、ｎ（Ｋ，０）、ｎ（Ｋ，１）、ｎ（Ｋ，２）、ｎ（Ｋ，３）を送信装置は送信するものとする。
データシンボル群＃（ｊ＝Ｋ）の使用するキャリア数を４キャリアとする場合、ｎ（Ｋ，０）＝１、ｎ（Ｋ，１）＝１、ｎ（Ｋ，２）＝０、ｎ（Ｋ，３）＝０と設定し、ｎ（Ｋ，０）、ｎ（Ｋ，１）、ｎ（Ｋ，２）、ｎ（Ｋ，３）を送信装置は送信するものとする。
【０４１９】
データシンボル群＃（ｊ＝Ｋ）の使用するキャリア数を５キャリアとする場合、ｎ（Ｋ，０）＝０、ｎ（Ｋ，１）＝０、ｎ（Ｋ，２）＝１、ｎ（Ｋ，３）＝０と設定し、ｎ（Ｋ，０）、ｎ（Ｋ，１）、ｎ（Ｋ，２）、ｎ（Ｋ，３）を送信装置は送信するものとする。
データシンボル群＃（ｊ＝Ｋ）の使用するキャリア数を６キャリアとする場合、ｎ（Ｋ，０）＝１、ｎ（Ｋ，１）＝０、ｎ（Ｋ，２）＝１、ｎ（Ｋ，３）＝０と設定し、ｎ（Ｋ，０）、ｎ（Ｋ，１）、ｎ（Ｋ，２）、ｎ（Ｋ，３）を送信装置は送信するものとする。
【０４２０】
データシンボル群＃（ｊ＝Ｋ）の使用するキャリア数を７キャリアとする場合、ｎ（Ｋ，０）＝０、ｎ（Ｋ，１）＝１、ｎ（Ｋ，２）＝１、ｎ（Ｋ，３）＝０と設定し、ｎ（Ｋ，０）、ｎ（Ｋ，１）、ｎ（Ｋ，２）、ｎ（Ｋ，３）を送信装置は送信するものとする。
データシンボル群＃（ｊ＝Ｋ）の使用するキャリア数を８キャリアとする場合、ｎ（Ｋ，０）＝１、ｎ（Ｋ，１）＝１、ｎ（Ｋ，２）＝１、ｎ（Ｋ，３）＝０と設定し、ｎ（Ｋ，０）、ｎ（Ｋ，１）、ｎ（Ｋ，２）、ｎ（Ｋ，３）を送信装置は送信するものとする。
【０４２１】
データシンボル群＃（ｊ＝Ｋ）の使用するキャリア数を９キャリアとする場合、ｎ（Ｋ，０）＝０、ｎ（Ｋ，１）＝０、ｎ（Ｋ，２）＝０、ｎ（Ｋ，３）＝１と設定し、ｎ（Ｋ，０）、ｎ（Ｋ，１）、ｎ（Ｋ，２）、ｎ（Ｋ，３）を送信装置は送信するものとする。
データシンボル群＃（ｊ＝Ｋ）使用するキャリア数を１０キャリアとする場合、ｎ（Ｋ，０）＝１、ｎ（Ｋ，１）＝０、ｎ（Ｋ，２）＝０、ｎ（Ｋ，３）＝１と設定し、ｎ（Ｋ，０）、ｎ（Ｋ，１）、ｎ（Ｋ，２）、ｎ（Ｋ，３）を送信装置は送信するものとする。
【０４２２】
データシンボル群＃（ｊ＝Ｋ）の使用するキャリア数を１１キャリアとする場合、ｎ（Ｋ，０）＝０、ｎ（Ｋ，１）＝１、ｎ（Ｋ，２）＝０、ｎ（Ｋ，３）＝１と設定し、ｎ（Ｋ，０）、ｎ（Ｋ，１）、ｎ（Ｋ，２）、ｎ（Ｋ，３）を送信装置は送信するものとする。
データシンボル群＃（ｊ＝Ｋ）の使用するキャリア数を１２キャリアとする場合、ｎ（Ｋ，０）＝１、ｎ（Ｋ，１）＝１、ｎ（Ｋ，２）＝０、ｎ（Ｋ，３）＝１と設定し、ｎ（Ｋ，０）、ｎ（Ｋ，１）、ｎ（Ｋ，２）、ｎ（Ｋ，３）を送信装置は送信するものとする。
【０４２３】
データシンボル群＃（ｊ＝Ｋ）の使用するキャリア数を１３キャリアとする場合、ｎ（Ｋ，０）＝０、ｎ（Ｋ，１）＝０、ｎ（Ｋ，２）＝１、ｎ（Ｋ，３）＝１と設定し、ｎ（Ｋ，０）、ｎ（Ｋ，１）、ｎ（Ｋ，２）、ｎ（Ｋ，３）を送信装置は送信するものとする。
データシンボル群＃（ｊ＝Ｋ）の使用するキャリア数を１４キャリアとする場合、ｎ（Ｋ，０）＝１、ｎ（Ｋ，１）＝０、ｎ（Ｋ，２）＝１、ｎ（Ｋ，３）＝１と設定し、ｎ（Ｋ，０）、ｎ（Ｋ，１）、ｎ（Ｋ，２）、ｎ（Ｋ，３）を送信装置は送信するものとする。
【０４２４】
データシンボル群＃（ｊ＝Ｋ）の使用するキャリア数を１５キャリアとする場合、ｎ（Ｋ，０）＝０、ｎ（Ｋ，１）＝１、ｎ（Ｋ，２）＝１、ｎ（Ｋ，３）＝１と設定し、ｎ（Ｋ，０）、ｎ（Ｋ，１）、ｎ（Ｋ，２）、ｎ（Ｋ，３）を送信装置は送信するものとする。
データシンボル群＃（ｊ＝Ｋ）の使用するキャリア数を１６キャリアとする場合、ｎ（Ｋ，０）＝１、ｎ（Ｋ，１）＝１、ｎ（Ｋ，２）＝１、ｎ（Ｋ，３）＝１と設定し、ｎ（Ｋ，０）、ｎ（Ｋ，１）、ｎ（Ｋ，２）、ｎ（Ｋ，３）を送信装置は送信するものとする。
【０４２５】
データシンボル群＃（ｊ＝Ｋ）の使用する時刻の初期の位置を「時刻１」とする場合、ｏ（Ｋ，０）＝０、ｏ（Ｋ，１）＝０、ｏ（Ｋ，２）＝０、ｏ（Ｋ，３）＝０と設定し、ｏ（Ｋ，０）、ｏ（Ｋ，１）、ｏ（Ｋ，２）、ｏ（Ｋ，３）を送信装置は送信するものとする。
データシンボル群＃（ｊ＝Ｋ）の使用する時刻の初期の位置を「時刻２」とする場合、ｏ（Ｋ，０）＝１、ｏ（Ｋ，１）＝０、ｏ（Ｋ，２）＝０、ｏ（Ｋ，３）＝０と設定し、ｏ（Ｋ，０）、ｏ（Ｋ，１）、ｏ（Ｋ，２）、ｏ（Ｋ，３）を送信装置は送信するものとする。
【０４２６】
データシンボル群＃（ｊ＝Ｋ）の使用する時刻の初期の位置を「時刻３」とする場合、ｏ（Ｋ，０）＝０、ｏ（Ｋ，１）＝１、ｏ（Ｋ，２）＝０、ｏ（Ｋ，３）＝０と設定し、ｏ（Ｋ，０）、ｏ（Ｋ，１）、ｏ（Ｋ，２）、ｏ（Ｋ，３）を送信装置は送信するものとする。
データシンボル群＃（ｊ＝Ｋ）の使用する時刻の初期の位置を「時刻４」とする場合、ｏ（Ｋ，０）＝１、ｏ（Ｋ，１）＝１、ｏ（Ｋ，２）＝０、ｏ（Ｋ，３）＝０と設定し、ｏ（Ｋ，０）、ｏ（Ｋ，１）、ｏ（Ｋ，２）、ｏ（Ｋ，３）を送信装置は送信するものとする。
【０４２７】
データシンボル群＃（ｊ＝Ｋ）の使用する時刻の初期の位置を「時刻５」とする場合、ｏ（Ｋ，０）＝０、ｏ（Ｋ，１）＝０、ｏ（Ｋ，２）＝１、ｏ（Ｋ，３）＝０と設定し、ｏ（Ｋ，０）、ｏ（Ｋ，１）、ｏ（Ｋ，２）、ｏ（Ｋ，３）を送信装置は送信するものとする。
データシンボル群＃（ｊ＝Ｋ）の使用する時刻の初期の位置を「時刻６」とする場合、ｏ（Ｋ，０）＝１、ｏ（Ｋ，１）＝０、ｏ（Ｋ，２）＝１、ｏ（Ｋ，３）＝０と設定し、ｏ（Ｋ，０）、ｏ（Ｋ，１）、ｏ（Ｋ，２）、ｏ（Ｋ，３）を送信装置は送信するものとする。
【０４２８】
データシンボル群＃（ｊ＝Ｋ）の使用する時刻の初期の位置を「時刻７」とする場合、ｏ（Ｋ，０）＝０、ｏ（Ｋ，１）＝１、ｏ（Ｋ，２）＝１、ｏ（Ｋ，３）＝０と設定し、ｏ（Ｋ，０）、ｏ（Ｋ，１）、ｏ（Ｋ，２）、ｏ（Ｋ，３）を送信装置は送信するものとする。
データシンボル群＃（ｊ＝Ｋ）の使用する時刻の初期の位置を「時刻８」とする場合、ｏ（Ｋ，０）＝１、ｏ（Ｋ，１）＝１、ｏ（Ｋ，２）＝１、ｏ（Ｋ，３）＝０と設定し、ｏ（Ｋ，０）、ｏ（Ｋ，１）、ｏ（Ｋ，２）、ｏ（Ｋ，３）を送信装置は送信するものとする。
【０４２９】
データシンボル群＃（ｊ＝Ｋ）の使用する時刻の初期の位置を「時刻９」とする場合、ｏ（Ｋ，０）＝０、ｏ（Ｋ，１）＝０、ｏ（Ｋ，２）＝０、ｏ（Ｋ，３）＝１と設定し、ｏ（Ｋ，０）、ｏ（Ｋ，１）、ｏ（Ｋ，２）、ｏ（Ｋ，３）を送信装置は送信するものとする。
データシンボル群＃（ｊ＝Ｋ）の使用する時刻の初期の位置を「時刻１０」とする場合、ｏ（Ｋ，０）＝１、ｏ（Ｋ，１）＝０、ｏ（Ｋ，２）＝０、ｏ（Ｋ，３）＝１と設定し、ｏ（Ｋ，０）、ｏ（Ｋ，１）、ｏ（Ｋ，２）、ｏ（Ｋ，３）を送信装置は送信するものとする。
【０４３０】
データシンボル群＃（ｊ＝Ｋ）の使用する時刻の初期の位置を「時刻１１」とする場合、ｏ（Ｋ，０）＝０、ｏ（Ｋ，１）＝１、ｏ（Ｋ，２）＝０、ｏ（Ｋ，３）＝１と設定し、ｏ（Ｋ，０）、ｏ（Ｋ，１）、ｏ（Ｋ，２）、ｏ（Ｋ，３）を送信装置は送信するものとする。
データシンボル群＃（ｊ＝Ｋ）の使用する時刻の初期の位置を「時刻１２」とする場合、ｏ（Ｋ，０）＝１、ｏ（Ｋ，１）＝１、ｏ（Ｋ，２）＝０、ｏ（Ｋ，３）＝１と設定し、ｏ（Ｋ，０）、ｏ（Ｋ，１）、ｏ（Ｋ，２）、ｏ（Ｋ，３）を送信装置は送信するものとする。
【０４３１】
データシンボル群＃（ｊ＝Ｋ）の使用する時刻の初期の位置を「時刻１３」とする場合、ｏ（Ｋ，０）＝０、ｏ（Ｋ，１）＝０、ｏ（Ｋ，２）＝１、ｏ（Ｋ，３）＝１と設定し、ｏ（Ｋ，０）、ｏ（Ｋ，１）、ｏ（Ｋ，２）、ｏ（Ｋ，３）を送信装置は送信するものとする。
データシンボル群＃（ｊ＝Ｋ）の使用する時刻の初期の位置を「時刻１４」とする場合、ｏ（Ｋ，０）＝１、ｏ（Ｋ，１）＝０、ｏ（Ｋ，２）＝１、ｏ（Ｋ，３）＝１と設定し、ｏ（Ｋ，０）、ｏ（Ｋ，１）、ｏ（Ｋ，２）、ｏ（Ｋ，３）を送信装置は送信するものとする。
【０４３２】
データシンボル群＃（ｊ＝Ｋ）の使用する時刻の初期の位置を「時刻１５」とする場合、ｏ（Ｋ，０）＝０、ｏ（Ｋ，１）＝１、ｏ（Ｋ，２）＝１、ｏ（Ｋ，３）＝１と設定し、ｏ（Ｋ，０）、ｏ（Ｋ，１）、ｏ（Ｋ，２）、ｏ（Ｋ，３）を送信装置は送信するものとする。
データシンボル群＃（ｊ＝Ｋ）の使用する時刻の初期の位置を「時刻１６」とする場合、ｏ（Ｋ，０）＝１、ｏ（Ｋ，１）＝１、ｏ（Ｋ，２）＝１、ｏ（Ｋ，３）＝１と設定し、ｏ（Ｋ，０）、ｏ（Ｋ，１）、ｏ（Ｋ，２）、ｏ（Ｋ，３）を送信装置は送信するものとする。
【０４３３】
データシンボル群＃（ｊ＝Ｋ）の使用する時刻数を１とする場合、ｐ（Ｋ，０）＝０、ｐ（Ｋ，１）＝０、ｐ（Ｋ，２）＝０、ｐ（Ｋ，３）＝０と設定し、ｐ（Ｋ，０）、ｐ（Ｋ，１）、ｐ（Ｋ，２）、ｐ（Ｋ，３）を送信装置は送信するものとする。
データシンボル群＃（ｊ＝Ｋ）の使用する時刻数を２とする場合、ｐ（Ｋ，０）＝１、ｐ（Ｋ，１）＝０、ｐ（Ｋ，２）＝０、ｐ（Ｋ，３）＝０と設定し、ｐ（Ｋ，０）、ｐ（Ｋ，１）、ｐ（Ｋ，２）、ｐ（Ｋ，３）を送信装置は送信するものとする。
【０４３４】
データシンボル群＃（ｊ＝Ｋ）の使用する時刻数を３とする場合、ｐ（Ｋ，０）＝０、ｐ（Ｋ，１）＝１、ｐ（Ｋ，２）＝０、ｐ（Ｋ，３）＝０と設定し、ｐ（Ｋ，０）、ｐ（Ｋ，１）、ｐ（Ｋ，２）、ｐ（Ｋ，３）を送信装置は送信するものとする。
データシンボル群＃（ｊ＝Ｋ）の使用する時刻数を４とする場合、ｐ（Ｋ，０）＝１、ｐ（Ｋ，１）＝１、ｐ（Ｋ，２）＝０、ｐ（Ｋ，３）＝０と設定し、ｐ（Ｋ，０）、ｐ（Ｋ，１）、ｐ（Ｋ，２）、ｐ（Ｋ，３）を送信装置は送信するものとする。
【０４３５】
データシンボル群＃（ｊ＝Ｋ）の使用する時刻数を５とする場合、ｐ（Ｋ，０）＝０、ｐ（Ｋ，１）＝０、ｐ（Ｋ，２）＝１、ｐ（Ｋ，３）＝０と設定し、ｐ（Ｋ，０）、ｐ（Ｋ，１）、ｐ（Ｋ，２）、ｐ（Ｋ，３）を送信装置は送信するものとする。
データシンボル群＃（ｊ＝Ｋ）の使用する時刻数を６とする場合、ｐ（Ｋ，０）＝１、ｐ（Ｋ，１）＝０、ｐ（Ｋ，２）＝１、ｐ（Ｋ，３）＝０と設定し、ｐ（Ｋ，０）、ｐ（Ｋ，１）、ｐ（Ｋ，２）、ｐ（Ｋ，３）を送信装置は送信するものとする。
【０４３６】
データシンボル群＃（ｊ＝Ｋ）の使用する時刻数を７とする場合、ｐ（Ｋ，０）＝０、ｐ（Ｋ，１）＝１、ｐ（Ｋ，２）＝１、ｐ（Ｋ，３）＝０と設定し、ｐ（Ｋ，０）、ｐ（Ｋ，１）、ｐ（Ｋ，２）、ｐ（Ｋ，３）を送信装置は送信するものとする。
データシンボル群＃（ｊ＝Ｋ）の使用する時刻数を８とする場合、ｐ（Ｋ，０）＝１、ｐ（Ｋ，１）＝１、ｐ（Ｋ，２）＝１、ｐ（Ｋ，３）＝０と設定し、ｐ（Ｋ，０）、ｐ（Ｋ，１）、ｐ（Ｋ，２）、ｐ（Ｋ，３）を送信装置は送信するものとする。
【０４３７】
データシンボル群＃（ｊ＝Ｋ）の使用する時刻数を９とする場合、ｐ（Ｋ，０）＝０、ｐ（Ｋ，１）＝０、ｐ（Ｋ，２）＝０、ｐ（Ｋ，３）＝１と設定し、ｐ（Ｋ，０）、ｐ（Ｋ，１）、ｐ（Ｋ，２）、ｐ（Ｋ，３）を送信装置は送信するものとする。
データシンボル群＃（ｊ＝Ｋ）使用する時刻数を１０とする場合、ｐ（Ｋ，０）＝１、ｐ（Ｋ，１）＝０、ｐ（Ｋ，２）＝０、ｐ（Ｋ，３）＝１と設定し、ｐ（Ｋ，０）、ｐ（Ｋ，１）、ｐ（Ｋ，２）、ｐ（Ｋ，３）を送信装置は送信するものとする。
【０４３８】
データシンボル群＃（ｊ＝Ｋ）の使用する時刻数を１１とする場合、ｐ（Ｋ，０）＝０、ｐ（Ｋ，１）＝１、ｐ（Ｋ，２）＝０、ｐ（Ｋ，３）＝１と設定し、ｐ（Ｋ，０）、ｐ（Ｋ，１）、ｐ（Ｋ，２）、ｐ（Ｋ，３）を送信装置は送信するものとする。
データシンボル群＃（ｊ＝Ｋ）の使用する時刻数を１２とする場合、ｐ（Ｋ，０）＝１、ｐ（Ｋ，１）＝１、ｐ（Ｋ，２）＝０、ｐ（Ｋ，３）＝１と設定し、ｐ（Ｋ，０）、ｐ（Ｋ，１）、ｐ（Ｋ，２）、ｐ（Ｋ，３）を送信装置は送信するものとする。
【０４３９】
データシンボル群＃（ｊ＝Ｋ）の使用する時刻数を１３とする場合、ｐ（Ｋ，０）＝０、ｐ（Ｋ，１）＝０、ｐ（Ｋ，２）＝１、ｐ（Ｋ，３）＝１と設定し、ｐ（Ｋ，０）、ｐ（Ｋ，１）、ｐ（Ｋ，２）、ｐ（Ｋ，３）を送信装置は送信するものとする。
データシンボル群＃（ｊ＝Ｋ）の使用する時刻数を１４とする場合、ｐ（Ｋ，０）＝１、ｐ（Ｋ，１）＝０、ｐ（Ｋ，２）＝１、ｐ（Ｋ，３）＝１と設定し、ｐ（Ｋ，０）、ｐ（Ｋ，１）、ｐ（Ｋ，２）、ｐ（Ｋ，３）を送信装置は送信するものとする。
【０４４０】
データシンボル群＃（ｊ＝Ｋ）の使用する時刻数を１５とする場合、ｐ（Ｋ，０）＝０、ｐ（Ｋ，１）＝１、ｐ（Ｋ，２）＝１、ｐ（Ｋ，３）＝１と設定し、ｐ（Ｋ，０）、ｐ（Ｋ，１）、ｐ（Ｋ，２）、ｐ（Ｋ，３）を送信装置は送信するものとする。
データシンボル群＃（ｊ＝Ｋ）の使用する時刻数を１６とする場合、ｐ（Ｋ，０）＝１、ｐ（Ｋ，１）＝１、ｐ（Ｋ，２）＝１、ｐ（Ｋ，３）＝１と設定し、ｐ（Ｋ，０）、ｐ（Ｋ，１）、ｐ（Ｋ，２）、ｐ（Ｋ，３）を送信装置は送信するものとする。
【０４４１】
次に、データシンボル群＃３を例、説明する。
データシンボル群＃３（４３０３）は、キャリア１０からキャリア１４を使用し、時刻１から時刻１６を用い、送信される。
よって、キャリアの初期の位置はキャリア１０となる。したがって、ｍ（３，０）＝１、ｍ（３，１）＝０、ｍ（３，２）＝０、ｍ（３，３）＝１として、送信装置はｍ（３，０）、ｍ（３，１）、ｍ（３，２）、ｍ（３，３）を送信する。
【０４４２】
また、使用するキャリア数は５となる。したがって、ｎ（３，０）＝０、ｎ（３，１）＝０、ｎ（３，２）＝１、ｎ（３，３）＝０として、送信装置はｎ（３，０）、ｎ（３，１）、ｎ（３，２）、ｎ（３，３）を送信する。
時刻の初期の位置は時刻１となる。したがって、ｏ（３，０）＝０、ｏ（３，１）＝０、ｏ（３，２）＝０、ｏ（３，３）＝０として、送信装置はｏ（３，０）、ｏ（３，１）、ｏ（３，２）、ｏ（３，３）を送信する。
【０４４３】
また、使用する時刻数は１６となる。したがって、ｐ（３，０）＝１、ｐ（３，１）＝１、ｐ（３，２）＝１、ｐ（３，３）＝１として、送信装置はｐ（３，０）、ｐ（３，１）、ｐ（３，２）、ｐ（３，３）を送信する。
＜第２の例＞
図４４に、図１の送信装置が送信する変調信号のフレーム構成において、データシンボル群を周波数分割したときの一例を示している。図４４において、図４３と共通するものについては、同一番号を付しており、また、縦軸は周波数、横軸は時間とする。なお、実施の形態１から実施の形態４と同様にデータシンボル群は、ＳＩＳＯ方式（ＳＩＭＯ方式）、ＭＩＭＯ方式、ＭＩＳＯ方式いずれの方式のシンボルであってもよい。
【０４４４】
図４４が、図４３と異なる点は、各データシンボル群は、例えば、４×Ａの数のキャリア（Ａは１以上の整数）を有し（４の倍数（ただし、０（ゼロ）を除く）の数のキャリアを使用する）、かつ、４×Ｂの数の時刻（Ｂは１以上の自然数）を有する（４の倍数（ただし、０（セロ）を除く）の数の時刻を使用する）ものとする。ただし、各データシンボル群が使用するキャリアの数は４の倍数に限ったものではなく、０（ゼロ）を除くＣの倍数（Ｃは２以上の整数）であればよい。また、各データシンボル群が使用する時刻の数は４の倍数に限ったものではなく、０（ゼロ）を除くＤの倍数（Ｄは２以上の整数）であればよい。
【０４４５】
図４４において、４３０１は、データシンボル群＃１のシンボルであり、データシンボル群＃１（４３０１）は、キャリア１からキャリア８を使用し（８（４の倍数）キャリア使用）、時刻１から時刻１６（時刻数１６であり、４の倍数）を用い、送信される。（ただし、「キャリア１」をキャリアの最初のインデックスとしているが、これに限ったものではなく、また、「時刻１」を時刻の最初のインデックスとしているが、これに限ったものではない。）
４３０２は、データシンボル群＃２のシンボルであり、データシンボル群＃２（４３０２）は、キャリア９からキャリア１２を使用し（４（４の倍数）キャリア使用）、時刻１から時刻４（時刻数４であり、４の倍数）を用い、送信される。
【０４４６】
４３０３は、データシンボル群＃３のシンボルであり、データシンボル群＃３（４３０３）は、キャリア１３からキャリア１６を使用し（４（４の倍数）キャリア使用）、時刻１から時刻１６（時刻数１６であり、４の倍数）を用い、送信される。
４３０４は、データシンボル群＃４のシンボルであり、データシンボル群＃４（４３０４）は、キャリア９からキャリア１２を使用し（４（４の倍数）キャリア使用）、時刻５から時刻１２（時刻数８であり、４の倍数）を用い、送信される。
【０４４７】
４３０５は、データシンボル群＃５のシンボルであり、データシンボル群＃５（４３０５）は、キャリア９からキャリア１２を使用し（４（４の倍数）キャリア使用）、時刻１３から時刻１６（時刻数４であり、４の倍数）を用い、送信される。
このような規則にしたがって、各データシンボル群をフレームに割り当てると、上述で説明した
・「データシンボル群＃ｊの使用するキャリアの初期の位置に関する制御情報情報」のビット数
・「データシンボル群＃ｊの使用するキャリア数に関する制御情報情報」のビット数
・「データシンボル群＃ｊの使用する時刻の初期の位置に関する制御情報情報」のビット数
・「データシンボル群＃ｊの使用する時刻数に関する制御情報情報」のビット数
を削減することができ、データ（情報）の伝送効率を向上させることができる。
【０４４８】
この場合、以下のように制御情報を定めることができる。
データシンボル群＃ｊの使用するキャリアの初期の位置に関する制御情報情報をｍ（ｊ，０）、ｍ（ｊ，１）
データシンボル群＃ｊの使用するキャリア数に関する制御情報情報をｎ（ｊ，０）、ｎ（ｊ，１）、
データシンボル群＃ｊの使用する時刻の初期の位置に関する制御情報情報をｏ（ｊ，０）、ｏ（ｊ，１）、
データシンボル群＃ｊの使用する時刻数に関する制御情報情報をｐ（ｊ，０）、ｐ（ｊ，１）、
とする。
【０４４９】
このとき、データシンボル群＃（ｊ＝Ｋ）の使用するキャリアの初期の位置を「キャリア１」とする場合、ｍ（Ｋ，０）＝０、ｍ（Ｋ，１）＝０と設定し、ｍ（Ｋ，０）、ｍ（Ｋ，１）を送信装置は送信するものとする。
データシンボル群＃（ｊ＝Ｋ）の使用するキャリアの初期の位置を「キャリア５」とする場合、ｍ（Ｋ，０）＝１、ｍ（Ｋ，１）＝０と設定し、ｍ（Ｋ，０）、ｍ（Ｋ，１）を送信装置は送信するものとする。
【０４５０】
データシンボル群＃（ｊ＝Ｋ）の使用するキャリアの初期の位置を「キャリア９」とする場合、ｍ（Ｋ，０）＝０、ｍ（Ｋ，１）＝１と設定し、ｍ（Ｋ，０）、ｍ（Ｋ，１）を送信装置は送信するものとする。
データシンボル群＃（ｊ＝Ｋ）の使用するキャリアの初期の位置を「キャリア１３」とする場合、ｍ（Ｋ，０）＝１、ｍ（Ｋ，１）＝１と設定し、ｍ（Ｋ，０）、ｍ（Ｋ，１）を送信装置は送信するものとする。
【０４５１】
データシンボル群＃（ｊ＝Ｋ）の使用するキャリア数を４キャリアとする場合、ｎ（Ｋ，０）＝０、ｎ（Ｋ，１）＝０と設定し、ｎ（Ｋ，０）、ｎ（Ｋ，１）を送信装置は送信するものとする。
データシンボル群＃（ｊ＝Ｋ）の使用するキャリア数を８キャリアとする場合、ｎ（Ｋ，０）＝１、ｎ（Ｋ，１）＝０と設定し、ｎ（Ｋ，０）、ｎ（Ｋ，１）を送信装置は送信するものとする。
【０４５２】
データシンボル群＃（ｊ＝Ｋ）の使用するキャリア数を１２キャリアとする場合、ｎ（Ｋ，０）＝０、ｎ（Ｋ，１）＝１と設定し、ｎ（Ｋ，０）、ｎ（Ｋ，１）を送信装置は送信するものとする。
データシンボル群＃（ｊ＝Ｋ）の使用するキャリア数を１６キャリアとする場合、ｎ（Ｋ，０）＝１、ｎ（Ｋ，１）＝１と設定し、ｎ（Ｋ，０）、ｎ（Ｋ，１）を送信装置は送信するものとする。
【０４５３】
データシンボル群＃（ｊ＝Ｋ）の使用する時刻の初期の位置を「時刻１」とする場合、ｏ（Ｋ，０）＝０、ｏ（Ｋ，１）＝０と設定し、ｏ（Ｋ，０）、ｏ（Ｋ，１）を送信装置は送信するものとする。
データシンボル群＃（ｊ＝Ｋ）の使用する時刻の初期の位置を「時刻５」とする場合、ｏ（Ｋ，０）＝１、ｏ（Ｋ，１）＝０と設定し、ｏ（Ｋ，０）、ｏ（Ｋ，１）を送信装置は送信するものとする。
【０４５４】
データシンボル群＃（ｊ＝Ｋ）の使用する時刻の初期の位置を「時刻９」とする場合、ｏ（Ｋ，０）＝０、ｏ（Ｋ，１）＝１と設定し、ｏ（Ｋ，０）、ｏ（Ｋ，１）を送信装置は送信するものとする。
データシンボル群＃（ｊ＝Ｋ）の使用する時刻の初期の位置を「時刻１３」とする場合、ｏ（Ｋ，０）＝１、ｏ（Ｋ，１）＝１と設定し、ｏ（Ｋ，０）、ｏ（Ｋ，１）を送信装置は送信するものとする。
【０４５５】
データシンボル群＃（ｊ＝Ｋ）の使用する時刻数を４とする場合、ｐ（Ｋ，０）＝０、ｐ（Ｋ，１）＝０と設定し、ｐ（Ｋ，０）、ｐ（Ｋ，１）を送信装置は送信するものとする。
データシンボル群＃（ｊ＝Ｋ）の使用する時刻数を８とする場合、ｐ（Ｋ，０）＝１、ｐ（Ｋ，１）＝０と設定し、ｐ（Ｋ，０）、ｐ（Ｋ，１）を送信装置は送信するものとする。
【０４５６】
データシンボル群＃（ｊ＝Ｋ）の使用する時刻数を１２とする場合、ｐ（Ｋ，０）＝０、ｐ（Ｋ，１）＝１と設定し、ｐ（Ｋ，０）、ｐ（Ｋ，１）を送信装置は送信するものとする。
データシンボル群＃（ｊ＝Ｋ）の使用する時刻数を１６とする場合、ｐ（Ｋ，０）＝１、ｐ（Ｋ，１）＝１と設定し、ｐ（Ｋ，０）、ｐ（Ｋ，１）を送信装置は送信するものとする。
【０４５７】
次に、データシンボル群＃４を例、説明する。
４３０４は、データシンボル群＃４のシンボルであり、データシンボル群＃４（４３０４）は、キャリア９からキャリア１２を使用し（４（４の倍数）キャリア使用）、時刻５から時刻１２（時刻数８であり、４の倍数）を用い、送信される。
よって、キャリアの初期の位置はキャリア９となる。したがって、ｍ（３，０）＝０、ｍ（３，１）＝１として、送信装置はｍ（３，０）、ｍ（３，１）を送信する。
【０４５８】
また、使用するキャリア数は４となる。したがって、ｎ（３，０）＝０、ｎ（３，１）＝０として、送信装置はｎ（３，０）、ｎ（３，１）を送信する。
時刻の初期の位置は時刻５となる。したがって、ｏ（３，０）＝１、ｏ（３，１）＝０として、送信装置はｏ（３，０）、ｏ（３，１）を送信する。
また、使用する時刻数は８となる。したがって、ｐ（３，０）＝１、ｐ（３，１）＝０として、送信装置はｐ（３，０）、ｐ（３，１）を送信する。
【０４５９】
＜第３の例＞
図１の送信装置が送信する変調信号のフレーム構成が図４４のとき、第２の例とは異なる制御情報の伝送方法について説明する。
図４４では、各データシンボル群は、例えば、４×Ａの数のキャリア（Ａは１以上の整数）を有し（４の倍数（ただし、０（ゼロ）を除く）の数のキャリアを使用する）、かつ、４×Ｂの数の時刻（Ｂは１以上の自然数）を有する（４の倍数（ただし、０（セロ）を除く）の数の時刻を使用する）ものとする。ただし、各データシンボル群が使用するキャリアの数は４の倍数に限ったものではなく、０（ゼロ）を除くＣの倍数（Ｃは２以上の整数）であればよい。また、各データシンボル群が使用する時刻の数は４の倍数に限ったものではなく、０（ゼロ）を除くＤの倍数（Ｄは２以上の整数）であればよい。
【０４６０】
したがって、図４５のように、エリア分解を行う。図４５において、縦軸は周波数、横軸は時間とする。そして、図４４にあわせ、キャリア１からキャリア１６が存在し、時刻１から時刻１６が存在するものとする。なお、図４５では、キャリア方向に４キャリア、時間方向に４つの時刻の４×４＝１６シンボルのエリアで各エリアを構成している。（上述の説明のようにＣ、Ｄを用いて一般化した場合、キャリア方向にＣキャリア、時間方向にＤ個の時刻のＣ×Ｄシンボルのエリアで各エリアを構成することになる。）
図４５において、キャリア１からキャリア４、時刻１から時刻４で構成するエリア４４００をエリア＃０と名付ける。
【０４６１】
キャリア５からキャリア８、時刻１から時刻４で構成するエリア４４０１をエリア＃１と名付ける。
キャリア９からキャリア１２、時刻１から時刻４で構成するエリア４４０２をエリア＃２と名付ける。
キャリア１３からキャリア１６、時刻１から時刻４で構成するエリア４４０３をエリア＃３と名付ける。
【０４６２】
キャリア１からキャリア４、時刻５から時刻８で構成するエリア４４０４をエリア＃４と名付ける。
キャリア５からキャリア８、時刻５から時刻８で構成するエリア４４０５をエリア＃５と名付ける。
キャリア９からキャリア１２、時刻５から時刻８で構成するエリア４４０６をエリア＃６と名付ける。
【０４６３】
キャリア１３からキャリア１６、時刻５から時刻８で構成するエリア４４０７をエリア＃７と名付ける。
キャリア１からキャリア４、時刻９から時刻１２で構成するエリア４４０８をエリア＃８と名付ける。
キャリア５からキャリア８、時刻９から時刻１２で構成するエリア４４０９をエリア＃９と名付ける。
【０４６４】
キャリア９からキャリア１２、時刻９から時刻１２で構成するエリア４４１０をエリア＃１０と名付ける。
キャリア１３からキャリア１６、時刻９から時刻１２で構成するエリア４４１１をエリア＃１１と名付ける。
キャリア１からキャリア４、時刻１３から時刻１６で構成するエリア４４１２をエリア＃１２と名付ける。
【０４６５】
キャリア５からキャリア８、時刻１３から時刻１６で構成するエリア４４１３をエリア＃１３と名付ける。
キャリア９からキャリア１２、時刻１３から時刻１６で構成するエリア４４１４をエリア＃１４と名付ける。
キャリア１３からキャリア１６、時刻１３から時刻１６で構成するエリア４４１５をエリア＃１５と名付ける。
【０４６６】
このとき、図１の送信装置は、受信装置に、各データシンボル群が使用している周波数、時間リソースの情報を伝達するために、以下の例のように、図１の送信装置は、制御情報を送信する。
図４４のデータシンボル群＃１は、図４５のようにエリア分解したとき、エリア＃０（４４００）、エリア＃１（４４０１）、エリア＃４（４４０４）、エリア＃５（４４０５）、エリア＃８（４４０８）、エリア＃９（４４０９）、エリア＃１２（４４１２）、エリア＃１３（４４１３）を使用してデータ（情報）を伝送している。したがって、データシンボル群＃１として、
「エリア＃０（４４００）、エリア＃１（４４０１）、エリア＃４（４４０４）、エリア＃５（４４０５）、エリア＃８（４４０８）、エリア＃９（４４０９）、エリア＃１２（４４１２）、エリア＃１３（４４１３）を使用している」
という制御情報を、図１の送信装置は送信する。このとき、制御情報には、エリアの情報（エリア＃０（４４００）、エリア＃１（４４０１）、エリア＃４（４４０４）、エリア＃５（４４０５）、エリア＃８（４４０８）、エリア＃９（４４０９）、エリア＃１２（４４１２）、エリア＃１３（４４１３））が含まれていることになる。
【０４６７】
同様に、図４４のデータシンボル群＃２として、
「エリア＃２（４４０２）を使用している」
という制御情報を、図１の送信装置は送信する。このとき、制御情報には、エリアの情報（エリア＃２（４４０２））が含まれていることになる。
図４４のデータシンボル群＃３として、
「エリア＃３（４４０３）、エリア＃７（４４０７）、エリア＃１１（４４１１）、エリア＃１５（４４１５）を使用している」
という制御情報を、図１の送信装置は送信する。このとき、制御情報には、エリアの情報（エリア＃３（４４０３）、エリア＃７（４４０７）、エリア＃１１（４４１１）、エリア＃１５（４４１５））が含まれていることになる。
【０４６８】
図４４のデータシンボル群＃４として、
「エリア＃６（４４０６）、エリア＃１０（４４１０）を使用している」
という制御情報を、図１の送信装置は送信する。このとき、制御情報には、エリアの情報（エリア＃６（４４０６）、エリア＃１０（４４１０））が含まれていることになる。
図４４のデータシンボル群＃５として、
「エリア＃１４（４４１４）を使用している」
という制御情報を、図１の送信装置は送信する。このとき、制御情報には、エリアの情報（エリア＃１４（４４１４））が含まれていることになる。
【０４６９】
以上において、＜第２の例＞＜第３の例＞では、使用している時間、周波数リソースの情報を少ないビット数で伝送することができるという利点がある。
一方、＜第１の例＞では、時間、周波数リソースをデータシンボル群に対し、より柔軟に割り当てることができるという利点がある。
＜時（時間）分割が行われているとき＞
時（時間）分割が行われているときの各データシンボル群が使用する周波数資源と時間資源に関する制御情報の生成について例を説明する。
【０４７０】
＜第４の例＞
時（時間）分割が行われているときも、周波数分割が行われているときと同様に制御情報を伝送する。したがって、上述で説明した＜第１の例＞を実施する。
＜第５の例＞
時（時間）分割が行われているときも、周波数分割が行われているときと同様に制御情報を伝送する。したがって、上述で説明した＜第２の例＞を実施する。
【０４７１】
＜第６の例＞
時（時間）分割が行われているときも、周波数分割が行われているときと同様に制御情報を伝送する。したがって、上述で説明した＜第３の例＞を実施する。
＜第７の例＞
実施の形態２で説明したｅ（Ｘ，Ｙ）を制御情報として伝送する。つまり、データシンボル群＃ｊのフレームにおけるシンボル数に関する情報をｅ（ｊ，０）、ｅ（ｊ，１）とする。
【０４７２】
このとき、例えば、
データシンボル群＃（ｊ＝Ｋ）のフレームにおけるシンボル数を２５６シンボルとする場合、ｅ（Ｋ，０）＝０、ｅ（Ｋ，１）＝０と設定し、ｅ（Ｋ，０）、ｅ（Ｋ，１）を送信装置は送信するものとする。
データシンボル群＃（ｊ＝Ｋ）のフレームにおけるシンボル数を５１２シンボルとする場合、ｅ（Ｋ，０）＝１、ｅ（Ｋ，１）＝０と設定し、ｅ（Ｋ，０）、ｅ（Ｋ，１）を送信装置は送信するものとする。
【０４７３】
データシンボル群＃（ｊ＝Ｋ）のフレームにおけるシンボル数を１０２４シンボルとする場合、ｅ（Ｋ，０）＝０、ｅ（Ｋ，１）＝１と設定し、ｅ（Ｋ，０）、ｅ（Ｋ，１）を送信装置は送信するものとする。
データシンボル群＃（ｊ＝Ｋ）のフレームにおけるシンボル数を２０４８シンボルとする場合、ｅ（Ｋ，０）＝１、ｅ（Ｋ，１）＝１と設定し、ｅ（Ｋ，０）、ｅ（Ｋ，１）を送信装置は送信するものとする。
【０４７４】
なお、シンボル数設定は４つに限ったものではなく、１種類以上のシンボル数の設定を送信装置が設定可能であればよい。
＜第８の例＞
送信装置は、各データシンボルが必要となる時刻の数の情報を受信装置に送信し、受信装置はこの情報を得ることで、各データシンボルが使用する周波数・時間リソースを知ることができる。
【０４７５】
例えば、データシンボル群＃ｊのフレームにおける使用する時刻の数に関する情報をｑ（ｊ，０）、ｑ（ｊ，１）、ｑ（ｊ，２）、ｑ（ｊ，３）とする。
データシンボル群＃（ｊ＝Ｋ）の使用する時刻数を１とする場合、ｑ（Ｋ，０）＝０、ｑ（Ｋ，１）＝０、ｑ（Ｋ，２）＝０、ｑ（Ｋ，３）＝０と設定し、ｑ（Ｋ，０）、ｑ（Ｋ，１）、ｑ（Ｋ，２）、ｑ（Ｋ，３）を送信装置は送信するものとする。
【０４７６】
データシンボル群＃（ｊ＝Ｋ）の使用する時刻数を２とする場合、ｑ（Ｋ，０）＝１、ｑ（Ｋ，１）＝０、ｑ（Ｋ，２）＝０、ｑ（Ｋ，３）＝０と設定し、ｑ（Ｋ，０）、ｑ（Ｋ，１）、ｑ（Ｋ，２）、ｑ（Ｋ，３）を送信装置は送信するものとする。
データシンボル群＃（ｊ＝Ｋ）の使用する時刻数を３とする場合、ｑ（Ｋ，０）＝０、ｑ（Ｋ，１）＝１、ｑ（Ｋ，２）＝０、ｑ（Ｋ，３）＝０と設定し、ｑ（Ｋ，０）、ｑ（Ｋ，１）、ｑ（Ｋ，２）、ｑ（Ｋ，３）を送信装置は送信するものとする。
【０４７７】
データシンボル群＃（ｊ＝Ｋ）の使用する時刻数を４とする場合、ｑ（Ｋ，０）＝１、ｑ（Ｋ，１）＝１、ｑ（Ｋ，２）＝０、ｑ（Ｋ，３）＝０と設定し、ｑ（Ｋ，０）、ｑ（Ｋ，１）、ｑ（Ｋ，２）、ｑ（Ｋ，３）を送信装置は送信するものとする。
データシンボル群＃（ｊ＝Ｋ）の使用する時刻数を５とする場合、ｑ（Ｋ，０）＝０、ｑ（Ｋ，１）＝０、ｑ（Ｋ，２）＝１、ｑ（Ｋ，３）＝０と設定し、ｑ（Ｋ，０）、ｑ（Ｋ，１）、ｑ（Ｋ，２）、ｑ（Ｋ，３）を送信装置は送信するものとする。
【０４７８】
データシンボル群＃（ｊ＝Ｋ）の使用する時刻数を６とする場合、ｑ（Ｋ，０）＝１、ｑ（Ｋ，１）＝０、ｑ（Ｋ，２）＝１、ｑ（Ｋ，３）＝０と設定し、ｑ（Ｋ，０）、ｑ（Ｋ，１）、ｑ（Ｋ，２）、ｑ（Ｋ，３）を送信装置は送信するものとする。
データシンボル群＃（ｊ＝Ｋ）の使用する時刻数を７とする場合、ｑ（Ｋ，０）＝０、ｑ（Ｋ，１）＝１、ｑ（Ｋ，２）＝１、ｑ（Ｋ，３）＝０と設定し、ｑ（Ｋ，０）、ｑ（Ｋ，１）、ｑ（Ｋ，２）、ｑ（Ｋ，３）を送信装置は送信するものとする。
【０４７９】
データシンボル群＃（ｊ＝Ｋ）の使用する時刻数を８とする場合、ｑ（Ｋ，０）＝１、ｑ（Ｋ，１）＝１、ｑ（Ｋ，２）＝１、ｑ（Ｋ，３）＝０と設定し、ｑ（Ｋ，０）、ｑ（Ｋ，１）、ｑ（Ｋ，２）、ｑ（Ｋ，３）を送信装置は送信するものとする。
データシンボル群＃（ｊ＝Ｋ）の使用する時刻数を９とする場合、ｑ（Ｋ，０）＝０、ｑ（Ｋ，１）＝０、ｑ（Ｋ，２）＝０、ｑ（Ｋ，３）＝１と設定し、ｑ（Ｋ，０）、ｑ（Ｋ，１）、ｑ（Ｋ，２）、ｑ（Ｋ，３）を送信装置は送信するものとする。
【０４８０】
データシンボル群＃（ｊ＝Ｋ）使用する時刻数を１０とする場合、ｑ（Ｋ，０）＝１、ｑ（Ｋ，１）＝０、ｑ（Ｋ，２）＝０、ｑ（Ｋ，３）＝１と設定し、ｑ（Ｋ，０）、ｑ（Ｋ，１）、ｑ（Ｋ，２）、ｑ（Ｋ，３）を送信装置は送信するものとする。
データシンボル群＃（ｊ＝Ｋ）の使用する時刻数を１１とする場合、ｑ（Ｋ，０）＝０、ｑ（Ｋ，１）＝１、ｑ（Ｋ，２）＝０、ｑ（Ｋ，３）＝１と設定し、ｑ（Ｋ，０）、ｑ（Ｋ，１）、ｑ（Ｋ，２）、ｑ（Ｋ，３）を送信装置は送信するものとする。
【０４８１】
データシンボル群＃（ｊ＝Ｋ）の使用する時刻数を１２とする場合、ｑ（Ｋ，０）＝１、ｑ（Ｋ，１）＝１、ｑ（Ｋ，２）＝０、ｑ（Ｋ，３）＝１と設定し、ｑ（Ｋ，０）、ｑ（Ｋ，１）、ｑ（Ｋ，２）、ｑ（Ｋ，３）を送信装置は送信するものとする。
データシンボル群＃（ｊ＝Ｋ）の使用する時刻数を１３とする場合、ｑ（Ｋ，０）＝０、ｑ（Ｋ，１）＝０、ｑ（Ｋ，２）＝１、ｑ（Ｋ，３）＝１と設定し、ｑ（Ｋ，０）、ｑ（Ｋ，１）、ｑ（Ｋ，２）、ｑ（Ｋ，３）を送信装置は送信するものとする。
【０４８２】
データシンボル群＃（ｊ＝Ｋ）の使用する時刻数を１４とする場合、ｑ（Ｋ，０）＝１、ｑ（Ｋ，１）＝０、ｑ（Ｋ，２）＝１、ｑ（Ｋ，３）＝１と設定し、ｑ（Ｋ，０）、ｑ（Ｋ，１）、ｑ（Ｋ，２）、ｑ（Ｋ，３）を送信装置は送信するものとする。
データシンボル群＃（ｊ＝Ｋ）の使用する時刻数を１５とする場合、ｑ（Ｋ，０）＝０、ｑ（Ｋ，１）＝１、ｑ（Ｋ，２）＝１、ｑ（Ｋ，３）＝１と設定し、ｑ（Ｋ，０）、ｑ（Ｋ，１）、ｑ（Ｋ，２）、ｑ（Ｋ，３）を送信装置は送信するものとする。
【０４８３】
データシンボル群＃（ｊ＝Ｋ）の使用する時刻数を１６とする場合、ｑ（Ｋ，０）＝１、ｑ（Ｋ，１）＝１、ｑ（Ｋ，２）＝１、ｑ（Ｋ，３）＝１と設定し、ｑ（Ｋ，０）、ｑ（Ｋ，１）、ｑ（Ｋ，２）、ｑ（Ｋ，３）を送信装置は送信するものとする。
図４６に、図１の送信装置が送信する変調信号のフレームにおいて、データシンボル群を時（時間）分割したときの一例を示している。図４６において、縦軸は周波数、横軸は時間とする。なお、実施の形態１から実施の形態４と同様にデータシンボル群は、ＳＩＳＯ方式（ＳＩＭＯ方式）、ＭＩＭＯ方式、ＭＩＳＯ方式いずれの方式のシンボルであってもよい。
【０４８４】
図４６において、４３０１は、データシンボル群＃１のシンボルであり、データシンボル群＃１（４３０１）は、キャリア１からキャリア１６（データシンボルとして割り当てすることができるキャリアすべてを使用する。（パイロットシンボルを配置するためのキャリアや制御情報を伝送するキャリアがあった場合は除外する。））を使用し、時刻１から時刻４を用い、送信される。（ただし、「キャリア１」をキャリアの最初のインデックスとしているが、これに限ったものではなく、また、「時刻１」を時刻の最初のインデックスとしているが、これに限ったものではない。）
４３０２は、データシンボル群＃２のシンボルであり、データシンボル群＃２（４３０２）は、キャリア１からキャリア１６（データシンボルとして割り当てすることができるキャリアすべてを使用する。（パイロットシンボルを配置するためのキャリアや制御情報を伝送するキャリアがあった場合は除外する。））を使用し、時刻５から時刻１２を用い、送信される。
【０４８５】
４３０３は、データシンボル群＃３のシンボルであり、データシンボル群＃３（４３０３）は、キャリア１からキャリア１６（データシンボルとして割り当てすることができるキャリアすべてを使用する。（パイロットシンボルを配置するためのキャリアや制御情報を伝送するキャリアがあった場合は除外する。））を使用し、時刻１３から時刻１６を用い、送信される。
【０４８６】
例えば、データシンボル群＃２のとき、時刻５から時刻１２を用い、送信される、つまり、時刻の数は８となる。したがって、ｑ（２，０）＝１、ｑ（２，１）＝１、ｑ（２，２）＝１、ｑ（２，３）＝０と設定し、ｑ（２，０）、ｑ（２，１）、ｑ（２，２）、ｑ（２，３）を送信装置は送信するものとする。
データシンボル群＃１、データシンボル＃３についても同様に制御情報を生成すればよく、図１の送信装置は、ｑ（１，０）、ｑ（１，１）、ｑ（１，２）、ｑ（１，３）、および、ｑ（２，０）、ｑ（２，１）、ｑ（２，２）、ｑ（２，３）、および、ｑ（３，０）、ｑ（３，１）、ｑ（３，２）、ｑ（３，３）を送信する。
【０４８７】
図２３の受信装置は、ｑ（１，０）、ｑ（１，１）、ｑ（１，２）、ｑ（１，３）、および、ｑ（２，０）、ｑ（２，１）、ｑ（２，２）、ｑ（２，３）、および、ｑ（３，０）、ｑ（３，１）、ｑ（３，２）、ｑ（３，３）を受信し、データシンボル群が使用している周波数・時間リソースを知ることになる。このとき、送信装置と受信装置は、例えば、「データシンボル群＃１を時間的に最初に配置し、その後、データシンボル群＃２、データシンボル群＃３、データシンボル群＃４、データシンボル群＃５、・・・」と並んでいることを共有しているものとすれば、各データシンボル群が使用する時刻の数を知ることで、各データシンボル群が使用している周波数・時間リソースを知ることができる。（各データシンボル群が配置される最初の時刻の情報を、送信装置が送信する必要はなくなる。これにより、データの伝送効率が向上する。）
＜第９の例＞
＜第８の例＞と異なり、各データシンボル群は、例えば、４×Ｂの数の時刻（Ｂは１以上の自然数）を有する（４の倍数（ただし、０（セロ）を除く）の数の時刻を使用する）ものとする。ただし、各データシンボル群が使用する時刻の数は４の倍数に限ったものではなく、０（ゼロ）を除くＤの倍数（Ｄは２以上の整数）であればよい。
【０４８８】
図４６において、４３０１は、データシンボル群＃１のシンボルであり、データシンボル群＃１（４３０１）は、キャリア１からキャリア１６（データシンボルとして割り当てすることができるキャリアすべてを使用する。（パイロットシンボルを配置するためのキャリアや制御情報を伝送するキャリアがあった場合は除外する。））を使用し、時刻１から時刻４を用い（時刻数４であり、４の倍数）、送信される。（ただし、「キャリア１」をキャリアの最初のインデックスとしているが、これに限ったものではなく、また、「時刻１」を時刻の最初のインデックスとしているが、これに限ったものではない。）
４３０２は、データシンボル群＃２のシンボルであり、データシンボル群＃２（４３０２）は、キャリア１からキャリア１６（データシンボルとして割り当てすることができるキャリアすべてを使用する。（パイロットシンボルを配置するためのキャリアや制御情報を伝送するキャリアがあった場合は除外する。））を使用し、時刻５から時刻１２を用い（時刻数８であり、４の倍数）、送信される。
【０４８９】
４３０３は、データシンボル群＃３のシンボルであり、データシンボル群＃３（４３０３）は、キャリア１からキャリア１６（データシンボルとして割り当てすることができるキャリアすべてを使用する。（パイロットシンボルを配置するためのキャリアや制御情報を伝送するキャリアがあった場合は除外する。））を使用し、時刻１３から時刻１６を用い（時刻数４であり、４の倍数）、送信される。
【０４９０】
このような規則にしたがって、各データシンボル群をフレームに割り当てると、上述で説明した
・「データシンボル群＃ｊのフレームにおける使用する時刻の数に関する情報」のビット数
を削減することができ、データ（情報）の伝送効率を向上させることができる。
【０４９１】
この場合、以下のように制御情報を定めることができる。
データシンボル群＃ｊのフレームにおける使用する時刻の数に関する情報をｑ（ｊ，０）、ｑ（ｊ，１）とする。
データシンボル群＃（ｊ＝Ｋ）の使用する時刻数を４とする場合、ｑ（Ｋ，０）＝０、ｑ（Ｋ，１）＝０と設定し、ｑ（Ｋ，０）、ｑ（Ｋ，１）を送信装置は送信するものとする。
【０４９２】
データシンボル群＃（ｊ＝Ｋ）の使用する時刻数を８とする場合、ｑ（Ｋ，０）＝１、ｑ（Ｋ，１）＝０と設定し、ｑ（Ｋ，０）、ｑ（Ｋ，１）を送信装置は送信するものとする。
データシンボル群＃（ｊ＝Ｋ）の使用する時刻数を１２とする場合、ｑ（Ｋ，０）＝０、ｑ（Ｋ，１）＝１と設定し、ｑ（Ｋ，０）、ｑ（Ｋ，１）を送信装置は送信するものとする。
【０４９３】
データシンボル群＃（ｊ＝Ｋ）の使用する時刻数を１６とする場合、ｑ（Ｋ，０）＝１、ｑ（Ｋ，１）＝１と設定し、ｑ（Ｋ，０）、ｑ（Ｋ，１）を送信装置は送信するものとする。
例えば、図４６のデータシンボル群＃２のとき、時刻５から時刻１２を用い、送信される、つまり、時刻の数は８となる。したがって、ｑ（２，０）＝１、ｑ（２，１）＝０と設定し、ｑ（２，０）、ｑ（２，１）を送信装置は送信するものとする。
【０４９４】
データシンボル群＃１、データシンボル＃３についても同様に制御情報を生成すればよく、図１の送信装置は、ｑ（１，０）、ｑ（１，１）、および、ｑ（２，０）、ｑ（２，１）、および、ｑ（３，０）、ｑ（３，１）を送信する。
図２３の受信装置は、ｑ（１，０）、ｑ（１，１）、および、ｑ（２，０）、ｑ（２，１）、および、ｑ（３，０）、ｑ（３，１）を受信し、データシンボル群が使用している周波数・時間リソースを知ることになる。このとき、送信装置と受信装置は、例えば、「データシンボル群＃１を時間的に最初に配置し、その後、データシンボル群＃２、データシンボル群＃３、データシンボル群＃４、データシンボル群＃５、・・・」と並んでいることを共有しているものとすれば、各データシンボル群が使用する時刻の数を知ることで、各データシンボル群が使用している周波数・時間リソースを知ることができる。（各データシンボル群が配置される最初の時刻の情報を、送信装置が送信する必要はなくなる。これにより、データの伝送効率が向上する。）
＜第１０の例＞
＜第８の例＞と異なり、各データシンボル群は、例えば、４×Ｂの数の時刻（Ｂは１以上の自然数）を有する（４の倍数（ただし、０（セロ）を除く）の数の時刻を使用する）ものとする（＜第９の例＞のときと同様とする。）。ただし、各データシンボル群が使用する時刻の数は４の倍数に限ったものではなく、０（ゼロ）を除くＤの倍数（Ｄは２以上の整数）であればよい。
【０４９５】
したがって、図４７のように、エリア分解を行う。図４７において、縦軸は周波数、横軸は時間とする。そして、図４６にあわせ、キャリア１からキャリア１６が存在し、時刻１から時刻１６が存在するものとする。なお、図４７では、キャリア方向に１６キャリア、時間方向に４つの時刻の１６×４＝６４シンボルのエリアで各エリアを構成している。（上述の説明のようにＣ、Ｄを用いて一般化した場合、キャリア方向にＣキャリア、時間方向にＤ個の時刻のＣ×Ｄシンボルのエリアで各エリアを構成することになる。）
図４７において、時刻１から時刻４で構成するエリア４７００をエリア＃０と名付ける。
【０４９６】
時刻５から時刻８で構成するエリア４７０１をエリア＃１と名付ける。
時刻９から時刻１２で構成するエリア４７０２をエリア＃２と名付ける。
時刻１３から時刻１６で構成するエリア４７０３をエリア＃３と名付ける。
このとき、図１の送信装置は、受信装置に、各データシンボル群が使用している周波数、時間リソースの情報を伝達するために、以下の例のように、図１の送信装置は、制御情報を送信する。
【０４９７】
図４６のデータシンボル群＃１は、図４７のようにエリア分解したとき、エリア＃０（４７００）を使用してデータ（情報）を伝送している。したがって、データシンボル群＃１として、
「エリア＃０（４７００）を使用している」
という制御情報を、図１の送信装置は送信する。このとき、制御情報には、エリアの情報（エリア＃０（４７００））が含まれていることになる。
【０４９８】
同様に、図４６のデータシンボル群＃２として、
「エリア＃１（４７０１）、エリア＃２（４７０２）を使用している」
という制御情報を、図１の送信装置は送信する。このとき、制御情報には、エリアの情報（エリア＃１（４７０１）、エリア＃２（４７０２））が含まれていることになる。
図４６のデータシンボル群＃３として、
「エリア＃３（４７０３）を使用している」
という制御情報を、図１の送信装置は送信する。このとき、制御情報には、エリアの情報（エリア＃３（４７０３））が含まれていることになる。
【０４９９】
時（時間）分割の際の制御情報について、＜第４の例＞から＜第１０の例＞を記載した。例えば、＜第４の例＞、＜第５の例＞、＜第６の例＞を用いた場合、周波数分割の制御情報と時（時間）分割の際の制御情報を同様に構成することができる。
一方で、＜第７の例＞から＜第１０の例＞とした場合、構成の異なる「周波数分割の際の時間・周波数リソースの使用に関する制御情報と時（時間）分割の際の時間・周波数リソースの使用に関する制御情報」を、第１プリアンブル、および／または、第２プリアンブルを用いて、送信装置は送信することになる。
【０５００】
なお、例えば、図５のフレーム構成の場合、第１プリアンブル２０１、および／または、第２プリアンブル２０２に、周波数分割の際の時間・周波数リソースの使用に関する制御情報を含むことになり、第１プリアンブル５０１、および／または、第２プリアンブル５０２に、時（時間）分割の際の時間・周波数リソースの使用に関する制御情報を含むという構成にしてもよい。
【０５０１】
同様に、図２５、図２８、図３２のフレーム構成の場合、第１プリアンブル２０１、および／または、第２プリアンブル２０２に、周波数分割の際の時間・周波数リソースの使用に関する制御情報を含むことになり、第１プリアンブル５０１、および／または、第２プリアンブル５０２に、時（時間）分割の際の時間・周波数リソースの使用に関する制御情報を含むという構成にしてもよい。
【０５０２】
また、図３６のフレーム構成の場合、第１プリアンブル２０１、５０１、および／または、第２プリアンブル２０２、５０２に、周波数分割の際の時間・周波数リソースの使用に関する制御情報を含むことになり、第１プリアンブル３６０１、および／または、第２プリアンブル３６０２に、時（時間）分割の際の時間・周波数リソースの使用に関する制御情報を含むという構成にしてもよい。
【０５０３】
以上において、＜第５の例＞＜第６の例＞＜第９の例＞＜第１０の例＞では、使用している時間、周波数リソースの情報を少ないビット数で伝送することができるという利点がある。
一方、＜第４の例＞＜第７の例＞＜第８の例＞では、時間、周波数リソースをデータシンボル群に対し、より柔軟に割り当てることができるという利点がある。
【０５０４】
上述で説明した例のように、周波数分割の際の時間・周波数リソースの使用に関する制御情報と時（時間）分割の際の時間・周波数リソースの使用に関する制御情報を、送信装置が送信することで、受信装置は、データシンボル群の時間・周波数リソースの使用状況を知ることができ、的確にデータを復調・復号を行うことができることになる。
（実施の形態６）
実施の形態１から実施の形態５において、図１の送信装置が送信する変調信号のフレーム構成の例について、いくつか説明した。本実施の形態では、実施の形態１から実施の形態５で説明したフレーム構成とは異なるフレーム構成について説明する。
【０５０５】
図４８は、図１の送信装置が送信する変調信号のフレーム構成の一例を示している。図４８において、図５と同様に動作するものについては、同一番号を付しており、また、縦軸は周波数、横軸は時間とする。なお、実施の形態１から実施の形態５と同様に、データシンボル群は、ＳＩＳＯ方式（ＳＩＭＯ方式）、ＭＩＭＯ方式、ＭＩＳＯ方式いずれかのシンボルであってもよい。
【０５０６】
図４８において、図５と異なる点は、図５における第１プリアンブル２０１と第２プリアンブル２０２が存在していない点である。そして、データシンボル群＃１（４０１＿１、４０１＿２）およびデータシンボル群＃２（４０２）に、周波数方向に制御情報シンボル（例えば、ＴＭＣＣ（Transmission Multiplexing Configuration Control））を配置する。なお、制御情報シンボルには、例えば、フレーム同期、周波数同期、時間同期のためのシンボル、実施の形態５で説明したデータシンボル群が使用する周波数・時間リソースを通知するためのシンボル、データシンボル群を生成するための変調方式に関する情報、データシンボル群を生成するための誤り訂正方式（符号に関する情報・符号長に関する情報・符号化率に関する情報など）に関する情報などが含まれていることになる。
【０５０７】
図４９は、データシンボル群＃１（４０１＿１、４０１＿２）およびデータシンボル群＃２（４０２）に、周波数方向に制御情報シンボル（例えば、ＴＭＣＣ（Transmission Multiplexing Configuration Control））を配置するときの構成の例を示している。
図４９において、縦軸は周波数、横軸は時間とする。４９０１、４９０２、４９０３はデータシンボル群＃Ｘであり（図４８の場合、Ｘは１あるいは２となる。）、４９０４、４９０５は、制御情報シンボル（例えば、ＴＭＣＣ（Transmission Multiplexing Configuration Control））であるものとする。
【０５０８】
図４９に示すように、制御情報シンボル（４９０４、４９０５）は、ある特定のキャリア（サブキャリア）（周波数）に配置する。（なお、この特定のキャリアには、制御情報シンボル以外のシンボルが含まれていてもよいし、含まれていなくてもよい。）
例えば、図４９において、Ｘ＝１とする。すると、図４９のように、データシンボル群＃１のある特定のキャリア（サブキャリア）（周波数）に制御情報シンボルを配置するということになる。
【０５０９】
同様に、図４９において、Ｘ＝２とする。すると、図４９のように、データシンボル群＃２のある特定のキャリア（サブキャリア）（周波数）に制御情報シンボルを配置するということになる。
なお、図４８のように周波数分割を行ってデータシンボル群を配置している周波数・時間エリアに制御情報シンボルを配置する際、例えば、キャリア＃１からキャリア＃１００が存在している場合、キャリア＃５、キャリア＃２５、キャリア＃４０、キャリア＃５５、キャリア＃７０、キャリア＃８５というように、特定のキャリアに制御情報シンボルを配置してもよいし、データシンボル群の配置に応じて、制御情報シンボルを配置してもよい。
【０５１０】
次に、図４８のフレーム構成としたときの利点について説明する。
図５のフレーム構成の場合、受信装置が、データシンボル群＃１、データシンボル群＃２を復調・復号し、情報を得るために、第１プリアンブル２０１、第２プリアンブル２０２を得る必要があり、このため、受信装置は、第１プリアンブル２０１、第２プリアンブル２０２を受信するための周波数帯域の変調信号を得る必要がある。
【０５１１】
このような中、データシンボル群＃２のみが必要な端末が存在した場合、柔軟な端末設計を可能とするためには、データシンボル群＃２が占める周波数帯域だけで、データシンボル群＃２の復調・復号可能とするためのフレーム構成であることが望まれ、図４８のフレーム構成の場合、これを実現することができる。
図４８のようにフレームを構成した場合、図４９に示したように、データシンボル群＃２に制御情報シンボル（例えば、ＴＭＣＣ（Transmission Multiplexing Configuration Control））が周波数方向に挿入されているため、受信装置は、データシンボル群＃２のみの周波数帯域の変調信号を得ることで、データシンボル群＃２を復調・復号可能となる。したがって、柔軟な端末設計が可能となる。
【０５１２】
次に、図１の送信装置が送信する変調信号のフレーム構成が図５０の場合について説明する。図５０において、図２５と同様に動作するものについては、同一番号を付しており、また、縦軸は周波数、横軸は時間とする。なお、実施の形態１から実施の形態５と同様に、データシンボル群は、ＳＩＳＯ方式（ＳＩＭＯ方式）、ＭＩＭＯ方式、ＭＩＳＯ方式いずれかのシンボルであってもよい。
【０５１３】
図５０において、図２５と異なる点は、図２５における第１プリアンブル２０１と第２プリアンブル２０２が存在していない点ある。そして、データシンボル群＃１（２５０１）、データシンボル群＃２（２５０２）、データシンボル群＃４（２５０３）に、周波数方向に制御情報シンボル（例えば、ＴＭＣＣ（Transmission Multiplexing Configuration Control））を配置する。なお、制御情報シンボルには、例えば、フレーム同期、周波数同期、時間同期のためのシンボル、実施の形態５で説明したデータシンボル群が使用する周波数・時間リソースを通知するためのシンボル、データシンボル群を生成するための変調方式に関する情報、データシンボル群を生成するための誤り訂正方式（符号に関する情報・符号長に関する情報・符号化率に関する情報など）に関する情報などが含まれていることになる。
【０５１４】
図４９は、データシンボル群＃１（２５０１）およびデータシンボル群＃２（２５０２）およびデータシンボル群＃４（２５０３）に、周波数方向に制御情報シンボル（例えば、ＴＭＣＣ（Transmission Multiplexing Configuration Control））を配置するときの構成の例を示している。
図４９において、縦軸は周波数、横軸は時間とする。４９０１、４９０２、４９０３はデータシンボル群＃Ｘであり（図５０の場合、Ｘは１あるいは２あるいは４となる。）、４９０４、４９０５は、制御情報シンボル（例えば、ＴＭＣＣ（Transmission Multiplexing Configuration Control））であるものとする。
【０５１５】
図４９に示すように、制御情報シンボル（４９０４、４９０５）は、ある特定のキャリア（サブキャリア）（周波数）に配置する。（なお、この特定のキャリアには、制御情報シンボル以外のシンボルが含まれていてもよいし、含まれていなくてもよい。）
例えば、図４９において、Ｘ＝１とする。すると、図４９のように、データシンボル群＃１のある特定のキャリア（サブキャリア）（周波数）に制御情報シンボルを配置するということになる。
【０５１６】
同様に、図４９において、Ｘ＝２とする。すると、図４９のように、データシンボル群＃２のある特定のキャリア（サブキャリア）（周波数）に制御情報シンボルを配置するということになる。
図４９において、Ｘ＝４とする。すると、図４９のように、データシンボル群＃４のある特定のキャリア（サブキャリア）（周波数）に制御情報シンボルを配置するということになる。
【０５１７】
なお、図５０のように周波数分割を行ってデータシンボル群を配置している周波数・時間エリアに制御情報シンボルを配置する際、例えば、キャリア＃１からキャリア＃１００が存在している場合、キャリア＃５、キャリア＃２５、キャリア＃４０、キャリア＃５５、キャリア＃７０、キャリア＃８５というように、特定のキャリアに制御情報シンボルを配置してもよいし、データシンボル群の配置に応じて、制御情報シンボルを配置してもよい。
【０５１８】
次に、図５０のフレーム構成としたときの利点について説明する。
図２５のフレーム構成の場合、受信装置が、データシンボル群＃１、データシンボル群＃２、データシンボル群＃４を復調・復号し、情報を得るために、第１プリアンブル２０１、第２プリアンブル２０２を得る必要があり、このため、受信装置は、第１プリアンブル２０１、第２プリアンブル２０２を受信するための周波数帯域の変調信号を得る必要がある。
【０５１９】
このような中、データシンボル群＃２のみが必要な端末が存在した場合、柔軟な端末設計を可能とするためには、データシンボル群＃２が占める周波数帯域だけで、データシンボル群＃２の復調・復号可能とするためのフレーム構成であることが望まれ、図５０のフレーム構成の場合、これを実現することができる。
図５０のようにフレームを構成した場合、図４９に示したように、データシンボル群＃２に制御情報シンボル（例えば、ＴＭＣＣ（Transmission Multiplexing Configuration Control））が周波数方向に挿入されているため、受信装置は、データシンボル群＃２のみの周波数帯域の変調信号を得ることで、データシンボル群＃２を復調・復号可能となる。したがって、柔軟な端末設計が可能となる。
【０５２０】
次に、図１の送信装置が送信する変調信号のフレーム構成が図５１の場合について説明する。図５１において、図２８と同様に動作するものについては、同一番号を付しており、また、縦軸は周波数、横軸は時間とする。なお、実施の形態１から実施の形態５と同様に、データシンボル群は、ＳＩＳＯ方式（ＳＩＭＯ方式）、ＭＩＭＯ方式、ＭＩＳＯ方式いずれかのシンボルであってもよい。
【０５２１】
図５１において、図２８と異なる点は、図２８における第１プリアンブル２０１と第２プリアンブル２０２が存在していない点ある。そして、データシンボル群＃１（２７０１）、データシンボル群＃２（２７０２）に、周波数方向に制御情報シンボル（例えば、ＴＭＣＣ（Transmission Multiplexing Configuration Control））を配置する。なお、制御情報シンボルには、例えば、フレーム同期、周波数同期、時間同期のためのシンボル、実施の形態５で説明したデータシンボル群が使用する周波数・時間リソースを通知するためのシンボル、データシンボル群を生成するための変調方式に関する情報、データシンボル群を生成するための誤り訂正方式（符号に関する情報・符号長に関する情報・符号化率に関する情報など）に関する情報などが含まれていることになる。
【０５２２】
図４９は、データシンボル群＃１（２７０１）およびデータシンボル群＃２（２７０２）に、周波数方向に制御情報シンボル（例えば、ＴＭＣＣ（Transmission Multiplexing Configuration Control））を配置するときの構成の例を示している。
図４９において、縦軸は周波数、横軸は時間とする。４９０１、４９０２、４９０３はデータシンボル群＃Ｘであり（図５１の場合、Ｘは１あるいは２となる。）、４９０４、４９０５は、制御情報シンボル（例えば、ＴＭＣＣ（Transmission Multiplexing Configuration Control））であるものとする。
【０５２３】
図４９に示すように、制御情報シンボル（４９０４、４９０５）は、ある特定のキャリア（サブキャリア）（周波数）に配置する。（なお、この特定のキャリアには、制御情報シンボル以外のシンボルが含まれていてもよいし、含まれていなくてもよい。）
例えば、図４９において、Ｘ＝１とする。すると、図４９のように、データシンボル群＃１のある特定のキャリア（サブキャリア）（周波数）に制御情報シンボルを配置するということになる。
【０５２４】
同様に、図４９において、Ｘ＝２とする。すると、図４９のように、データシンボル群＃２のある特定のキャリア（サブキャリア）（周波数）に制御情報シンボルを配置するということになる。
なお、図５１のように周波数分割を行ってデータシンボル群を配置している周波数・時間エリアに制御情報シンボルを配置する際、例えば、キャリア＃１からキャリア＃１００が存在している場合、キャリア＃５、キャリア＃２５、キャリア＃４０、キャリア＃５５、キャリア＃７０、キャリア＃８５というように、特定のキャリアに制御情報シンボルを配置してもよいし、データシンボル群の配置に応じて、制御情報シンボルを配置してもよい。
【０５２５】
次に、図５１のフレーム構成としたときの利点について説明する。
図２８のフレーム構成の場合、受信装置が、データシンボル群＃１、データシンボル群＃２を復調・復号し、情報を得るために、第１プリアンブル２０１、第２プリアンブル２０２を得る必要があり、このため、受信装置は、第１プリアンブル２０１、第２プリアンブル２０２を受信するための周波数帯域の変調信号を得る必要がある。
【０５２６】
このような中、データシンボル群＃２のみが必要な端末が存在した場合、柔軟な端末設計を可能とするためには、データシンボル群＃２が占める周波数帯域だけで、データシンボル群＃２の復調・復号可能とするためのフレーム構成であることが望まれ、図５１のフレーム構成の場合、これを実現することができる。
図５１のようにフレームを構成した場合、図４９に示したように、データシンボル群＃２に制御情報シンボル（例えば、ＴＭＣＣ（Transmission Multiplexing Configuration Control））が周波数方向に挿入されているため、受信装置は、データシンボル群＃２のみの周波数帯域の変調信号を得ることで、データシンボル群＃２を復調・復号可能となる。したがって、柔軟な端末設計が可能となる。
【０５２７】
次に、図１の送信装置が送信する変調信号のフレーム構成が図５２の場合について説明する。図５２において、図３２と同様に動作するものについては、同一番号を付しており、また、縦軸は周波数、横軸は時間とする。なお、実施の形態１から実施の形態５と同様に、データシンボル群は、ＳＩＳＯ方式（ＳＩＭＯ方式）、ＭＩＭＯ方式、ＭＩＳＯ方式いずれかのシンボルであってもよい。
【０５２８】
図５２において、図３２と異なる点は、図３２における第１プリアンブル２０１と第２プリアンブル２０２が存在していない点ある。そして、データシンボル群＃１（３００１）、データシンボル群＃２（３００２）、データシンボル群＃３（３００３）、データシンボル群＃４（３００４）、データシンボル群＃５（３００５）、データシンボル群＃６（３００６）に、周波数方向に制御情報シンボル（例えば、ＴＭＣＣ（Transmission Multiplexing Configuration Control））を配置する。なお、制御情報シンボルには、例えば、フレーム同期、周波数同期、時間同期のためのシンボル、実施の形態５で説明したデータシンボル群が使用する周波数・時間リソースを通知するためのシンボル、データシンボル群を生成するための変調方式に関する情報、データシンボル群を生成するための誤り訂正方式（符号に関する情報・符号長に関する情報・符号化率に関する情報など）に関する情報などが含まれていることになる。
【０５２９】
ただし、データシンボル群＃１（３００１）、データシンボル群＃２（３００２）、データシンボル群＃３（３００３）、データシンボル群＃４（３００４）、データシンボル群＃５（３００５）、データシンボル群＃６（３００６）のすべてに周波数方向に制御情報シンボルが配置されるとは限らない。この点について、図５３を用いて説明する。
図５３は、図５２における時刻ｔ１から時刻ｔ３における制御情報シンボルの配置の一例を示している。データシンボル群５３０１、５３０２、５３０３は、図５２の場合、データシンボル群＃１（３００１）、データシンボル群＃２（３００２）、データシンボル群＃３（３００３）、データシンボル群＃４（３００４）、データシンボル群＃５（３００５）、データシンボル群＃６（３００６）のいずれかを含んでいることになる。
【０５３０】
図５３の５３０４、５３０５は制御情報シンボルであり、周波数方向に制御情報シンボル（例えば、ＴＭＣＣ（Transmission Multiplexing Configuration Control））を配置する。制御情報シンボル５３０４は、図５３に示すように、特定のキャリアに配置され、また、制御情報シンボル５３０５は、図５３に示すように、特定のキャリア（サブキャリア）（周波数）に配置される（なお、この特定のキャリアには、制御情報シンボル以外のシンボルが含まれていてもよいし、含まれていなくてもよい。）。
【０５３１】
図５２のように周波数分割を行ってデータシンボル群を配置している周波数・時間エリアに制御情報シンボルを配置する際、例えば、キャリア＃１からキャリア＃１００が存在している場合、キャリア＃５、キャリア＃２５、キャリア＃４０、キャリア＃５５、キャリア＃７０、キャリア＃８５というように、特定のキャリアに制御情報シンボルを配置してもよいし、データシンボル群の配置に応じて、制御情報シンボルを配置してもよい。
【０５３２】
次に、図５２のフレーム構成としたときの利点について説明する。
図３２のフレーム構成の場合、受信装置が、データシンボル群＃１（３００１）、データシンボル群＃２（３００２）、データシンボル群＃３（３００３）、データシンボル群＃４（３００４）、データシンボル群＃５（３００５）、データシンボル群＃６（３００６）を復調・復号し、情報を得るために、第１プリアンブル２０１、第２プリアンブル２０２を得る必要があり、このため、受信装置は、第１プリアンブル２０１、第２プリアンブル２０２を受信するための周波数帯域の変調信号を得る必要がある。
【０５３３】
このような中、データシンボル群＃２のみが必要な端末が存在した場合、柔軟な端末設計を可能とするためには、データシンボル群＃２が占める周波数帯域だけで、データシンボル群＃２の復調・復号可能とするためのフレーム構成であることが望まれ、図５２のフレーム構成の場合、これを実現することができる。
図５２のようにフレームを構成した場合、図５３に示したように、データシンボル群に制御情報シンボル（例えば、ＴＭＣＣ（Transmission Multiplexing Configuration Control））が周波数方向に挿入されているため、受信装置は、データシンボル群＃２周辺の周波数帯域の変調信号を得ることで、データシンボル群＃２を復調・復号可能となる。したがって、柔軟な端末設計が可能となる。
【０５３４】
次に、図１の送信装置が送信する変調信号のフレーム構成が図５４の場合について説明する。図５４において、図３６と同様に動作するものについては、同一番号を付しており、また、縦軸は周波数、横軸は時間とする。なお、実施の形態１から実施の形態５と同様に、データシンボル群は、ＳＩＳＯ方式（ＳＩＭＯ方式）、ＭＩＭＯ方式、ＭＩＳＯ方式いずれかのシンボルであってもよい。
【０５３５】
図５４において、図３６と異なる点は、図３６における第１プリアンブル２０１と第２プリアンブル２０２、第１プリアンブル５０１と第２プリアンブル５０２が存在していない点ある。そして、データシンボル群＃１（３４０１）、データシンボル群＃２（３４０２）、データシンボル群＃３（３４０３）、データシンボル群＃４（３４０４）、データシンボル群＃５（３４０５）、データシンボル群＃６（３４０６）、データシンボル群＃７（３４０７）、データシンボル群＃８（３４０８）、データシンボル群＃９（３５０９）、データシンボル群＃１０（３５１０）、データシンボル群＃１１（３５１１）、データシンボル群＃１２（３５１２）、データシンボル群＃１３（３５１３）に、周波数方向に制御情報シンボル（例えば、ＴＭＣＣ（Transmission Multiplexing Configuration Control））を配置する。なお、制御情報シンボルには、例えば、フレーム同期、周波数同期、時間同期のためのシンボル、実施の形態５で説明したデータシンボル群が使用する周波数・時間リソースを通知するためのシンボル、データシンボル群を生成するための変調方式に関する情報、データシンボル群を生成するための誤り訂正方式（符号に関する情報・符号長に関する情報・符号化率に関する情報など）に関する情報などが含まれていることになる。
【０５３６】
ただし、データシンボル群＃１（３４０１）、データシンボル群＃２（３４０２）、データシンボル群＃３（３４０３）、データシンボル群＃４（３４０４）、データシンボル群＃５（３４０５）、データシンボル群＃６（３４０６）、データシンボル群＃７（３４０７）、データシンボル群＃８（３４０８）、データシンボル群＃９（３５０９）、データシンボル群＃１０（３５１０）、データシンボル群＃１１（３５１１）、データシンボル群＃１２（３５１２）、データシンボル群＃１３（３５１３）のすべてに周波数方向に制御情報シンボルが配置されるとは限らない。この点について、図５３を用いて説明する。
【０５３７】
図５３は、図５４における時刻ｔ１から時刻ｔ３における制御情報シンボルの配置の一例を示している。データシンボル群５３０１、５３０２、５３０３は、図５４の場合、データシンボル群＃１（３４０１）、データシンボル群＃２（３４０２）、データシンボル群＃３（３４０３）、データシンボル群＃４（３４０４）、データシンボル群＃５（３４０５）、データシンボル群＃６（３４０６）、データシンボル群＃７（３４０７）、データシンボル群＃８（３４０８）、データシンボル群＃９（３５０９）、データシンボル群＃１０（３５１０）、データシンボル群＃１１（３５１１）、データシンボル群＃１２（３５１２）、データシンボル群＃１３（３５１３）のいずれかを含んでいることになる。
【０５３８】
図５３の５３０４、５３０５は制御情報シンボルであり、周波数方向に制御情報シンボル（例えば、ＴＭＣＣ（Transmission Multiplexing Configuration Control））を配置する。制御情報シンボル５３０４は、図５３に示すように、特定のキャリアに配置され、また、制御情報シンボル５３０５は、図５３に示すように、特定のキャリア（サブキャリア）（周波数）に配置される（なお、この特定のキャリアには、制御情報シンボル以外のシンボルが含まれていてもよいし、含まれていなくてもよい。）。
【０５３９】
図５４のように周波数分割を行ってデータシンボル群を配置している周波数・時間エリアに制御情報シンボルを配置する際、例えば、キャリア＃１からキャリア＃１００が存在している場合、キャリア＃５、キャリア＃２５、キャリア＃４０、キャリア＃５５、キャリア＃７０、キャリア＃８５というように、特定のキャリアに制御情報シンボルを配置してもよいし、データシンボル群の配置に応じて、制御情報シンボルを配置してもよい。
【０５４０】
次に、図５４のフレーム構成としたときの利点について説明する。
図３６のフレーム構成の場合、受信装置が、データシンボル群＃１（３４０１）、データシンボル群＃２（３４０２）、データシンボル群＃３（３４０３）、データシンボル群＃４（３４０４）、データシンボル群＃５（３４０５）、データシンボル群＃６（３４０６）、データシンボル群＃７（３４０７）、データシンボル群＃８（３４０８）、データシンボル群＃９（３５０９）、データシンボル群＃１０（３５１０）、データシンボル群＃１１（３５１１）、データシンボル群＃１２（３５１２）、データシンボル群＃１３（３５１３）を復調・復号し、情報を得るために、第１プリアンブル２０１、第２プリアンブル２０２、第１プリアンブル５０１、第２プリアンブル５０２を得る必要があり、このため、受信装置は、第１プリアンブル２０１、第２プリアンブル２０２、第１プリアンブル５０１、第２プリアンブル５０２を受信するための周波数帯域の変調信号を得る必要がある。
【０５４１】
このような中、データシンボル群＃２のみが必要な端末が存在した場合、柔軟な端末設計を可能とするためには、データシンボル群＃２が占める周波数帯域だけで、データシンボル群＃２の復調・復号可能とするためのフレーム構成であることが望まれ、図５４のフレーム構成の場合、これを実現することができる。
図５４のようにフレームを構成した場合、図５３に示したように、データシンボル群に制御情報シンボル（例えば、ＴＭＣＣ（Transmission Multiplexing Configuration Control））が周波数方向に挿入されているため、受信装置は、データシンボル群＃２周辺の周波数帯域の変調信号を得ることで、データシンボル群＃２を復調・復号可能となる。したがって、柔軟な端末設計が可能となる。
【０５４２】
以上の例のように、周波数分割を用いてデータシンボル群を配置する場合、制御情報シンボルを周波数方向に配置することで、柔軟な端末設計が可能となるという効果を得ることができる。なお、時（時間）分割を用いて配置したデータシンボル群に関連する制御情報シンボルは、図４８、図５０、図５１、図５２、図５４のように、第１プリアンブル、第２プリアンブルに含まれることになる。
【０５４３】
なお、第１プリアンブル、第２プリアンブルに、周波数分割されたデータシンボル群に関連する制御情報が含まれていてもよいし、図４９、図５３に示した制御情報シンボル（４９０４、４９０５、５３０４、５３０５）に、時（時間）分割されたデータシンボル群に関連する制御情報が含まれていてもよい。
（実施の形態７）
実施の形態１から実施の形態６（特に、実施の形態１）において、変調信号に対し、位相変更を行う場合について説明した。本実施の形態では、特に、周波数分割を行ったデータシンボル群に対する位相変更方法について説明する。
【０５４４】
実施の形態１において、ベースバンド信号ｓ１（ｔ）（ｓ１（ｉ））またはベースバンド信号ｓ２（ｔ）（ｓ２（ｉ））の両者、または、一方に位相変更を行うことを説明した。本方法の特徴としては、送信フレームにおいて、ベースバンド信号ｓ１（ｔ）とベースバンド信号ｓ２（ｔ）を送信するシンボル以外に存在する、例えば、パイロットシンボル（リファレンスシンボル、ユニークワード、ポストアンブル）、第１プリアンブル、第２プリアンブル、制御情報シンボルなどには、位相変更を施さないことになる。
【０５４５】
そして、「ベースバンド信号ｓ１（ｔ）（ｓ１（ｉ））またはベースバンド信号ｓ２（ｔ）（ｓ２（ｉ））の両者、または、一方に位相変更を行う」周波数分割を行ったデータシンボル群の位相変更方法について、以下のような場合がある。
第１のケース：
図５５を用いて、第１のケースを説明する。図５５において、縦軸は時間、横軸は周波数とする。図５５（Ａ）は、実施の形態１における変調信号ｚ１（ｔ）（ｚ１（ｉ））のフレーム構成を示しており、図５５（Ｂ）は、実施の形態１における変調信号ｚ２（ｔ）（ｚ２（ｉ））のフレーム構成を示しており、同一時刻、同一周波数（キャリア番号が同一）の変調信号ｚ１（ｔ）（ｚ１（ｉ））のシンボルと変調信号ｚ２（ｔ）（ｚ２（ｉ））のシンボルは異なるアンテナから送信されることになる。
【０５４６】
図５５において、「Ｐ」と記載されているシンボルは、パイロットシンボルであり、前にも記載したように、パイロットシンボルには位相変更を施さないものとする。図５５（Ａ）、図５５（Ｂ）において、「Ｐ」と記載されているシンボル以外のシンボルはデータを伝送するためのシンボル（データシンボル）であるものとする。なお、図５５（Ａ）、図５５（Ｂ）では、データシンボルとパイロットシンボルでフレームを構成しているが、あくまでも一例であり、前にも記載したように、制御情報シンボル等のシンボルが含まれていてもよい。このとき、例えば、制御情報シンボルには位相変更を施さない。
【０５４７】
図５５（Ａ）の５５０１はデータシンボル群＃１に属するデータシンボルを配置する領域であり、５５０２はデータシンボル群＃２に属するデータシンボルを配置する領域である。そして、図５５（Ｂ）の５５０３はデータシンボル群＃１に属するデータシンボルを配置する領域であり、５５０４はデータシンボル群＃２に属するデータシンボル群を配置する領域である。よって、図５５の例では、データシンボル群は、周波数分割を行い配置されていることになる。
【０５４８】
図５５のデータシンボル群において、位相変更の周期は７であり、「位相変更＄０、位相変更＄１、位相変更＄２、位相変更＄３、位相変更＄４、位相変更＄５、位相変更＄６」の７種類のうちのいずれかの位相変更が施されるものとする。
図５５（Ａ）の領域５５０１のデータシンボル群＃１のシンボルにおいて、例えば、「＃０  ＄０」と記載されているシンボルがある。このとき、「＃０」は、データシンボル群＃１の「０番目のシンボル」であることを意味している。そして、「＄０」は、「位相変更＄０」の位相変更を行うことを意味している。
【０５４９】
また、「＃１  ＄１」と記載されているシンボルがある。このとき、「＃１」は、データシンボル群＃１の「１番目のシンボル」であることを意味している。そして、「＄１」は、「位相変更＄１」の位相変更を行うことを意味している。
したがって、「＃Ｘ  ＄Ｙ」と記載されているシンボルがある（Ｘは０以上の整数、Ｙは０以上６以下の整数）。このとき、「＃Ｘ」は、データシンボル群＃１の「Ｘ番目のシンボル」であることを意味している。そして、「＄Ｙ」は、「位相変更＄Ｙ」の位相変更を行うことを意味している。
【０５５０】
図５５（Ａ）の領域５５０２のデータシンボル群＃２のシンボルにおいて、例えば、「％０  ＄０」と記載されているシンボルがある。このとき、「％０」は、データシンボル群＃２の「０番目のシンボル」であることを意味している。そして、「＄０」は、「位相変更＄０」の位相変更を行うことを意味している。
また、「％１  ＄１」と記載されているシンボルがある。このとき、「％１」は、データシンボル群＃２の「１番目のシンボル」であることを意味している。そして、「＄１」は、「位相変更＄１」の位相変更を行うことを意味している。
【０５５１】
したがって、「％Ｘ  ＄Ｙ」と記載されているシンボルがある（Ｘは０以上の整数、Ｙは０以上６以下の整数）。このとき、「％Ｘ」は、データシンボル群＃２の「Ｘ番目のシンボル」であることを意味している。そして、「＄Ｙ」は、「位相変更＄Ｙ」の位相変更を行うことを意味している。
図５５（Ｂ）の領域５５０３のデータシンボル群＃１のシンボルにおいて、例えば、「＃０  ＄０」と記載されているシンボルがある。このとき、「＃０」は、データシンボル群＃１の「０番目のシンボル」であることを意味している。そして、「＄０」は、「位相変更＄０」の位相変更を行うことを意味している。
【０５５２】
また、「＃１  ＄１」と記載されているシンボルがある。このとき、「＃１」は、データシンボル群＃１の「１番目のシンボル」であることを意味している。そして、「＄１」は、「位相変更＄１」の位相変更を行うことを意味している。
したがって、「＃Ｘ  ＄Ｙ」と記載されているシンボルがある（Ｘは０以上の整数、Ｙは０以上６以下の整数）。このとき、「＃Ｘ」は、データシンボル群＃１の「Ｘ番目のシンボル」であることを意味している。そして、「＄Ｙ」は、「位相変更＄Ｙ」の位相変更を行うことを意味している。
【０５５３】
図５５（Ｂ）の領域５５０４のデータシンボル群＃２のシンボルにおいて、例えば、「％０  ＄０」と記載されているシンボルがある。このとき、「％０」は、データシンボル群＃２の「０番目のシンボル」であることを意味している。そして、「＄０」は、「位相変更＄０」の位相変更を行うことを意味している。
また、「％１  ＄１」と記載されているシンボルがある。このとき、「％１」は、データシンボル群＃２の「１番目のシンボル」であることを意味している。そして、「＄１」は、「位相変更＄１」の位相変更を行うことを意味している。
【０５５４】
したがって、「％Ｘ  ＄Ｙ」と記載されているシンボルがある（Ｘは０以上の整数、Ｙは０以上６以下の整数）。このとき、「％Ｘ」は、データシンボル群＃２の「Ｘ番目のシンボル」であることを意味している。そして、「＄Ｙ」は、「位相変更＄Ｙ」の位相変更を行うことを意味している。
このとき、変調信号ｚ１のデータシンボルにおいて、周期７の位相変更を行うことになる。例えば、「位相変更＄０として（２×０×π）／１４ラジアンの位相変更を行い」、「位相変更＄１として（２×１×π）／１４ラジアンの位相変更を行い」、「位相変更＄２として（２×２×π）／１４ラジアンの位相変更を行い」、「位相変更＄３として（２×３×π）／１４ラジアンの位相変更を行い」、「位相変更＄４として（２×４×π）／１４ラジアンの位相変更を行い」、「位相変更＄５として（２×５×π）／１４ラジアンの位相変更を行い」、「位相変更＄６として（２×６×π）／１４ラジアンの位相変更を行う」ものとする（ただし、位相変更の値は、これらに限ったものではない）。
【０５５５】
そして、変調信号ｚ２のデータシンボルにおいて、周期７の位相変更を行うことになる。例えば、「位相変更＄０として―（２×０×π）／１４ラジアンの位相変更を行い」、「位相変更＄１として―（２×１×π）／１４ラジアンの位相変更を行い」、「位相変更＄２として―（２×２×π）／１４ラジアンの位相変更を行い」、「位相変更＄３として―（２×３×π）／１４ラジアンの位相変更を行い」、「位相変更＄４として―（２×４×π）／１４ラジアンの位相変更を行い」、「位相変更＄５として―（２×５×π）／１４ラジアンの位相変更を行い」、「位相変更＄６として―（２×６×π）／１４ラジアンの位相変更を行う」ものとする（ただし、位相変更の値は、これらに限ったものではない）。
【０５５６】
（なお、前にも説明したように、変調信号ｚ１は位相変更を行い、変調信号ｚ２は行わない、としてもよい。また、変調信号ｚ１は位相変更を行わず、変調信号ｚ２は位相変更を行うとしてもよい。）
第１のケースの特徴は、「データシンボル群＃１とデータシンボル群＃２と合わせて、周期７の位相変更を行っている」点である。（つまり、属しているデータシンボル群にかかわらず、フレーム全体のデータシンボルで、周期７の位相変更を行うことになる。）
第２のケース：
図５６を用いて、第２のケースを説明する。図５６において、縦軸は時間、横軸は周波数とする。図５６（Ｂ）は、実施の形態１における変調信号ｚ１（ｔ）（ｚ１（ｉ））のフレーム構成を示しており、図５６（Ｂ）は、実施の形態１における変調信号ｚ２（ｔ）（ｚ２（ｉ））のフレーム構成を示しており、同一時刻、同一周波数（キャリア番号が同一）の変調信号ｚ１（ｔ）（ｚ１（ｉ））のシンボルと変調信号ｚ２（ｔ）（ｚ２（ｉ））のシンボルは異なるアンテナから送信されることになる。
【０５５７】
図５６において、「Ｐ」と記載されているシンボルは、パイロットシンボルであり、前にも記載したように、パイロットシンボルには位相変更を施さないものとする。図５６（Ａ）、図５６（Ｂ）において、「Ｐ」と記載されているシンボル以外のシンボルはデータを伝送するためのシンボル（データシンボル）であるものとする。なお、図５６（Ａ）、図５６（Ｂ）では、データシンボルとパイロットシンボルでフレームを構成しているが、あくまでも一例えあり、前にも記載したように、制御情報シンボルなどのシンボルが含まれていてもよい。このとき、例えば、制御情報シンボルは位相変更を施さない。
【０５５８】
図５６（Ａ）の５５０１はデータシンボル群＃１に属するデータシンボルを配置する領域であり、５５０２はデータシンボル群＃２に属するデータシンボルを配置する領域である。そして、図５６（Ｂ）の５５０３はデータシンボル群＃１に属するデータシンボルを配置する領域であり、５５０４はデータシンボル群＃２に属するデータシンボル群を配置する領域である。よって、図５６の例では、データシンボル群は、周波数分割を行い配置されていることになる。
【０５５９】
図５６のデータシンボル群＃１において、位相変更の周期は７であり、「位相変更＄０、位相変更＄１、位相変更＄２、位相変更＄３、位相変更＄４、位相変更＄５、位相変更＄６」の７種類のうちのいずれかの位相変更が施されるものとする。そして、図５６のデータシンボル群＃２において、位相変更の周期は５であり、「位相変更♭０、位相変更♭１、位相変更♭２、位相変更♭３、位相変更♭４」の５種類のうちのいずれかの位相変更が施されるものとする。
【０５６０】
図５６（Ａ）の領域５５０１のデータシンボル群＃１のシンボルにおいて、例えば、「＃０  ＄０」と記載されているシンボルがある。このとき、「＃０」は、データシンボル群＃１の「０番目のシンボル」であることを意味している。そして、「＄０」は、「位相変更＄０」の位相変更を行うことを意味している。
また、「＃１  ＄１」と記載されているシンボルがある。このとき、「＃１」は、データシンボル群＃１の「１番目のシンボル」であることを意味している。そして、「＄１」は、「位相変更＄１」の位相変更を行うことを意味している。
【０５６１】
したがって、「＃Ｘ  ＄Ｙ」と記載されているシンボルがある（Ｘは０以上の整数、Ｙは０以上６以下の整数）。このとき、「＃Ｘ」は、データシンボル群＃１の「Ｘ番目のシンボル」であることを意味している。そして、「＄Ｙ」は、「位相変更＄Ｙ」の位相変更を行うことを意味している。
図５６（Ａ）の領域５５０２のデータシンボル群＃２のシンボルにおいて、例えば、「％０  ♭０」と記載されているシンボルがある。このとき、「％０」は、データシンボル群＃２の「０番目のシンボル」であることを意味している。そして、「♭０」は、「位相変更♭０」の位相変更を行うことを意味している。
【０５６２】
また、「％１  ♭１」と記載されているシンボルがある。このとき、「％１」は、データシンボル群＃２の「１番目のシンボル」であることを意味している。そして、「♭１」は、「位相変更♭１」の位相変更を行うことを意味している。
したがって、「％Ｘ  ♭Ｙ」と記載されているシンボルがある（Ｘは０以上の整数、Ｙは０以上４以下の整数）。このとき、「％Ｘ」は、データシンボル群＃２の「Ｘ番目のシンボル」であることを意味している。そして、「♭Ｙ」は、「位相変更♭Ｙ」の位相変更を行うことを意味している。
【０５６３】
図５６（Ｂ）の領域５５０３のデータシンボル群＃１のシンボルにおいて、例えば、「＃０  ＄０」と記載されているシンボルがある。このとき、「＃０」は、データシンボル群＃１の「０番目のシンボル」であることを意味している。そして、「＄０」は、「位相変更＄０」の位相変更を行うことを意味している。
また、「＃１  ＄１」と記載されているシンボルがある。このとき、「＃１」は、データシンボル群＃１の「１番目のシンボル」であることを意味している。そして、「＄１」は、「位相変更＄１」の位相変更を行うことを意味している。
【０５６４】
したがって、「＃Ｘ  ＄Ｙ」と記載されているシンボルがある（Ｘは０以上の整数、Ｙは０以上６以下の整数）。このとき、「＃Ｘ」は、データシンボル群＃１の「Ｘ番目のシンボル」であることを意味している。そして、「＄Ｙ」は、「位相変更＄Ｙ」の位相変更を行うことを意味している。
図５６（Ｂ）の領域５５０４のデータシンボル群＃２のシンボルにおいて、例えば、「％０  ♭０」と記載されているシンボルがある。このとき、「％０」は、データシンボル群＃２の「０番目のシンボル」であることを意味している。そして、「♭０」は、「位相変更♭０」の位相変更を行うことを意味している。
【０５６５】
また、「％１  ♭１」と記載されているシンボルがある。このとき、「％１」は、データシンボル群＃２の「１番目のシンボル」であることを意味している。そして、「♭１」は、「位相変更♭１」の位相変更を行うことを意味している。
したがって、「％Ｘ  ♭Ｙ」と記載されているシンボルがある（Ｘは０以上の整数、Ｙは０以上４以下の整数）。このとき、「％Ｘ」は、データシンボル群＃２の「Ｘ番目のシンボル」であることを意味している。そして、「♭Ｙ」は、「位相変更♭Ｙ」の位相変更を行うことを意味している。
【０５６６】
このとき、変調信号ｚ１のデータシンボル群＃１において、周期７の位相変更を行うことになる。例えば、「位相変更＄０として（２×０×π）／１４ラジアンの位相変更を行い」、「位相変更＄１として（２×１×π）／１４ラジアンの位相変更を行い」、「位相変更＄２として（２×２×π）／１４ラジアンの位相変更を行い」、「位相変更＄３として（２×３×π）／１４ラジアンの位相変更を行い」、「位相変更＄４として（２×４×π）／１４ラジアンの位相変更を行い」、「位相変更＄５として（２×５×π）／１４ラジアンの位相変更を行い」、「位相変更＄６として（２×６×π）／１４ラジアンの位相変更を行う」ものとする（ただし、位相変更の値は、これらに限ったものではない）。
【０５６７】
そして、変調信号ｚ２のデータシンボル群＃１において、周期７の位相変更を行うことになる。例えば、「位相変更＄０として―（２×０×π）／１４ラジアンの位相変更を行い」、「位相変更＄１として―（２×１×π）／１４ラジアンの位相変更を行い」、「位相変更＄２として―（２×２×π）／１４ラジアンの位相変更を行い」、「位相変更＄３として―（２×３×π）／１４ラジアンの位相変更を行い」、「位相変更＄４として―（２×４×π）／１４ラジアンの位相変更を行い」、「位相変更＄５として―（２×５×π）／１４ラジアンの位相変更を行い」、「位相変更＄６として―（２×６×π）／１４ラジアンの位相変更を行う」ものとする（ただし、位相変更の値は、これらに限ったものではない）。
（なお、前にも説明したように、変調信号ｚ１のデータシンボル群＃１は位相変更を行い、変調信号ｚ２のデータシンボル群＃１は行わない、としてもよい。また、変調信号ｚ１のデータシンボル群＃１は位相変更を行わず、変調信号ｚ２のデータシンボル群＃１は位相変更を行うとしてもよい。）
そして、変調信号ｚ１のデータシンボル群＃２において、周期５の位相変更を行うことになる。例えば、「位相変更♭０として（２×０×π）／１０ラジアンの位相変更を行い」、「位相変更♭１として（２×１×π）／１０ラジアンの位相変更を行い」、「位相変更♭２として（２×２×π）／１０ラジアンの位相変更を行い」、「位相変更♭３として（２×３×π）／１０ラジアンの位相変更を行い」、「位相変更♭４として（２×４×π）／１０ラジアンの位相変更を行う」ものとする（ただし、位相変更の値は、これらに限ったものではない）。
【０５６８】
そして、変調信号ｚ２のデータシンボル群＃２において、周期５の位相変更を行うことになる。例えば、「位相変更♭０として―（２×０×π）／１０ラジアンの位相変更を行い」、「位相変更♭１として―（２×１×π）／１０ラジアンの位相変更を行い」、「位相変更♭２として―（２×２×π）／１０ラジアンの位相変更を行い」、「位相変更♭３として―（２×３×π）／１０ラジアンの位相変更を行い」、「位相変更♭４として―（２×４×π）／１０ラジアンの位相変更を行う」ものとする（ただし、位相変更の値は、これらに限ったものではない）。
（なお、前にも説明したように、変調信号ｚ１のデータシンボル群＃２は位相変更を行い、変調信号ｚ２のデータシンボル群＃２は行わない、としてもよい。また、変調信号ｚ１のデータシンボル群＃２は位相変更を行わず、変調信号ｚ２のデータシンボル群＃２は位相変更を行うとしてもよい。）
第２のケースの特徴は、「データシンボル群＃１において、周期７の位相変更を行っており、また、データシンボル群＃２において、周期５の位相変更を行っている」点である。（つまり、各データシンボル群で固有の位相変更を行うことになる。ただし、異なるデータシンボルで、同一の位相変更を施してもよい。）
第３のケース：
図５７は、第３のケースのときの送信局と端末の関係を示している。端末＃３（５７０３）は、送信局＃１（５７０１）が送信する変調信号＃１と送信局＃２（５７０２）が送信する変調信号＃２を受信することが可能であるものとする。例えば、周波数帯域Ａにおいて、変調信号＃１と変調信号＃２において、同一のデータを伝送しているものとする。つまり、データ系列に対し、ある変調方式でマッピングされたベースバンド信号をｓ１（ｔ，ｆ）とする（ただし、ｔは時間、ｆは周波数とする。）と、送信局＃１、送信局＃２ともにｓ１（ｔ，ｆ）に基づく変調信号を送信するものとする。
【０５６９】
したがって、端末＃３（５７０３）は、周波数帯域Ａでは、送信局＃１が送信した変調信号と送信局＃２が送信した変調信号の両者を受信し、データを復調・復号することになる。
図５８は、送信局＃１、送信局＃２の構成の一例であり、前に説明したように周波数帯域Ａのように、送信局＃１、送信局＃２ともにｓ１（ｔ，ｆ）に基づく変調信号を送信する場合を考える。
【０５７０】
誤り訂正符号化部５８０２は、情報５８０１、送信方法に関する信号５８１３を入力とし、送信方法に関する信号５８１３に含まれる誤り訂正符号化方法に関する情報に基づき、誤り訂正符号化を行い、データ５８０３を出力する。
マッピング部５８０４は、データ５８０３、送信方法の関する信号５８１３を入力とし、送信方法に関する信号５８１３に含まれる変調方式に関する情報に基づき、マッピングを行い、ベースバンド信号５８０５（ｓ１（ｔ，ｆ））を出力する。（なお、誤り訂正符号化部５８０２とマッピング部５８０４の間で、データインタリーブ（データの順番の並び替え）を行ってもよい。）
制御情報シンボル生成部５８０７は、制御情報５８０６、送信方法に関する情報５８１３を入力とし、送信方法に関する信号５８１３に含まれる送信方法に関する情報に基づき、制御情報シンボルを生成し、制御情報シンボルのベースバンド信号５８０８を出力する。
【０５７１】
パイロットシンボル生成部５８０９は、送信方法に関する信号５８１３を入力とし、これに基づき、パイロットシンボルを生成し、パイロットシンボルのベースバンド信号５８１０を出力する。
送信方法指示部５８１２は、送信方法指示情報５８１１を入力とし、送信方法に関する信号５８１３を生成、出力する。
【０５７２】
位相変更部５８１４は、ベースバンド信号５８０５（ｓ１（ｔ，ｆ））、制御情報シンボルのベースバンド信号５８０８、パイロットシンボルのベースバンド信号５８１０、送信方法に関する信号５８１３を入力とし、送信方法に関する信号５８１３に含まれるフレーム構成の情報、位相変更に関する情報に基づいて、位相変更を行い、フレーム構成に基づくベースバンド信号５８１５を出力する。なお、詳細については、図５９、図６０を用いて、後で説明する。
【０５７３】
無線部５８１６は、フレーム構成に基づくベースバンド信号５８１５、送信方法に関する信号５８１３を入力とし、送信方法に関する信号５８１３に基づき、インタリーブ、逆フーリエ変換、周波数変換等の処理を施し、送信信号５８１７を生成、出力し、送信信号５８１７は、アンテナ５８１８から電波として出力される。
図５９は、図５８は送信局が送信する変調信号（送信信号）のフレーム構成の一例を示している。図５９において、縦軸は時間、横軸は周波数とする。図５９において、「Ｐ」と記載されているシンボルは、パイロットシンボルであり、第３のケースの特徴として、パイロットシンボルに位相変更を施すものとする。また、「Ｃ」と記載されているシンボルは、制御情報シンボルであり、第３のケースの特徴として、制御情報シンボルに位相変更を施すものとする。なお、図５９は、制御情報シンボルを時間軸方向に配置するときの例である。
【０５７４】
図５９のフレームにおいて、位相変更の周期は７であり、「位相変更＄０、位相変更＄１、位相変更＄２、位相変更＄３、位相変更＄４、位相変更＄５、位相変更＄６」の７種類のうちのいずれかの位相変更が施されるものとする。
図５９の領域５９０１のデータシンボル群＃１のシンボルにおいて、例えば、「＃０  ＄１」と記載されているシンボルがある。このとき、「＃０」は、データシンボル群＃１の「０番目のシンボル」であることを意味している。そして、「＄１」は、「位相変更＄１」の位相変更を行うことを意味している。
【０５７５】
また、「＃１  ＄２」と記載されているシンボルがある。このとき、「＃１」は、データシンボル群＃１の「１番目のシンボル」であることを意味している。そして、「＄２」は、「位相変更＄２」の位相変更を行うことを意味している。
したがって、「＃Ｘ  ＄Ｙ」と記載されているシンボルがある（Ｘは０以上の整数、Ｙは０以上６以下の整数）。このとき、「＃Ｘ」は、データシンボル群＃１の「Ｘ番目のシンボル」であることを意味している。そして、「＄Ｙ」は、「位相変更＄Ｙ」の位相変更を行うことを意味している。
【０５７６】
図５９の領域５９０２のデータシンボル群＃２のシンボルにおいて、例えば、「％０  ＄３」と記載されているシンボルがある。このとき、「％０」は、データシンボル群＃２の「０番目のシンボル」であることを意味している。そして、「＄３」は、「位相変更＄３」の位相変更を行うことを意味している。
また、「％１  ＄４」と記載されているシンボルがある。このとき、「％１」は、データシンボル群＃２の「１番目のシンボル」であることを意味している。そして、「＄４」は、「位相変更＄４」の位相変更を行うことを意味している。
【０５７７】
したがって、「％Ｘ  ＄Ｙ」と記載されているシンボルがある（Ｘは０以上の整数、Ｙは０以上６以下の整数）。このとき、「％Ｘ」は、データシンボル群＃２の「Ｘ番目のシンボル」であることを意味している。そして、「＄Ｙ」は、「位相変更＄Ｙ」の位相変更を行うことを意味している。
また、図５９において、例えば、「Ｃ  ＄０」と記載されているシンボルがある。このとき、「Ｃ」は制御情報シンボルであることを意味しており、「＄０」は、「位相変更＄０」の位相変更を行うことを意味している。
【０５７８】
したがって、「Ｃ  ＄Ｙ」と記載されているシンボルがある（Ｙは０以上６以下の整数）。このとき、「Ｃ」は、制御情報シンボルであることを意味しており、「＄Ｙ」は、「位相変更＄Ｙ」の位相変更を行うことを意味している。
また、図５９において、例えば、「Ｐ  ＄０」と記載されているシンボルがある。このとき、「Ｐ」はパイロットシンボルであることを意味しており、「＄０」は、「位相変更＄０」の位相変更を行うことを意味している。
【０５７９】
したがって、「Ｐ  ＄Ｙ」と記載されているシンボルがある（Ｙは０以上６以下の整数）。このとき、「Ｐ」は、パイロットシンボルであることを意味しており、「＄Ｙ」は、「位相変更＄Ｙ」の位相変更を行うことを意味している。
このとき、変調信号のデータシンボルにおいて、周期７の位相変更を行うことになる。例えば、「位相変更＄０として（２×０×π）／７ラジアンの位相変更を行い」、「位相変更＄１として（２×１×π）／７ラジアンの位相変更を行い」、「位相変更＄２として（２×２×π）／７ラジアンの位相変更を行い」、「位相変更＄３として（２×３×π）／７ラジアンの位相変更を行い」、「位相変更＄４として（２×４×π）／７ラジアンの位相変更を行い」、「位相変更＄５として（２×５×π）／７ラジアンの位相変更を行い」、「位相変更＄６として（２×６×π）／７ラジアンの位相変更を行う」ものとする（ただし、位相変更の値は、これらに限ったものではない）。
なお、図５７の送信局＃１（５７０１）が送信する変調信号＃１と送信局＃２（５７０２）が送信する変調信号＃２において、変調信号＃１および変調信号＃２両者に対し、位相変更を施してもよい（ただし、変調信号＃１、変調信号＃２に対し、異なる位相変更を施してよい（位相変更値が異なっていてもよいし、変調信号＃１の位相変更の周期と変調信号＃２の位相変更の周期が異なっていてもよい。）。また、変調信号＃１は位相変更を行い、変調信号＃２は行わない、としてもよい。そして、変調信号＃１は位相変更を行わず、変調信号＃２は位相変更を行うとしてもよい。）
図６０は、図５８は送信局が送信する変調信号（送信信号）のフレーム構成の一例を示している。図６０において、縦軸は時間、横軸は周波数とする。図６０において、「Ｐ」と記載されているシンボルは、パイロットシンボルであり、第３のケースの特徴として、パイロットシンボルに位相変更を施すものとする。また、「Ｃ」と記載されているシンボルは、制御情報シンボルであり、第３のケースの特徴として、制御情報シンボルに位相変更を施すものとする。なお、図６０は、制御情報シンボルを周波数軸方向に配置するときの例である。
【０５８０】
図６０のフレームにおいて、位相変更の周期は７であり、「位相変更＄０、位相変更＄１、位相変更＄２、位相変更＄３、位相変更＄４、位相変更＄５、位相変更＄６」の７種類のうちのいずれかの位相変更が施されるものとする。
図６０の領域６００１のデータシンボル群＃１のシンボルにおいて、例えば、「＃０  ＄０」と記載されているシンボルがある。このとき、「＃０」は、データシンボル群＃１の「０番目のシンボル」であることを意味している。そして、「＄０」は、「位相変更＄０」の位相変更を行うことを意味している。
【０５８１】
また、「＃１  ＄１」と記載されているシンボルがある。このとき、「＃１」は、データシンボル群＃１の「１番目のシンボル」であることを意味している。そして、「＄１」は、「位相変更＄１」の位相変更を行うことを意味している。
したがって、「＃Ｘ  ＄Ｙ」と記載されているシンボルがある（Ｘは０以上の整数、Ｙは０以上６以下の整数）。このとき、「＃Ｘ」は、データシンボル群＃１の「Ｘ番目のシンボル」であることを意味している。そして、「＄Ｙ」は、「位相変更＄Ｙ」の位相変更を行うことを意味している。
【０５８２】
図６０の領域６００２のデータシンボル群＃２のシンボルにおいて、例えば、「％０  ＄２」と記載されているシンボルがある。このとき、「％０」は、データシンボル群＃２の「０番目のシンボル」であることを意味している。そして、「＄２」は、「位相変更＄２」の位相変更を行うことを意味している。
また、「％１  ＄３」と記載されているシンボルがある。このとき、「％１」は、データシンボル群＃２の「１番目のシンボル」であることを意味している。そして、「＄３」は、「位相変更＄３」の位相変更を行うことを意味している。
【０５８３】
したがって、「％Ｘ  ＄Ｙ」と記載されているシンボルがある（Ｘは０以上の整数、Ｙは０以上６以下の整数）。このとき、「％Ｘ」は、データシンボル群＃２の「Ｘ番目のシンボル」であることを意味している。そして、「＄Ｙ」は、「位相変更＄Ｙ」の位相変更を行うことを意味している。
また、図６０において、例えば、「Ｃ  ＄３」と記載されているシンボルがある。このとき、「Ｃ」は制御情報シンボルであることを意味しており、「＄３」は、「位相変更＄３」の位相変更を行うことを意味している。
【０５８４】
したがって、「Ｃ  ＄Ｙ」と記載されているシンボルがある（Ｙは０以上６以下の整数）。このとき、「Ｃ」は、制御情報シンボルであることを意味しており、「＄Ｙ」は、「位相変更＄Ｙ」の位相変更を行うことを意味している。
また、図５９において、例えば、「Ｐ  ＄３」と記載されているシンボルがある。このとき、「Ｐ」はパイロットシンボルであることを意味しており、「＄３」は、「位相変更＄３」の位相変更を行うことを意味している。
【０５８５】
したがって、「Ｐ  ＄Ｙ」と記載されているシンボルがある（Ｙは０以上６以下の整数）。このとき、「Ｐ」は、パイロットシンボルであることを意味しており、「＄Ｙ」は、「位相変更＄Ｙ」の位相変更を行うことを意味している。
このとき、変調信号のデータシンボルにおいて、周期７の位相変更を行うことになる。例えば、「位相変更＄０として（２×０×π）／７ラジアンの位相変更を行い」、「位相変更＄１として（２×１×π）／７ラジアンの位相変更を行い」、「位相変更＄２として（２×２×π）／７ラジアンの位相変更を行い」、「位相変更＄３として（２×３×π）／７ラジアンの位相変更を行い」、「位相変更＄４として（２×４×π）／７ラジアンの位相変更を行い」、「位相変更＄５として（２×５×π）／７ラジアンの位相変更を行い」、「位相変更＄６として（２×６×π）／７ラジアンの位相変更を行う」ものとする（ただし、位相変更の値は、これらに限ったものではない）。
【０５８６】
なお、図５７の送信局＃１（５７０１）が送信する変調信号＃１と送信局＃２（５７０２）が送信する変調信号＃２において、変調信号＃１および変調信号＃２両者に対し、位相変更を施してもよい（ただし、変調信号＃１、変調信号＃２に対し、異なる位相変更を施してよい（位相変更値が異なっていてもよいし、変調信号＃１の位相変更の周期と変調信号＃２の位相変更の周期が異なっていてもよい。）。また、変調信号＃１は位相変更を行い、変調信号＃１は行わない、としてもよい。そして、変調信号＃１は位相変更を行わず、変調信号＃１は位相変更を行うとしてもよい。）
図５９および図６０において、一例として、位相変更の周期は７としているが、これに限ったものではなく、別の値の周期であってもよい。また、位相変更の周期は、周波数軸方向で形成してもよいし、時間方向で形成してもよい。
【０５８７】
また、図５９および図６０において、シンボルごとに位相変更を施すのであれば、位相変更の周期が存在していなくてもよい。
なお、図５７の送信局＃１、＃２の構成は、図５８に限ったものではない。別の構成の例を、図６１を用いて説明する。
図６１において、図５８と同様に動作するものについては、同一番号を付しており、説明を省略する。図６１の特徴は、データ５８０３、制御情報５８０６、送信方法指示情報５８１１を他の装置が送信し、図６１の受信部６１０２で、復調・復号し、データ５８０３、制御情報５８０６、送信方法指示情報５８１１を得る点である。したがって、他の装置が送信した変調信号を受信し、受信部６１０２は、受信信号６１０１を入力とし、復調、復号を行い、データ５８０３、制御情報５８０６、送信方法指示情報５８１１を出力する。
【０５８８】
第３のケースの特徴は、「データシンボル群＃１とデータシンボル群＃２、および、データシンボル以外のシンボル（図５９、図６０の場合、制御情報シンボルとパイロットシンボルとなる。ただし、それ以外のシンボルが存在していてもよい。）と合わせて、周期７の位相変更を行っている」点である。（つまり、フレーム全体のシンボルで、周期７の位相変更を行うことになる。）
例えば、図１の送信装置（送信局）は、上述で説明した第１のケース、第２のケース、第３のケースのいずれかを選択して、実施することになる。（当然であるが、図１の送信装置は、第３のケースを選択した場合、図５８、図６１で説明したような動作を行うことになる。）
以上のように、送信装置は、各送信方法で、適切な位相変更方法を実施することで、各データシンボル群において、ダイバーシチ効果を良好に得ることができるため、受信装置は、良好なデータの受信品質を得ることができるという効果を得ることができる。
【０５８９】
なお、当然であるが、送信装置（送信局）は、上述で説明した第１のケース、第２のケース、第３のケースのいずれかを単独で実施してもよい。
（実施の形態Ａ）
図６３は、横軸時間、縦軸周波数におけるフレーム構成の一例を示しており、図２、図３４と同様に動作するものについては、同一符号を付している。
【０５９０】
時間ｔ０から時間ｔ１では、プリアンブルを送信しており、時間ｔ１から時間ｔ２では時間分割（ＴＤＭ：time division multiplexing）されたシンボル群が送信され、時間ｔ２から時間ｔ３では、時間−周波数分割多重（ＴＦＤＭ（Time-Frequency division multiplexing））されたシンボル群が送信されている。
ＴＤＭの場合、各データシンボル群＃ＴＤＸは、ＦＥＣブロック（誤り訂正符号のブロック長（誤り訂正符号の符号長））の整数倍のデータが収まるようなシンボル数（またはスロット数）となる。
【０５９１】
例えば、誤り訂正符号のブロック長が６４８００ビット、データシンボル群の１シンボルあたりの送信ビット数が４ビット（ＳＩＳＯ（Single-Input Single-Output）方式、１６ＱＡＭのとき、シンボルあたりの送信ビット数は４ビットとなる。）のとき、誤り訂正符号のブロック長６４８００ビットを送信するのに必要なシンボル数は、１６２００シンボルとなる。したがって、このような場合、データシンボル群＃ＴＤＸのシンボル数は１６２００×Ｎ（Ｎは１以上の整数）となる。
【０５９２】
別の例で、誤り訂正符号のブロック長が６４８００ビット、データシンボル群の１シンボルあたりの送信ビット数が６ビット（ＳＩＳＯ方式、６４ＱＡＭのとき、シンボルあたりの送信ビット数は６ビットとなる。）のとき、誤り訂正符号のブロック長６４８００ビットを送信するのに必要なシンボル数は、１０８００シンボルとなる。したがって、このような場合、データシンボル群＃ＴＤＸのシンボル数は１０８００×Ｎ（Ｎは１以上の整数）となる。
【０５９３】
さらに別の例として、誤り訂正符号のブロック長が６４８００ビット、データシンボル群の１スロットあたりの送信ビット数が８ビット（ＭＩＭＯ方式、ストリーム１の変調方式が１６ＱＡＭ、ストリーム２の変調方式が１６ＱＡＭのとき、ストリーム１の１シンボルとストリーム２の１シンボルにより構成される１スロットあたりの送信ビット数は８ビットとなる。誤り訂正符号のブロック長６４８００ビットを送信するのに必要なスロット数は８１００スロットとなる。したがって、このような場合、データシンボル群＃ＴＤＸのスロット数は８１００×Ｎ（Ｎは１以上の整数）となる。
【０５９４】
図６３の時間ｔ１から時間ｔ２では時間分割されたシンボル群において、データシンボル群＃ＴＤ１、データシンボル群＃ＴＤ２、データシンボル群＃ＴＤ３、データシンボル群＃ＴＤ４、データシンボル群＃ＴＤ５は、前述に記載したように、「FECブロック（誤り訂正符号のブロック長（誤り訂正符号の符号長））の整数倍のデータが収まるようなシンボル数（またはスロット数）」を満たすことになる。そして、時間軸方向にシンボル群を並べることになる。
【０５９５】
図６３では、周波数軸におけるキャリア数は６４とする。したがって、キャリア１からキャリア６４が存在するものとする。
そして、例えば、データシンボル群＃ＴＤ１は、「時間＄１、キャリア１」からデータシンボルの配置を開始し、以降、「時間＄１、キャリア２」、「時間＄１、キャリア３」、「時間＄１、キャリア４」、・・・、「時間＄１、キャリア６３」、「時間＄１、キャリア６４」、「時間＄２、キャリア１」、「時間＄２、キャリア２」「時間＄２、キャリア３」、「時間＄２、キャリア４」、・・・、「時間＄２、キャリア６３」、「時間＄２、キャリア６４」、「時間＄３、キャリア１」、・・・のようにデータシンボルを配置していくものとする。
【０５９６】
また、データシンボル群＃ＴＤ３は、「時間＄６０００、キャリア１」からデータシンボルの配置を開始し、以降、「時間＄６０００、キャリア２」、「時間＄６０００、キャリア３」、「時間＄６０００、キャリア４」、・・・、「時間＄６０００、キャリア６３」、「時間＄６０００、キャリア６４」、「時間＄６００１、キャリア１」、「時間＄６００１、キャリア２」「時間＄６００１、キャリア３」、「時間＄６００１、キャリア４」、・・・、「時間＄６００１、キャリア６３」、「時間＄６００１、キャリア６４」、「時間＄６００２、キャリア１」、・・・のようにデータシンボルを配置していき、「時間＄７０００、キャリア２０」で、シンボルの配置が完了したものとする。
【０５９７】
すると、データシンボル群＃ＴＤ４は、「時間＄７０００、キャリア２１」から、データシンボルの配置が開始されるものとする。
そして、データシンボル群＃ＴＤ４、データシンボル群ＴＤ＃５についても、同様の規則で、データシンボルを配置することになるが、最後のデータシンボル群であるデータシンボル群＃ＴＤ５の最後のシンボルが、時間＄１００００、キャリア３２に配置されたものとする。
【０５９８】
すると、時間＄１００００のキャリア３３からキャリア６４に、ダミーシンボルを配置する。したがって、時間＄１００００についてもキャリア１からキャリア６４のシンボルが送信されることになる。なお、ダミーシンボルの各シンボルでは、同相成分Ｉになんらかの値をもち、直交成分Ｑについてもなんらかの値を持つことになる。
例えば、「０」または「１」を発生する、疑似ランダム系列を用いて、ダミーシンボルの同相成分Ｉを生成し、ダミーシンボルの直交成分Ｑを０としてもよい。この場合、疑似ランダム系列の初期化タイミングはダミーシンボルの先頭とし、
同相成分Ｉ  ＝  ２（１／２  -  疑似ランダム系列）
として、同相成分Ｉを＋１または−１のいずれかの値に変換してもよい。
【０５９９】
または、「０」または「１」を発生する、疑似ランダム系列を用いて、ダミーシンボルの直交成分Ｑを生成し、ダミーシンボルの直交成分Ｉを０としてもよい。この場合、疑似ランダム系列の初期化タイミングはダミーシンボルの先頭とし、
直交成分Ｑ  ＝  ２（１／２  -  疑似ランダム系列）
として、直交成分Ｑを＋１または−１のいずれかの値に変換してもよい。
【０６００】
また、ダミーシンボルの同相成分をゼロ以外の実数、ダミーシンボルの直交成分をゼロ以外の実数としてもよい。
ダミーシンボルの生成方法は上述に限ったものではない。そして、ここでのダミーシンボルに関する説明は、以降で記載するダミーシンボルに対しても適用可能である。
以上のような規則にしたがい、時間分割が行われた時間区間（図６３における時間ｔ１から時間ｔ２）に対し、ダミーシンボルを配置することになる。
【０６０１】
図６３において、時間−周波数分割多重（ＴＦＤＭ（Time-Frequency division multiplexing））方式について説明する。
図６３の時間ｔ２から時間ｔ３は、時間−周波数分割多重を行っているフレーム構成の一例である。
例えば、時間＄１０００１では、データシンボル群＃ＴＦＤ１（３４０１）とデータシンボル＃ＴＦＤ２（３４０２）が周波数分割多重されており、
キャリア１１では、データシンボル群＃ＴＦＤ２（３４０２）、データシンボル群＃ＴＦＤ３（３４０３）、データシンボル群＃ＴＦＤ６（３４０６）が時間分割多重されており、
このように、時間ｔ２から時間ｔ３では、周波数分割されている部分と時間分割多重が行われている部分が存在しており、そのため、ここでは、「時間−周波数分割多重」と名付けている。
【０６０２】
データシンボル群＃ＴＦＤ１（３４０１）の時間＄１０００１から時間＄１４０００に存在しており、ｉは１０００１以上１４０００以下であり、これを満たす時間ｉにおいて、キャリア１からキャリア１０において、データシンボルが存在している。
データシンボル群＃ＴＦＤ２（３４０２）の時間＄１０００１から時間＄１１０００に存在しており、ｉは１０００１以上１１０００以下であり、これを満たす時間ｉにおいて、キャリア１１からキャリア６４において、データシンボルが存在している。
【０６０３】
データシンボル群＃ＴＦＤ３（３４０３）の時間＄１１００１から時間＄１３０００に存在しており、ｉは１１００１以上１３０００以下であり、これを満たす時間ｉにおいて、キャリア１１からキャリア３５において、データシンボルが存在している。
データシンボル群＃ＴＦＤ４（３４０４）の時間＄１１００１から時間＄１２０００に存在しており、ｉは１１００１以上１２０００以下であり、これを満たす時間ｉにおいて、キャリア３６からキャリア６４において、データシンボルが存在している。
【０６０４】
データシンボル群＃ＴＦＤ５（３４０５）の時間＄１２００１から時間＄１３０００に存在しており、ｉは１２００１以上１３０００以下であり、これを満たす時間ｉにおいて、キャリア３６からキャリア６４において、データシンボルが存在している。
データシンボル群＃ＴＦＤ６（３４０６）の時間＄１３００１から時間＄１４０００に存在しており、ｉは１３００１以上１４０００以下であり、これを満たす時間ｉにおいて、キャリア１１からキャリア３０において、データシンボルが存在している。
【０６０５】
データシンボル群＃ＴＦＤ７（３４０７）の時間＄１３００１から時間＄１４０００に存在しており、ｉは１３００１以上１４０００以下であり、これを満たす時間ｉにおいて、キャリア３１からキャリア５０において、データシンボルが存在している。
データシンボル群＃ＴＦＤ８（３４０８）の時間＄１３００１から時間＄１４０００に存在しており、ｉは１３００１以上１４０００以下であり、これを満たす時間ｉにおいて、キャリア５１からキャリア６４において、データシンボルが存在している。
【０６０６】
時間−周波数分割多重方式では、
データシンボル群において、このデータシンボルが存在している時間区間すべてにおいて、占有しているキャリア番号が同一であるという特徴を持っている。
データシンボル群＃ＴＦＤＸにおいて、シンボル数（または、スロット数）をＵとする。Ｕは１以上の整数とする。
【０６０７】
まず、「ＦＥＣブロック（誤り訂正符号のブロック長（誤り訂正符号の符号長））の整数倍のデータが収まるようなシンボル数（またはスロット数）、Ｖ（Ｖは１以上の整数とする）」を確保する。ただし、Ｕ−α＋１≦Ｖ≦Ｕを満たすものとする、（αは、誤り訂正符号のブロック長（符号長）（単位：ビット）を送信するのに必要なシンボル数（またはスロット数）であるものとし、１以上の整数であるものとする。）
そして、Ｕ−Ｖ≠０のとき、Ｕ−Ｖシンボル（または、Ｕ−Ｖスロット）のダミーシンボル（または、ダミースロット）を付加する。したがって、データシンボル群＃ＴＦＤＸは、Ｖシンボル（または、Ｖスロット）のデータシンボルとＵ−Ｖシンボル（または、Ｕ−Ｖスロット）のダミーシンボルで構成されることになる。（ダミーシンボルの各シンボルでは、同相成分Ｉになんらかの値をもち、直交成分Ｑについてもなんらかの値を持つことになる。）
時間−周波数分割多重されているデータシンボル群すべては、「Ｖシンボル（または、Ｖスロット）のデータシンボルとＵ−Ｖシンボル（または、Ｕ−Ｖスロット）のダミーシンボルで構成される」を満たすことになる。
【０６０８】
つまり、時間−周波数分割多重されているデータシンボル群において、ダミーシンボル（または、ダミースロット）が必要となる場合、各データシンボル群でダミーシンボル（ダミースロット）を挿入することになる。
図６４に、例えば、図６３のデータシンボル群＃ＴＦＤ１（３４０１）において、ダミーシンボル（または、ダミースロット）を挿入したときの様子の一例を示している。
【０６０９】
データシンボル群＃ＴＦＤ１（３４０１）において、データシンボルを、時間インデックスの小さいところから優先に配置していく。そして、ある時間において、占有しているすべてのキャリアにデータシンボルの配置が完了したら、その次の時間にデータシンボルの配置を行うという規則を設ける。
例えば、データシンボル群＃ＴＦＤ１（３４０１）では、図６４に示すように、時間＄１０００１のキャリア１にデータシンボルを配置し、その後、時間＄１０００１のキャリア２、時間＄１０００１のキャリア３、・・・、時間＄１０００１のキャリア９、時間＄１０００１のキャリア１０にデータシンボルを配置する。そして、時間＄１０００２にうつり、時間＄１０００２のキャリア１、時間＄１０００２のキャリア２、・・・、にデータシンボルを配置する。
【０６１０】
時間＄１３９９５では、時間＄１３９９５のキャリア１、時間＄１３９９５のキャリア２、時間＄１３９９５のキャリア３、時間＄１３９９５のキャリア４、時間＄１３９９５のキャリア５、時間＄１３９９５のキャリア６にデータシンボルを配置する。これで、データシンボルの配置が終了する。
しかし、時間＄１３９９５のキャリア７、キャリア８、キャリア９、キャリア１０、および、時間＄１３９９６のキャリア１からキャリア１０、時間＄１３９９７のキャリア１からキャリア１０、時間＄１３９９８のキャリア１からキャリア１０、時間＄１３９９９のキャリア１からキャリア１０、時間＄１４０００のキャリア１からキャリア１０にデータシンボル群＃ＴＦＤ１（３４０１）としてのシンボルが存在する。したがって、時間＄１３９９５のキャリア７、キャリア８、キャリア９、キャリア１０、および、時間＄１３９９６のキャリア１からキャリア１０、時間＄１３９９７のキャリア１からキャリア１０、時間＄１３９９８のキャリア１からキャリア１０、時間＄１３９９９のキャリア１からキャリア１０、時間＄１４０００のキャリア１からキャリア１０にダミーシンボルを配置する。
【０６１１】
以上と同様の方法で、図６３におけるデータシンボル群＃ＴＦＤ２（３４０２）、データシンボル群＃ＴＦＤ３（３４０３）、データシンボル群＃ＴＦＤ４（３４０４）、データシンボル群＃ＴＦＤ５（３４０５）、データシンボル群＃ＴＦＤ６（３４０６）、データシンボル群＃ＴＦＤ７（３４０７）、データシンボル群＃ＴＦＤ８（３４０８）においても必要であれば、ダミーシンボルを配置する。
【０６１２】
以上のように、時間分割多重を行っているフレームと、時間−周波数分割多重を行っているフレームでは、異なる方法で、ダミーシンボルを挿入することによって、受信装置は、簡単にデータシンボルを選別し、復調・復号を行うことができ、また、ダミーシンボルによるデータ伝送速度の低下を防ぐことができるという効果を得ることができる。
なお、図６３の例では、時間軸に対し、「プリアンブル」、「時間分割したシンボル」、「時間−周波数分割したシンボル」の順に配置するフレーム構成について説明したが、これに限ったものではなく、例えば、「プリアンブル」、「時間ー周波数分割したシンボル」、「時間分割したシンボル」の順に配置するフレーム構成であってもよく、また、図６３に示したシンボル以外のシンボルが含まれていてもよい。
【０６１３】
そして、例えば、図６３において、「時間分割したシンボル」と「時間−周波数分割したシンボル」の間に「プリアンブル」を挿入してもよく、また、「時間分割したシンボル」と「時間−周波数分割したシンボル」の間に別のシンボルが挿入されてもよい。
図６５は、横軸時間、縦軸周波数におけるフレーム構成の一例を示しており、図２、図３４と同様に動作するものについては、同一符号を付している。
【０６１４】
時間ｔ０から時間ｔ１では、プリアンブルを送信しており、時間ｔ１から時間ｔ２では周波数分割（FDM: frequency division multiplexing）されたシンボル群が送信され、時間ｔ２から時間ｔ３では、時間−周波数分割多重（ＴＦＤＭ（Time-Frequency division multiplexing））されたシンボル群が送信されている。
ＦＤＭの場合、各データシンボル群＃ＦＤＸは、ＦＥＣブロック（誤り訂正符号のブロック長（誤り訂正符号の符号長））の整数倍のデータが収まるようなシンボル数（またはスロット数）となる。
【０６１５】
例えば、誤り訂正符号のブロック長が６４８００ビット、データシンボル群の１シンボルあたりの送信ビット数が４ビット（ＳＩＳＯ（Single-Input Single-Output）方式、１６ＱＡＭのとき、シンボルあたりの送信ビット数は４ビットとなる。）のとき、誤り訂正符号のブロック長６４８００ビットを送信するのに必要なシンボル数は、１６２００シンボルとなる。したがって、このような場合、データシンボル群＃ＦＤＸのシンボル数は１６２００×Ｎ（Ｎは１以上の整数）となる。
【０６１６】
別の例で、誤り訂正符号のブロック長が６４８００ビット、データシンボル群の１シンボルあたりの送信ビット数が６ビット（ＳＩＳＯ方式、６４ＱＡＭのとき、シンボルあたりの送信ビット数は６ビットとなる。）のとき、誤り訂正符号のブロック長６４８００ビットを送信するのに必要なシンボル数は、１０８００シンボルとなる。したがって、このような場合、データシンボル群＃ＦＤＸのシンボル数は１０８００×Ｎ（Ｎは１以上の整数）となる。
【０６１７】
さらに別の例として、誤り訂正符号のブロック長が６４８００ビット、データシンボル群の１スロットあたりの送信ビット数が８ビット（ＭＩＭＯ方式、ストリーム１の変調方式が１６ＱＡＭ、ストリーム２の変調方式が１６ＱＡＭのとき、ストリーム１の１シンボルとストリーム２の１シンボルにより構成される１スロットあたりの送信ビット数は８ビットとなる。誤り訂正符号のブロック長６４８００ビットを送信するのに必要なスロット数は８１００スロットとなる。したがって、このような場合、データシンボル群＃ＦＤＸのスロット数は８１００×Ｎ（Ｎは１以上の整数）となる。
【０６１８】
図６５の時間ｔ１から時間ｔ２では周波数分割されたシンボル群において、データシンボル群＃ＦＤ１、データシンボル群＃ＦＤ２、データシンボル群＃ＦＤ３、データシンボル群＃ＦＤ４は、前述に記載したように、「ＦＥＣブロック（誤り訂正符号のブロック長（誤り訂正符号の符号長））の整数倍のデータが収まるようなシンボル数（またはスロット数）」を満たすことになる。そして、周波数軸方向にシンボル群を並べることになる。
【０６１９】
図６５では、周波数軸におけるキャリア数は６４とする。したがって、キャリア１からキャリア６４が存在するものとする。
そして、例えば、データシンボル群＃ＦＤ１は、キャリア１からキャリア１５では、時間＄１から時間＄１００００にデータシンボルが存在していることになる。
データシンボル群＃ＦＤ２は、キャリア１６からキャリア２９では、時間＄１から時間＄１００００にデータシンボルが存在し、キャリア３０では、時間＄１から時間＄６０００にデータシンボルが存在している。
【０６２０】
データシンボル群＃ＦＤ３は、キャリア３０では、時間＄６００１から時間＄１００００にデータシンボルが存在し、キャリア３１からキャリア４４では、時間＄１から時間１００００にデータシンボルが存在し、キャリア４５では、時間＄１から時間＄７０００にデータシンボルが存在している。
データシンボル群＃ＦＤ４は、キャリア４５では、時間＄７００１から時間＄１００００にデータシンボルが存在し、キャリア４６からキャリア６３では、時間＄１から時間１００００にデータシンボルが存在し、キャリア６４では、時間＄１から時間＄６０００にデータシンボルが存在している。
【０６２１】
周波数軸方向に配置したデータシンボル群の最後のデータシンボル群がデータシンボル群＃４であり、その最後のシンボルがキャリア６４、時間＄６０００である。
すると、キャリア６４の時間＄６００１からダミーシンボルの配置を開始する。したがって、キャリア６４の時間＄６００１から時間＄１００００にダミーシンボルを配置することになる。なお、ダミーシンボルの各シンボルでは、同相成分Ｉになんらかの値をもち、直交成分Ｑについてもなんらかの値を持つことになる。
【０６２２】
以上のような規則にしたがい、周波数分割が行われた区間（図６５における時間ｔ１から時間ｔ２）に対し、ダミーシンボルを配置することになる。
上述の説明で、データシンボルの割り当てについては、周波数インデックスの小さいところから優先に割り当てるように説明したが、データシンボルの配置については、時間インデックスの小さいところから優先的に配置していく。この点について説明する。
【０６２３】
データシンボル群＃ＦＤ１（６５０１）において、データシンボルを、時間インデックスの小さいところから優先に配置していく。そして、ある時間において、占有しているすべてのキャリアにデータシンボルの配置が完了したら、その次の時間にデータシンボルの配置を行うという規則を設ける。
例えば、データシンボル群＃ＦＤ１（６５０１）では、図６５に示すように、時間＄１のキャリア１にデータシンボルを配置し、その後、時間＄１のキャリア２、時間＄１のキャリア３、・・・、時間＄１のキャリア１４、時間＄１のキャリア１５にデータシンボルを配置する。そして、時間＄２にうつり、時間＄２のキャリア１、時間＄２のキャリア２、時間＄２のキャリア３、・・・、時間＄２のキャリア１４、時間＄２のキャリア１５にデータシンボルを配置する。
【０６２４】
以降、時間＄３についても同様にデータシンボルを配置し、時間＄１００００まで、同様にデータシンボルの配置が行われる。
データシンボル群＃ＦＤ２（６５０２）では、図６５に示すように、時間＄１のキャリア１６にデータシンボルを配置し、その後、時間＄１のキャリア１７、時間＄１のキャリア１８、・・・、時間＄１のキャリア２９、時間＄１のキャリア３０にデータシンボルを配置する。そして、時間＄２にうつり、時間＄２のキャリア１７、時間＄２のキャリア１８、時間＄２のキャリア１９、・・・、時間＄２のキャリア２９、時間＄２のキャリア３０にデータシンボルを配置する。以降、時間＄３についても同様にデータシンボルを配置し、時間＄６０００まで、同様にデータシンボルの配置が行われる。
【０６２５】
そして、時間＄６００１のキャリア１６にデータシンボルを配置し、その後、時間＄６００１のキャリア１７、時間＄６００１のキャリア１８、・・・、時間＄６００１のキャリア２８、時間＄６００１のキャリア２９にデータシンボルを配置する。そして、時間＄６００２にうつり、時間＄６００２のキャリア１７、時間＄６００２のキャリア１８、時間＄６００２のキャリア１９、・・・、時間＄６００２のキャリア２８、時間＄６００２のキャリア２９にデータシンボルを配置する。以降、時間＄６００３についても同様にデータシンボルを配置し、時間＄１００００まで、同様にデータシンボルの配置が行われる。
【０６２６】
データシンボル群＃ＦＤ３（６５０３）では、図６５に示すように、時間＄１のキャリア３１にデータシンボルを配置し、その後、時間＄１のキャリア３２、時間＄１のキャリア３３、・・・、時間＄１のキャリア４４、時間＄１のキャリア４５にデータシンボルを配置する。そして、時間＄２にうつり、時間＄２のキャリア３１、時間＄２のキャリア３２、時間＄２のキャリア３３、・・・、時間＄２のキャリア４４、時間＄２のキャリア４５にデータシンボルを配置する。以降、時間＄３についても同様にデータシンボルを配置し、時間＄６０００まで、同様にデータシンボルの配置が行われる。
【０６２７】
そして、時間＄６００１のキャリア３０にデータシンボルを配置し、その後、時間＄６００１のキャリア３１、時間＄６００１のキャリア３２、・・・、時間＄６００１のキャリア４４、時間＄６００１のキャリア４５にデータシンボルを配置する。そして、時間＄６００２にうつり、時間＄６００２のキャリア３１、時間＄６００２のキャリア３２、時間＄６００２のキャリア３３、・・・、時間＄６００２のキャリア４４、時間＄６００２のキャリア４５にデータシンボルを配置する。以降、時間＄６００３についても同様にデータシンボルを配置し、時間＄７０００まで、同様にデータシンボルの配置が行われる。
【０６２８】
そして、時間＄７００１のキャリア３０にデータシンボルを配置し、その後、時間＄７００１のキャリア３１、時間＄７００１のキャリア３２、・・・、時間＄７００１のキャリア４３、時間＄７００１のキャリア４４にデータシンボルを配置する。そして、時間＄７００２にうつり、時間＄７００２のキャリア３０、時間＄７００２のキャリア３１、時間＄７００２のキャリア３２、・・・、時間＄６００２のキャリア４３、時間＄６００２のキャリア４４にデータシンボルを配置する。以降、時間＄７００３についても同様にデータシンボルを配置し、時間＄１００００まで、同様にデータシンボルの配置が行われる。
【０６２９】
データシンボル群＃ＦＤ４（６５０４）についても同様にデータシンボルが配置されることになる。
なお、ここで説明した配置とは、「発生させたデータシンボルを順に配置する方法」を意味している、または、「発生させたデータシンボルに対し、並び替えを行い、並び替え後のデータシンボルを順に配置する方法」を意味している。
【０６３０】
このようにデータシンボルを配置することで、受信装置は、データシンボルを記憶するための記憶容量を小さくすることができるという利点をもつことになる。（周波数方向に並べた場合、時間＄１００００のデータシンボルを受信するまで、次の処理に取り掛かるのが困難となる可能性がある。）
図６５における、データシンボル群＃ＴＦＤＸ（３４０１から３４０８）については、図６４と同様に動作することになるので、説明を省略する。
【０６３１】
以上のように、周波数分割多重を行っているフレームと、時間−周波数分割多重を行っているフレームでは、異なる方法で、ダミーシンボルを挿入することによって、受信装置は、簡単にデータシンボルを選別し、復調・復号を行うことができ、また、ダミーシンボルによるデータ伝送速度の低下を防ぐことができるという効果を得ることができる。
なお、図６５の例では、時間軸に対し、「プリアンブル」、「周波数分割したシンボル」、「時間ー周波数分割したシンボル」の順に配置するフレーム構成について説明したが、これに限ったものではなく、例えば、「プリアンブル」、「時間ー周波数分割したシンボル」、「周波数分割したシンボル」の順に配置するフレーム構成であってもよい。
【０６３２】
また、図６５に示したシンボル以外のシンボルが含まれていてもよい。その一例として、「プリアンブル」、「周波数分割したシンボル」、「時間ー周波数分割したシンボル」、「時間分割したシンボル」で構成する方法について述べる。
そして、例えば、図６５において、「周波数分割したシンボル」と「時間―周波数分割したシンボル」の間に「プリアンブル」を挿入してもよく、また、「周波数分割したシンボル」と「時間―周波数分割したシンボル」の間に別のシンボルが挿入されてもよい。
【０６３３】
図６６は、横軸時間、縦軸周波数におけるフレーム構成の一例を示しており、図２と同様に動作するものについては同一符号を付した。
時間ｔ１からｔ２までの区間では、時間分割したシンボル６６０１を送信する。なお、時間分割したシンボルの構成の例については、図６３で示したとおりであり、時間分割したシンボル６６０１は、例えば、データシンボル群＃ＴＤ１（６３０１）、データシンボル群＃ＴＤ２（６３０２）、データシンボル群＃ＴＤ３（６３０３）、データシンボル群＃ＴＤ４（６３０４）、データシンボル群＃ＴＤ５（６３０５）、ダミーシンボル６３０６で構成されているものとする。
【０６３４】
また、時間ｔ２から時間ｔ３までの区間では、周波数分割したシンボル６６０２を送信する。なお、周波数分割したシンボルの構成の例については、図６５に示したとおりであり、周波数分割したシンボル６６０２は、例えば、データシンボル群＃ＦＤ１（６５０１）、データシンボル群＃ＦＤ２（６５０２）、データシンボル群＃ＦＤ３（６５０３）、データシンボル群＃ＦＤ４（６５０４）、ダミーシンボル（６５０５）で構成されているものとする。
【０６３５】
時間ｔ３から時間ｔ４までの区間では、時間―周波数分割したシンボル６６０３を送信する。なお、時間ー周波数分割したシンボルの構成の例については、図６３、図６５に示したとおりであり、時間ー周波数分割したシンボル６７０３は、例えば、データシンボル群＃ＴＦＤ１（３４０１）、データシンボル群＃ＴＦＤ２（３４０２）、データシンボル群＃ＴＦＤ３（３４０３）、データシンボル群＃ＴＦＤ４（３４０４）、データシンボル群＃ＴＦＤ５（３４０５）、データシンボル群＃ＴＦＤ６（３４０６）、データシンボル群＃ＴＦＤ７（３４０７）、データシンボル群＃ＴＦＤ８（３４０８）で構成されているものとする。
【０６３６】
このとき、時間分割したシンボル６６０１のダミーシンボルの挿入方法については、これまでに説明した方法と同様であり、周波数分割したシンボル６６０２のダミーシンボルの挿入方法についても、これまでに説明した方法と同様であり、時間―周波数分割したシンボル６６０３のダミーシンボルの挿入方法についても、これまでに説明した方法と同様である。
【０６３７】
以上のように、時間分割を行っているフレームと、周波数分割多重を行っているフレームと、時間ー周波数分割多重を行っているフレームでは、異なる方法で、ダミーシンボルを挿入することによって、受信装置は、簡単にデータシンボルを選別し、復調・復号を行うことができ、また、ダミーシンボルによるデータ伝送速度の低下を防ぐことができるという効果を得ることができる。
【０６３８】
なお、図６６の例では、時間軸に対し、「プリアンブル」、「時間分割したシンボル」、「周波数分割したシンボル」、「時間ー周波数分割したシンボル」の順に配置するフレーム構成について説明したが、これに限ったものではなく、例えば、「プリアンブル」以降、「時間分割したシンボル」、「周波数分割したシンボル」、「時間ー周波数分割したシンボル」をどのような（時間的に）順番で送信してもよい。また、図６６に示したシンボル以外のシンボルが含まれていてもよい。
【０６３９】
そして、例えば、図６６において、「時間分割したシンボル」と「周波数分割したシンボル」の間に「プリアンブル」を挿入してもよく、また、「時間分割したシンボル」と「周波数分割したシンボル」の間に別のシンボルが挿入されてもよい。また、「周波数分割したシンボル」と「時間―周波数分割したシンボル」の間に「プリアンブル」を挿入してもよく、また、「周波数分割したシンボル」と「時間―周波数分割したシンボル」の間に別のシンボルが挿入されてもよい。
【０６４０】
なお、本資料の各部分を組み合わせて実行しても実施することは可能である。
（実施の形態Ｂ）
（フレーム構成）
図６７を参照して本実施の形態における伝送フレーム構成の一例を説明する。図６７において、横軸は時間、縦軸は周波数を表す。図２と同様に機能するものについては、同一符号を付している。図６７は、伝送フレーム内に多重フレーム＃ＭＦ１（６７０１）から多重フレーム＃ＭＦ１０（６７１０）までの１０個の多重フレームが含まれる例を示している。各々の多重フレームは、伝送フレーム内で互いに重ならない領域を占める。図６７の例では、多重フレーム＃ＭＦ１（６７０１）は時刻＄１から時刻＄６０までかつキャリア１からキャリア２０００までの領域、多重フレーム＃ＭＦ２（６７０２）は時刻＄６１から時刻＄１００までかつキャリア１からキャリア２０００までの領域、多重フレーム＃ＭＦ３（６７０３）は時刻＄１０１から時刻＄１６０までかつキャリア１からキャリア２０００までの領域、多重フレーム＃ＭＦ４（６７０４）は時刻＄１６１から時刻＄３６０までかつキャリア１からキャリア６００までの領域、多重フレーム＃ＭＦ５（６７０５）は時刻＄１６１から時刻＄２６０までかつキャリア６０１からキャリア１０００までの領域、多重フレーム＃ＭＦ６（６７０６）は時刻＄２６１から時刻＄３６０までかつキャリア６０１からキャリア１０００までの領域、多重フレーム＃ＭＦ７（６７０７）は時刻＄１６１から時刻＄３６０までかつキャリア１００１からキャリア１６００までの領域、多重フレーム＃ＭＦ８（６７０８）は時刻＄１６１から時刻＄４００までかつキャリア１６０１からキャリア２０００までの領域、多重フレーム＃ＭＦ９（６７０９）は時刻＄３６１から時刻＄４００までかつキャリア１からキャリア８００までの領域、多重フレーム＃ＭＦ１０（６７１０）は時刻＄３６１から時刻＄４００までかつキャリア８０１からキャリア１６００までの領域を占める。
（多重フレームの指示）
多重フレームの構成は、例えば、以下のように指示される。図６８に多重フレームの構成を表す指示子の一例を示す。多重フレームの数をｎｕｍＭｕｘＦｒａｍｅｓとする。まず、ｎｕｍＭｕｘＦｒａｍｅｓが指示される。次いで、各々の多重フレームの情報がｎｕｍＭｕｘＦｒａｍｅｓ回繰り返して指示される。各々の多重フレームの情報は、多重フレームの領域を示す情報と多重フレームの種類を示す情報ｍｕｘＦｒａｍｅＴｙｐｅを含む。多重フレームの領域を示す情報は、例えば、多重フレームが開始する時刻ｓｔａｒｔＴｉｍｅ、多重フレームが開始するキャリアｓｔａｒｔＣａｒｒｉｅｒ、多重フレームが終了する時刻ｅｎｄＴｉｍｅ、多重フレームが終了するキャリアｅｎｄＣａｒｒｉｅｒを含む。多重フレームの情報は、上記以外の多重フレームに関する情報ｅｔｃを含んでもよい。
（多重フレームの種類）
多重フレームの種類を示すｍｕｘＦｒａｍｅＴｙｐｅフィールドは、例えば、時分割多重(Time Division Multiplexing：ＴＤＭ)や周波数分割多重(Frequency Division Multiplexing：ＦＤＭ)などといった、その多重フレームの構成や用途を指示するためのフィールドである。多重フレームの種類を示すｍｕｘＦｒａｍｅＴｙｐｅフィールドの値は、将来の拡張を許容するために、ＴＤＭやＦＤＭ以外の構成や用途も指示できるように予備の値を設けておいてもよい。
（最終のキャリアの指示）
伝送フレームにはパイロットシンボルなどのデータ伝送に用いないシンボルが多重されるため、データシンボルの伝送に用いることができるキャリアの数は時刻によって異なる場合がある。図６８ではキャリア２０００が最終端のキャリアである例を示したが、例えば、時刻＄１ではキャリア２０００が最終端のキャリアであっても、時刻＄２ではキャリア１９９８が最終端のキャリアであったり、時刻＄３ではキャリア２００３が最終端のキャリアであったりする。そのため、最終端付近のキャリアを含む多重フレームの領域を示す場合に課題が生じる。
【０６４１】
最終端付近のキャリアを含む多重フレームが終了するキャリアｅｎｄＣａｒｒｉｅｒフィールドに、その多重フレーム内でデータシンボルの伝送に用いることができるキャリア数が最も少ない時刻の最終端キャリアを指示してもよい。この場合は、矩形の多重フレームが構成され得る。しかしながら、この場合は、データシンボルの伝送に用いることができるキャリア数が多い時刻において無駄なキャリアが生じる。データシンボルの伝送に用いない無駄なキャリアは、例えば、ダミーシンボルを伝送する。
【０６４２】
最終端付近のキャリアを含む多重フレームが終了するキャリアｅｎｄＣａｒｒｉｅｒフィールドに、その多重フレーム内でデータシンボルの伝送に用いることができるキャリア数が最も多い時刻の最終端キャリアを指示してもよい。この場合は、各時刻ごとにデータシンボルの伝送に用いることができる最終端のキャリアに合わせてデータシンボルの伝送に用いるキャリアの数は増減する。
【０６４３】
また、各時刻ごとのデータシンボルの伝送に用いることができる最終端のキャリア位置であることを表す特別な値をあらかじめ決めておき、その特別な値を多重フレームが終了するキャリアｅｎｄＣａｒｒｉｅｒフィールに設定してもよい。その特別な値は、例えば、ｅｎｄＣａｒｒｉｅｒフィールドで指示できる最大の値であってもよい。その特別な値を多重フレームが終了するキャリアｅｎｄＣａｒｒｉｅｒフィールに設定することよって、その多重フレーム内でデータシンボルの伝送に用いることができるキャリア数が最も多い時刻の最終端キャリアをあらかじめ識別しなくてよい。
【０６４４】
図６７に示した例に基づいて、図６８に示した多重フレームの構成の指示の値の例を以下に示す。多重フレーム数は１０であるため、ｎｕｍＭｕｘＦｒａｍｅｓは１０である。ここでは、ｉ番目の多重フレーム＃ＭＦｉについて、開始する時刻をｓｔａｒｔＴｉｍｅ［ｉ］、開始するキャリアをｓｔａｒｔＣａｒｒｉｅｒ［ｉ］、終了する時刻をｅｎｄＴｉｍｅ［ｉ］、終了するキャリアをｅｎｄＣａｒｒｉｅｒ［ｉ］、多重フレームの種類をｍｕｘＦｒａｍｅＴｙｐｅ［ｉ］と表すものとする。多重フレーム＃ＭＦ１の例では、ｓｔａｒｔＴｉｍｅ［１］は時刻＄１、ｓｔａｒｔＣａｒｒｉｅｒ［１］はキャリア１、ｅｎｄＴｉｍｅ［１］は時刻＄６０、ｅｎｄＣａｒｒｉｅｒ［１］はキャリア２０００となる。多重フレーム＃ＭＦ５の例では、ｓｔａｒｔＴｉｍｅ［５］は時刻＄１６１、ｓｔａｒｔＣａｒｒｉｅｒ［５］はキャリア６０１、ｅｎｄＴｉｍｅ［５］は時刻＄２６０、ｅｎｄＣａｒｒｉｅｒ［５］はキャリア１０００となる。
【０６４５】
図６９は、図６７における多重フレーム＃ＭＦ１（６７０１）にデータシンボル群を多重する例を示したものである。多重フレーム＃ＭＦ１（６７０１）の種類は時分割多重（ＴＤＭ）とする。ｍｕｘＦｒａｍｅＴｙｐｅ［１］ではＴＤＭが指示される。図６９の例では、データシンボル群＃ＤＳ１（６９０１）からデータシンボル群＃ＤＳ３（６９０３）までの３つのデータシンボル群を時分割多重している。多重フレーム＃ＭＦ１（６７０１）にデータシンボル群＃ＤＳ１（６９０１）、データシンボル群＃ＤＳ２（６９０２）、データシンボル群＃ＤＳ３（６９０３）を順次多重して、さらに余りのシンボルが発生する場合は、ダミーシンボル群（６９０４）を挿入する。
【０６４６】
データシンボル群の配置に関する情報は、例えば、そのデータシンボル群が多重される多重フレームの番号、および、多重フレーム内での領域として指示される。多重フレーム内での領域は、例えば、データシンボル群が多重される領域の開始位置と終了位置で表される。多重フレーム内の先頭から順に隙間なくデータシンボル群が多重される場合は、各々のデータシンボル群が多重される領域の開始位置は自明であるため、データシンボル群が多重される領域の終了位置のみ指示されてもよい。データシンボル群が多重される領域の開始位置および終了位置は、伝送フレーム中の時刻位置およびキャリア位置で指示されてもよく、多重フレーム中の相対的な時刻位置および相対的なキャリア位置で指示されてもよい。
【０６４７】
多重フレーム＃ＭＦ１（６７０１）に３つのデータシンボル群が多重される例を示したが、多重フレームに多重されるデータシンボル群は３つに限ったものではない、さらには、データシンボル群が多重されなくてもよい。
以上のように、１つの多重フレームに効率よく複数のデータシンボル群を多重することによって、ダミーシンボル群のシンボル数を減少させ、伝送効率を向上することができる。
【０６４８】
図７０は、図６７における多重フレーム＃ＭＦ３（６７０３）にデータシンボル群を多重する例を示したものである。多重フレーム＃ＭＦ３（６７０３）の種類は周波数分割多重（ＦＤＭ）とする。ｍｕｘＦｒａｍｅＴｙｐｅ［３］ではＦＤＭが指示される。
図７０の例では、データシンボル群＃ＤＳ６（７００１）からデータシンボル群＃ＤＳ８（７００３）までの３つのデータシンボル群を周波数分割多重している。多重フレーム＃ＭＦ３（６７０３）にデータシンボル群＃ＤＳ６（７００１）、データシンボル群＃ＤＳ７（７００２）、データシンボル群＃ＤＳ８（７００３）を順次多重して、さらに余りのシンボルが発生する場合は、ダミーシンボル群（７００４）を挿入する。
【０６４９】
データシンボル群の配置に関する情報は、例えば、そのデータシンボル群が多重される多重フレームの番号、および、多重フレーム内での領域として指示される。多重フレーム内での領域は、例えば、データシンボル群が多重される領域の開始位置と終了位置で表される。多重フレーム内の先頭から順に隙間なくデータシンボル群が多重される場合は、各々のデータシンボル群が多重される領域の開始位置は自明であるため、データシンボル群が多重される領域の終了位置のみ指示されてもよい。データシンボル群が多重される領域の開始位置および終了位置は、伝送フレーム中の時刻位置およびキャリア位置で指示されてもよく、多重フレーム中の相対的な時刻位置および相対的なキャリア位置で指示されてもよい。
【０６５０】
多重フレーム＃ＭＦ３（６７０３）に３つのデータシンボル群が多重される例を示したが、多重フレームに多重されるデータシンボル群は３つに限ったものではない、さらには、データシンボル群が多重されなくてもよい。
以上のように、１つの多重フレームに効率よく複数のデータシンボル群を多重することによって、ダミーシンボル群のシンボル数を減少させ、伝送効率を向上することができる。
（データシンボル群の指示）
データシンボル群に関する情報は、例えば、以下のように指示される。図７１にデータシンボル群に関する指示子の一例を示す。データシンボル群の数をｎｕｍＤａｔａＳｙｍｂｏｌＧｒｏｕｐｓとする。まず、ｎｕｍＤａｔａＳｙｍｂｏｌＧｒｏｕｐｓが指示される。次いで、各々のデータシンボル群に関する情報がｎｕｍＤａｔａＳｙｍｂｏｌＧｒｏｕｐｓ回繰り返して指示される。各々のデータシンボル群に関する情報は、データシンボル群が配置される多重フレームの番号ｍｕｘＦｒａｍｅＩｎｄｅｘとデータシンボル群が配置される領域を示す情報を含む。データシンボル群が配置される領域を示す情報は、例えば、データシンボル群の領域が終了する時刻ｅｎｄＴｉｍｅＯｆｆｓｅｔ、データシンボル群の領域が終了するキャリアｅｎｄＣａｒｒｉｅｒＯｆｆｓｅｔを含む。データシンボル群が配置される領域を示す情報は、例えば、データシンボル群の領域が開始する時刻ｓｔａｒｔＴｉｍｅＯｆｆｓｅｔ、データシンボル群の領域が開始するキャリアｓｔａｒｔＣａｒｒｉｅｒＯｆｆｓｅｔをさらに含んでもよい。データシンボル群の領域が開始する時刻ｓｔａｒｔＴｉｍｅＯｆｆｓｅｔ、開始するキャリアｓｔａｒｔＣａｒｒｉｅｒＯｆｆｓｅｔ、終了する時刻ｅｎｄＴｉｍｅＯｆｆｓｅｔ、終了するキャリアｅｎｄＣａｒｒｉｅｒＯｆｆｓｅｔは伝送フレームに対する時刻位置およびキャリア位置で指示されてもよく、多重フレーム中の相対的な時刻位置および相対的なキャリア位置で指示されてもよい。データシンボル群に関する情報は、上記以外のデータシンボルに関する情報ｅｔｃ．を含んでもよい。
（階層構造について）
本実施の形態では、多重フレームの構成とデータシンボル群の配置を階層化することによって、柔軟に伝送フレームを構成することができる。さらには、多重フレームの構成に関する指示とデータシンボル群に関する指示を簡潔にし、それらの指示に必要な情報量を削減し、伝送効率を向上することができる。
また、多重フレーム内に複数のデータシンボル群を多重することで、ダミーシンボルを減らして伝送効率を向上することができる。
【０６５１】
（補足１）
上記実施の形態に従って、本発明に係る放送（または通信）システムについて説明してきたが、本発明はこれに限られるものではない。
当然であるが、本明細書において説明した実施の形態、その他の内容を複数組み合わせて、実施してもよい。
【０６５２】
また、各実施の形態、その他の内容については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０６５３】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、１６ＡＰＳＫ，６４ＡＰＳＫ，１２８ＡＰＳＫ，２５６ＡＰＳＫ，１０２４ＡＰＳＫ，４０９６ＡＰＳＫなど）、ＰＡＭ（Pulse Amplitude Modulation）（例えば、４ＰＡＭ，８ＰＡＭ，１６ＰＡＭ，６４ＰＡＭ，１２８ＰＡＭ，２５６ＰＡＭ，１０２４ＰＡＭ，４０９６ＰＡＭなど）、ＰＳＫ（Phase Shift Keying）（例えば、ＢＰＳＫ，ＱＰＳＫ，８ＰＳＫ，１６ＰＳＫ，６４ＰＳＫ，１２８ＰＳＫ，２５６ＰＳＫ，１０２４ＰＳＫ，４０９６ＰＳＫなど）、ＱＡＭ（Quadrature Amplitude Modulation）（例えば、４ＱＡＭ，８ＱＡＭ，１６ＱＡＭ，６４ＱＡＭ，１２８ＱＡＭ，２５６ＱＡＭ，１０２４ＱＡＭ，４０９６ＱＡＭなど）などを適用してもよいし、各変調方式において、均一マッピング、非均一マッピングとしてもよい（いかなるマッピングを施してもよい。）。
【０６５４】
また、Ｉ−Ｑ平面における１６個、６４個等の信号点の配置方法（１６個、６４個等の信号点をもつ変調方式）は、本明細書で示した変調方式の信号点配置方法に限ったものではない。したがって、複数のビットに基づき同相成分と直交成分を出力するという機能がマッピング部での機能となる。
また、本明細書において、複素平面がある場合、例えば、偏角のような、位相の単位は、「ラジアン（radian）」としている。
【０６５５】
複素平面を利用すると、複素数の極座標による表示として極形式で表示できる。複素数ｚ＝ａ＋ｊｂ（ａ、ｂはともに実数であり、ｊは虚数単位である）に、複素平面上の点（ａ，ｂ）を対応させたとき、この点が極座標で［ｒ，θ］とあらわされるなら、ａ＝ｒ×ｃｏｓθ、ｂ＝ｒ×ｓｉｎθ
【０６５６】
【数６１】
2017011689.tif 000063
【０６５７】
が成り立ち、ｒはｚの絶対値（ｒ＝｜ｚ｜）であり、θが偏角（ａｒｇｕｍｅｎｔ）となる。そして、ｚ＝ａ＋ｊｂは、ｒ×ｅｊθとあらわされる。
本明細書で説明した発明は、ＯＦＤＭ方式などのマルチキャリア伝送方法に対して適用することができ、また、シングルキャリアの伝送方式に適用することもできる。（例えば、マルチキャリア方式の場合、シンボルを周波数軸にも配置するが、シングルキャリアの場合は、シンボルを時間方向にのみ配置することになる。）また、ベースバンド信号に対し、拡散符号を用いてスペクトル拡散通信方式を適用することもできる。
【０６５８】
上記実施の形態におけるデータｓ０、ｓ１、ｓ２、ｓ３それぞれの変調方式は互いに異なるものを用いてもよい。
本明細書において、端末の受信装置とアンテナが別々となっている構成であってもよい。例えば、アンテナで受信した信号、または、アンテナで受信した信号に対し、周波数変換を施した信号を、ケーブルを通して、入力するインターフェースを受信装置が具備し、受信装置はその後の処理を行うことになる。また、受信装置が得たデータ・情報は、その後、映像や音に変換され、ディスプレイ（モニタ）に表示されたり、スピーカから音が出力されたりする。さらに、受信装置が得たデータ・情報は、映像や音に関する信号処理が施され（信号処理を施さなくてもよい）、受信装置が具備するＲＣＡ端子（映像端子、音用端子）、ＵＳＢ（Universal Serial Bus）、ＵＳＢ２、ＵＳＢ３、ＨＤＭＩ（High-Definition Multimedia Interface）、ＨＤＭＩ２、デジタル用端子等から出力されてもよい。また、受信装置が得たデータ・情報は、無線通信方式（Ｗｉ−Ｆｉ（登録商標）（ＩＥＥＥ８０２．１１ａ、ＩＥＥＥ８０２．１１ｂ、ＩＥＥＥ８０２．１１ｇ、ＩＥＥＥ８０２．１１ｎ、ＩＥＥＥ８０２．１１ａｃ、ＩＥＥＥ８０２．１１ａｄなど）、ＷｉＧｉＧ、Ｂｌｕｅｔｏｏｔｈ（登録商標）など）、有線の通信方式（光通信、電力線通信など）を用いて、変調され、これらの情報を他の機器に伝送してもよい。このとき、端末は、情報を伝送するための送信装置を具備していることになる。（このとき、端末は、受信装置が得たデータ・情報を含むデータを送信してもよいし、受信装置が得たデータ・情報から、変形したデータを生成し、送信してもよい。）
本明細書において、送信装置を具備しているのは、例えば、放送局、基地局、アクセスポイント、端末、携帯電話（mobile phone）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本発明における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。
【０６５９】
また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０６６０】
よって、例えば、本明細書中において、プリアンブルという名で呼んでいるが、呼び方は、これに限ったものではなく、制御情報シンボル、制御チャネルなど、別の呼び方を行ってもよい。このシンボルでは、伝送方式（例えば、送信方法、変調方式、誤り訂正符号の符号化率、誤り訂正符号の符号長、フレーム構成の方法、フーリエ変換の方法（サイズ）など）の情報等の制御情報を伝送するシンボルとなる。
【０６６１】
また、パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Channel State Information）の推定）、信号の検出等を行うことになる。
【０６６２】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤーでの設定情報等）を伝送するためのシンボルである。
本明細書のフレーム構成において、第１プリアンブルに他のシンボル（例えば、パイロットシンボルやヌルシンボル（シンボルの同相成分が０（ゼロ、直交成分が０（ゼロ）））等）が挿入されていてもよい。同様に、第２プリアンブルにパイロットシンボルやヌルシンボル（シンボルの同相成分が０（ゼロ、直交成分が０（ゼロ）））等のシンボルが挿入されていてもよい。また、プリアンブルを第１のプリアンブルと第２プリアンブルで構成しているが、プリアンブルの構成については、これに限ったものではなく、第１のプリアンブル（第１のプリアンブル群）のみで構成されていてもよいし、２つ以上のプリアンブル（プリアンブル群）で構成されていてもよい。なお、プリアンブルの構成については、他の実施の形態のフレーム構成を示しているときについても同様である。
【０６６３】
また、本明細書のフレーム構成において、データシンボル群を示しているが、他のシンボル（例えば、パイロットシンボル、ヌルシンボル（シンボルの同相成分が０（ゼロ、直交成分が０（ゼロ）））、制御情報シンボル等）が挿入されていてもよい。なお、これについては、他の実施の形態のフレーム構成を示しているときについても同様である。そして、パイロットシンボルにおいて、他のシンボル（例えば、パイロットシンボル、ヌルシンボル（シンボルの同相成分が０（ゼロ、直交成分が０（ゼロ）））、制御情報シンボル、データシンボル等）が挿入されていてもよい。
【０６６４】
また、本明細書で、送信装置が送信する変調信号のフレーム構成をいくつか記載している。このとき、「時分割（時間分割）を行っている」と記載しているが、２つのデータシンボル群を接続する場合、継ぎ目の部分では、周波数分割になっている部分が存在することがある。この点について、図３９を用いて説明する。
図３９において、３９０１はデータシンボル群＃１のシンボルを示しており、３９０２はデータシンボル群＃２のシンボルを示している。図３９の時刻ｔ０のように、データシンボル群＃１のシンボルがキャリア４で終了したとする。このとき、時刻ｔ０のキャリア５からデータシンボル群＃２のシンボルを配置したとする。すると、時刻ｔ０の部分だけ、例外的に周波数分割になっている。しかし、時刻ｔ０より前ではデータシンボル群＃１のシンボルしか存在せず、時刻ｔ０より後ではデータシンボル群＃２のシンボルしか存在しない。この点で、時分割（時間分割）されている。
【０６６５】
別の例として、図４０を示す。なお、図３９と同様の番号を付与している。図４０の時刻ｔ０のように、データシンボル群＃１のシンボルがキャリア４で終了したものとする。そして、時刻ｔ１のように、データシンボル群＃１のシンボルがキャリア５で終了したものとする。すると、時刻ｔ０のキャリア５からデータシンボル群＃２のシンボルを配置したものとし、時刻ｔ１のキャリア６からデータシンボル群＃２のシンボルを配置したものとする。すると、時刻ｔ０、および、ｔ１の部分は、例外的に周波数分割となっている。しかし、時刻ｔ０より前ではデータシンボル群＃１のシンボルしか存在せず、時刻ｔ１より後ではデータシンボル＃２のシンボルしか存在しない。この点で、時分割（時間分割）されている。
【０６６６】
図３９や図４０のように、例外的な部分を除いたとき、データシンボル群＃１のシンボル以外のデータシンボルが存在しない（パイロットシンボルなどが存在することはありうる。）時刻とデータシンボル群＃２以外のデータシンボルが存在しない（パイロットシンボルなどが存在することはありうる。）時刻が存在する場合、「時分割（時間分割）を行っている」と呼ぶものとする。（したがって、例外的な時刻の存在方法は、図３９や図４０に限ったものではない。）
なお、本発明は各実施の形態に限定されず、種々変更して実施することが可能である。例えば、各実施の形態では、通信装置として行う場合について説明しているが、これに限られるものではなく、この通信方法をソフトウェアとして行うことも可能である。
【０６６７】
送信局、基地局の送信アンテナ、端末の受信アンテナ、共に、図面で記載されている１つのアンテナは、複数のアンテナにより構成されていても良い。
なお、例えば、上記通信方法を実行するプログラムを予めＲＯＭ（Read Only Memory）に格納しておき、そのプログラムをＣＰＵ（Central Processor Unit）によって動作させるようにしても良い。
【０６６８】
また、上記通信方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
そして、上記の各実施の形態などの各構成は、典型的には集積回路であるＬＳＩ（Large Scale Integration）として実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ（Integrated Circuit）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０６６９】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
本発明は、複数のアンテナからそれぞれ異なる変調信号を送信する無線システムに広く適用できる。また、複数の送信箇所を持つ有線通信システム（例えば、ＰＬＣ（Power Line Communication）システム、光通信システム、ＤＳＬ（Digital Subscriber Line：デジタル加入者線）システム）において、ＭＩＭＯ伝送を行う場合についても適用することができる。
【０６７０】
なお、実施の形態１において、ベースバンド信号ｓ１（ｔ）（ｓ１（ｉ））、ｓ２（ｔ）（ｓ２（ｉ））を用いて説明を行っている。このとき、ｓ１（ｔ）（ｓ１（ｉ））で伝送するデータとｓ２（ｔ）（ｓ２（ｉ））で伝送するデータが同一であってもよい。
また、ｓ１（ｔ）＝ｓ２（ｔ）（ｓ１（ｉ）＝ｓ２（ｉ））が成立してもよい。このとき、１つのストリームの変調信号が、複数のアンテナから送信されることになる。
【０６７１】
（実施の形態Ｃ）
本実施の形態では、本明細書で説明した時間−周波数軸におけるフレーム構成（例えば、図２、図３、図４、図５、図６、図２４、図２５、図２６、図２７、図２８、図２９、図３０、図３１、図３２、図３３、図３４、図３５、図３６、図３７、図３８、図４８、図２９、図５０、図５１、図５２、図５３、図５４、図６３、図６５など（フレーム構成は、これに限ったものではない））の変調信号を基地局（または、アクセスポイント（ＡＰ）など）が送信する際、各データシンボル群の端末への割り当てについて説明する。
【０６７２】
図７２は、基地局（または、アクセスポイントなど）と端末の関係の一例を示している。基地局（ＡＰ）７２００−００は、端末＃１（７２００−０１）、端末＃２（７２００−０２）、・・・、端末＃ｎ（７２００−ｎ）（ｎは２以上の自然数とする）と通信を行っているものとする。なお、図７２は、基地局（ＡＰ）と端末の通信状態の例であり、基地局（ＡＰ）と端末の通信状態は、図７２に限ったものではなく、基地局（ＡＰ）は１つ以上の端末と通信を行っているものとする。
【０６７３】
図７３は、本実施の形態における基地局と端末の通信の例を示している。
＜１＞まず、各端末は、基地局（ＡＰ）に対し、データシンボル群の送信を要求する。
例えば、基地局（ＡＰ）と端末が、図７２のような状態であるとき、端末＃１（７２００−０１）は、基地局（ＡＰ）７２００−００に、データシンボル群の送信の要求を行う。同様に、端末＃２（７２００−０２）は、基地局（ＡＰ）７２００−００に、データシンボル群の送信の要求を行う。・・・同様に、端末＃ｎ（７２００−ｎ）は、基地局７２００−００に、データシンボル群の送信の要求を行う。
【０６７４】
＜２＞基地局は、各端末からのデータシンボル群の要求含む変調信号を受信する。そして、基地局は、各端末からのデータシンボル群の要求情報を得て、基地局が送信する変調信号のフレームに含まれる各データシンボル群の端末への割り当てを決定する。
例えば、図５４のフレーム構成の変調信号を基地局（ＡＰ）７２００−００が送信するものとする。基地局（ＡＰ）７２００−００は、端末＃１（７２００−０１）、端末＃２（７２００−０２）、端末＃３（７２００−０３）、端末＃４（７２００−０４）、端末＃５（７２００−０５）、端末＃６（７２００−０６）、端末＃７（７２００−０７）、端末＃８（７２００−０８）からデータの送信の要求があったとする。
【０６７５】
すると、基地局（ＡＰ）７２００−００は、図５４のデータシンボル群＃１（３４０１）を端末＃８（７２００−０８）にデータを伝送するためのデータシンボル群と設定する。したがって、基地局（ＡＰ）７２００−００は、図５４のデータシンボル群＃１（３４０１）により、端末＃８（７２００−０８）に（端末＃８（７２００−０８）用の）データを送信する。
【０６７６】
基地局（ＡＰ）７２００−００は、図５４のデータシンボル群＃２（３４０２）を端末＃７（７２００−０７）にデータを伝送するためのデータシンボル群と設定する。したがって、基地局（ＡＰ）７２００−００は、図５４のデータシンボル群＃２（３４０２）により、端末＃７（７２００−０７）に（端末＃７（７２００−０７）用の）データを送信する。
【０６７７】
基地局（ＡＰ）７２００−００は、図５４のデータシンボル群＃３（３４０３）を端末＃６（７２００−０６）にデータを伝送するためのデータシンボル群と設定する。したがって、基地局（ＡＰ）７２００−００は、図５４のデータシンボル群＃３（３４０３）により、端末＃６（７２００−０６）に（端末＃６（７２００−０６）用の）データを送信する。
【０６７８】
基地局（ＡＰ）７２００−００は、図５４のデータシンボル群＃４（３４０４）を端末＃５（７２００−０５）にデータを伝送するためのデータシンボル群と設定する。したがって、基地局（ＡＰ）７２００−００は、図５４のデータシンボル群＃４（３４０４）により、端末＃５（７２００−０５）に（端末＃５（７２００−０５）用の）データを送信する。
【０６７９】
基地局（ＡＰ）７２００−００は、図５４のデータシンボル群＃５（３４０５）を端末＃４（７２００−０４）にデータを伝送するためのデータシンボル群と設定する。したがって、基地局（ＡＰ）７２００−００は、図５４のデータシンボル群＃５（３４０５）により、端末＃４（７２００−０４）に（端末＃４（７２００−０４）用の）データを送信する。
【０６８０】
基地局（ＡＰ）７２００−００は、図５４のデータシンボル群＃６（３４０６）を端末＃３（７２００−０３）にデータを伝送するためのデータシンボル群と設定する。したがって、基地局（ＡＰ）７２００−００は、図５４のデータシンボル群＃６（３４０６）により、端末＃３（７２００−０３）に（端末＃３（７２００−０３）用の）データを送信する。
【０６８１】
基地局（ＡＰ）７２００−００は、図５４のデータシンボル群＃７（３４０７）を端末＃２（７２００−０２）にデータを伝送するためのデータシンボル群と設定する。したがって、基地局（ＡＰ）７２００−００は、図５４のデータシンボル群＃７（３４０７）により、端末＃２（７２００−０２）に（端末＃２（７２００−０２）用の）データを送信する。
【０６８２】
基地局（ＡＰ）７２００−００は、図５４のデータシンボル群＃８（３４０８）を端末＃１（７２００−０１）にデータを伝送するためのデータシンボル群と設定する。したがって、基地局（ＡＰ）７２００−００は、図５４のデータシンボル群＃８（３４０８）により、端末＃１（７２００−０１）に（端末＃１（７２００−０１）用の）データを送信する。
【０６８３】
なお、データシンボル群の各端末への割り当て方法は上述に限ったものではなく、例えば、データシンボル群＃１（３４０１）を端末＃８（７２００−０８）以外の端末に割り当ててもよい。また、上述の説明では、基地局（ＡＰ）７２００−００が送信する変調信号のフレーム構成を図５４としているがこれに限ったものではなく、基地局（ＡＰ）７２００−００が送信する変調信号のフレーム構成を、例えば、図２、図３、図４、図５、図６、図２４、図２５、図２６、図２７、図２８、図２９、図３０、図３１、図３２、図３３、図３５、図３６、図３７、図３８、図４８、図２９、図５０、図５１、図５２、図５３、図５４、図６３、図６５など（それ以外のフレーム構成であってもよい）としてもよい。
【０６８４】
また、データシンボル群と端末の関係の情報（例えば、「データシンボル群＃８（３４０８）が、端末＃１（７２００−０１）あてのデータシンボル群である」という情報など）は、図５４の第１プリアンブル３６０１、および／または、第２プリアンブル３６０２に含まれているという構成方法が考えられる。
なお、各データシンボル群の送信方法は、ＳＩＳＯ方式（例えば、一つ変調信号を送信する、または、一つの変調信号を複数のアンテナを用いて送信する（ただし、各アンテナから送信する変調信号は、同一であってもよいし、異なっていてもよい）方式）、ＭＩＳＯ方式（時空間ブロック符号、または、時間−周波数ブロック符号を用いた方式）、ＭＩＭＯ方式（複数の変調信号を、例えば、複数のアンテナを用いて送信する方式）など、いずれの送信方法であってもよい。（なお、詳細については、本明細書で、例を記載している。）
また、各データシンボル群では、映像情報、オーディオ情報、文字情報など、どのような情報を伝送してもよく、また、制御用のデータを伝送してもよい。つまり、各データシンボル群で伝送するデータは、どのようなデータであってもよい。
【０６８５】
＜３＞各端末は、基地局が送信した変調信号を受信し、必要となるデータシンボル群を抽出、復調し、データを得る。
例えば、上述のようにデータシンボル群の割り当てを行った場合、端末＃１（７２００−０１）は、基地局（ＡＰ）７２００−００が送信した変調信号を受信し、第１プリアンブル３６０１、および／または、第２プリアンブル３６０２に含まれる「データシンボル群と端末の関係の情報」を得、端末＃１（７２００−０１）あてのデータシンボル群、つまり、データシンボル群＃８（３４０８）を抽出し、データシンボル群＃８（３４０８）を復調（および、誤り訂正復号）を行い、データを得ることになる。
【０６８６】
図７４は、本実施の形態における基地局（ＡＰ）の構成の一例である。
受信部７４００−０７は、アンテナ７４００−０５で受信した受信信号７４００−０６を入力とし、周波数変換、例えばＯＦＤＭのための信号処理、デマッピング（復調）、誤り訂正復号等の処理を施し、受信データ７４００−０８を出力する。
送信部７４００−０２は、送信データ（ここでは、例えば、プリアンブルなどで送信する制御情報を含む）７４００−０１、受信データ７４００−０８を入力とし、送信データ７４００−０１に対し、誤り訂正符号化、設定した変調方式によるマッピング、例えばＯＦＤＭのための信号処理、周波数変換、増幅などの処理を施し、変調信号７４００−０３を生成、出力し、変調信号７４００−０３は、アンテナ７４００−０４から電波として出力され、一つ以上の端末が、変調信号７４００−０３を受信することになる。
【０６８７】
なお、送信部７４００−０２は、受信データ７４００−０８を入力としている。このとき、受信データ７４００−０８は、各端末からのデータ送信の要求情報が含まれているものとする。したがって、送信部７４００−０２は、各端末からのデータ送信の要求情報に基づき、前にも説明したように、例えば、図５４のフレーム構成の変調信号を生成することになる。このとき、送信部７４００−０２は、前にも述べた各データシンボル群（図５４の場合、３４０１、３４０２、３４０３、３４０４、３４０５、３４０６、３４０７、３４０８）の端末への割り当てについては、各端末からのデータ送信の要求情報に基づき行われることになる。加えて、送信部７４００−０２は、各端末からのデータ送信の要求情報に基づいて行われた各データシンボル群の端末への割り当てに関連するデータシンボル群と端末の関係の情報（例えば、「データシンボル群＃８（３４０８）が、端末＃１（７２００−０１）あてのデータシンボル群である」という情報など）を含む図５４の第１のプリアンブル、および／または、第２のプリアンブルを生成することになる。
【０６８８】
なお、基地局（ＡＰ）の送信装置の構成の例として、図１、図５８、図７６に示したとおりであり、図７６については、後で説明する。
そして、図７４において、送信用のアンテナ７４００−０４を１つとしているが、これに限ったものではなく、送信用に複数のアンテナを基地局（ＡＰ）は具備していてもよい。このとき、複数の変調信号を複数の送信アンテナを用いて送信することになり、送信部７４００−０２は、複数の変調信号を生成することになる。
【０６８９】
同様に、図７４において、受信用のアンテナ７４００−０５を１つとしているが、これに限ったものではなく、受信用に複数のアンテナを基地局（ＡＰ）は具備していてもよい。このとき、複数の変調信号を複数のアンテナを用いて受信することになり、受信部７４００−０７は、複数の変調信号に対して、信号処理を行い、受信データを得ることになる。
【０６９０】
図７５は、本実施の形態における端末の構成の一例である。
受信部７５００−０７は、アンテナ７５００−０５で受信した受信信号７５００−０６を入力とし、周波数変換、例えばＯＦＤＭのための信号処理、デマッピング（復調）、誤り訂正復号等の処理を施し、受信データ７５００−０８を出力する。
送信部７５００−０２は、送信データ（ここでは、例えば、プリアンブルなどで送信する制御情報を含む）７５００−０１、受信データ７５００−０８を入力とし、送信データ７５００−０１に対し、誤り訂正符号化、設定した変調方式によるマッピング、例えばＯＦＤＭのための信号処理、周波数変換、増幅などの処理を施し、変調信号７５００−０３を生成、出力し、変調信号７５００−０３は、アンテナ７５００−０４から電波として出力され、基地局（ＡＰ）が、変調信号７５００−０３を受信することになる。
【０６９１】
なお、送信部７５００−０２は、受信データ７５００−０８を入力としている。このとき、受信データ７５００−０８は、基地局（ＡＰ）からの制御情報が含まれていてもよい。このとき、送信部７５００−０２は、基地局（ＡＰ）からの制御情報に基づいて、例えば、送信方法、フレーム構成、変調方式、誤り訂正符号化方式などを設定し、変調信号を生成してもよい。
【０６９２】
なお、端末の受信装置の構成の例として、図２３、図７８に示したとおりであり、図７８については、後で説明する。端末の受信装置は、基地局が送信した変調信号を受信した際、第１プリアンブル、および／または、第２プリアンブルを得ることで、復調すべきデータシンボル群の情報を得、つづいて、所望のデータシンボル群を抽出し、復調、誤り訂正復号を行い、受信データを得ることになる。
【０６９３】
そして、図７５において、送信用のアンテナ７５００−０４を１つとしているが、これに限ったものではなく、送信用に複数のアンテナを端末は具備していてもよい。このとき、複数の変調信号を複数の送信アンテナを用いて送信することになり、送信部７５００−０２は、複数の変調信号を生成することになる。
同様に、図７５において、受信用のアンテナ７５００−０５を１つとしているが、これに限ったものではなく、受信用に複数のアンテナを端末は具備していてもよい。このとき、複数の変調信号を複数のアンテナを用いて受信することになり、受信部７５００−０７は、複数の変調信号に対して、信号処理を行い、受信データを得ることになる。
【０６９４】
図７６は、本実施の形態における基地局（ＡＰ）の送信部の構成の一例である。なお、図７６において、図５８と同様に動作するものについては、同一番号を付している。
送信方法指示情報５８１１は、各データシンボル群の端末への割り当ての情報を含んでいるものとする（例えば、「データシンボル群＃１は端末＃８に伝送するためのデータシンボル群」という情報）。
【０６９５】
送信方法指示部５８１２は、送信方法指示情報５８１１を入力とし、送信方法に関する情報５８１３を出力するものとする。例えば、送信方法に関する情報５８１３は、各データシンボル群の端末への割り当ての情報、各データシンボル群の送信方法に関する情報、各データシンボル群の変調方式の情報、各データシンボル群の誤り訂正符号化方法（符号長、符号化率）の情報、フレーム構成の情報を含んでいるものとする。
【０６９６】
データシンボル群生成部７６００−００は、データ５８０１、送信方法に関する情報５８１３を入力とし、送信方法に関する情報５８１３に基づき、各データシンボル群のベースバンド信号を生成する。
フレーム構成部７６００−０１は、各データシンボルのベースバンド信号５８０５、制御情報シンボルのベースバンド信号５８０８、パイロットシンボルのベースバンド信号５８１０、送信方法に関する情報５８１３を入力とし、送信方法に関する情報５８１３に含まれるフレーム構成の情報に基づき、例えば図５４（ただし、以前に説明したように、フレーム構成は図５４に限ったものではない。）のフレーム構成にしたがった変調信号７６００−０２を生成、出力する。
【０６９７】
無線部５８６１は、フレーム構成にしたがった変調信号７６００−０２、送信方法に関する情報を入力とし、フレーム構成にしたがった変調信号７６００−０２に対し、周波数変換、増幅等の処理を施し、送信信号５８１７を生成、出力し、送信信号５８１７はアンテナ５８１８から電波として出力される。
図７７は、図７６の基地局（ＡＰ）のデータシンボル群生成部７６００−００の構成の一例を示している。
【０６９８】
データシンボル群＃１生成部７７００−０２−１は、データ＃１（７７００−０１−１）、および、送信方法に関する情報７７００−００（５８１３）を入力とし、送信方法に関する情報７７００−００に含まれる各データシンボル群の端末への割り当ての情報、各データシンボル群の送信方法に関する情報、各データシンボル群の変調方式の情報、各データシンボル群の誤り訂正符号化方法（符号長、符号化率）の情報に基づいて、誤り訂正符号化、変調、当の処理を行い、データシンボル群＃１のベースバンド信号７７００−０３−１を出力する。
【０６９９】
データシンボル群＃２生成部７７００−０２−２は、データ＃２（７７００−０１−２）、および、送信方法に関する情報７７００−００（５８１３）を入力とし、送信方法に関する情報７７００−００に含まれる各データシンボル群の端末への割り当ての情報、各データシンボル群の送信方法に関する情報、各データシンボル群の変調方式の情報、各データシンボル群の誤り訂正符号化方法（符号長、符号化率）の情報に基づいて、誤り訂正符号化、変調、当の処理を行い、データシンボル群＃２のベースバンド信号７７００−０３−２を出力する。
【０７００】
・・・
データシンボル群＃ｍ生成部７７００−０２−ｍは、データ＃ｍ（７７００−０１−ｍ）、および、送信方法に関する情報７７００−００（５８１３）を入力とし、送信方法に関する情報７７００−００に含まれる各データシンボル群の端末への割り当ての情報、各データシンボル群の送信方法に関する情報、各データシンボル群の変調方式の情報、各データシンボル群の誤り訂正符号化方法（符号長、符号化率）の情報に基づいて、誤り訂正符号化、変調、当の処理を行い、データシンボル群＃ｍのベースバンド信号７７００−０３−ｍを出力する。（なお、ｍは１以上の整数、または、ｍは２以上の整数とする。）
図７８は、本実施の形態における端末の受信部の構成の一例である。なお、図７８において、図２３と同様に動作するものについては、同一番号を付している。
【０７０１】
ＯＦＤＭ方式関連処理部２３０３＿Ｘは、アンテナ２３０１＿Ｘで受信した受信信号２３０２＿Ｘを入力とし、OFDM関連の信号処理を施し、信号処理後の信号２３０４＿Ｘを出力する。
第１プリアンブル検出、復調部２３１１は、信号処理後の信号２３０４＿Ｘを入力とし、例えば、図５４（他のフレーム構成であってもよい）の第１プリアンブルを検出し、復調を行い、第１プリアンブル制御情報２３１２を出力する。
【０７０２】
第２プリアンブル復調部２３１３は、信号処理後の信号２３０４＿Ｘ、第１プリアンブル制御情報２３１２を入力とし、例えば、図５４の第２プリアンブルの復調を行い、第２プリアンブル制御情報２３１４を出力する。
制御信号生成部２３１５は、第１プリアンブル制御情報２３１２、第２プリアンブル制御情報２３１４を入力とし、制御信号２３１６を出力する。なお、制御信号２３１６は、各データシンボル群の端末の割り当ての情報を含んでいるものとする。
【０７０３】
チャネル変動推定部７８００−０１は、信号処理後の信号２３０４＿Ｘ、制御信号２３１６を入力とし、信号処理部２３０９は、信号処理後の信号２３０４＿Ｘ、制御信号２３１６を入力とし、制御信号２３１６に基づき、信号処理後の信号２３０４＿Ｘに含まれるプリアンブル、パイロットシンボルを用いて、チャネル推定を行い、チャネル推定信号７８００−０２を出力する。
【０７０４】
信号処理部２３０９は、チャネル推定信号７８００−０２、信号処理後の信号２３０４＿Ｘ、制御信号２３１６を入力とし、制御信号２３１６に含まれる各データシンボル群の端末の割り当ての情報に基づいて、信号処理後の信号２３０４＿Ｘから所望のデータシンボル群を抽出し、復調、誤り訂正復号等の処理を施し、受信データ２３１０を出力する。
以上のように、基地局（ＡＰ）が送信する変調信号において、各データシンボル群に対し、あて先となる端末を好適に設定することで、基地局（ＡＰ）のデータ伝送効率を向上させることができるという効果を得ることができる。
【０７０５】
例えば、図５４などのフレームが時分割で、基地局（ＡＰ）が送信する場合、上述のような送信方法は、データ伝送効率の向上の点で優れた方式である。
なお、他の実施の形態で説明したように、図５４のフレーム構成において、時間ｔ１から時間ｔ３において、図５３に示したように、特定のキャリアに特定のシンボル（５３０４、５３０５）を配置していることになる。このとき、特定のキャリアの特定のシンボル（５３０４、５３０５）が、データシンボル群であってもよい。（例えば、特定のキャリアのシンボルがデータシンボル群＃１００であってもよい。）
（実施の形態Ｄ）
本実施の形態では、図６４を用いて説明した「データシンボル群におけるダミーシンボル（または、ダミースロット）挿入方法」に関する補足の説明を行う。
【０７０６】
図７９は、本実施の形態における、基地局（ＡＰ）が送信する変調信号のフレーム構成の一例を示しており、図２と同様に動作するものについては、同一番号を付している。
図７９は、本実施の形態における基地局（ＡＰ）が送信する変調信号のフレームｊ構成の一例を示しており、縦軸を周波数、横軸を時間とする。
そして、フレームにおいて、周波数方向には、キャリア１からキャリア６４が存在し、キャリアごとにシンボルが存在していることになる。
【０７０７】
図７９に示されているように、時間ｔ０からｔ１の間で、第１プリアンブル２０１、および、第２プリアンブル２０２を基地局（ＡＰ）は送信しているものとする。
そして、時間ｔ１から時間ｔ２の間で、データシンボル群＃ＦＤ１（＃ＴＦＤ１）（７９００−０１）、データシンボル群＃ＦＤ２（＃ＴＦＤ２）（７９００−０２）、データシンボル群＃ＦＤ３（＃ＴＦＤ３）（７９００−０３）、データシンボル群＃ＦＤ４（＃ＴＦＤ４）（７９００−０４）を基地局（ＡＰ）は送信しているものとする。
【０７０８】
時間ｔ２から時間ｔ３の間で、第１プリアンブル７９００−５１、および、第２プリアンブル７９００−５２を基地局（ＡＰ）は送信しているものとする。
時間ｔ３から時間ｔ４の間で、データシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）を基地局（ＡＰ）は送信しているものとする。
【０７０９】
時間ｔ４から時間ｔ５の間で、第１プリアンブル７９００−５３、および、第２プリアンブル７９００−５４を基地局（ＡＰ）は送信しているものとする。
時間ｔ５から時間ｔ６の間で、データシンボル群＃ＴＤ１０（＃ＴＦＤ１０）（７９００−１０）、データシンボル群＃ＴＤ１１（＃ＴＤ１１）（７９００−１１）を基地局（ＡＰ）は送信しているものとする。
【０７１０】
図７９において、データシンボル群＃ＦＤ１（＃ＴＦＤ１）（７９００−０１）は、周波数軸方向では、キャリア１からキャリア１５を使用し、時間方向では時間＄１から＄１００００を使用したデータシンボル群であるものとする。（キャリア方向に複数シンボル存在し、時間方向にも複数シンボルが存在している。）
同様に、データシンボル群＃ＦＤ２（＃ＴＦＤ２）（７９００−０２）は、周波数軸方向では、キャリア１６からキャリア３１を使用し、時間方向では時間＄１から＄１００００を使用したデータシンボル群であるものとする。（キャリア方向に複数シンボル存在し、時間方向にも複数シンボルが存在している。）
データシンボル群＃ＦＤ３（＃ＴＦＤ３）（７９００−０３）は、周波数軸方向では、キャリア３２からキャリア４６を使用し、時間方向では時間＄１から＄１００００を使用したデータシンボル群であるものとする。（キャリア方向に複数シンボル存在し、時間方向にも複数シンボルが存在している。）
データシンボル群＃ＦＤ４（＃ＴＦＤ４）（７９００−０４）は、周波数軸方向では、キャリア４７からキャリア６４を使用し、時間方向では時間＄１から＄１００００を使用したデータシンボル群であるものとする。（キャリア方向に複数シンボル存在し、時間方向にも複数シンボルが存在している。）
このように、図７９のフレームにおいて、データシンボル群＃ＦＤ１（＃ＴＦＤ１）（７９００−０１）、データシンボル群＃ＦＤ２（＃ＴＦＤ２）（７９００−０２）、データシンボル群＃ＦＤ３（＃ＴＦＤ３）（７９００−０３）、データシンボル群＃ＦＤ４（＃ＴＦＤ４）（７９００−０４）は、周波数分割多重されているものとする。
【０７１１】
図７９において、データシンボル群＃ＦＤ５（＃ＴＦＤ５）（７９００−０５）は、周波数軸方向では、キャリア１からキャリア１５を使用し、時間方向では時間♭１から♭８０００を使用したデータシンボル群であるものとする。（キャリア方向に複数シンボル存在し、時間方向にも複数シンボルが存在している。）
同様に、データシンボル群＃ＦＤ６（＃ＴＦＤ６）（７９００−０６）は、周波数軸方向では、キャリア１６からキャリア２９を使用し、時間方向では時間♭１から♭８０００を使用したデータシンボル群であるものとする。（キャリア方向に複数シンボル存在し、時間方向にも複数シンボルが存在している。）
データシンボル群＃ＦＤ７（＃ＴＦＤ７）（７９００−０７）は、周波数軸方向では、キャリア３０からキャリア３８を使用し、時間方向では時間♭１から♭８０００を使用したデータシンボル群であるものとする。（キャリア方向に複数シンボル存在し、時間方向にも複数シンボルが存在している。）
データシンボル群＃ＦＤ８（＃ＴＦＤ８）（７９００−０８）は、周波数軸方向では、キャリア３９からキャリア５２を使用し、時間方向では時間♭１から♭８０００を使用したデータシンボル群であるものとする。（キャリア方向に複数シンボル存在し、時間方向にも複数シンボルが存在している。）
データシンボル群＃ＦＤ９（＃ＴＦＤ９）（７９００−０９）は、周波数軸方法では、キャリア５３からキャリア６４を使用し、時間方向では時間♭１から♭８０００を使用したデータシンボル群であるものとする。（キャリア方向に複数シンボル存在し、時間方向にも複数シンボルが存在している。）
このように、図７９のフレームにおいて、データシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）は、周波数分割多重されているものとする。
【０７１２】
図７９において、データシンボル群＃ＴＤ１０（＃ＴＦＤ１０）（７９００−１０）は、周波数軸方向では、キャリア１からキャリア６４を使用し、時間方向では時間＊１から＊５０を使用したデータシンボル群であるものとする。（キャリア方向に複数シンボル存在し、時間方向にも複数シンボルが存在している。）
同様に、データシンボル群＃ＴＤ１１（＃ＴＤ１１）（７９００−１１）は、周波数軸方向では、キャリア１からキャリア６４を使用し、時間方向では時間＊５１から＊８１を使用したデータシンボル群であるものとする。（キャリア方向に複数シンボル存在し、時間方向にも複数シンボルが存在している。）
なお、図７９では、データシンボル群＃ＴＤ１０（＃ＴＦＤ１０）（７９００−１０）、データシンボル群＃ＴＤ１１（＃ＴＤ１１）（７９００−１１）は時間分割多重されている場合を示しているが、例えば、データシンボル群＃ＴＤ１１（＃ＴＤ１１）（７９００−１１）が存在しないような構成であってもよい。また、別の例として、データシンボル群＃ＴＤ１０（＃ＴＦＤ１０）（７９００−１０）とデータシンボル群＃ＴＤ１１（＃ＴＤ１１）（７９００−１１）との間に、第１プリアンブル、第２プリアンブルが存在するようなフレーム構成であってもよい。
【０７１３】
なお、図７９における第１プリアンブル２０１、７９００−５１、７９００−５３には、プリアンブル以外のシンボルが存在していてもよい（存在していなくてもよい）。また、キャリア１からキャリア６４すべてのキャリアで第１のプリアンブルのシンボルを送信しなくてもよい。例えば、特定のキャリアに、同相成分Ｉがゼロ、直交成分Ｑがゼロのシンボルが存在していてもよい。
【０７１４】
同様に、図７９における第２プリアンブル２０２、７９００−５２、７９００−５４には、プリアンブル以外のシンボルが存在していてもよい（存在していなくてもよい）。また、キャリア１からキャリア６４すべてのキャリアで第２のプリアンブルのシンボルを送信しなくてもよい。例えば、特定のキャリアに、同相成分Ｉがゼロ、直交成分Ｑがゼロのシンボルが存在していてもよい。
【０７１５】
データシンボル群＃ＦＤ１（＃ＴＦＤ１）（７９００−０１）、データシンボル群＃ＦＤ２（＃ＴＦＤ２）（７９００−０２）、データシンボル群＃ＦＤ３（＃ＴＦＤ３）（７９００−０３）、データシンボル群＃ＦＤ４（＃ＴＦＤ４）（７９００−０４）、データシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）、データシンボル群＃ＴＤ１０（＃ＴＦＤ１０）（７９００−１０）、データシンボル群＃ＴＤ１１（＃ＴＤ１１）（７９００−１１）には、データシンボル以外のシンボルが存在していてもよい（存在していなくてもよい）。また、特定のキャリアにチャネル変動の推定、位相雑音の推定、周波数オフセットの推定、周波数同期、時間同期などに使用することができるパイロットシンボルが存在していてもよい。
【０７１６】
図７９において、データシンボル群＃ＦＤ１（＃ＴＦＤ１）（７９００−０１）とデータシンボル群＃ＦＤ（＃ＴＦＤ５）（７９００−０５）は、いずれもキャリア１からキャリア１５を用いて送信されており、データシンボル群＃ＦＤ１（＃ＴＦＤ１）（７９００−０１）とデータシンボル群＃ＦＤ（＃ＴＦＤ５）（７９００−０５）は、実施の形態６の図５２、図５３、図５４を用いて説明した際の図５３の特定のキャリアに配置したシンボル５３０４、５３０５に相当する、特定のキャリアに配置したシンボルである。
【０７１７】
なお、実施の形態Ｃで説明したように、データシンボル群と端末に関係性を持たせてもよい。この点については、実施の形態Ｃで詳しく説明したように、例えば、
・基地局（ＡＰ）は、データシンボル群＃ＦＤ１（＃ＴＦＤ１）（７９００−０１）を用いて、端末＃１にデータを伝送する。したがって、データシンボル群＃ＦＤ１（＃ＴＦＤ１）（７９００−０１）は、端末＃１にデータを伝送するためのデータシンボル群である。
【０７１８】
・基地局（ＡＰ）は、データシンボル群＃ＦＤ２（＃ＴＦＤ２）（７９００−０２）を用いて、端末＃２にデータを伝送する。したがって、データシンボル群＃ＦＤ２（＃ＴＦＤ２）（７９００−０２）は、端末＃２にデータを伝送するためのデータシンボル群である。
・基地局（ＡＰ）は、データシンボル群＃ＦＤ３（＃ＴＦＤ３）（７９００−０３）を用いて、端末＃３にデータを伝送する。したがって、データシンボル群＃ＦＤ３（＃ＴＦＤ３）（７９００−０３）は、端末＃３にデータを伝送するためのデータシンボル群である。
【０７１９】
・基地局（ＡＰ）は、データシンボル群＃ＦＤ４（＃ＴＦＤ４）（７９００−０４）を用いて、端末＃４にデータを伝送する。したがって、データシンボル群＃ＦＤ４（＃ＴＦＤ４）（７９００−０４）は、端末＃４にデータを伝送するためのデータシンボル群である。
となる。このように、時間ｔ１から時間ｔ２の時間に存在するデータシンボル群により、周波数分割多重接続（Frequency Division Multiple Access）を行うになる。（なお、OFDM方式を用いている場合、OFDMA（Orthogonal Frequency Division Multiple Access）を行うことになる。）
同様に、
・基地局（ＡＰ）は、データシンボル群＃ＦＤ５（＃ＴＦＤ５）（７９００−０５）を用いて、端末＃Ａにデータを伝送する。したがって、データシンボル群＃ＦＤ５（＃ＴＦＤ５）（７９００−０５）は、端末＃Ａにデータを伝送するためのデータシンボル群である。
【０７２０】
・基地局（ＡＰ）は、データシンボル群＃ＦＤ６（＃ＴＦＤ６）（７９００−０６）を用いて、端末＃Ｂにデータを伝送する。したがって、データシンボル群＃ＦＤ６（＃ＴＦＤ６）（７９００−０６）は、端末＃Ｂにデータを伝送するためのデータシンボル群である。
・基地局（ＡＰ）は、データシンボル群＃ＦＤ７（＃ＴＦＤ７）（７９００−０７）を用いて、端末＃Ｃにデータを伝送する。したがって、データシンボル群＃ＦＤ７（＃ＴＦＤ７）（７９００−０７）は、端末＃Ｃにデータを伝送するためのデータシンボル群である。
【０７２１】
・基地局（ＡＰ）は、データシンボル群＃ＦＤ８（＃ＴＦＤ８）（７９００−０８）を用いて、端末＃Ｄにデータを伝送する。したがって、データシンボル群＃ＦＤ８（＃ＴＦＤ８）（７９００−０８）は、端末＃Ｄにデータを伝送するためのデータシンボル群である。
・基地局（ＡＰ）は、データシンボル群＃ＦＤ９（＃ＴＦＤ９）（７９００−０９）を用いて、端末＃Ｅにデータを伝送する。したがって、データシンボル群＃ＦＤ９（＃ＴＦＤ９）（７９００−０９）は、端末＃Ｅにデータを伝送するためのデータシンボル群である。
となる。このように時間ｔ３から時間ｔ４の時間に存在するデータシンボル群により、周波数分割多重接続（Frequency Division Multiple Access）を行うになる。（なお、OFDM方式を用いている場合、OFDMA（Orthogonal Frequency Division Multiple Access）を行うことになる。）
また、基地局（ＡＰ）は、データシンボル群＃ＴＤ１０（＃ＴＦＤ１０）（７９００−１０）を用いて、端末＃αにデータを送信する。したがって、データシンボル群＃ＴＤ１０（＃ＴＦＤ１０）（７９００−１０）は、端末αにデータを伝送するためのデータシンボル群である。
【０７２２】
基地局（ＡＰ）は、データシンボル群＃ＴＤ１１（＃ＴＦＤ１１）（７９００−１１）を用いて、端末＃βにデータを送信する。したがって、データシンボル群＃ＴＤ１１（＃ＴＦＤ１１）（７９００−１１）は、端末βにデータを伝送するためのデータシンボル群である。
ところで、図５４、図７９などのフレーム（フレームは図５４、図７９に限ったものではなく、本明細書で説明したフレームにおいて、以下は適用可能である。）において、時間分割（または、時間分割多重）、周波数分割（または、周波数分割多重）、時間および周波数領域の分割（または、時間および周波数領域の分割多重）を行ったデータシンボル群について説明した。
【０７２３】
次に、データシンボル群の時間的な境界、または、周波数的な境界の構成の別の例について説明する。
例えば、データシンボル群を時間方向に分割する際、図８０のような状態を考える。図８０は、時間方向における分割の一例について示す図である。
図８０において、横軸は時間、縦軸は周波数（キャリア）である。図８０は、第１領域、第２領域、第３領域、第４領域をデータシンボル群として時間方向で分割した場合の例を示している。
【０７２４】
図８０に示すように、時刻ｔ１では、第１領域と第２領域が存在する。また、時刻ｔ２、時刻ｔ３では、第２領域と第３領域が存在する。そして、第３領域と第４領域は、時間方向における重なりが存在しない。これらのケースを含めて、「時間方向での分割」と定義するものとする。例えば、図８０のように、ある時刻で複数のデータシンボル群が存在するように時間的に分割を行ってもよい。
【０７２５】
さらにいえば、図８０の第１領域から第３領域に示すように、１つの領域は、異なる周波数において異なる時間幅を有していても良い。つまり、１つの領域は、時間−周波数平面において矩形でなくてもよい。これらのケースを含めて、「時間方向での分割」と定義するものとする。
例えば、周波数方向に分割する際、図８１のような状態を考える。図８１は、周波数方向における分割の一例について示す図である。
【０７２６】
図８１において、横軸は周波数（キャリア）、縦軸は時間である。図８１は、第１領域、第２領域、第３領域、第４領域をデータシンボル群として周波数方向で分割した場合の例を示している。
図８１に示すように、キャリアｃ１では、第１領域と第２領域が存在する。また、キャリアｃ２、キャリアｃ３では、第２領域と第３領域が存在する。そして、第３領域と第４領域は、周波数方向における重なりが存在しない。これらのケースを含めて、「周波数方向での分割」と定義するものとする。例えば、図８１のように、ある周波数（キャリア）で複数のデータシンボル群が存在するように周波数的に分割を行ってもよい。
【０７２７】
さらにいえば、図８１の第１領域から第３領域が示すように、１つの領域は、異なる時間において異なる周波数幅を有していても良い。つまり、１つの領域は、時間−周波数平面において、矩形でなくてもよい。これらのケースを含めて、「周波数方向での分割」と定義するものとする。
また、データシンボル群を時間および周波数領域の分割（または、時間および周波数領域の分割多重）を行う際、時間方向での分割を図８０のように行い、周波数方向での分割を図８１のように行ってもよい。つまり、データシンボル群の時間−周波数平面における１つの領域は、異なる時間において異なる周波数幅を有し、かつ、異なる周波数において異なる時間幅を有していてもよい。
【０７２８】
当然であるが、図７９のデータシンボル群＃ＦＤ１（＃ＴＦＤ１）（７９００−０１）、データシンボル群＃ＦＤ２（＃ＴＦＤ２）（７９００−０２）、データシンボル群＃ＦＤ３（＃ＴＦＤ３）（７９００−０３）、データシンボル群＃ＦＤ４（＃ＴＦＤ４）（７９００−０４）のように周波数分割を行い、２つ以上のデータシンボル群が存在するキャリア（周波数）が存在しないように、周波数分割を行ってもよい。
【０７２９】
また、図７９のデータシンボル群＃ＴＤ１０（＃ＴＦＤ１０）（７９００−１０）、データシンボル群＃ＴＤ１１（＃ＴＤ１１）（７９００−１１）のように時間分割を行い、２つ以上のデータシンボル群が存在する時間（時刻）が存在しないように、時間分割を行ってもよい。
図６４に、例えば、図７９のデータシンボル群＃ＦＤ１（＃ＴＦＤ１）（７９００−０１）において、ダミーシンボル（または、ダミースロット）を挿入したときの様子の一例を示している。（以下の例と同様の例を図６３と図６４を用いて、以前に説明を行っている。）
例えば、データシンボル群＃ＦＤ１（＃ＴＦＤ１）（７９００−０１）において、データシンボルを、時間インデックスの小さいところから優先に配置していく。そして、ある時間において、占有しているすべてのキャリアにデータシンボルの配置が完了したら、その次の時間にデータシンボルの配置を行うという規則を設ける。
【０７３０】
例えば、データシンボル群＃ＴＦＤ１（３４０１）では、図６４に示すように、時間＄１０００１のキャリア１にデータシンボルを配置し、その後、時間＄１０００１のキャリア２、時間＄１０００１のキャリア３、・・・、時間＄１０００１のキャリア９、時間＄１０００１のキャリア１０にデータシンボルを配置する。そして、時間＄１０００２にうつり、時間＄１０００２のキャリア１、時間＄１０００２のキャリア２、・・・、にデータシンボルを配置する。
【０７３１】
時間＄１３９９５では、時間＄１３９９５のキャリア１、時間＄１３９９５のキャリア２、時間＄１３９９５のキャリア３、時間＄１３９９５のキャリア４、時間＄１３９９５のキャリア５、時間＄１３９９５のキャリア６にデータシンボルを配置する。これで、データシンボルの配置が終了する。
しかし、時間＄１３９９５のキャリア７、キャリア８、キャリア９、キャリア１０、および、時間＄１３９９６のキャリア１からキャリア１０、時間＄１３９９７のキャリア１からキャリア１０、時間＄１３９９８のキャリア１からキャリア１０、時間＄１３９９９のキャリア１からキャリア１０、時間＄１４０００のキャリア１からキャリア１０にデータシンボル群＃ＴＦＤ１（３４０１）としてのシンボルが存在する。したがって、時間＄１３９９５のキャリア７、キャリア８、キャリア９、キャリア１０、および、時間＄１３９９６のキャリア１からキャリア１０、時間＄１３９９７のキャリア１からキャリア１０、時間＄１３９９８のキャリア１からキャリア１０、時間＄１３９９９のキャリア１からキャリア１０、時間＄１４０００のキャリア１からキャリア１０にダミーシンボルを配置する。
【０７３２】
以上と同様の方法で、図７９におけるデータシンボル群＃ＦＤ２（＃ＴＦＤ２）（７９００−０２）、データシンボル群＃ＦＤ３（＃ＴＦＤ３）（７９００−０３）、データシンボル群＃ＦＤ４（＃ＴＦＤ４）（７９００−０４）、データシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）、データシンボル群＃ＴＤ１０（＃ＴＦＤ１０）（７９００−１０）、データシンボル群＃ＴＤ１１（＃ＴＦＤ１１）（７９００−１１）においても必要であれば、ダミーシンボルを配置する。
【０７３３】
以上のように、時間分割多重を行っているデータシンボル群、時間分割多重を行っているデータシンボル群、特定のキャリアを使用しているデータシンボル群において、ダミーシンボルを挿入することによって、受信装置は、簡単にデータシンボルを選別し、復調・復号を行うことができ、また、ダミーシンボルによるデータ伝送速度の低下を防ぐことができるという効果を得ることができる。
【０７３４】
なお、図７９の例では、時間軸に対し、「プリアンブル」、「周波数分割したシンボル」、「プリアンブル」、「周波数分割したシンボル」、「プリアンブル」、「時間分割したシンボル」、または、「プリアンブル」、「周波数分割したシンボル」、「プリアンブル」、「周波数分割したシンボル」、「プリアンブル」、「周波数分割を行っていないシンボル群」の順に並んだフレームを例に説明したが、これに限ったものではない。例えば、時間軸に対し、「プリアンブル」、「時間分割したシンボル」、「プリアンブル」、「周波数分割したシンボル」の順に並んだフレームであってもよいし、時間軸に対し、「プリアンブル」、「周波数分割を行っていないシンボル群」、「プリアンブル」、「周波数分割したシンボル」の順に並んだフレームであってもよい。
【０７３５】
また、データシンボル群に対するダミーシンボル群の挿入方法は、図６４に限ったものではない。以下では、図６４とは異なるダミーシンボル挿入方法の例について説明する。
データシンボル群＃ＴＦＤ  Ｘ、データシンボル群＃ＦＤ  Ｙ、データシンボル群＃ＴＤ  Ｚ（例えば、Ｘ、Ｙ、Ｚは１以上の整数）において、シンボル数（または、スロット数）をＵとする。Ｕは１以上の整数とする。
【０７３６】
まず、「FECブロック（誤り訂正符号のブロック長（誤り訂正符号の符号長））の整数倍のデータが収まるようなシンボル数（またはスロット数）、Ｖ（Ｖは１以上の整数とする）」を確保する。ただし、Ｕ−α＋１≦Ｖ≦Ｕを満たすものとする。（αは、誤り訂正符号のブロック長（符号長）（単位：ビット）を送信するのに必要なシンボル数（またはスロット数）であるものとし、１以上の整数であるものとする。）
そして、Ｕ−Ｖ≠０のとき、Ｕ−Ｖシンボル（または、Ｕ−Ｖスロット）のダミーシンボル（または、ダミースロット）を付加する。したがって、データシンボル群＃ＴＦＤ  Ｘ、または、データシンボル群＃ＦＤ  Ｙ、または、データシンボル群＃ＴＤ  Ｚは、Ｖシンボル（または、Ｖスロット）のデータシンボルとＵ−Ｖシンボル（または、Ｕ−Ｖスロット）のダミーシンボルで構成されることになる。（ダミーシンボルの各シンボルでは、同相成分Ｉになんらかの値をもち、直交成分Ｑについてもなんらかの値を持つことになる。）
データシンボル群＃ＴＦＤ  Ｘ、データシンボル群＃ＦＤ  Ｙ、データシンボル群＃ＴＤ  Ｚは、「Ｖシンボル（または、Ｖスロット）のデータシンボルとＵ−Ｖシンボル（または、Ｕ−Ｖスロット）のダミーシンボルで構成される」を満たすことになる。
【０７３７】
つまり、データシンボル群＃ＴＦＤ  Ｘ、データシンボル群＃ＦＤ  Ｙ、データシンボル群＃ＴＤ  Ｚにおいて、ダミーシンボル（または、ダミースロット）が必要となる場合、各データシンボル群でダミーシンボル（ダミースロット）を挿入することになる。
ダミーシンボル挿入方法を適用する基地局（ＡＰ）の構成の一例について説明する。
基地局（ＡＰ）の構成は、図１において、データ生成部１０２、フレーム構成部１１０を図８２に置き換えた構成であるものとする。以下では、図８２について説明を行う。
【０７３８】
図８２において、図１と同様に動作するものについては、同一番号を付している。
データシンボル群＃１用誤り訂正符号化部８２００−０２−１は、（例えば、端末＃１用の）データシンボル群＃１用のデータ８２００−０１−１、および、制御信号８２００−００（１０９）を入力とし、制御信号８２００−００（１０９）に含まれる誤り訂正符号化方法（例えば、誤り訂正符号の情報、誤り訂正符号の符号長、誤り訂正符号の符号化率など）の情報に基づき、データシンボル群＃１用のデータ８２００−０１−１に対し、誤り訂正符号化を行い、データシンボル群＃１用の誤り訂正符号化後のデータ８２００−０３−１を出力する。
【０７３９】
同様に、データシンボル群＃２用誤り訂正符号化部８２００−０２−２は、（例えば、端末＃２用の）データシンボル群＃２用のデータ８２００−０１−２、および、制御信号８２００−００（１０９）を入力とし、制御信号８２００−００（１０９）に含まれる誤り訂正符号化方法（例えば、誤り訂正符号の情報、誤り訂正符号の符号長、誤り訂正符号の符号化率など）の情報に基づき、データシンボル群＃２用のデータ８２００−０１−２に対し、誤り訂正符号化を行い、データシンボル群＃２用の誤り訂正符号化後のデータ８２００−０３−２を出力する。
【０７４０】
・・・
また、データシンボル群＃Ｎ用の誤り訂正符号化部８２００−０２−Ｎ（Ｎは１以上の整数とする）は、（例えば、端末＃Ｎ用の）データシンボル群＃Ｎ用のデータ８２００−０１−Ｎ、および、制御信号８２００−００（１０９）を入力とし、制御信号８２００−００（１０９）に含まれる誤り訂正符号化方法（例えば、誤り訂正符号の情報、誤り訂正符号の符号長、誤り訂正符号の符号化率など）の情報に基づき、データシンボル群＃Ｎのデータ８２００−０１−Ｎに対し、誤り訂正符号化を行い、データシンボル群＃Ｎ用の誤り訂正符号化後のデータ８２００−０３−Ｎを出力する。
【０７４１】
データシンボル群１用インターリーバ８２００−０４−１は、データシンボル群＃１用の誤り訂正符号化後のデータ８２００−０３−１、および、制御信号８２００−００（１０９）を入力とし、制御信号８２００−００（１０９）に含まれる並び替え方法の情報に基づき、データシンボル群＃１用の誤り訂正符号化後のデータ８２００−０３−１に対し、並び替えを行い、データシンボル群＃１用の並び替え後のデータ８２００−０５−１を出力する。
【０７４２】
同様に、データシンボル群＃２用インターリーバ８２００−０４−２は、データシンボル群＃２用の誤り訂正符号化後のデータ８２００−０３−２、および、制御信号８２００−００（１０９）を入力とし、制御信号８２００−００（１０９）に含まれる並び替え方法の情報に基づき、データシンボル群＃２用の誤り訂正符号化後のデータ８２００−０３−２に対し、並び替えを行い、データシンボル群＃２用の並び替え後のデータ８２００−０５−２を出力する。
【０７４３】
・・・
また、データシンボル群＃Ｎ用インターリーバ８２００−０４−Ｎは、データシンボル群＃Ｎ用の誤り訂正符号化後のデータ８２００−３−Ｎ、および、制御信号８２００−００（１０９）を入力とし、制御信号８２００−００（１０９）に含まれる並び替え方法の情報に基づき、データシンボル群＃Ｎ用の誤り訂正符号化後のデータ８２００−０３−Ｎに対し、並び替えを行い、データシンボル群＃Ｎ用の並び替え後のデータ８２００−０５−Ｎを出力する。
【０７４４】
データシンボル群＃１用マッピング部８２００−０６−１は、データシンボル群＃１用の並び替え後のデータ８２００−０５−１、および、制御信号８２００−００（１０９）を入力とし、制御信号８２００−００（１０９）に含まれる変調方式の情報に基づき、データシンボル群＃１用の並び替え後のデータ８２００−０５−１に対し、マッピングを行い、データシンボル群＃１用のマッピング後の信号８２００−０７−１を出力する。
【０７４５】
同様に、データシンボル群＃２用マッピング部８２００−０６−２は、データシンボル群＃２用の並び替え後のデータ８２００−０５−２、および、制御信号８２００−００（１０９）を入力とし、制御信号８２００−００（１０９）に含まれる変調方式の情報に基づき、データシンボル群＃２用の並び替え後のデータ８２００−０５−２に対し、マッピングを行い、データシンボル群＃２用のマッピング後の信号８２００−０７−２を出力する。
【０７４６】
・・・
また、データシンボル群＃Ｎ用マッピング部８２００−０６−Ｎは、データシンボル群＃Ｎ用の並び替え後のデータ８２００−０５−Ｎ、および、制御信号８２００−００（１０９）を入力とし、制御信号８２００−００（１０９）に含まれる変調方式の情報に基づき、データシンボル群＃Ｎ用の並び替え後のデータ８２００−０５−Ｎに対し、マッピングを行い、データシンボル群＃Ｎ用のマッピング後の信号８２００−０７−Ｎを出力する。
【０７４７】
フレーム構成部１１０は、データシンボル群＃１用のマッピング後の信号８２００−０７−１、データシンボル群＃２用のマッピング後の信号８２００−０７−２、・・・、データシンボル群＃Ｎ用のマッピング後の信号８２００−０７−Ｎ、および、第２のプリアンブルの（直交）ベースバンド信号１０６、制御信号８２００−００（１０９）を入力とし、制御信号８２００−００（１０９）に含まれるフレーム構成の情報（例えば、図５４、図７９など（ただし、フレーム構成はこれに限ったものではない。））に基づき、（フレーム構成にしたがった）ストリーム１の（直交）ベースバンド信号８２０１＿１、および／または、ストリーム２の（直交）ベースバンド信号８２０１＿２を出力する。
【０７４８】
例えば、制御信号８２００−００（１０９）が、ＭＩＭＯ伝送、ＭＩＳＯ伝送であることを指定しているとき、フレーム構成部１１０は、（フレーム構成にしたがった）ストリーム１の（直交）ベースバンド信号８２０１＿１、および、ストリーム２の（直交）ベースバンド信号８２０１＿２を出力する。
制御信号８２００−００（１０９）が、ＳＩＳＯ伝送であることを指定しているとき、フレーム構成部１１０は、（フレーム構成にしたがった）、例えば、ストリーム１の（直交）ベースバンド信号８２０１＿１を出力する。
【０７４９】
なお、以降の処理については、図１を用いて説明したとおりである。また、図１、図８２は、装置の一例の構成であり、これに限ったものではない。
基地局（ＡＰ）の別の構成例について説明する。
基地局（ＡＰ）の別の構成は、図７６において、データシンボル群生成部７６００−００、フレーム構成部７６００−０１を図８３に置き換えた構成であるものとする。
【０７５０】
図８３において、図５８、図７６、図８２と同様に動作するものについては、同一番号を付しており、同様に動作するものについては、説明を省略する。
フレーム構成部７６００−０１は、データシンボル群＃１用のマッピング後の信号８２００−０７−１、データシンボル群＃２用のマッピング後の信号８２００−０７−２、・・・、データシンボル群＃Ｎ用のマッピング後の信号８２００−０７−Ｎ、および、制御シンボルのベースバンド信号５８０８、パイロットシンボルのベースバンド信号５８１０、制御信号８２００−００（５８３１）を入力とし、制御信号８２００−００（５８３１）に含まれるフレーム構成の情報（例えば、図５４、図７９など（ただし、フレーム構成はこれに限ったものではない））に基づき、（フレーム構成にしたがった）変調信号７６００−０２を出力する。
【０７５１】
なお、以降の処理については、図７６を用いて説明したとおりである。また、図７６、図８３は、装置の一例の構成であり、これに限ったものではない。
図８２、図８３などにおいて、データシンボル群＃１用のインターリーバ８２００−０４−１、データシンボル群＃２用インターリーバ８２００−０４−２、・・・、データシンボル群＃Ｎ用インターリーバ８２００−０４−Ｎの動作の例を図８４を用いて説明する。
【０７５２】
データシンボル群＃ＴＦＤ  Ｘ、データシンボル群＃ＦＤ  Ｙ、データシンボル群＃ＴＤ  Ｚ（例えば、Ｘ、Ｙ、Ｚは１以上の整数）において、シンボル数（または、スロット数）をＵとする。Ｕは１以上の整数とする。そして、シンボル当たり（または、スロット当たり）に伝送するビット数をＣとする。（Ｃは１以上の整数とする。）
「FECブロック（誤り訂正符号のブロック長（誤り訂正符号の符号長））の整数倍のデータが収まるようなシンボル数（またはスロット数）、Ｖ（Ｖは１以上の整数とする）」を確保する。ただし、Ｕ−α＋１≦Ｖ≦Ｕを満たすものとする。（αは、誤り訂正符号のブロック長（符号長）（単位：ビット）を送信するのに必要なシンボル数（またはスロット数）であるものとし、１以上の整数であるものとする。）
そして、Ｕ−Ｖ≠０のとき、Ｕ−Ｖシンボル（または、Ｕ−Ｖスロット）のダミーシンボル（または、ダミースロット）を付加する。したがって、データシンボル群＃ＴＦＤ  Ｘ、または、データシンボル群＃ＦＤ  Ｙ、または、データシンボル群＃ＴＤ  Ｚは、Ｖシンボル（または、Ｖスロット）のデータシンボルとＵ−Ｖシンボル（または、Ｕ−Ｖスロット）のダミーシンボルで構成されることになる。（ダミーシンボルの各シンボルでは、同相成分Ｉになんらかの値をもち、直交成分Ｑについてもなんらかの値を持つことになる。）
データシンボル群＃ＴＦＤ  Ｘ、データシンボル群＃ＦＤ  Ｙ、データシンボル群＃ＴＤ  Ｚは、「Ｖシンボル（または、Ｖスロット）のデータシンボルとＵ−Ｖシンボル（または、Ｕ−Ｖスロット）のダミーシンボルで構成される」を満たすことになる。
【０７５３】
したがって、Ｕ−Ｖ≠０のとき、「データシンボル用のデータ（ＦＥＣブロック（誤り訂正符号のブロック長）（誤り訂正符号の符号長）の整数倍のデータ）」のビット数はＣ×Ｖ  ＝  Ａ×Ｃ×αビット（Ａは１以上の整数）となり、ダミーシンボル用データのビット数はＣ×（Ｕ−Ｖ）ビットとなる。
図８４に、Ｕ−Ｖ≠０のときの、
ビット数Ｃ×Ｖ  ＝  Ａ×Ｃ×αビット（Ａは１以上の整数）ビットの「データシンボル用のデータ」とビット数Ｃ×（Ｕ−Ｖ）ビットの「ダミーシンボル用データ」の、図８２、図８３などにおいて、データシンボル群＃１用のインターリーバ８２００−０４−１、データシンボル群＃２用インターリーバ８２００−０４−２、・・・、データシンボル群＃Ｎ用インターリーバ８２００−０４−Ｎの動作の例を示している。
【０７５４】
図８４（ａ）は、並び替え前のデータの構成例を示している。例えば、データシンボル用のデータ、ダミーシンボル用のデータの順にデータが並んでいるものとする。（ただし、並び替え前のデータの並びは、図８４（ａ）に限ったものではない。）
図８４（ｂ）は、図８４（ａ）で示したデータに対し、順番を並び替えたときのデータ（図８４（ｂ）のＣ×Ｕビットの並び替え後のデータ）となる。データの並び替えの方法は、どのような規則であってもよい。
【０７５５】
図８２、図８３などのデータシンボル群＃１用マッピング部８２００−０６−１、データシンボル群＃２用マッピング部８２００−０６−２、・・・、データシンボル群＃Ｎ用マッピング部８２００−０６−Ｎは、図８４（ｂ）に示した並び替え後のデータに対してマッピングを行うことになる。
なお、データシンボル群＃１用インターリーバ８２００−０４−１のデータの並び替えの方法、データシンボル群＃２用インターリーバ８２００−０４−２のデータの並び替えの方法、・・・、データシンボル群＃Ｎ用インターリーバ８２００−０４−Ｎのデータの並び替えの方法は、同一であってもよいし、異なっていてもよい。
【０７５６】
以上のように、「データシンボル用のデータ」と「ダーミーシンボル用のデータ」を並び替えた場合、データシンボル群のデータシンボルとダミーシンボルの配置の様子は、図６４のような配置に限ったものではなくなる。例えば、ダミーシンボルは、データシンボル群における時間−周波数軸において、どのような位置に配置されてもよい。また、「データ」と「ダミーデータ」により、シンボル、または、スロットを構成する場合が存在していてもよい。
【０７５７】
また、データシンボル群＃１用のインターリーバ８２００−０５−１、データシンボル群＃２用インターリーバ８２００−０５−２、・・・、データシンボル群＃Ｎ用インターリーバ８２００−０５−Ｎは、並び替えの方法をフレームごとに切り替えてもよい。そして、データシンボル群＃１用のインターリーバ８２００−０５−１、データシンボル群＃２用インターリーバ８２００−０５−２、・・・、データシンボル群＃Ｎ用インターリーバ８２００−０５−Ｎの中、並び替えを行わないもの（インターリーバ）が存在していてもよい。（例えば、図７９において、特定のキャリアに配置したデータシンボル群＃ＦＤ１（＃ＴＦＤ１）（７９００−０１）、データシンボル群＃ＦＤ５（＃ＴＦＤ５）（７９００−０５）では、並び替えを行わないという構成であってもよい。このようにすることで、受信装置は、特定のキャリアのデータシンボル群のデータを遅延が少なく得ることが可能であるという効果を得ることができる。）
図８５に、データシンボル群＃１用のインターリーバ８２００−０５−１、データシンボル群＃２用インターリーバ８２００−０５−２、・・・、データシンボル群＃Ｎ用インターリーバ８２００−０５−Ｎの構成の一例を示している。なお、図８２、図８３と同様に動作するものについては、同一番号を付している。
【０７５８】
ダミーデータ生成部８５００−０１は、制御信号８２００−００を入力とし、制御信号８２００−００に含まれているダミーデータに関する情報（例えば、ダミーデータを発生するビット数など）に基づき、ダミーデータを生成し、ダミーデータ８５００−０２を出力する。
インターリーバ８５００−０４は、誤り訂正符号化後のデータ８５００−０３（図８２、図８３などにおけるデータシンボル群＃１用の誤り訂正符号化後のデータ８２００−０３−１、データシンボル群＃２用の誤り訂正符号化後のデータ８２００−０３−２、・・・、データシンボル群＃Ｎ用の誤り訂正符号化後のデータ８２００−０３−Ｎに相当）、ダミーデータ８５００−０２、制御信号８２００−００を入力とし、制御信号８２００−００に含まれるインターリーブの方法に関する情報に基づいて、誤り訂正符号化後のデータ８５００−０３、ダミーデータ８５００−０２に対して、並び替えを行い、並び替え後のデータ８５００−０５（図８２、図８３などにおけるデータシンボル群＃１用の並び替え後のデータ８２００−０５−１、データシンボル群＃２用の並び替え後のデータ８２００−０５−２、・・・、データシンボル群＃Ｎ用の並び替え後のデータ８２００−０５−Ｎに相当）を出力する。
【０７５９】
なお、ダミーシンボルのデータ（または、ダミーデータ）は、送信装置、および、受信装置において、既知のデータで構成する方法が、例えば考えられる。
また、例えば、図５４、図７９など（ただし、フレーム構成はこれに限ったものではない。）のフレームにおける第１プリアンブル、および／または、第２プリアンブルは、「各データシンボル群の使用するキャリア・時間に関連する情報」、「各データシンボル群におけるダミーデータ（またはダミーシンボル）の挿入するビット数（または、シンボル数）に関連する情報」、「各データシンボル群の送信方法に関する情報」、「各データシンボル群の変調方式（または、変調方式セット）に関連する情報」、「各データシンボル群で使用するインターリーブ方法に関連する情報」、「各データシンボル群で使用する誤り訂正符号に関連する情報」などの情報を含んでいてもよい。これにより、受信装置は、各データシンボル群のデータシンボル群の復調が可能となる。
【０７６０】
以上のように、データシンボル用のデータとダミーデータの並び替えを行うことで、データシンボル用のデータが、時間−周波数軸に存在するシンボルに離散的に配置されるようになるため、時間・周波数ダイバーシチゲインを得ることができるため、受信装置において、データの受信品質が向上するという効果を得ることができる。
ダミーシンボル挿入方法を適用する基地局（ＡＰ）の構成の別の例を説明する。
【０７６１】
基地局（ＡＰ）の構成は、図１において、データ生成部１０２、フレーム構成部１１０を図８６に置き換えた構成であるものとする。以下では、図８６について説明を行う。
図８６において、図１、図８２と同様に動作するものについては、同一番号を付しており、説明をすでに行っている部分については、説明を省略する。
データシンボル群＃１用キャリア並び替え部８６００−０１−１は、データシンボル群＃１用のマッピング後の信号８２００−０７−１、制御信号８２００−００を入力とし、制御信号８２００−００に含まれるキャリア並び替え方法の情報に基づき、データシンボル群＃１用のマッピング後の信号８２００−０７−１に対し、キャリアの並び替えを行い、データシンボル群＃１用のキャリア並び替え後の信号８６００−０２−１を出力する。なお、キャリアの並び替えについては、後で説明する。
【０７６２】
同様に、データシンボル群＃２用キャリア並び替え部８６００−０１−２は、データシンボル群＃２のマッピング後の信号８２００−０７−２、制御信号８２００−００を入力とし、制御信号８２００−００に含まれるキャリア並び替え方法の情報に基づき、データシンボル群＃２のマッピング後の信号８２００−０７−２に対し、キャリアの並び替えを行い、データシンボル群＃２用のキャリア並び替え後の信号８６００−０２−２を出力する。なお、キャリアの並び替えについては、後で説明する。
【０７６３】
・・・
また、データシンボル群＃Ｎ用キャリア並び替え部８６００−０１−Ｎは、データシンボル群＃Ｎのマッピング後の信号８２００−０７−Ｎ、制御信号８２００−００を入力とし、制御信号８２００−００に含まれるキャリア並び替え方法の情報に基づき、データシンボル群＃Ｎのマッピング後の信号８２００−０７−Ｎに対し、キャリアの並び替えを行い、データシンボル群＃Ｎ用のキャリア並び替え後の信号８６００−０２−Ｎを出力する。なお、キャリアの並び替えについては、後で説明する。
【０７６４】
なお、これ以外の部分の処理については、図１、図８２を用いて説明したとおりであるので説明を省略する。また、図１、図８６は、装置の一例の構成であり、これに限ったものではない。
基地局（ＡＰ）の別の構成例について説明する。
基地局（ＡＰ）の別の構成は、図７６において、データシンボル群生成部７６００−００、フレーム構成部７６００−０１を図８７に置き換えた構成であるものとする。
図８７において、図５８、図７６、図８２、図８６と同様に動作するものについては、同一番号を付しており、同様に動作するものは、説明を省略する。（したがって、図８７の説明は省略する。）
なお、図７６、図８７は、装置の一例の構成であり、これに限ったものではない。
【０７６５】
次に、図８６、図８７のデータシンボル群＃１用キャリア並び替え部８６００−０１−１、データシンボル群＃２用キャリア並び替え部８６００−０１−２、・・・、データシンボル群＃Ｎ用キャリア並び替え部８６００−０１−Ｎにおけるキャリア並び替えの動作の一例について、図８８を用いて説明する。
図８８において、図８８（ａ）は、キャリア並び替え前のデータシンボル群のシンボル構成の例を示しており、横軸が時間、縦軸が周波数（キャリア）であるものとする。図８８（ａ）に示すように、キャリア＄１のシンボルを第１シンボル列と名づけ、キャリア＄２のシンボルを第２シンボル列と名づけ、キャリア＄３のシンボルを第３シンボル列と名づけ、キャリア＄４のシンボルを第４シンボル列と名づけ、キャリア＄５のシンボルを第５シンボル列と名づけ、キャリア＄６のシンボルを第６シンボル列と名づけ、キャリア＄７のシンボルを第７シンボル列と名づける。したがって、データシンボル群は、第１シンボル列から第７シンボル列で構成されているものとする。
図８８（ｂ）はキャリア並び替え後のデータシンボル群のシンボル構成の例を示している。
【０７６６】
図８８（ａ）（ｂ）に示すように、キャリア並び替え前にキャリア＄１に配置されていた第１シンボル列は、キャリア並び替え後キャリア＄４に配置される。
キャリア並び替え前にキャリア＄２に配置されていた第２シンボル列は、キャリア並び替え後キャリア＄６に配置される。
キャリア並び替え前にキャリア＄３に配置されていた第３シンボル列は、キャリア並び替え後キャリア＄５に配置される。
キャリア並び替え前にキャリア＄４に配置されていた第４シンボル列は、キャリア並び替え後キャリア＄２に配置される。
【０７６７】
キャリア並び替え前にキャリア＄５に配置されていた第５シンボル列は、キャリア並び替え後キャリア＄７に配置される。
キャリア並び替え前にキャリア＄６に配置されていた第６シンボル列は、キャリア並び替え後キャリア＄１に配置される。
キャリア並び替え前にキャリア＄７に配置されていた第７シンボル列は、キャリア並び替え後キャリア＄３に配置される。
【０７６８】
以上の例のように、データシンボル群＃１用キャリア並び替え部８６００−０１−１、データシンボル群＃２用キャリア並び替え部８６００−０１−２、・・・、データシンボル群＃Ｎ用キャリア並び替え部８６００−０１−Ｎでは、シンボル列のキャリア位置の変更が行われる。なお、図８８のキャリア入れ替えはあくまでも一例であり、キャリア入れ替えの方法は、これに限ったものではない。
【０７６９】
以上のように、キャリア並び替えを行うことで、時間・周波数ダイバーシチゲインが大きくなるように、データシンボルが配置されることになるため、受信装置において、データの受信品質が向上するという効果を得ることができる。
図１において、データ生成部１０２、フレーム構成部１１０を図８６に置き換えた構成の基地局（ＡＰ）と同様に動作する構成として、図１において、データ生成部１０２、フレーム構成部１１０を図８９に置き換えた構成であってもよい。
【０７７０】
図８９において、図１、図８２と同様に動作するものについては、同一番号を付しており、説明は省略する。
キャリア並び替え部８９００−０１−１は、ストリーム１の（直交）ベースバンド信号８２０１＿１、制御信号８２００−００を入力とし、制御信号８２００−００に含まれるキャリア並び替えの情報に基づいて、キャリアの並び替えを行い（図８８参照）キャリア並び替え後のベースバンド信号８９００−０２−１を出力する。
【０７７１】
同様に、キャリア並び替え部８９００−０１−２は、ストリーム２の（直交）ベースバンド信号８２０１＿２、制御信号８２００−００を入力とし、制御信号８２００−００に含まれるキャリア並び替えの情報に基づいて、キャリア並び替えを行い（図８８参照）キャリア並び替え後のベースバンド信号８９００−０２−２を出力する。
したがって、図１の信号処理部１１２は、ストリーム１の（直交）ベースバンド信号１１１＿１の代わりにキャリア並び替え後のベースバンド信号８９００−０２−１を入力とし、ストリーム２の（直交）ベースバンド信号１１１＿２の代わりにキャリア並び替え後のベースバンド信号８９００−０２−２を入力とする。
【０７７２】
図７６において、データシンボル群生成部７６００−００、フレーム構成部７６００−０１を図８７に置き換えた構成の基地局（ＡＰ）と同様に動作する構成として、図７６において、データシンボル群生成部７６００−００、フレーム構成部７６００−０１を図９０に置き換えた構成であってもよい。
図９０において、図５８、図７６、図８２と同様に動作するものについては、同一番号を付しており、説明は省略する。
【０７７３】
キャリア並び替え部９０００−０１は、変調信号７６００−０２、制御信号８２００−００を入力とし、制御信号８２００−００に含まれるキャリア並び替えの情報に基づいて、キャリア並び替えを行い（図８８参照）キャリア並び替え後のベースバンド信号９０００−０２を出力する。
したがって、図７６の無線部５８１６は、変調信号７６００−０２の代わりにキャリア並び替え後のベースバンド信号９０００−０２を入力とする。
【０７７４】
以上のように、データシンボル群に対し、いくつかの、ダミーシンボル、または、ダミーデータを挿入する方法について説明を行った。このように、ダミーシンボル、または、ダミーデータを挿入することによって、受信装置は、簡単にデータシンボルを選別し、復調・復号を行うことができ、また、ダミーシンボル、または、ダミーデータによるデータ伝送速度の低下を防ぐことができるという効果を得ることができる。（効率よく、１つ以上のデータシンボル群を送信することができる（データシンボル群ごとに伝送速度を設定することができる）という利点をもつ。）
（補足２）
実施の形態２において、データシンボル群を周波数分割多重しているときの（サブ）キャリア間隔の設定とデータシンボル群を時間分割多重している（または、データシンボル群を周波数分割していない）ときの（サブ）キャリア間隔の設定を別々に行うことを説明しているが、当然であるが、実施の形態Ｃ、実施の形態Ｄにおいて、適用することが可能である。
【０７７５】
例えば、図７９において、データシンボル群＃ＦＤ１（＃ＴＦＤ１）（７９００−０１）およびデータシンボル群＃ＦＤ２（＃ＴＦＤ２）（７９００−２）およびデータシンボル群＃ＦＤ３（＃ＴＦＤ３）（７９００−０３）およびデータシンボル群＃ＦＤ４（＃ＴＦＤ４）（７９００−０４）を送信している時間の（サブ）キャリア間隔と、データシンボル群＃ＴＤ１０（＃ＴＦＤ１０）（７９００−１０）を送信している時間の（サブ）キャリア間隔は、同一であってもよいし、異なっていてもよい。ただし、図７９では、「同一」であるときのフレーム構成を例に記載している。
【０７７６】
なお、図９１に、「異なる」ときの例を示している。ただし、データシンボル群＃ＦＤ１（＃ＴＦＤ１）（７９００−０１）およびデータシンボル群＃ＦＤ２（＃ＴＦＤ２）（７９００−２）およびデータシンボル群＃ＦＤ３（＃ＴＦＤ３）（７９００−０３）およびデータシンボル群＃ＦＤ４（＃ＴＦＤ４）（７９００−０４）を送信している時間のチャネル間隔と、データシンボル群＃ＴＤ１０（＃ＴＦＤ１０）（７９００−１０）を送信している時間のチャネル間隔は等しいものとする。（ただし、データシンボル群＃ＦＤ１（＃ＴＦＤ１）（７９００−０１）およびデータシンボル群＃ＦＤ２（＃ＴＦＤ２）（７９００−２）およびデータシンボル群＃ＦＤ３（＃ＴＦＤ３）（７９００−０３）およびデータシンボル群＃ＦＤ４（＃ＴＦＤ４）（７９００−０４）を送信している時間の周波数占有帯域と、データシンボル群＃ＴＤ１０（＃ＴＦＤ１０）（７９００−１０）を送信している時間の周波数占有帯域は同じであってもよいし、異なっていてもよい。）図９１において、データシンボル群＃ＦＤ１（＃ＴＦＤ１）（７９００−０１）およびデータシンボル群＃ＦＤ２（＃ＴＦＤ２）（７９００−２）およびデータシンボル群＃ＦＤ３（＃ＴＦＤ３）（７９００−０３）およびデータシンボル群＃ＦＤ４（＃ＴＦＤ４）（７９００−０４）を送信している時間に存在する（サブ）キャリア数は６４であり、データシンボル群＃ＴＤ１０（＃ＴＦＤ１０）（７９００−１０）を送信している時間に存在する（サブ）キャリア数は２５６である。
【０７７７】
同様に、図７９において、データシンボル群＃ＦＤ１（＃ＴＦＤ１）（７９００−０１）およびデータシンボル群＃ＦＤ２（＃ＴＦＤ２）（７９００−２）およびデータシンボル群＃ＦＤ３（＃ＴＦＤ３）（７９００−０３）およびデータシンボル群＃ＦＤ４（＃ＴＦＤ４）（７９００−０４）を送信している時間の（サブ）キャリア間隔と、第１プリアンブル（または、第２プリアンブル）を送信している時間の（サブ）キャリア間隔は、同一であってもよいし、異なっていてもよい。ただし、図７９では、「同一」であるときのフレーム構成を例に記載している。
【０７７８】
なお、図９１に、「異なる」ときの例を示している。ただし、データシンボル群＃ＦＤ１（＃ＴＦＤ１）（７９００−０１）およびデータシンボル群＃ＦＤ２（＃ＴＦＤ２）（７９００−０２）およびデータシンボル群＃ＦＤ３（＃ＴＦＤ３）（７９００−０３）およびデータシンボル群＃ＦＤ４（＃ＴＦＤ４）（７９００−０４）を送信している時間のチャネル間隔と、第１プリアンブル（または、第２プリアンブル）を送信している時間のチャネル間隔は等しいものとする。（ただし、データシンボル群＃ＦＤ１（＃ＴＦＤ１）（７９００−０１）およびデータシンボル群＃ＦＤ２（＃ＴＦＤ２）（７９００−０２）およびデータシンボル群＃ＦＤ３（＃ＴＦＤ３）（７９００−０３）およびデータシンボル群＃ＦＤ４（＃ＴＦＤ４）（７９００−０４）を送信している時間の周波数占有帯域と、第１プリアンブル（または、第２プリアンブル）を送信している時間の周波数占有帯域は同じであってもよいし、異なっていてもよい。）図９１において、データシンボル群＃ＦＤ１（＃ＴＦＤ１）（７９００−０１）およびデータシンボル群＃ＦＤ２（＃ＴＦＤ２）（７９００−０２）およびデータシンボル群＃ＦＤ３（＃ＴＦＤ３）（７９００−０３）およびデータシンボル群＃ＦＤ４（＃ＴＦＤ４）（７９００−０４）を送信している時間に存在する（サブ）キャリア数は６４であり、第１プリアンブル（または、第２プリアンブル）を送信している時間に存在する（サブ）キャリア数は２５６である。
【０７７９】
図７９において、第１プリアンブルを送信している時間の（サブ）キャリア間隔と、第２プリアンブルを送信している時間の（サブ）キャリア間隔は、異なっていてもよい。
図９２に、「異なる」ときの例を示している。ただし、第１プリアンブルを送信している時間のチャネル間隔と、第２プリアンブルを送信している時間のチャネル間隔は等しいものとする。（ただし、第１プリアンブルを送信している時間の周波数占有帯域と、第２プリアンブルを送信している時間の周波数占有帯域は同じであってもよいし、異なっていてもよい。）図９２において、第１プリアンブルを送信している時間に存在する（サブ）キャリア数は６４であり、第２プリアンブルを送信している時間に存在する（サブ）キャリア数は２５６である。
【０７８０】
また、図７９において、第１プリアンブルを送信している時間の（サブ）キャリア間隔と、データシンボル群＃ＴＦＤ１０（＃ＴＦＤ１０）（７９００−１０）を送信している時間の（サブ）キャリア間隔は、異なっていてもよい。
図９３に、「異なる」ときの例を示している。ただし、第１プリアンブルを送信している時間のチャネル間隔と、データシンボル群＃ＴＦＤ１０（＃ＴＦＤ１０）（７９００−１０）を送信している時間のチャネル間隔は等しいものとする。（ただし、第１プリアンブルを送信している時間の周波数占有帯域と、データシンボル群＃ＴＦＤ１０（＃ＴＦＤ１０）（７９００−１０）を送信している時間の周波数占有帯域は同じであってもよいし、異なっていてもよい。）図９３において、第１プリアンブルを送信している時間に存在する（サブ）キャリア数は６４であり、データシンボル群＃ＴＦＤ１０（＃ＴＦＤ１０）（７９００−１０）を送信している時間に存在する（サブ）キャリア数は２５６である。
【０７８１】
なお、上述の補足説明では、図７９のフレーム構成を例に説明しているが、適用可能なフレーム構成は、これに限ったものではない。また、実施の形態２と組み合わせる実施の形態は実施の形態Ｃ、実施の形態Ｄに限ったものではない。そして、実施の形態２と実施の形態Ｃ、実施の形態Ｄを組み合わせる場合、上述の補足説明を適用するとともに、各データシンボルに対し端末を割り当てることになり、また、各データシンボルに対しダミーシンボル（または、ダミーデータ）を付加することになる。
【０７８２】
本明細書において、データシンボル群を構成するデータとしては、データのパケット、映像の情報のパケット、オーディオの情報のパケット、動画または静止画の情報のパケット、データストリーム、映像ストリーム、オーディオストリーム、動画または静止画のストリームなどが一例として想定することができるが、データシンボル群を構成するデータの種類やデータの構成は、これらに制限したものではない。
【０７８３】
本明細書で説明した時間−周波数軸におけるフレーム構成（例えば、図２、図３、図４、図５、図６、図２４、図２５、図２６、図２７、図２８、図２９、図３０、図３１、図３２、図３３、図３４、図３５、図３６、図３７、図３８、図４８、図２９、図５０、図５１、図５２、図５３、図５４、図６３、図６５、図７９など（フレーム構成は、これに限ったものではない））の変調信号を基地局（または、アクセスポイント（ＡＰ）など）が送信する際場合を説明したが、本明細書で説明した時間−周波数軸におけるフレーム構成におけるデータシンボル群それぞれを異なる端末が送信するように実施してもよい。以下では、この点について説明を行う。
【０７８４】
例えば、次のようにしてもよい。
本明細書で説明した時間−周波数軸におけるフレーム構成（例えば、図２、図３、図４、図５、図６、図２４、図２５、図２６、図２７、図２８、図２９、図３０、図３１、図３２、図３３、図３４、図３５、図３６、図３７、図３８図４８、図２９、図５０、図５１、図５２、図５３、図５４、図６３、図６５、図７９など（フレーム構成は、これに限ったものではない））の変調信号を基地局（または、アクセスポイント（ＡＰ）など）が送信する際場合を説明したが、本明細書で説明した時間−周波数軸におけるフレーム構成におけるデータシンボル群それぞれを異なる端末が送信するように実施してもよい。以下では、この点について説明を行う。
【０７８５】
図９４のフレーム構成に基づいた、複数端末の変調信号送信方法について説明を行う。
図９４において、データシンボル群＃ＦＤ１（＃ＴＦＤ１）（７９００−０１）は、端末＃１が送信するデータシンボル群であるものとする。
データシンボル群＃ＦＤ２（＃ＴＦＤ２）（７９００−０２）は、端末＃２が送信するデータシンボル群であり、データシンボル群＃ＦＤ３（＃ＴＦＤ３）（７９００−０３）は、端末＃３が送信するデータシンボル群であり、データシンボル群＃ＦＤ４（＃ＴＦＤ４）（７９００−０４）は、端末＃４が送信するデータシンボル群であり、データシンボル群＃ＦＤ５（＃ＴＦＤ５）（７９００−０５）は、端末＃５が送信するデータシンボル群であり、データシンボル群＃ＦＤ６（＃ＴＦＤ６）（７９００−０６）は、端末＃６が送信するデータシンボル群であり、データシンボル群＃ＦＤ７（＃ＴＦＤ７）（７９００−０７）は、端末＃７が送信するデータシンボル群であり、データシンボル群＃ＦＤ８（＃ＴＦＤ８）（７９００−０８）は、端末＃８が送信するデータシンボル群であり、データシンボル群＃ＦＤ９（＃ＴＦＤ９）（７９００−０９）は、端末＃９が送信するデータシンボル群であり、データシンボル群＃ＴＤ１０（＃ＴＦＤ１０）（７９００−１０）は、端末＃１０が送信するデータシンボル群であり、データシンボル群＃ＴＤ１１（＃ＴＦＤ１１）（７９００−１１）は、端末＃１１が送信するデータシンボル群である。
【０７８６】
図９５は、基地局（ＡＰ）と端末＃１、端末＃２、端末＃３、端末＃４、端末＃５、端末＃６、端末＃７、端末＃８、端末＃９、端末＃１０、端末＃１１の通信の様子を示している。図９５において、図９５（ａ）は、基地局（ＡＰ）が変調信号を送信する様子を示しており、図９５（ｂ）は、端末＃１、端末＃２、端末＃３、端末＃４が変調信号を送信する様子を示しており、図９５（ｃ）は、端末＃５、端末＃６、端末＃７、端末＃８、端末＃９が変調信号を送信する様子を示しており、図９５（ｄ）は、端末＃１０が変調信号を送信する様子を示しており、図９５（ｅ）は、端末＃１１が変調信号を送信する様子を示している。
【０７８７】
図９５に示すように、基地局（ＡＰ）は、「シンボルの送信」（９５００−０１）を行うものとする。例えば、「シンボルの送信」（９５００−０１）は制御情報、および、データシンボルを送信しているものとする。このとき、制御情報は、図１２２の時間ｔ１からｔ２に変調信号を送信する端末の情報（および、端末の周波数（キャリア）割り当ての情報）が含まれているものとする。
【０７８８】
図９５に示すように、端末＃１、端末＃２、端末＃３、端末＃４は、基地局（ＡＰ）が送信した「シンボル」（９５００−０１）を受信し、端末＃１、端末＃２、端末＃３、端末＃４は、「シンボルの送信」（９５００−０２）を行うものとする。
このとき、端末＃１は、図９４のようにデータシンボル群＃ＦＤ１（＃ＴＦＤ１）（７９００−０１）を送信し、端末＃２は、図９４のようにデータシンボル群＃ＦＤ２（＃ＴＦＤ２）（７９００−０２）を送信し、端末＃３は、図９４のようにデータシンボル群＃ＦＤ３（＃ＴＦＤ３）（７９００−０３）を送信し、端末＃４は、図９４のようにデータシンボル群＃ＦＤ４（＃ＴＦＤ４）（７９００−０４）を送信する。
【０７８９】
次に、図９５に示すように、基地局（ＡＰ）は、「シンボルの送信」（９５００−０３）を行うものとする。例えば、「シンボルの送信」（９５００−０３）は制御情報、および、データシンボルを送信しているものとする。このとき、制御情報は、図９４の時間ｔ３からｔ４に変調信号を送信する端末の情報（および、端末の周波数（キャリア）割り当ての情報）が含まれているものとする。
【０７９０】
図９５に示すように、端末＃５、端末＃６、端末＃７、端末＃８、端末＃９は、基地局（ＡＰ）が送信した「シンボル」（９５００−０３）を受信し、端末＃５、端末＃６、端末＃７、端末＃８、端末＃９は、「シンボルの送信」（９５００−０４）を行うものとする。
このとき、端末＃５は、図９４のようにデータシンボル群＃ＦＤ５（＃ＴＦＤ５）（７９００−０５）を送信し、端末＃６は、図９４のようにデータシンボル群＃ＦＤ６（＃ＴＦＤ６）（７９００−０６）を送信し、端末＃７は、図９４のようにデータシンボル群＃ＦＤ７（＃ＴＦＤ７）（７９００−０７）を送信し、端末＃８は、図９４のようにデータシンボル群＃ＦＤ８（＃ＴＦＤ８）（７９００−０８）を送信し、端末＃９は、図９４のようにデータシンボル群＃ＦＤ９（＃ＴＦＤ９）（７９００−０９）を送信する。
【０７９１】
そして、図９５に示すように、基地局（ＡＰ）は、「シンボルの送信」（９５００−０５）を行うものとする。例えば、「シンボルの送信」（９５００−０５）は制御情報、および、データシンボルを送信しているものとする。このとき、制御情報は、図９４の時間ｔ５からｔ６に変調信号を送信する端末の情報（および、端末の時間割り当ての情報）が含まれているものとする。
【０７９２】
図９５に示すように、端末＃１０、端末＃１１は、基地局（ＡＰ）が送信した「シンボル」（９５００−０５）を受信し、端末＃１０、端末＃１１は、それぞれ「シンボルの送信」（９５００−０６）、「シンボルの送信」（９５００−０７）を行うものとする。
このとき、端末＃１０は、図９４のようにデータシンボル群＃ＴＤ１０（＃ＴＦＤ１０）（７９００−１０）を送信し、端末＃１１は、図９４のようにデータシンボル群＃ＴＤ１１（＃ＴＦＤ１１）（７９００−１１）を送信する。
【０７９３】
図９６は、端末＃１、端末＃２、端末＃３、端末＃４、端末＃５、端末＃６、端末＃７、端末＃８、端末＃９、端末＃１０、端末＃１１がそれぞれデータシンボル群＃ＦＤ１（＃ＴＦＤ１）（７９００−０１）、データシンボル群＃ＦＤ２（＃ＴＦＤ２）（７９００−０２）、データシンボル群＃ＦＤ３（＃ＴＦＤ３）（７９００−０３）、データシンボル群＃ＦＤ４（＃ＴＦＤ４）（７９００−０４）、データシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）、データシンボル群＃ＴＤ１０（＃ＴＦＤ１０）（７９００−１０）、データシンボル群＃ＴＤ１１（＃ＴＦＤ１１）（７９００−１１）を送信する際のデータシンボル群＃ＦＤ１（＃ＴＦＤ１）（７９００−０１）、データシンボル群＃ＦＤ２（＃ＴＦＤ２）（７９００−０２）、データシンボル群＃ＦＤ３（＃ＴＦＤ３）（７９００−０３）、データシンボル群＃ＦＤ４（＃ＴＦＤ４）（７９００−０４）、データシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）、データシンボル群＃ＴＤ１０（＃ＴＦＤ１０）（７９００−１０）、データシンボル群＃ＴＤ１１（＃ＴＦＤ１１）（７９００−１１）の構成の一例を示している。なお、図９６において、横軸は時間であり、縦軸は周波数（キャリア）である。
【０７９４】
図９６に示すように、各データシンボル群は、例えば、第３プリアンブル９６００−０１、第４プリアンブル９６００−０２、データシンボル９６００−０３で構成されているものとする。
例えば、第３プリアンブル９６００−０１は、信号検出、時間・周波数同期のための（送受信機において既知の）ＰＳＫシンボルを含んでおり、第４プリアンブル９６００−０２は、受信装置がＡＧＣ（Automatic Gain Control）を実施するためのＡＧＣシンボル、チャネル推定を行うためのパイロットシンボル（リファレンスシンボル）、基地局（ＡＰ）が端末を識別するための端末情報、データシンボル９６００−０３の変調方式、誤り訂正符号の情報を伝送するための制御情報シンボルなどを含んでいるものとする。
【０７９５】
データシンボル９６００−０３は、端末が基地局（ＡＰ）に伝送するためのデータを含むシンボルであるものとする。
なお、図９６において、第３プリアンブル９６００−０１、第４プリアンブル９６００−０２、データシンボルの時間−周波数軸における配置はこれに限ったのではなく、例えば、特定のキャリアに、第３プリアンブル、第４プリアンブルを配置してもよい。
【０７９６】
本明細書で説明した時間−周波数軸におけるフレーム構成（例えば、図２、図３、図４、図５、図６、図２４、図２５、図２６、図２７、図２８、図２９、図３０、図３１、図３２、図３３、図３４、図３５、図３６、図３７、図３８図４８、図２９、図５０、図５１、図５２、図５３、図５４、図６３、図６５、図７９など（フレーム構成は、これに限ったものではない））は、送信方法がＳＩＳＯ（または、ＳＩＭＯ）方式のフレーム構成であってもよいし、ＭＩＳＯ方式のフレーム構成であってもよいし、ＭＩＭＯ方式のフレーム構成であってもよい。なお、この点については、すべての実施の形態のすべてのフレームについて、同様である。
【０７９７】
また、本明細書では、ＯＦＤＭ方式を例に説明したが、ＯＦＤＭ方式を用いて実施する部分では、マルチキャリアを用いた送信方法を用いても同様に実施することが可能である。
（実施の形態Ｅ）
本実施の形態では、基地局（ＡＰ）が、実施の形態Ｃ、実施の形態Ｄで説明したように、図７９のフレーム構成の変調信号を送信する場合の具体的な例について説明する。
【０７９８】
図７９の時間ｔ１から時間ｔ２に存在するデータシンボル群＃ＦＤ１（＃ＴＦＤ１）（７９００−０１）、データシンボル群＃ＦＤ２（＃ＴＦＤ２）（７９００−０２）、データシンボル群＃ＦＤ３（＃ＴＦＤ３）（７９００−０３）、データシンボル群＃ＦＤ４（＃ＴＦＤ４）（７９００−０４）において、実施の形態Ｄでは、ダミーシンボル（または、ダミースロット、ダミーデータ）を挿入する例を説明したが、本実施の形態では、ダミーシンボル（または、ダミースロット、ダミーデータ）を挿入しない例について説明する。
【０７９９】
図９７は、ダミーシンボル（または、ダミースロット、ダミーデータ）を挿入しない特の、図７９の時間ｔ１から時間ｔ２に存在するデータシンボル群＃ＦＤ１（＃ＴＦＤ１）（７９００−０１）、データシンボル群＃ＦＤ２（＃ＴＦＤ２）（７９００−０２）、データシンボル群＃ＦＤ３（＃ＴＦＤ３）（７９００−０３）、データシンボル群＃ＦＤ４（＃ＴＦＤ４）（７９００−０４）の構成の例を示している。
【０８００】
図７９の時間ｔ１から時間ｔ２に存在するデータシンボル群＃ＦＤ１（＃ＴＦＤ１）（７９００−０１）、データシンボル群＃ＦＤ２（＃ＴＦＤ２）（７９００−０２）、データシンボル群＃ＦＤ３（＃ＴＦＤ３）（７９００−０３）、データシンボル群＃ＦＤ４（＃ＴＦＤ４）（７９００−０４）のいずれか１つ以上のデータシンボル群において、図９７のように、空きシンボル（空きスロット）９７００−０２が存在するものとする。図９７において、横軸を時間、縦軸を周波数（キャリア）としたときの時間ｔ１から時間ｔ２におけるデータシンボル群の構成の一例を示している。図９７において、９７００−０１はデータシンボルであり、このシンボルを用いて、基地局（ＡＰ）は、データを送信しているものとする。
【０８０１】
図９７の９７００−０２は、空きシンボル（または、空きスロット）であり、このシンボルでは、基地局（ＡＰ）は、データを送信しておらず、空きシンボル（空きスロット）９７００−０２では、シンボルが存在していない、つまり、空きシンボル（空きスロット）９７００−０２が占める時間区間、および、周波数区間では、変調信号が存在していないものとする。
【０８０２】
図９８は、基地局（ＡＰ）が図７９のフレーム構成で、変調信号を送信している際、時間ｔ１から時間ｔ２に存在するデータシンボル群＃ＦＤ１（＃ＴＦＤ１）（７９００−０１）、データシンボル群＃ＦＤ２（＃ＴＦＤ２）（７９００−０２）、データシンボル群＃ＦＤ３（＃ＴＦＤ３）（７９００−０３）、データシンボル群＃ＦＤ４（＃ＴＦＤ４）（７９００−０４）のいずれかのデータシンボル群において、図９７のように「空きシンボル（空きスロット）」（９７００−０２）が発生した際に、「空きシンボル（空きスロット）」（９７００−０２）を利用して、別のデータシンボル群を送信する例を示している。
【０８０３】
図９８において、縦軸は周波数（キャリア）、横軸は時間であり、図９７と同様に動作するデータシンボルについては、同一番号を付しており、説明は省略する。基地局（ＡＰ）は、図９７の「空きシンボル（空きスロット）」（９７００−０２）を用いて、別のデータシンボルを送信することになる。
図９８において、９８００−０１はプリアンブルであり、９８００−０２はデータシンボル群＃Ａであり、プリアンブル９８００−０１、および、データシンボル群＃Ａ（９８００−０２）は、例えば、新たな端末＃Ａに伝送するためのシンボル（シンボル群）であるものとする。
【０８０４】
例えば、プリアンブル９８００−０１は、端末＃Ａが信号検出、時間・周波数同期、チャネル推定を実施するためのシンボルが含まれているものとし、また、データシンボル群＃Ａを生成するのに使用した、誤り訂正符号化方式の情報、変調信号の情報、送信方法の情報などの制御情報シンボルを含んでいるものとし、端末＃Ａは、これらの制御情報を得ることで、データシンボル群＃Ａの復調・復号が可能となる。
【０８０５】
図７９の時間ｔ３から時間ｔ４に存在するデータシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）において、実施の形態Ｄでは、ダミーシンボル（または、ダミースロット、ダミーデータ）を挿入する例を説明したが、本実施の形態では、ダミーシンボル（または、ダミースロット、ダミーデータ）を挿入しない例について説明する。
【０８０６】
図９９は、ダミーシンボル（または、ダミースロット、ダミーデータ）を挿入しない特の、図７９の時間ｔ３から時間ｔ４に存在するデータシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）の構成の例を示している。
【０８０７】
図７９の時間ｔ３から時間ｔ４に存在するデータシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）のいずれか１つ以上のデータシンボル群において、図９９のように、空きシンボル（空きスロット）９９００−０２が存在するものとする。
図９９において、横軸を時間、縦軸を周波数（キャリア）としたときの時間ｔ３から時間ｔ４におけるデータシンボル群の構成の一例を示している。図９９において、９９００−０１はデータシンボルであり、このシンボルを用いて、基地局（ＡＰ）は、データを送信しているものとする。
【０８０８】
図９９の９９００−０２は、空きシンボル（または、空きスロット）であり、このシンボルでは、基地局（ＡＰ）は、データを送信しておらず、空きシンボル（空きスロット）９９００−０２では、シンボルが存在していない、つまり、空きシンボル（空きスロット）９９００−０２が占める時間区間、および、周波数区間では、変調信号が存在していないものとする。
【０８０９】
図１００は、基地局（ＡＰ）が図７９のフレーム構成で、変調信号を送信している際、時間ｔ３から時間ｔ４に存在するデータシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）のいずれかのデータシンボル群において、図９９のように「空きシンボル（空きスロット）」（９９００−０２）が発生した際に、「空きシンボル（空きスロット）」（９９００−０２）を利用して、別のデータシンボル群を送信する例を示している。
【０８１０】
図１００において、縦軸は周波数（キャリア）、横軸は時間であり、図９９と同様に動作するデータシンボルについては、同一番号を付しており、説明は省略する。基地局（ＡＰ）は、図９９の「空きシンボル（空きスロット）」（９９００−０２）を用いて、別のデータシンボルを送信することになる。
図１００において、１００００−０１はプリアンブルであり、１００００−０２はデータシンボル群＃Ｂであり、プリアンブル１００００−０１、および、データシンボル群＃Ｂ（１００００−０２）は、例えば、新たな端末＃Ｂに伝送するためのシンボル（シンボル群）であるものとする。
【０８１１】
例えば、プリアンブル１００００−０１は、端末＃Ｂが信号検出、時間・周波数同期、チャネル推定を実施するためのシンボルが含まれているものとし、また、データシンボル群＃Ｂを生成するのに使用した、誤り訂正符号化方式の情報、変調信号の情報、送信方法の情報などの制御情報シンボルを含んでいるものとし、端末＃Ｂは、これらの制御情報を得ることで、データシンボル群＃Ｂの復調・復号が可能となる。
【０８１２】
ところで、図７９のように、第１プリアンブル、第２プリアンブルが存在し、時間ｔ１から時間ｔ２、および、時間ｔ３から時間ｔ４において、データシンボル群を周波数分割を行い、基地局（ＡＰ）がデータシンボル群を送信すると、周波数分割を行ったデータシンボル群では、「空きシンボル（空きスロット）」が存在することになる。
そして、図９８、図１００を用いて説明したように、「空きシンボル（空きスロット）」を利用して、データシンボル群を、基地局（ＡＰ）が送信することで、基地局（ＡＰ）および端末から構成されるシステムにおいて、データの伝送効率が向上するという効果を得ることができる。このとき、図９８、図１００において、プリアンブルを送信しているが、このシンボルを追加することで、（新たな）端末は、データシンボル群が存在することを認識することができるという効果を得ることができる。また、基地局（ＡＰ）が、図９８、図１００のように、プリアンブルとデータシンボル群を送信することで、データシンボル同士の干渉を抑えることができる（同一時刻、同一周波数に複数のデータシンボルが存在するようなことを防ぐことができる）ことになる。
【０８１３】
なお、図７９において、時間分割を行ったデータシンボル群（または、２以上のデータシンボル群が存在する時間がないようにデータシンボル群を配置する場合）に対する適用について説明する。
図７９のデータシンボル群＃ＴＤ１０（＃ＴＦＤ１０）（７９００−１０）、データシンボル群＃１１（＃ＴＦＤ１１）（７９００−１１）において、実施の形態Ｄでは、ダミーシンボル（または、ダミースロット、ダミーデータ）を挿入する例を説明したが、ここでは、ダミーシンボル（または、ダミースロット、ダミーデータ）を挿入しない例について説明する。
【０８１４】
図７９のデータシンボル群＃ＴＤ１０（＃ＴＦＤ１０）（７９００−１０）、データシンボル群＃ＴＤ１１（＃ＴＦＤ１１）（７９００−１１）において、図１０１のように、空きシンボル（空きスロット）１０１００−０２が存在するものとする。図１０１において、横軸を時間、縦軸を周波数（キャリア）としたときのデータシンボル群＃ＴＤ１０（＃ＴＦＤ１０）（７９００−１０）、データシンボル群＃ＴＤ１１（＃ＴＦＤ１１）（７９００−１１）の構成の一例を示している。図１０１において、１０１００−０１はデータシンボルであり、このシンボルを用いて、基地局（ＡＰ）は、データを送信しているものとする。
【０８１５】
図１０１の１０１００−０２は、空きシンボル（または、空きスロット）であり、このシンボルでは、基地局（ＡＰ）は、データを送信しておらず、空きシンボル（空きスロット）１０１００−０２では、シンボルが存在していない、つまり、空きシンボル（空きスロット）１０１００−０２が占める時間区間、および、周波数区間では、変調信号が存在していないものとする。
【０８１６】
図１０１における特徴的な点は、空きシンボル（空きスロット）が存在する時間区間が複数にまたがらないことである。例えば、図７９のデータシンボル群＃ＴＤ１０（＃ＴＦＤ１０）（７９００−１０）において、図１０１のような状態になったものとする。このとき、図１０１のように、空きシンボル（空きスロット）１０１００−０２は、時間「＊５０」のみに存在することになる。
【０８１７】
図１０１の状態に対し、新たなデータシンボル群を送信してもデータの伝送効率は大きく改善するのは難しい。また、プリアンブルとデータシンボル群を異なる時間に送信することも難しい。
したがって、データシンボル群を時間分割（または、２以上のデータシンボル群が存在する時間が内容にデータシンボル群を配置する）行った際は、新たな「プリアンブルとデータシンボル群」を送信するような構成を適用することになる。（ただし、新たな「プリアンブルとデータシンボル群」を送信するような構成としてもよい。）
以上のように、データシンボル群における「空きシンボル（空きスロット）」を用いて、（プリアンブル、および、）新たにデータシンボル群を送信することで、基地局（ＡＰ）および端末から構成されるシステムにおいて、データ伝送効率が向上するという効果を得ることができる。
【０８１８】
次に、基地局（ＡＰ）が、実施の形態Ｃ、実施の形態Ｄで説明したように、図７９のフレーム構成の変調信号を送信する場合の別の例について説明する。
図１０２は、図７９とは異なる、基地局（ＡＰ）が送信する別のフレーム構成の一例であり、図２、図７９と同様に動作するものについては、同一番号を付しており、説明は省略する。
【０８１９】
図１０２において、図７９と異なる点は、時間ｔ２から時間ｔ３に間に、第３のプリアンブルをフレームに挿入している点である。
図１０２の時間ｔ３から時間ｔ４に存在するデータシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）において、実施の形態Ｄでは、ダミーシンボル（または、ダミースロット、ダミーデータ）を挿入する例を説明したが、本実施の形態では、ダミーシンボル（または、ダミースロット、ダミーデータ）を挿入しない例について説明する。
【０８２０】
図９９は、ダミーシンボル（または、ダミースロット、ダミーデータ）を挿入しない特の、図１０２の時間ｔ３から時間ｔ４に存在するデータシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）の構成の例を示している。
【０８２１】
図１０２の時間ｔ３から時間ｔ４に存在するデータシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）のいずれか１つ以上のデータシンボル群において、図９９のように、空きシンボル（空きスロット）９９００−０２が存在するものとする。
【０８２２】
図９９において、横軸を時間、縦軸を周波数（キャリア）としたときの時間ｔ３から時間ｔ４におけるデータシンボル群の構成の一例を示している。図９９において、９９００−０１はデータシンボルであり、このシンボルを用いて、基地局（ＡＰ）は、データを送信しているものとする。
図９９の９９００−０２は、空きシンボル（または、空きスロット）であり、このシンボルでは、基地局（ＡＰ）は、データを送信しておらず、空きシンボル（空きスロット）９９００−０２では、シンボルが存在していない、つまり、空きシンボル（空きスロット）９９００−０２が占める時間区間、および、周波数区間では、変調信号が存在していないものとする。
【０８２３】
図１０３は、基地局（ＡＰ）が図１０２のフレーム構成で、変調信号を送信している際、時間ｔ３から時間ｔ４に存在するデータシンボル群＃ＦＤ５（＃ＴＦＤ５）（７９００−０５）、データシンボル群＃ＦＤ６（＃ＴＦＤ６）（７９００−０６）、データシンボル群＃ＦＤ７（＃ＴＦＤ７）（７９００−０７）、データシンボル群＃ＦＤ８（＃ＴＦＤ８）（７９００−０８）、データシンボル群＃ＦＤ９（＃ＴＦＤ９）（７９００−０９）のいずれかのデータシンボル群において、図９９のように「空きシンボル（空きスロット）」（９９００−０２）が発生した際に、「空きシンボル（空きスロット）」（９９００−０２）を利用して、別のデータシンボル群を送信する例を示している。
【０８２４】
図１０３において、縦軸は周波数（キャリア）、横軸は時間であり、図９９と同様に動作するデータシンボルについては、同一番号を付しており、説明は省略する。基地局（ＡＰ）は、図９９の「空きシンボル（空きスロット）」（９９００−０２）を用いて、別のデータシンボルを送信することになる。
図１０３において、１０３００−０１はデータシンボル群＃Ａであり、データシンボル群＃Ｂ（１０３００−０１）は、例えば、新たな端末＃Ｂに伝送するためのシンボル（シンボル群）であるものとする。
【０８２５】
例えば、図１０２の第３プリアンブル１０２００−０１は、端末＃Ｂが信号検出、時間・周波数同期、チャネル推定を実施するためのシンボルが含まれているものとし、また、データシンボル群＃Ｂを生成するのに使用した、誤り訂正符号化方式の情報、変調信号の情報、送信方法の情報、データシンボル群＃Ｂが存在する、時間・周波数の位置などの制御情報シンボルを含んでいるものとし、これらの制御情報を得ることで、端末＃Ｂは、データシンボル群＃Ｂの復調・復号が可能となる。
【０８２６】
なお、図１０２では、時間ｔ２から時間ｔ３の間に、第３のプリアンブルを挿入したが、時間ｔ０から時間ｔ１の間に第３のプリアンブルを挿入してもよい。このとき、例えば、図１０２の時間ｔ１から時間ｔ２に存在するデータシンボル群＃ＦＤ１（＃ＴＦＤ１）（７９００−０１）、データシンボル群＃ＦＤ２（＃ＴＦＤ２）（７９００−０２）、データシンボル群＃ＦＤ３（＃ＴＦＤ３）（７９００−０３）、データシンボル群＃ＦＤ４（＃ＴＦＤ４）（７９００−０４）のいずれか１つ以上のデータシンボル群において、図９９のように、空きシンボル（空きスロット）９９００−０２が存在するものとし、この空きシンボル（空きスロット）９９００−０２を用いて、図１０３のようにデータシンボル群＃Ｂを送信してもよい。
【０８２７】
図１０２において、時間分割を行ったデータシンボル群（または、２以上のデータシンボル群が存在する時間がないようにデータシンボル群を配置する）に対する適用について説明する。
図１０２のデータシンボル群＃ＴＤ１０（＃ＴＦＤ１０）（７９００−１０）、データシンボル群＃ＴＤ１１（＃ＴＦＤ１１）（７９００−１１）において、実施の形態Ｄでは、ダミーシンボル（または、ダミースロット、ダミーデータ）を挿入する例を説明したが、ここでは、ダミーシンボル（または、ダミースロット、ダミーデータ）を挿入しない例について説明する。
【０８２８】
図１０２のデータシンボル群＃ＴＤ１０（＃ＴＦＤ１０）（７９００−１０）、データシンボル群＃ＴＤ１１（＃ＴＦＤ１１）（７９００−１１）において、図１０１のように、空きシンボル（空きスロット）１０１００−０２が存在するものとする。図１０１において、横軸を時間、縦軸を周波数（キャリア）としたときのデータシンボル群＃１０（＃ＴＦＤ１０）（７９００−１０）、データシンボル群＃ＴＤ１１（＃ＴＦＤ１１）（７９００−１１）の構成の一例を示している。図１０１において、１０１００−０１はデータシンボルであり、このシンボルを用いて、基地局（ＡＰ）は、データを送信しているものとする。
【０８２９】
図１０１の１０１００−０２では、空きシンボル（または、空きスロット）であり、このシンボルでは、基地局（ＡＰ）は、データを送信しておらず、空きシンボル（空きスロット）１０１００−０２では、シンボルが存在していない、つまり、空きシンボル（空きスロット）１０１００−０２が占める時間区間、および、周波数区間では、変調信号が存在していないものとする。
【０８３０】
図１０１における特徴的な点は、空きシンボル（空きスロット）が存在する時間区間が複数にまたがらないことである。例えば、図７９のデータシンボル群＃ＴＤ１０（＃ＴＦＤ１０）（７９００−１０）において、図１０１のような状態になったものとする。このとき、図１０１のように、空きシンボル（空きスロット）１０１００−０２は、時間「＊５０」のみに存在することになる。
【０８３１】
図１０１の状態に対し、新たなデータシンボル群を送信すると、若干であるが、データの伝送効率が改善する。例えば、高速なデータ伝送を行わない用途であれば、空きシンボル（空きスロット）１０１００−０２をデータ送信に有効に活用することができる。
このとき、図１０４のように、時間ｔ４から時間ｔ５の間に第３のプリアンブル１０４００−０１を挿入することになる。（なお、図１０４において、横軸は時間、縦軸は周波数であり、図７９と同様に動作するものについては、同一番号を付しており、その説明は省略する。）そして、図１０５に示すように、図１０１に示した空きシンボル（空きスロット）１０１００−０２を用いて、データシンボル群＃Ｃ（１０５００−０１）を送信することになる。（なお、図１０５において、横軸は時間、縦軸は周波数であり、図１０１と同様に動作するものについては、同一番号を付しており、その説明は省略する。）
図１０５において、データシンボル群＃Ｃ（１０５００−０１）は、例えば、新たな端末＃Ｃに伝送するためのシンボル（シンボル群）であるものとする。
【０８３２】
例えば、図１０４の第３のプリアンブル１０４００−０１は、端末＃Ｃが信号検出、時間・周波数同期、チャネル推定を実施するためのシンボルが含まれているものとし、また、データシンボル群＃Ｃを生成するのに使用した、誤り訂正符号化方式の情報、変調信号の情報、送信方法の情報、データシンボル群＃Ｃが存在する、時間・周波数の位置などの制御情報シンボルを含んでいるものとし、端末＃Ｃは、これらの制御情報を得ることで、データシンボル群＃Ｃの復調・復号が可能となる。
【０８３３】
なお、図１０５のように、データシンボル群＃Ｃ（１０５００−０１）を送信しないようなフレーム構成をとってもよい。
以上のように、データシンボル群における「空きシンボル（空きスロット）」を用いて、新たにデータシンボル群を送信することで、基地局（ＡＰ）および端末から構成されるシステムにおいて、データ伝送効率が向上するという効果を得ることができる。
【０８３４】
なお、（新たな）データシンボル群、および、プリアンブルの送信方法として、図１００、図１０２の送信方法があるが、基地局（ＡＰ）は、いずれの送信方法で。データシンボル群、プリアンブルを送信してもよく、通信状況により、基地局（ＡＰ）は、図１００、図１０２の送信方法を切り替えて、データシンボル群、プリアンブルを送信してもよい。なお、図１００、図１０２の送信方法の切り替えは、基地局（ＡＰ）が判断してもよいし、基地局（ＡＰ）と通信を行っている端末からの指示で、基地局（ＡＰ）が切り替えてもよい。
（補足３）
実施の形態Ｃ、実施の形態Ｄなどでは、基地局（ＡＰ）が、データシンボル群に対し、ダミーシンボルを挿入する方法について説明しており、実施の形態Ｃでは、データシンボル群に対し、空きシンボル（空きスロット）を配置する方法について説明した。このとき、基地局（ＡＰ）は、データシンボル群に対し、ダミーシンボルを挿入する方法と、データシンボル群に対し、空きシンボル（空きスロット）を配置する方法を、フレームごとに切り替えて使用するようにしてもよい。
【０８３５】
本明細書において、「ＦＦＴサイズ、または、フーリエ変換のサイズ」を設定する例として、「キャリア間隔」を設定する場合について説明したが、これに限ったものではなく、「ＦＦＴサイズ、または、フーリエ変換のサイズ」を設定することで、「ＯＦＤＭの変調信号における使用しているサブキャリア数」を設定するということであってもよい。
例えば、「ＦＦＴサイズ、または、フーリエ変換のサイズ」を変更することが、「ＯＦＤＭの変調信号における使用しているサブキャリア数」が変更するということであってもよい。
【０８３６】
本明細書において、種々のフレーム構成について説明した。本明細書で説明したフレーム構成の変調信号を、基地局（ＡＰ）が、ＯＦＤＭ方式などのマルチキャリア方式を用いて送信するものとする。このとき、基地局（ＡＰ）と通信を行っている端末が変調信号を送信する際、端末が送信する変調信号はシングルキャリアの方式であるとよい。（基地局（ＡＰ）はＯＦＤＭ方式を用いることで、複数の端末に対し、同時にデータシンボル群を送信することができ、また、端末はシングルキャリア方式を用いることにより、消費電力を低減することが可能となる。）
また、基地局（ＡＰ）が送信する変調信号が使用する周波数帯域の一部を用いて、端末は変調方式を送信するＴＤＤ（Time Division Duplex）方式を適用してもよい。
【０８３７】
本明細書において、基地局（ＡＰ）および端末の動作、構成について説明した。例えば、図７４、図７５に、基地局（ＡＰ）および端末の構成をそれぞれ示した。図７４において、送信アンテナ数を１、受信アンテナ数を１としているが、本明細書で記載したように、送信方法として、ＭＩＭＯ伝送方式、ＭＩＳＯ方式を適用してもよく、したがって、送信アンテナ数は１に限ったものではなく（送信アンテナ数を２以上としてもよい）、また、受信アンテナ数も１に限ったものではない（受信アンテナ数を２以上としてもよい）。同様に、図７５において、送信アンテナ数を１、受信アンテナ数を１としているが、本明細書で記載したように、送信方法として、ＭＩＭＯ伝送方式、ＭＩＳＯ伝送方式を適用してもよく、したがって、送信アンテナ数は１に限ったものではなく（送信アンテナ数を２以上としてもよい）、また、受信アンテナ数も１に限ったものではない（受信アンテナ数を２以上としてもよい）。
【０８３８】
また、図７４、図７５に、送信アンテナ７４００−０４、受信アンテナ７４００−０５、送信アンテナ７５００−０４、受信アンテナ７５００−０５を示しているが、送信アンテナ７４００−０４、７５００−０４が、複数のアンテナで構成されていてもよく、また、受信アンテナ７４００−０５、７５００−０５が、複数のアンテナで構成されていてもよい。以下では、これらの点について補足説明を行う。
【０８３９】
図１０６は、例えば送信アンテナ７４００−０４、７５００−０４の構成の一例を示している。
分配部１０６００−０２は、送信信号１０６００−０１を入力とし、分配を行い、送信信号１０６００−０３＿１、１０６００−０３＿２、１０６００−０３＿３、１０６００−０３＿４を出力する。
【０８４０】
乗算部１０６００−０４＿１は、送信信号１０６００−０３＿１、および、制御信号１０６００−００を入力とし、制御信号１０６００−００に含まれる乗算係数の情報に基づき、送信信号１０６００−０３＿１に乗算係数を乗算し、乗算後の信号１０６００−０５＿１を出力し、乗算後の信号１０６００−０５＿１は、電波としてアンテナ１０６００−０６＿１から出力される。
【０８４１】
送信信号１０６００−０３＿１をＴｘ１（ｔ）（ｔ：時間）、乗算係数をＷ１（Ｗ１は複素数で定義することができ、したがって、実数であってもよい。）とすると、乗算後の信号１０６００−０５＿１は、Ｔｘ１（ｔ）×Ｗ１とあらわされる。
乗算部１０６００−０４＿２は、送信信号１０６００−０３＿２、および、制御信号１０６００−００を入力とし、制御信号１０６００−００に含まれる乗算係数の情報に基づき、送信信号１０６００−０３＿２に乗算係数を乗算し、乗算後の信号１０６００−０５＿２を出力し、乗算後の信号１０６００−０５＿２は、電波としてアンテナ１０６００−０６＿２から出力される。
【０８４２】
送信信号１０６００−０３＿２をＴｘ２（ｔ）（ｔ：時間）、乗算係数をＷ２（Ｗ２は複素数で定義することができ、したがって、実数であってもよい。）とすると、乗算後の信号１０６００−０５＿２は、Ｔｘ２（ｔ）×Ｗ２とあらわされる。
乗算部１０６００−０４＿３は、送信信号１０６００−０３＿３、および、制御信号１０６００−００を入力とし、制御信号１０６００−００に含まれる乗算係数の情報に基づき、送信信号１０６００−０３＿３に乗算係数を乗算し、乗算後の信号１０６００−０５＿３を出力し、乗算後の信号１０６００−０５＿３は、電波としてアンテナ１０６００−０６＿３から出力される。
【０８４３】
送信信号１０６００−０３＿３をＴｘ３（ｔ）（ｔ：時間）、乗算係数をＷ３（Ｗ３は複素数で定義することができ、したがって、実数であってもよい。）とすると、乗算後の信号１０６００−０５＿３は、Ｔｘ３（ｔ）×Ｗ３とあらわされる。
乗算部１０６００−０４＿４は、送信信号１０６００−０３＿４、および、制御信号１０６００−００を入力とし、制御信号１０６００−００に含まれる乗算係数の情報に基づき、送信信号１０６００−０３＿４に乗算係数を乗算し、乗算後の信号１０６００−０５＿４を出力し、乗算後の信号１０６００−０５＿４は、電波としてアンテナ１０６００−０６＿４から出力される。
【０８４４】
送信信号１０６００−０３＿４をＴｘ４（ｔ）（ｔ：時間）、乗算係数をＷ４（Ｗ４は複素数で定義することができ、したがって、実数であってもよい。）とすると、乗算後の信号１０６００−０５＿４は、Ｔｘ４（ｔ）×Ｗ４とあらわされる。
なお、「Ｗ１の絶対値、Ｗ２の絶対値、Ｗ３の絶対値、Ｗ４の絶対値が等しく」てもよい。このとき、位相変更が行われたことに相当する。（当然であるが、Ｗ１の絶対値、Ｗ２の絶対値、Ｗ３の絶対値、Ｗ４の絶対値は等しくなくてもよい。）
また、図１０６では、アンテナ部は、４本のアンテナ（および、４つの乗算部）で構成されている例で説明しているが、アンテナの本数は４に限ったものではなく、２本以上のアンテナで構成されていればよい。
【０８４５】
図１０７は、例えば受信アンテナ７４００−０５、７５００−０５の構成の一例を示している。
乗算部１０７００−０３＿１は、アンテナ１０７００−０１＿１で受信した受信信号１０７００−０２＿１、制御信号１０７００−００を入力とし、制御信号１０７００−００に含まれる乗算係数の情報に基づき、受信信号１０７００−０２＿１に乗算係数を乗算し、乗算後の信号１０７００−０４＿１を出力する。
【０８４６】
受信信号１０７００−０２＿１をＲｘ１（ｔ）（ｔ：時間）、乗算係数Ｄ１（Ｄ１は複素数で定義することができ、したがって、実数であってもよい。）とすると、乗算後の信号１０７００−０４＿１は、Ｒｘ１（ｔ）×Ｄ１とあらわされる。
乗算部１０７００−０３＿２は、アンテナ１０７００−０１＿２で受信した受信信号１０７００−０２＿２、制御信号１０７００−００を入力とし、制御信号１０７００−００に含まれる乗算係数の情報に基づき、受信信号１０７００−０２＿２に乗算係数を乗算し、乗算後の信号１０７００−０４＿２を出力する。
【０８４７】
受信信号１０７００−０２＿２をＲｘ２（ｔ）（ｔ：時間）、乗算係数Ｄ２（Ｄ２は複素数で定義することができ、したがって、実数であってもよい。）とすると、乗算後の信号１０７００−０４＿２は、Ｒｘ２（ｔ）×Ｄ２とあらわされる。
乗算部１０７００−０３＿３は、アンテナ１０７００−０１＿３で受信した受信信号１０７００−０２＿３、制御信号１０７００−００を入力とし、制御信号１０７００−００に含まれる乗算係数の情報に基づき、受信信号１０７００−０２＿３に乗算係数を乗算し、乗算後の信号１０７００−０４＿３を出力する。
【０８４８】
受信信号１０７００−０２＿３をＲｘ３（ｔ）（ｔ：時間）、乗算係数Ｄ３（Ｄ３は複素数で定義することができ、したがって、実数であってもよい。）とすると、乗算後の信号１０７００−０４＿３は、Ｒｘ３（ｔ）×Ｄ３とあらわされる。
乗算部１０７００−０３＿４は、アンテナ１０７００−０１＿４で受信した受信信号１０７００−０２＿４、制御信号１０７００−００を入力とし、制御信号１０７００−００に含まれる乗算係数の情報に基づき、受信信号１０７００−０２＿４に乗算係数を乗算し、乗算後の信号１０７００−０４＿４を出力する。
【０８４９】
受信信号１０７００−０２＿４をＲｘ４（ｔ）（ｔ：時間）、乗算係数Ｄ４（Ｄ４は複素数で定義することができ、したがって、実数であってもよい。）とすると、乗算後の信号１０７００−０４＿４は、Ｒｘ４（ｔ）×Ｄ４とあらわされる。
合成部１０７００−０５は、乗算後の信号１０７００−０４＿１、１０７００−０４＿２、１０７００−０４＿３、１０７００−０４＿４を合成し、合成後の信号１０７００−０６を出力する。なお、合成後の信号１０７００−０６は、Ｒｘ１（ｔ）×Ｄ１＋Ｒｘ２（ｔ）×Ｄ２＋Ｒｘ３（ｔ）×Ｄ３＋Ｒｘ４（ｔ）×Ｄ４とあらわされる。
【０８５０】
図１０７では、アンテナ部は、４本のアンテナ（および、４つの乗算部）で構成される例で説明しているが、アンテナの本数は４に限ったものではなく、２本以上のアンテナで構成されていればよい。
【産業上の利用可能性】
【０８５１】
本発明は、複数のアンテナからそれぞれ異なる変調信号を送信する無線システムに広く適用できる。また、複数の送信箇所を持つ有線通信システム（例えば、ＰＬＣ（Power Line Communication）システム、光通信システム、ＤＳＬ（Digital Subscriber Line：デジタル加入者線）システム）において、ＭＩＭＯ伝送を行う場合についても適用することができる。
【符号の説明】
【０８５２】
１０２  データ生成部
１０５  第２プリアンブル生成部
１０８  制御信号生成部
１１０  フレーム構成部
１１２  信号処理部
１１４  パイロット挿入部
１１６  ＩＦＦＴ部
１１８  ＰＡＰＲ削減部
１２０  ガードインターバル挿入部
１２２  第１プリアンブル挿入部
１２４  無線処理部
１２６  アンテナ
【図１】
2017011689.tif 000064
【図６１】
2017011689.tif 000065
【図６２】
2017011689.tif 000066
【図６３】
2017011689.tif 000067
【図６４】
2017011689.tif 000068
【図６５】
2017011689.tif 000069
【図６６】
2017011689.tif 000070
【図６７】
2017011689.tif 000071
【図６８】
2017011689.tif 000072
【図６９】
2017011689.tif 000073
【図７０】
2017011689.tif 000074
【図７１】
2017011689.tif 000075
【図７２】
2017011689.tif 000076
【図７３】
2017011689.tif 000077
【図７４】
2017011689.tif 000078
【図７５】
2017011689.tif 000079
【図７６】
2017011689.tif 000080
【図７７】
2017011689.tif 000081
【図７８】
2017011689.tif 000082
【図７９】
2017011689.tif 000083
【図８０】
2017011689.tif 000084
【図８１】
2017011689.tif 000085
【図８２】
2017011689.tif 000086
【図８３】
2017011689.tif 000087
【図８４】
2017011689.tif 000088
【図８５】
2017011689.tif 000089
【図８６】
2017011689.tif 000090
【図８７】
2017011689.tif 000091
【図８８】
2017011689.tif 000092
【図８９】
2017011689.tif 000093
【図９０】
2017011689.tif 000094
【図９１】
2017011689.tif 000095
【図９２】
2017011689.tif 000096
【図９３】
2017011689.tif 000097
【図９４】
2017011689.tif 000098
【図９５】
2017011689.tif 000099
【図９６】
2017011689.tif 000100
【図９７】
2017011689.tif 000101
【図９８】
2017011689.tif 000102
【図９９】
2017011689.tif 000103
【図１００】
2017011689.tif 000104
【図１０１】
2017011689.tif 000105
【図１０２】
2017011689.tif 000106
【図１０３】
2017011689.tif 000107
【図１０４】
2017011689.tif 000108
【図１０５】
2017011689.tif 000109
【図１０６】
2017011689.tif 000110
【図１０７】
2017011689.tif 000111
【図２】
2017011689.tif 000112
【図３】
2017011689.tif 000113
【図４】
2017011689.tif 000114
【図５】
2017011689.tif 000115
【図６】
2017011689.tif 000116
【図７】
2017011689.tif 000117
【図８】
2017011689.tif 000118
【図９】
2017011689.tif 000119
【図１０】
2017011689.tif 000120
【図１１】
2017011689.tif 000121
【図１２】
2017011689.tif 000122
【図１３】
2017011689.tif 000123
【図１４】
2017011689.tif 000124
【図１５】
2017011689.tif 000125
【図１６】
2017011689.tif 000126
【図１７】
2017011689.tif 000127
【図１８】
2017011689.tif 000128
【図１９】
2017011689.tif 000129
【図２０】
2017011689.tif 000130
【図２１】
2017011689.tif 000131
【図２２】
2017011689.tif 000132
【図２３】
2017011689.tif 000133
【図２４】
2017011689.tif 000134
【図２５】
2017011689.tif 000135
【図２６】
2017011689.tif 000136
【図２７】
2017011689.tif 000137
【図２８】
2017011689.tif 000138
【図２９】
2017011689.tif 000139
【図３０】
2017011689.tif 000140
【図３１】
2017011689.tif 000141
【図３２】
2017011689.tif 000142
【図３３】
2017011689.tif 000143
【図３４】
2017011689.tif 000144
【図３５】
2017011689.tif 000145
【図３６】
2017011689.tif 000146
【図３７】
2017011689.tif 000147
【図３８】
2017011689.tif 000148
【図３９】
2017011689.tif 000149
【図４０】
2017011689.tif 000150
【図４１】
2017011689.tif 000151
【図４２】
2017011689.tif 000152
【図４３】
2017011689.tif 000153
【図４４】
2017011689.tif 000154
【図４５】
2017011689.tif 000155
【図４６】
2017011689.tif 000156
【図４７】
2017011689.tif 000157
【図４８】
2017011689.tif 000158
【図４９】
2017011689.tif 000159
【図５０】
2017011689.tif 000160
【図５１】
2017011689.tif 000161
【図５２】
2017011689.tif 000162
【図５３】
2017011689.tif 000163
【図５４】
2017011689.tif 000164
【図５５】
2017011689.tif 000165
【図５６】
2017011689.tif 000166
【図５７】
2017011689.tif 000167
【図５８】
2017011689.tif 000168
【図５９】
2017011689.tif 000169
【図６０】
2017011689.tif 000170